(57)【要約】      （修正有）【課題】室内で虫を効果的に誘引して捕獲でき、市販されている装置よりも低コストで製造及び販売され得、競合する室内用捕虫装置よりも小型であり得、別の場所に簡単に移動させることができ、捕獲された虫に接触することなく、クリーニングとメンテナンスをより容易に行うことができる捕虫装置を提供する。【解決手段】一実施形態において、フレームと粘着面を有する膜を含む捕虫部分１１４であって、該膜は、少なくとも部分的には該フレーム内に収容されており、かつ虫に付着するように構成される、捕虫部分と、発光素子とハウジング部分を含むベース部分１１２であって、該ハウジング部分は、該捕虫部分と係合されたときに、該捕虫部分を受容し、かつ保持するように構成される、ベース部分と、を含む、捕虫装置１１０。【選択図】図１
2020188785.tif 000002
【特許請求の範囲】
【請求項１】
フレームと粘着面を有する膜を含む捕虫部分であって、該膜は、少なくとも部分的には該フレーム内に収容されており、かつ虫に付着するように構成される、捕虫部分と、
発光素子とハウジング部分を含むベース部分であって、該ハウジング部分は、該捕虫部分と係合されたときに、該捕虫部分を受容し、かつ保持するように構成される、ベース部分と、を含む、捕虫装置。
【請求項２】
前記ベース部分の前記ハウジング部分は、前記捕虫部分を受容する１つ又は２つ以上の位置合わせガイドを含む、請求項１に記載の捕虫装置。
【請求項３】
前記位置合わせガイドは、側方チャネル、スロット、フランジ、又は凹部を含む、請求項１に記載の捕虫装置。
【請求項４】
前記捕虫部分の前記フレームは、前記膜の外周を実質的に取り囲む境界部を含む、請求項１に記載の捕虫装置。
【請求項５】
前記捕虫部分の前記境界部は、前記膜の１辺、２辺、又は３辺を取り囲む、請求項４に記載の捕虫装置。
【請求項６】
前記捕虫部分の前記境界部は、側方フランジを含み、かつ前記ベース部分の前記ハウジング部分における１つ又は２つ以上の位置合わせガイド内に受容されるように構成される、請求項４に記載の捕虫装置。
【請求項７】
前記フレームは、ユーザーが前記捕虫部分を、前記ベース部分に差し込み可能となるように、かつ、前記ベース部分から取り外し可能となるように構成されるタブを更に含む、請求項４に記載の捕虫装置。
【請求項８】
前記捕虫部分は、前記タブを介して前記ベース部分と取り外し可能に係合させるように構成される、請求項７に記載の捕虫装置。
【請求項９】
前記ベース部分は、エンクロージャを更に含み、該エンクロージャは、前記捕虫部分を少なくとも部分的に取り囲み、かつ、虫が該エンクロージャ内に入り得るように構成される第１の開口部を含む、請求項１に記載の捕虫装置。
【請求項１０】
前記発光素子は、前記捕虫部分の前方に位置する、請求項１に記載の捕虫装置。
【請求項１１】
前記エンクロージャは、前記エンクロージャから光が放たれ得るように構成された第２の開口部を含む、請求項１０に記載の捕虫装置。
【請求項１２】
前記エンクロージャは、前記光を所定のパターンで配光するよう構成される、請求項１１に記載の捕虫装置。
【請求項１３】
前記ベース部分は、電源に接続され、該電源から電力を受け取るように構成された取り付け部分を更に含む、請求項１に記載の捕虫装置。
【請求項１４】
前記捕虫部分は、前記捕虫部分が前記ベース部分に係合していないときに、前記捕虫部分の前記膜の少なくとも一部分を覆うように構成されたカバーを更に含む、請求項１に記載の捕虫装置。
【請求項１５】
前記捕虫部分は、ヒンジを更に含み、該ヒンジは、前記カバーが開位置及び閉位置へとスイング動作可能となるように構成される、請求項１４に記載の捕虫装置。
【請求項１６】
前記カバーが開位置にあるとき、前記カバーは、前記膜の背後に位置し、これにより前記粘着面を露出させる、請求項１５に記載の捕虫装置。
【請求項１７】
前記カバーが閉位置にあるとき、前記カバーは、前記膜の前方に位置し、これにより、前記粘着面の少なくとも一部分を覆う、請求項１５に記載の捕虫装置。
【請求項１８】
前記カバーは、前記カバーを前記フレームに対して固定する、１つ又は２つ以上の係合機構を含む、請求項１４に記載の捕虫装置。
【請求項１９】
前記フレームは、前記カバーを前記フレームに対して固定する、１つ又は２つ以上の受容機構を含む、請求項１８に記載の捕虫装置。
【請求項２０】
前記係合機構は、畝、隆起部、リップ、突出部、及び凹部を含む、請求項１８に記載の捕虫装置。
【請求項２１】
前記受容機構は、畝、隆起部、リップ、突出部、及び凹部を含む、請求項１８に記載の捕虫装置。
【請求項２２】
前記カバーは、じゃばら扉、ローラブラインド、一枚板、シャッター、又は１つ若しくは２つ以上のスラットを含む、請求項１４に記載の捕虫装置。
【請求項２３】
前記カバーは、前記ベース部分から前記捕虫部分を取り外す際に、前記捕虫部分の前記膜の少なくとも一部分を自動的に覆うように構成される、請求項１４に記載の捕虫装置。
【請求項２４】
前記カバーは、前記捕虫部分を前記ベース部分と係合させた際に、前記捕虫部分の前記膜が自動的に覆われない状態となるように構成される、請求項１４に記載の捕虫装置。
【請求項２５】
前記発光素子は、発光ダイオード（ＬＥＤ）を含む、請求項１に記載の捕虫装置。
【請求項２６】
前記発光素子は、紫外（ＵＶ）ＬＥＤ及び青色ＬＥＤを含む、請求項２５に記載の捕虫装置。
【請求項２７】
前記捕虫部分は、虫誘引剤を含む、請求項１に記載の捕虫装置。
【請求項２８】
前記虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される、請求項２７に記載の捕虫装置。
【請求項２９】
前記捕虫部分は、反射面を更に含む、請求項１に記載の捕虫装置。
【請求項３０】
前記膜は、反射面を含む、請求項２９に記載の捕虫装置。
【請求項３１】
捕虫部分であって、
粘着面と第１の開口部を有するエンクロージャであって、該粘着面は、該エンクロージャ内に少なくとも部分的に収容され、かつ虫に付着するよう構成され、該エンクロージャは、該エンクロージャに一体化された視覚的インジケータを更に含み、該視覚的インジケータは、捕虫装置の残りの寿命についての指標を提供する、エンクロージャと、
１種類又は２種類以上の虫誘引物質と、を含む、捕虫部分と、
該捕虫部分と取り外し可能に係合するように構成されるベース部分と、を含む、捕虫装置。
【請求項３２】
前記捕虫部分は、前記１種類又は２種類以上の虫誘引物質を覆う取り外し可能なタブを更に含み、前記タブを取り外した際に、前記１種類又は２種類以上の虫誘引物質が前記捕虫装置から放出される、請求項３１に記載の捕虫装置。
【請求項３３】
前記視覚的インジケータは、前記捕虫部分内の前記１種類又は２種類以上の虫誘引物質の視認可能な残量を含む、請求項３１に記載の捕虫装置。
【請求項３４】
前記１種類又は２種類以上の虫誘引物質は、虫誘引剤と、担体材料と、を含む、請求項３１に記載の捕虫装置。
【請求項３５】
前記担体材料は、前記虫誘引剤が消耗した際に、変色するように構成される、請求項３４に記載の捕虫装置。
【請求項３６】
前記ベース部分は、
電源に接続され、該電源から電力を受け取るように構成された取り付け部分と、
該電源から電力を受け取り、前記捕虫部分内の前記１種類又は２種類以上の虫誘引物質を加熱するように構成された発熱体と、を更に含む、請求項３１に記載の捕虫装置。
【請求項３７】
前記ベース部分は、
前記捕虫装置の動作設定に関するコマンドを実行するプログラム可能プロセッサを有する回路基板を更に含み、
該回路基板は、前記発熱体に接続されており、前記１種類又は２種類以上の虫誘引物質の電気的特性を監視するように構成される、請求項３６に記載の捕虫装置。
【請求項３８】
前記回路基板は、前記１種類若しくは２種類以上の虫誘引物質の電気的特性が閾値を上回った場合、又は下回った場合に、前記視覚的インジケータを提供するように構成される、請求項３７に記載の捕虫装置。
【請求項３９】
前記回路基板に接続された発光素子を更に含み、前記回路基板は、前記１種類又は２種類以上の虫誘引物質が消耗した場合に、前記視覚的インジケータとして、前記発光素子を点滅させるか、又は変色させるように構成される、請求項３８に記載の捕虫装置。
【請求項４０】
前記回路基板に接続されたスピーカを更に含み、前記回路基板は、前記１種類又は２種類以上の虫誘引物質が消耗した場合に、該スピーカから可聴音を発生させるように構成される、請求項３８に記載の捕虫装置。
【請求項４１】
前記発熱体は、電気接点、電気抵抗コイル、１つ若しくは２つ以上の抵抗器、１つ若しくは２つ以上の赤外ＬＥＤ、１つ若しくは２つ以上のペルチェ若しくはトムソン効果機器、金属酸化膜、又は印刷された導電性インクを含む、請求項３６に記載の捕虫装置。
【請求項４２】
前記プロセッサは、ユーザーから無線でコマンドを受信し、前記捕虫装置の前記動作設定に関する該コマンドを実行するように構成される、請求項３７に記載の捕虫装置。
【請求項４３】
前記ユーザーからの前記コマンドは、携帯機器を介して送信可能である、請求項４２に記載の捕虫装置。
【請求項４４】
前記ベース部分は、
電源に接続され、該電源から電力を受け取るように構成された取り付け部分と、
該電源から電力を受け取り、前記１種類又は２種類以上の虫誘引物質の電気的特性を監視するように構成されたセンサと、を更に含む、請求項３１に記載の捕虫装置。
【請求項４５】
前記ベース部分は、
前記捕虫装置の動作設定に関するコマンドを実行するプログラム可能プロセッサを有する回路基板を更に含み、
該回路基板は、前記センサに接続されている、請求項４４に記載の捕虫装置。
【請求項４６】
前記回路基板は、前記１種類若しくは２種類以上の虫誘引物質の電気的特性が閾値を上回った場合、又は下回った場合に、前記視覚的インジケータを提供するように構成される、請求項４５に記載の捕虫装置。
【請求項４７】
前記回路基板に接続された発光素子を更に含み、前記回路基板は、前記１種類又は２種類以上の虫誘引物質が消耗した場合に、前記視覚的インジケータとして、前記発光素子を点滅させるか、又は変色させるように構成される、請求項４６に記載の捕虫装置。
【請求項４８】
前記回路基板に接続されたスピーカを更に含み、前記回路基板は、前記１種類又は２種類以上の虫誘引物質が消耗した場合に、該スピーカから可聴音を発生させるように構成される、請求項４６に記載の捕虫装置。
【請求項４９】
前記センサは、電圧検出器、電流検出器、インピーダンス検出器、ｐＨセンサ、又は水分検出器を含む、請求項４４に記載の捕虫装置。
【請求項５０】
粘着面と第１の開口部を有するエンクロージャを含む捕虫部分であって、該粘着面は、該エンクロージャ内に少なくとも部分的に収容され、かつ虫に付着するよう構成される、捕虫部分と、
該捕虫部分と取り外し可能に係合するように構成されたベース部分と、
該捕虫部分又は該ベース部分内に受容されるように構成される、取り外し可能な虫誘引剤カートリッジと、を含む、捕虫装置。
【請求項５１】
前記ベース部分は、前記虫誘引剤カートリッジを受容するように構成された開口部を含む、請求項５０に記載の捕虫装置。
【請求項５２】
前記取り外し可能な虫誘引剤カートリッジと連通した発熱体を更に含み、該発熱体は、前記虫誘引剤が放出される速度を増加させるように構成される、請求項５０に記載の捕虫装置。
【請求項５３】
前記虫誘引剤カートリッジは、においカートリッジ、２種型においカートリッジ、１チャンバ式コンテナ、又は２チャンバ式コンテナを含む、請求項５０に記載の捕虫装置。
【請求項５４】
前記虫誘引剤カートリッジは、１チャンバ式、又は２チャンバ式コンテナと、芯と、を含み、前記虫誘引剤は、蒸発性液体誘引剤を含む、請求項５３に記載の捕虫装置。
【請求項５５】
前記１つ又は２つのチャンバは、ユーザーが前記蒸発性液体誘引剤の残量を確認できるように、透明又は半透明である、請求項５４に記載の捕虫装置。
【請求項５６】
前記蒸発性液体誘引剤は、着色又は染色した液体を含む、請求項５５に記載の捕虫装置。
【請求項５７】
前記１つ又は２つのチャンバは、視覚的インジケータを含み、該視覚的インジケータは、前記チャンバ内の液体誘引剤の量を示す１本又は２本以上の残量線を提供する、請求項５４に記載の捕虫装置。
【請求項５８】
前記虫誘引剤カートリッジは、前記捕虫装置に装着するように構成された装着部分を更に含む、請求項５３に記載の捕虫装置。
【請求項５９】
前記捕虫装置は、前記芯と連通した発熱体を更に含み、該発熱体は、放射、伝導、又は対流によって前記虫誘引剤を加熱する、請求項５４に記載の捕虫装置。
【請求項６０】
前記虫誘引剤カートリッジは、２チャンバ式コンテナと、芯と、を含み、該２つのチャンバは、２種類の異なる虫誘引剤、２成分虫誘引剤の各１成分、又は、虫誘引剤と中和剤とを保持するように構成される、請求項５３に記載の捕虫装置。
【請求項６１】
前記２つのチャンバは、第１の時間に第１の虫誘引剤を、第２の時間に第２の虫誘引剤を放出する、請求項６０に記載の捕虫装置。
【請求項６２】
前記第１及び第２の虫誘引剤は、断続的な時間間隔で放出される、請求項６１に記載の捕虫装置。
【請求項６３】
前記ベース部分は、
前記取り外し可能な虫誘引剤カートリッジに穴を開けるように構成された突出部を更に含む、請求項５０に記載の捕虫装置。
【請求項６４】
粘着面と第１の開口部を有するエンクロージャを含む捕虫部分であって、該粘着面は、該エンクロージャ内に少なくとも部分的に収容され、かつ虫に付着するよう構成される、捕虫部分と、
複数の係合機構により該捕虫部分と取り外し可能に係合するように構成されるベース部分と、を含む、捕虫装置。
【請求項６５】
前記係合機構は、前記捕虫装置の前記ベース部分に位置するスナップ及びフックを含む、請求項６４に記載の捕虫装置。
【請求項６６】
前記係合機構は、前記捕虫装置の前記捕虫部分に位置するスナップ凹部及びフック凹部を更に含む、請求項６５に記載の捕虫装置。
【請求項６７】
前記捕虫装置は、前記捕虫部分、及び／又は前記ベース部分において把持部を更に含む、請求項６４に記載の捕虫装置。
【請求項６８】
前記把持部は、指をかけるための側方凹部、溝、畝、隆起部、又は波状部を含む、請求項６７に記載の捕虫装置。
【請求項６９】
前記ベース部分は、
電源に接続され、該電源から電力を受け取るように構成された取り付け部分を更に含み、
前記ベース部分は、前記捕虫装置が、壁面に取り付けられた際に、該壁面と同一平面となるように、該取り付け部分に近接する凹部領域を含む、請求項６４に記載の捕虫装置。
【請求項７０】
前記エンクロージャは、第２の開口部を更に含み、前記第１の開口部は、前記エンクロージャの前面に位置し、該第２の開口部は、前記エンクロージャの側面に位置する、請求項６４に記載の捕虫装置。
【請求項７１】
粘着面と第１の開口部を有するエンクロージャを含む捕虫部分であって、該粘着面は、該エンクロージャ内に少なくとも部分的に収容され、かつ虫に付着するよう構成され、該エンクロージャは、
前側ハウジング部分と、
後側ハウジング部分と、
該前側ハウジング部分と該後側ハウジング部分との間に少なくとも部分的に配置されるディバイダ部分と、を含み、該ディバイダ部分は、該エンクロージャを前側エンクロージャ部分と後側エンクロージャ部分とに分割する、捕虫部分と、
該捕虫部分と取り外し可能に係合するように構成されるベース部分と、
該エンクロージャ内に位置する蒸発性虫誘引剤と、を含む、捕虫装置。
【請求項７２】
前記蒸発性誘引剤は、固体、液体、ゲル、又は懸濁物を含む、請求項７１に記載の捕虫装置。
【請求項７３】
前記蒸発性虫誘引剤は、前記捕虫部分の前記後側エンクロージャ部分に位置する、請求項７１に記載の捕虫装置。
【請求項７４】
捕虫部分は、非係合時に、前記後側エンクロージャ部分を覆い、前記捕虫装置からの前記蒸発性虫誘引剤の漏出を防ぐ、保護キャップを更に含む、請求項７３に記載の捕虫装置。
【請求項７５】
前記後側エンクロージャ部分は、前記蒸発性虫誘引剤を蒸発させる芯を更に含む、請求項７３に記載の捕虫装置。
【請求項７６】
前記ベース部分は、
前記芯と連通した発熱体を更に含み、該発熱体は、放射、伝導、又は対流によって前記虫誘引剤を加熱する、請求項７５に記載の捕虫装置。
【請求項７７】
前記ベース部分は、
電源に接続され、該電源から電力を受け取るように構成された取り付け部分を更に含み、
前記発熱体は、前記電源から電力を受け取り、前記芯の少なくとも一部分を加熱するように構成される、請求項７６に記載の捕虫装置。
【請求項７８】
前記捕虫部分の前記前側エンクロージャ部分は、前記ベース部分と連通する複数の開口部を含み、該開口部は、蒸発した虫誘引剤を前記ベース部分から前記捕虫部分へと移動させるように構成される、請求項７６に記載の捕虫装置。
【請求項７９】
前記蒸発した虫誘引剤は、前記捕虫部分における前記第１の開口部から放出される、請求項７８に記載の捕虫装置。
【請求項８０】
前記ディバイダ部分は、視覚的インジケータを含み、該視覚的インジケータは、前記捕虫装置内の虫誘引剤の量を示す１本又は２本以上の残量線を提供する、請求項７１に記載の捕虫装置。
【請求項８１】
前記虫誘引剤は、着色又は染色した液体を含む、請求項７１に記載の捕虫装置。
【請求項８２】
前記ディバイダ部分は、第１の膜と、
該第１の膜に穴を開けるように構成された突出部と、を含む、請求項７１に記載の捕虫装置。
【請求項８３】
前記ディバイダ部分は、第２の膜を含む、請求項８２に記載の捕虫装置。
【請求項８４】
前記第１の膜は、バリヤ膜を含み、前記第２の膜は、吸収性膜を含む、請求項８３に記載の捕虫装置。
【請求項８５】
前記吸収性膜は、後側エンクロージャ部分に近接し、後側エンクロージャ部分は、前記蒸発性虫誘引剤を保持する、請求項８４に記載の捕虫装置。
【請求項８６】
前記吸収性膜は、前記突出部が前記バリヤ膜に穴を開けた際に、前記蒸発性虫誘引剤を吸収するように構成される、請求項８５に記載の捕虫装置。
【請求項８７】
前記ディバイダ部分は、視覚的インジケータを含み、該視覚的インジケータは、前記捕虫装置内の虫誘引剤の量を示す１本又は２本以上の残量線を提供する、請求項７１に記載の捕虫装置。
【請求項８８】
前記ベース部分は、前記エンクロージャに光を提供するように構成された発光素子を含み、該発光素子は、電源に接続され、該電源から電力を受け取るように構成される、請求項８７に記載の捕虫装置。
【請求項８９】
粘着面と第１の開口部を有するエンクロージャを含む捕虫部分であって、該粘着面は、該エンクロージャ内に少なくとも部分的に収容され、かつ虫に付着するよう構成される、捕虫部分と、
該捕虫部分と取り外し可能に係合するように構成されるベース部分と、
該捕虫部分又は該ベース部分に受容されるように構成される、リザーバアセンブリと、
リザーバアセンブリに穴を開け、該リザーバアセンブリの内容物を活性化するように構成されたパンチと、を含む、捕虫装置。
【請求項９０】
前記リザーバアセンブリは、前記捕虫部分内に位置し、前記パンチは、前記ベース部分に位置する、請求項８９に記載の捕虫装置。
【請求項９１】
前記パンチは、前記パンチの長さ方向の一部分にわたって延びる複数の溝を有する、請求項８９に記載の捕虫装置。
【請求項９２】
前記パンチは、前記リザーバアセンブリに穴を開けた際に、前記リザーバアセンブリに対する封止部として機能するように構成される、請求項８９に記載の捕虫装置。
【請求項９３】
前記リザーバアセンブリは、第１のチャンバと、第２のチャンバと、を含む、請求項８９に記載の捕虫装置。
【請求項９４】
前記第１のチャンバは、砂糖水を含み、前記第２のチャンバは、酵母培養物を含む、請求項９３に記載の捕虫装置。
【請求項９５】
前記パンチは、穴を開けて、前記第１のチャンバから前記第２のチャンバへの通路を形成するように構成される、請求項９４に記載の捕虫装置。
【請求項９６】
前記リザーバアセンブリの前記活性化された内容物は、二酸化炭素を産生する、請求項９５に記載の捕虫装置。
【請求項９７】
前記二酸化炭素は、前記捕虫部分における前記第１の開口部から放出される、請求項９６に記載の捕虫装置。
【請求項９８】
粘着面を有するハウジングを含む捕虫部分であって、該粘着面は、少なくとも部分的には該ハウジング内に収容されており、かつ虫に付着するように構成される、捕虫部分と、
ベース部分であって、
電源に接続され、該電源から電力を受け取るように構成された取り付け部分と、
該電源から電力を受け取り、該捕虫部分の該粘着面を加熱するように構成された発熱体と、を含む、ベース部分と、を含み、
該ベース部分は、該捕虫部分と取り外し可能に係合するよう構成される、捕虫装置。
【請求項９９】
前記発熱体は、前記粘着面に所定の発熱プロファイルを付与するように構成された、１本又は２本以上の電熱線を含む、請求項９８に記載の捕虫装置。
【請求項１００】
前記１本又は２本以上の電熱線は、同心状パターン、垂直パターン、水平パターン、又は迷路パターンを含むパターンに配置される、請求項９９に記載の捕虫装置。
【請求項１０１】
前記所定の発熱プロファイルは、均一パターン又は不均一パターンを含む、請求項９９に記載の捕虫装置。
【請求項１０２】
前記１本又は２本以上の電熱線は、導電性ポリマー、自己補正性導電性ポリマー、金属、又は金属酸化物から構成される、請求項９９に記載の捕虫装置。
【請求項１０３】
前記電熱線は、前記粘着面の温度を、およそ３０℃〜およそ４５℃に維持するように構成される、請求項９９に記載の捕虫装置。
【請求項１０４】
前記電熱線は、前記粘着面の温度を、およそ３３℃〜およそ４２℃に維持するように構成される、請求項１０３に記載の捕虫装置。
【請求項１０５】
前記ベース部分は、前記捕虫部分の前記粘着面を照らすように構成された発光素子を更に含む、請求項９８に記載の捕虫装置。
【請求項１０６】
捕虫部分であって、
粘着面を有するハウジングであって、該粘着面は、少なくとも部分的には該ハウジング内に収容されており、かつ虫に付着するように構成される、ハウジングと、
該粘着面を加熱するように構成された発熱体と、を含む、捕虫部分と、
電源から電力を受け取るように構成され、かつ該発熱体に該電力を供給するように構成された取り付け部分を含むベース部分と、を含み、
該ベース部分は、該捕虫部分と取り外し可能に係合するよう構成される、捕虫装置。
【請求項１０７】
前記発熱体は、前記粘着面に所定の発熱プロファイルを付与するように構成された、１本又は２本以上の電熱線を含む、請求項１０６に記載の捕虫装置。
【請求項１０８】
前記１本又は２本以上の電熱線は、同心状パターン、垂直パターン、水平パターン、又は迷路パターンを含むパターンに配置される、請求項１０７に記載の捕虫装置。
【請求項１０９】
前記所定の発熱プロファイルは、均一パターン又は不均一パターンを含む、請求項１０７に記載の捕虫装置。
【請求項１１０】
前記１本又は２本以上の電熱線は、導電性ポリマー、自己補正性導電性ポリマー、金属、又は金属酸化物から構成される、請求項１０７に記載の捕虫装置。
【請求項１１１】
前記電熱線は、前記粘着面の温度を、およそ３０℃〜およそ４５℃に維持するように構成される、請求項１０７に記載の捕虫装置。
【請求項１１２】
前記電熱線は、前記粘着面の温度を、およそ３３℃〜およそ４２℃に維持するように構成される、請求項１１１に記載の捕虫装置。
【請求項１１３】
前記ベース部分は、前記捕虫部分の前記粘着面を照らすように構成された発光素子を更に含む、請求項１０６に記載の捕虫装置。
【発明の詳細な説明】
【技術分野】
【０００１】
（関連出願の相互参照）
本願は、２０１４年２月２８日に出願された、ＰＣＴ／ＵＳ２０１４／０１９１７５号、発明の名称「Ｉｎｓｅｃｔ  Ｔｒａｐ  Ｄｅｖｉｃｅ  ａｎｄ  Ｍｅｔｈｏｄ  ｏｆ  Ｕｓｉｎｇ」に関連しており、当該出願の全体を参照により本明細書に組み込む。本願は、２０１４年１１月２４日に出願された、ＰＣＴ／ＵＳ２０１４／０６７１９６号、発明の名称「Ｉｎｓｅｃｔ  Ｔｒａｐ  Ｄｅｖｉｃｅ  ａｎｄ  Ｍｅｔｈｏｄ  ｏｆ  Ｕｓｉｎｇ」に関連しており、当該出願の全体を参照により本明細書に組み込む。本願は、２０１５年４月２６日に出願された、ＰＣＴ／ＵＳ２０１５／０２７６８４号、発明の名称「Ｉｎｓｅｃｔ  Ｔｒａｐ  Ｄｅｖｉｃｅ  ａｎｄ  Ｍｅｔｈｏｄ  ｏｆ  Ｕｓｉｎｇ」に関連しており、当該出願の全体を参照により本明細書に組み込む。
【０００２】
本願は、２０１５年１月１２日に出願された、米国特許仮出願第６２／１０２，５８３号、発明の名称「Ｉｎｓｅｃｔ  Ｔｒａｐ  Ｄｅｖｉｃｅ  ａｎｄ  Ｍｅｔｈｏｄ  ｏｆ  Ｕｓｉｎｇ」の利益を主張するものであり、当該出願の全体を参照により本明細書に組み込む。
【０００３】
（発明の分野）
本開示は、一般に捕虫装置に関し、より具体的には、最小限の設置面積と美観に優れたデザインを有する取り外し可能な捕虫装置に関する。
【背景技術】
【０００４】
飛翔害虫は長年にわたって悩みの種であり健康に危害をもたらし続けてきた。古代から、飛翔昆虫を駆除するための捕虫装置が使用されており、何世紀にもわたって多くの様々な装置が提案及び開発されてきた。どうしても家の中に入り込んでくる蠅と蚊を駆除するニーズが常に存在してきた。米国における東部馬脳炎、ウエストナイルウイルス、及び病原性大腸菌感染の最近の流行など、飛翔昆虫により広がる可能性がある公衆衛生上の脅威により、このニーズは更に高まっている。虫は、紫外線（ＵＶ）と可視光の組み合わせを見て誘引される可能性があるため、室内捕虫装置はそれ自体のＵＶ及び可視光源を有し得る。捕虫装置は一般に、虫を誘引するためのＵＶと可視光の両方を発つ蛍光管と、虫を捕獲するための粘着板とを有する。しかしながら、蛍光管と電源供給用の変圧器を組み込んだ捕虫装置は、大型になりすぎて、必要とされるあらゆる場所にフィットさせることができず、また室内のすべての部屋に置くには高価すぎる場合がある。加えて、虫が蛍光管に接触する場合があり、時間が経つにつれて埃と虫の破片が蓄積して光を妨げ、装置の有効性を低下し得る。更に、捕獲された虫と粘着剤に触ることなく、粘着板を取り外して、交換することが難しい場合もある。
【先行技術文献】
【特許文献】
【０００５】
【特許文献１】ＰＣＴ／ＵＳ２０１４／０１９１７５号
【特許文献２】ＰＣＴ／ＵＳ２０１４／０６７１９６号
【特許文献３】ＰＣＴ／ＵＳ２０１５／０２７６８４号
【特許文献４】米国特許仮出願第６２／１０２，５８３号
【発明の概要】
【課題を解決するための手段】
【０００６】
捕虫装置と、その装置の使用方法が、本明細書に記載される。本捕虫装置は、室内で虫を効果的に誘引して捕獲でき、市販されている装置よりも低コストで製造及び販売され得る。本捕虫装置は、競合する室内用捕虫装置よりも小型であり得、別の場所に簡単に移動させることができる。本捕虫装置は、捕獲された虫に接触することなく、クリーニングとメンテナンスをより容易に行うことができる。
【０００７】
第１の態様において、フレームと粘着面を有する膜を含む捕虫部分であって、該膜は、少なくとも部分的には該フレーム内に収容されており、かつ虫に付着するように構成される、捕虫部分と、発光素子とハウジング部分を含むベース部分であって、該ハウジング部分は、該捕虫部分と係合されたときに、該捕虫部分を受容し、かつ保持するように構成される、ベース部分と、を含む、捕虫装置が開示される。第１の態様の一実施形態において、ベース部分のハウジング部分は、捕虫部分を受容する１つ又は２つ以上の位置合わせガイドを含む。第１の態様の一実施形態において、位置合わせガイドは、側方チャネル、スロット、フランジ、又は凹部を含む。第１の態様の一実施形態において、捕虫部分のフレームは、膜の外周を実質的に取り囲む境界部を含む。第１の態様の一実施形態において、捕虫部分の境界部は、膜の１辺、２辺、又は３辺を取り囲む。第１の態様の一実施形態において、捕虫部分の境界部は、側方フランジを含み、かつベース部分のハウジング部分における１つ又は２つ以上の位置合わせガイド内に受容されるように構成される。第１の態様の一実施形態において、フレームは、ユーザーが捕虫部分をベース部分に差し込み可能となるように、かつ、ベース部分から取り外し可能となるように構成されるタブを更に含む。第１の態様の一実施形態において、捕虫部分は、タブを介してベース部分と取り外し可能に係合させるように構成される。第１の態様の一実施形態において、ベース部分は、エンクロージャを更に含み、該エンクロージャは、捕虫部分を少なくとも部分的に取り囲み、かつ、虫が該エンクロージャ内に入り得るように構成される第１の開口部を含む。第１の態様の一実施形態において、発光素子は、捕虫部分の前方に位置する。第１の態様の一実施形態において、エンクロージャは、エンクロージャから光が放たれ得るように構成された第２の開口部を含む。第１の態様の一実施形態において、エンクロージャは、光を所定のパターンで配光するよう構成される。第１の態様の一実施形態において、ベース部分は、電源に接続され、該電源から電力を受け取るように構成された取り付け部分を更に含む。第１の態様の一実施形態において、捕虫部分は、前記捕虫部分が前記ベース部分に係合していないときに、前記捕虫部分の前記膜の少なくとも一部分を覆うように構成されたカバーを更に含む。第１の態様の一実施形態において、捕虫部分は、ヒンジを更に含み、該ヒンジは、カバーが開位置及び閉位置へとスイング動作可能となるように構成される。第１の態様の一実施形態において、カバーが開位置にあるとき、カバーは、膜の背後に位置し、これにより粘着面を露出させる。第１の態様の一実施形態において、カバーが閉位置にあるとき、カバーは、膜の前方に位置し、これにより、粘着面の少なくとも一部分を覆う。第１の態様の一実施形態において、カバーは、カバーをフレームに対して固定する、１つ又は２つ以上の係合機構を含む。第１の態様の一実施形態において、フレームは、カバーをフレームに対して固定する、１つ又は２つ以上の受容機構を含む。第１の態様の一実施形態において、係合機構は、畝、隆起部、リップ、突出部、及び凹部を含む。第１の態様の一実施形態において、受容機構は、畝、隆起部、リップ、突出部、及び凹部を含む。第１の態様の一実施形態において、前記カバーは、じゃばら扉（tambour）、ローラブラインド、一枚板（solid plate）、シャッター、又は１つ若しくは２つ以上のスラットを含む。第１の態様の一実施形態において、前記カバーは、ベース部分から捕虫部分を取り外す際に、捕虫部分の前記膜の少なくとも一部分を自動的に覆うように構成される。第１の態様の一実施形態において、カバーは、捕虫部分をベース部分と係合させた際に、捕虫部分の前記膜が自動的に覆われない状態となるように構成される。第１の態様の一実施形態において、この発光素子は、発光ダイオード（ＬＥＤ）を含む。第１の態様の一実施形態において、発光素子は、紫外（ＵＶ）ＬＥＤ及び青色ＬＥＤを含む。第１の態様の一実施形態において、捕虫部分は虫誘引剤を含む。第１の態様の一実施形態において、虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される。第１の態様の一実施形態において、捕虫部分は、反射面を更に含む。第１の態様の一実施形態において、前記膜は、反射面を含む。
【０００８】
第２の態様において、捕虫部分であって、粘着面と第１の開口部を有するエンクロージャであって、該粘着面は、該エンクロージャ内に少なくとも部分的に収容され、かつ虫に付着するよう構成され、該エンクロージャは、該エンクロージャに一体化された視覚的インジケータを更に含み、該視覚的インジケータは、捕虫装置の残りの寿命についての指標を提供する、エンクロージャと、１種類又は２種類以上の虫誘引物質と、を含む、捕虫部分と、該捕虫部分と取り外し可能に係合するように構成されるベース部分と、を含む、捕虫装置が開示される。第２の態様の一実施形態において、捕虫部分は、１種類又は２種類以上の虫誘引物質を覆う取り外し可能なタブを更に含み、タブを取り外した際に、１種類又は２種類以上の虫誘引物質が捕虫装置から放出される。第２の態様の一実施形態において、視覚的インジケータは、捕虫部分内の１種類又は２種類以上の虫誘引物質の視認可能な残量を含む。第２の態様の一実施形態において、１種類又は２種類以上の虫誘引物質は、虫誘引剤と、担体材料と、を含む。第２の態様の一実施形態において、担体材料は、虫誘引剤が消耗した際に、変色するように構成される。第２の態様の一実施形態において、ベース部分は、電源に接続され、該電源から電力を受け取るように構成された取り付け部分と、電源から電力を受け取り、捕虫部分内の１種類又は２種類以上の虫誘引物質を加熱するように構成された発熱体と、を更に含む。第２の態様の一実施形態において、ベース部分は、本捕虫装置の動作設定に関するコマンドを実行するプログラム可能プロセッサを有する回路基板を更に含み、該回路基板は、前記発熱体に接続されており、前記１種類又は２種類以上の虫誘引物質の電気的特性を監視するように構成される。第２の態様の一実施形態において、回路基板は、１種類又は２種類以上の虫誘引物質の電気的特性が閾値を上回った場合、又は下回った場合に、視覚的インジケータを提供するように構成される。第２の態様の一実施形態において、本捕虫装置は、回路基板に接続された発光素子を更に含み、回路基板は、１種類又は２種類以上の虫誘引物質が消耗した場合に、視覚的インジケータとして、発光素子を点滅させるか、又は変色させるように構成される。第２の態様の一実施形態において、本捕虫装置は、回路基板に接続されたスピーカを更に含み、回路基板は、１種類又は２種類以上の虫誘引物質が消耗した場合に、該スピーカから可聴音を発生させるように構成される。第２の態様の一実施形態において、発熱体は、電気接点、電気抵抗コイル、１つ若しくは２つ以上の抵抗器、１つ若しくは２つ以上の赤外ＬＥＤ、１つ若しくは２つ以上のペルチェ若しくはトムソン効果機器、金属酸化膜、又は印刷された導電性インクを含む。第２の態様の一実施形態において、プロセッサは、ユーザーから無線でコマンドを受信し、前記捕虫装置の前記動作設定に関する該コマンドを実行するように構成される。第２の態様の一実施形態において、ユーザーからの前記コマンドは、携帯機器を介して送信可能である。第２の態様の一実施形態において、ベース部分は、電源に接続され、該電源から電力を受け取るように構成された取り付け部分と、該電源から電力を受け取り、１種類又は２種類以上の虫誘引物質の電気的特性を監視するように構成されたセンサと、を更に含む。第２の態様の一実施形態において、ベース部分は、本捕虫装置の動作設定に関するコマンドを実行するプログラム可能プロセッサを有する回路基板を更に含み、該回路基板は、前記センサに接続されている。第２の態様の一実施形態において、回路基板は、１種類又は２種類以上の虫誘引物質の電気的特性が閾値を上回った場合、又は下回った場合に、視覚的インジケータを提供するように構成される。第２の態様の一実施形態において、本捕虫装置は、回路基板に接続された発光素子を更に含み、回路基板は、１種類又は２種類以上の虫誘引物質が消耗した場合に、視覚的インジケータとして、発光素子を点滅させるか、又は変色させるように構成される。第２の態様の一実施形態において、本捕虫装置は、回路基板に接続されたスピーカを更に含み、回路基板は、１種類又は２種類以上の虫誘引物質が消耗した場合に、該スピーカから可聴音を発生させるように構成される。第２の態様の一実施形態において、前記センサは、電圧検出器、電流検出器、インピーダンス検出器、ｐＨセンサ、又は水分検出器を含む。
【０００９】
第３の態様において、粘着面と第１の開口部を有するエンクロージャを含む捕虫部分であって、該粘着面は、該エンクロージャ内に少なくとも部分的に収容され、かつ虫に付着するよう構成される、捕虫部分と、該捕虫部分と取り外し可能に係合するように構成されたベース部分と、該捕虫部分又は該ベース部分内に受容されるように構成される、取り外し可能な虫誘引剤カートリッジと、を含む、捕虫装置が開示される。第３の態様の一実施形態において、ベース部分は、虫誘引剤カートリッジを受容するように構成された開口部を含む。第３の態様の一実施形態において、本捕虫装置は、取り外し可能な虫誘引剤カートリッジと連通した発熱体を更に含み、発熱体は、虫誘引剤が放出される速度を増加させるように構成される。第３の態様の一実施形態において、虫誘引剤カートリッジは、においカートリッジ、２種型においカートリッジ、１チャンバ式コンテナ、又は２チャンバ式コンテナを含む。第３の態様の一実施形態において、虫誘引剤カートリッジは、１チャンバ式、又は２チャンバ式コンテナと、芯と、を含み、虫誘引剤は、蒸発性液体誘引剤を含む。第３の態様の一実施形態において、１つ又は２つのチャンバは、ユーザーが蒸発性液体誘引剤の残量を確認できるように、透明又は半透明である。第３の態様の一実施形態において、蒸発性液体誘引剤は、着色又は染色した液体を含む。第３の態様の一実施形態において、１つ又は２つのチャンバは、視覚的インジケータを含み、該視覚的インジケータは、チャンバ内の液体誘引剤の量を示す１本又は２本以上の残量線を提供する。第３の態様の一実施形態において、虫誘引剤カートリッジは、捕虫装置に装着するように構成された装着部分を更に含む。第３の態様の一実施形態において、本捕虫装置は、芯と連通した発熱体を更に含み、該発熱体は、放射、伝導、又は対流によって虫誘引剤を加熱する。第３の態様の一実施形態において、虫誘引剤カートリッジは、２チャンバ式コンテナと、芯と、を含み、該２つのチャンバは、２種類の異なる虫誘引剤、２成分虫誘引剤の各１成分、又は、虫誘引剤と中和剤とを保持するように構成される。第３の態様の一実施形態において、２つのチャンバは、第１の時間に第１の虫誘引剤を、第２の時間に第２の虫誘引剤を放出する。第３の態様の一実施形態において、第１及び第２の虫誘引剤は、断続的な時間間隔で放出される。第３の態様の一実施形態において、ベース部分は、取り外し可能な虫誘引剤カートリッジに穴を開けるように構成された突出部を更に含む。
【００１０】
第４の態様において、粘着面と第１の開口部を有するエンクロージャを含む捕虫部分であって、該粘着面は、該エンクロージャ内に少なくとも部分的に収容され、かつ虫に付着するよう構成される、捕虫部分と、複数の係合機構により該捕虫部分と取り外し可能に係合するように構成されるベース部分と、を含む、捕虫装置が開示される。第４の態様の一実施形態において、係合機構は、捕虫装置のベース部分に位置するスナップ及びフックを含む。第４の態様の一実施形態において、係合機構は、本捕虫装置の捕虫部分に位置するスナップ凹部及びフック凹部を更に含む。第４の態様の一実施形態において、本捕虫装置は、捕虫部分、及び／又はベース部分において把持部を更に含む。第４の態様の一実施形態において、把持部は、指をかけるための側方凹部、溝、畝、隆起部、又は波状部を含む。第４の態様の一実施形態において、ベース部分は、電源に接続され、該電源から電力を受け取るように構成された取り付け部分を更に含み、ベース部分は、本捕虫装置が、壁面に取り付けられた際に、該壁面と同一平面となるように、該取り付け部分に近接する凹部領域を含む。第４の態様の一実施形態において、エンクロージャは、第２の開口部を更に含み、第１の開口部は、エンクロージャの前面に位置し、該第２の開口部は、エンクロージャの側面に位置する。
【００１１】
第５の態様において、粘着面と第１の開口部を有するエンクロージャを含む捕虫部分であって、該粘着面は、該エンクロージャ内に少なくとも部分的に収容され、かつ虫に付着するよう構成され、該エンクロージャは、前側ハウジング部分と、後側ハウジング部分と、該前側ハウジング部分と該後側ハウジング部分との間に少なくとも部分的に配置されるディバイダ部分と、を含み、該ディバイダ部分は、該エンクロージャを前側エンクロージャ部分と後側エンクロージャ部分とに分割する、捕虫部分と、該捕虫部分と取り外し可能に係合するように構成されるベース部分と、該エンクロージャ内に位置する蒸発性虫誘引剤と、を含む、捕虫装置が開示される。第５の態様の一実施形態において、蒸発性誘引剤は、固体、液体、ゲル、又は懸濁物を含む。第５の態様の一実施形態において、蒸発性虫誘引剤は、捕虫部分の後側エンクロージャ部分に位置する。第５の態様の一実施形態において、本捕虫部分は、非係合時に、後側エンクロージャ部分を覆い、捕虫装置からの蒸発性虫誘引剤の漏出を防ぐ、保護キャップを更に含む。第５の態様の一実施形態において、後側エンクロージャ部分は、蒸発性虫誘引剤を蒸発させる芯を更に含む。第５の態様の一実施形態において、ベース部分は、芯と連通した発熱体を更に含み、該発熱体は、放射、伝導、又は対流によって虫誘引剤を加熱する。第５の態様の一実施形態において、ベース部分は、電源に接続され、該電源から電力を受け取るように構成された取り付け部分を更に含み、発熱体は、電源から電力を受け取り、芯の少なくとも一部分を加熱するように構成される。第５の態様の一実施形態において、捕虫部分の前側エンクロージャ部分は、ベース部分と連通する複数の開口部を含み、該開口部は、蒸発した虫誘引剤をベース部分から捕虫部分へと移動させるように構成される。第５の態様の一実施形態において、蒸発した虫誘引剤は、捕虫部分における第１の開口部から放出される。第５の態様の一実施形態において、ディバイダ部分は、視覚的インジケータを含み、該視覚的インジケータは、本捕虫装置内の虫誘引剤の量を示す１本又は２本以上の残量線を提供する。第５の態様の一実施形態において、虫誘引剤は、着色又は染色した液体を含む。第５の態様の一実施形態において、ディバイダ部分は、第１の膜と、該第１の膜に穴を開けるように構成された突出部と、を含む。第５の態様の一実施形態において、ディバイダ部分は、第２の膜を含む。第５の態様の一実施形態において、第１の膜は、バリヤ膜を含み、第２の膜は、吸収性膜を含む。第５の態様の一実施形態において、吸収性膜は、後側エンクロージャ部分に近接し、後側エンクロージャ部分は、蒸発性虫誘引剤を保持する。第５の態様の一実施形態において、吸収性膜は、突出部がバリヤ膜に穴を開けた際に、蒸発性虫誘引剤を吸収するように構成される。第５の態様の一実施形態において、ディバイダ部分は、視覚的インジケータを含み、該視覚的インジケータは、本捕虫装置内の虫誘引剤の量を示す１本又は２本以上の残量線を提供する。第５の態様の一実施形態において、ベース部分は、エンクロージャに光を提供するように構成された発光素子を含み、該発光素子は、電源に接続され、該電源から電力を受け取るように構成される。
【００１２】
第６の態様において、粘着面と第１の開口部を有するエンクロージャを含む捕虫部分であって、該粘着面は、該エンクロージャ内に少なくとも部分的に収容され、かつ虫に付着するよう構成される、捕虫部分と、該捕虫部分と取り外し可能に係合するように構成されるベース部分と、該捕虫部分又は該ベース部分に受容されるように構成される、リザーバアセンブリと、リザーバアセンブリに穴を開け、該リザーバアセンブリの内容物を活性化するように構成されたパンチと、を含む、捕虫装置が開示される。第６の態様の一実施形態において、リザーバアセンブリは、捕虫部分内に位置し、パンチは、ベース部分に位置する。第６の態様の一実施形態において、パンチは、パンチの長さ方向の一部分にわたって延びる複数の溝を有する。第６の態様の一実施形態において、パンチは、リザーバアセンブリに穴を開けた際に、リザーバアセンブリに対する封止部として機能するように構成される。第６の態様の一実施形態において、リザーバアセンブリは、第１のチャンバと、第２のチャンバと、を含む。第６の態様の一実施形態において、第１のチャンバは、砂糖水を含み、第２のチャンバは、酵母培養物を含む。第６の態様の一実施形態において、パンチは、穴を開けて、第１のチャンバから第２のチャンバへの通路を形成するように構成される。第６の態様の一実施形態において、リザーバアセンブリの活性化された内容物は、二酸化炭素を産生する。第６の態様の一実施形態において、二酸化炭素は、捕虫部分における第１の開口部から放出される。
【００１３】
第７の態様において、粘着面を有するハウジングを含む捕虫部分であって、該粘着面は、少なくとも部分的には該ハウジング内に収容されており、かつ虫に付着するように構成される、捕虫部分と、ベース部分であって、電源に接続され、該電源から電力を受け取るように構成された取り付け部分と、該電源から電力を受け取り、該捕虫部分の該粘着面を加熱するように構成された発熱体と、を含む、ベース部分と、を含み、該ベース部分は、該捕虫部分と取り外し可能に係合するよう構成される、捕虫装置が開示される。第７の態様の一実施形態において、発熱体は、粘着面に所定の発熱プロファイルを付与するように構成された、１本又は２本以上の電熱線を含む。第７の態様の一実施形態において、１本又は２本以上の電熱線は、同心状パターン、垂直パターン、水平パターン、又は迷路パターンを含むパターンに配置される。第７の態様の一実施形態において、所定の発熱プロファイルは、均一パターン又は不均一パターンを含む。第７の態様の一実施形態において、１本又は２本以上の電熱線は、導電性ポリマー、自己補正性導電性ポリマー（self correcting conductive polymer）、金属、又は金属酸化物から構成される。第７の態様の一実施形態において、電熱線は、粘着面の温度を、およそ３０℃〜およそ４５℃に維持するように構成される。第７の態様の一実施形態において、電熱線は、粘着面の温度を、およそ３３℃〜およそ４２℃に維持するように構成される。第７の態様の一実施形態において、ベース部分は、捕虫部分の粘着面を照らすように構成された発光素子を更に含む。
【００１４】
第８の態様において、捕虫部分であって、粘着面を有するハウジングであって、該粘着面は、少なくとも部分的には該ハウジング内に収容されており、かつ虫に付着するように構成される、ハウジングと、該粘着面を加熱するように構成された発熱体と、を含む、捕虫部分と、電源から電力を受け取るように構成され、かつ該発熱体に該電力を供給するように構成された取り付け部分を含むベース部分と、を含み、該ベース部分は、該捕虫部分と取り外し可能に係合するよう構成される、捕虫装置が開示される。第８の態様の一実施形態において、発熱体は、粘着面に所定の発熱プロファイルを付与するように構成された、１本又は２本以上の電熱線を含む。第８の態様の一実施形態において、１本又は２本以上の電熱線は、同心状パターン、垂直パターン、水平パターン、又は迷路パターンを含むパターンに配置される。第８の態様の一実施形態において、所定の発熱プロファイルは、均一パターン又は不均一パターンを含む。第８の態様の一実施形態において、１本又は２本以上の電熱線は、導電性ポリマー、自己補正性導電性ポリマー、金属、又は金属酸化物から構成される。第８の態様の一実施形態において、電熱線は、粘着面の温度を、およそ３０℃〜およそ４５℃に維持するように構成される。第８の態様の一実施形態において、電熱線は、粘着面の温度を、およそ３３℃〜およそ４２℃に維持するように構成される。第８の態様の一実施形態において、ベース部分は、捕虫部分の粘着面を照らすように構成された発光素子を更に含む。
【００１５】
本開示の更なる目的、特徴、及び利点は、以下の図面と共に下記の発明を実施するための形態を参照することにより明らかとなろう。
【００１６】
添付の請求項は、本技法の特徴を具体的に示しているが、これらの技法は、その目的及び利点と合わせて、添付の図と共に下記の発明を実施するための形態を参照することにより、最もよく理解することができる。
【図面の簡単な説明】
【００１７】
【図１】本開示の原理による捕虫装置の第１の実施形態の正面斜視図である。
【図２】図１の捕虫装置のベース部分の背面斜視図である。
【図３】図１の捕虫装置の捕虫部分の分解図である。
【図４】図１の捕虫装置の断面図である。
【図５】本開示の原理による捕虫装置の第２の実施形態の断面図である。
【図６】本開示の原理による捕虫装置の第３の実施形態の正面斜視図である。
【図７】図６の捕虫装置のベース部分の背面斜視図である。
【図８】図６の捕虫装置の捕虫部分の正面斜視図である。
【図９】図６の捕虫装置の断面図である。
【図１０】本開示の原理による捕虫装置の第４の実施形態の正面斜視図である。
【図１１】図１０の捕虫装置の背面斜視図である。
【図１２】本開示の原理による捕虫装置の第５の実施形態の正面斜視図である。
【図１３】図１２の捕虫装置の背面斜視図である。
【図１４】図１２の捕虫装置の正面斜視図である。
【図１５】図１２の捕虫装置の捕虫部分の正面斜視図である。
【図１６】図１２の捕虫装置の断面図である。
【図１７】本開示の原理による捕虫装置の第６の実施形態の正面斜視図である。
【図１８】図１７の捕虫装置の断面図である。
【図１９】本開示の原理による捕虫装置の第６の実施形態の一例の正面斜視図である。
【図２０】図１９の捕虫装置の膜加熱構成の背面図である。
【図２１】図１９の捕虫装置の膜加熱構成の背面図である。
【図２２】図１９の捕虫装置の膜加熱構成の背面図である。
【図２３】図１９の捕虫装置の断面図である。
【図２４】図２３の一部分の拡大図である。
【図２５】本開示の原理による捕虫装置の第７の実施形態の断面図である。
【図２６】図２５の一部分の拡大図である。
【図２７】本開示の原理による捕虫装置の第８の実施形態の正面斜視図である。
【図２８】図２７の捕虫装置の断面図である。
【図２９】図２８の一部分の拡大図である。
【図３０】本開示の原理による捕虫装置の第９の実施形態の正面斜視図である。
【図３１】図３０の捕虫装置の断面図である。
【図３２】図３１の一部分の拡大図である。
【図３３】本開示の原理による捕虫装置の第１０の実施形態の正面斜視図である。
【図３４】図３３の捕虫装置の断面図である。
【図３５】本開示の原理による捕虫装置の第１１の実施形態の正面斜視図である。
【図３６】図３５の捕虫装置の断面図である。
【図３７】本開示の原理による捕虫装置の第１２の実施形態の正面斜視図である。
【図３８】図３７の捕虫装置の断面図である。
【図３９】本開示の原理による捕虫装置の第１３の実施形態の正面斜視図である。
【図４０】図３９の捕虫装置の断面図である。
【図４１】本開示の原理による捕虫装置の第１３の実施形態の一例の正面斜視図である。
【図４２】図４１の捕虫装置の背面斜視図である。
【図４３】本開示の原理による捕虫装置の第１３の実施形態の一例の正面斜視図である。
【図４４】図４３の捕虫装置の背面斜視図である。
【図４５】図４３の捕虫装置の捕虫部分の正面斜視図である。
【図４６】本開示の原理による捕虫装置の第１３の実施形態の一例の正面斜視図である。
【図４７】図４６の捕虫装置の捕虫部分の正面斜視図である。
【図４８】図４６の捕虫装置の断面図である。
【図４９】図４８の一部分の拡大図である。
【図５０】本開示の原理による捕虫装置の第１３の実施形態の一例の正面斜視図である。
【図５１】図５０の一部分の拡大図である。
【図５２】図５０の捕虫装置の断面図である。
【図５３】図５２の一部分の拡大図である。
【図５４】本開示の原理による捕虫装置の第１３の実施形態の一例の正面斜視図である。
【図５５】図５４の捕虫装置の背面斜視図である。
【図５６】図５４の捕虫装置の断面図である。
【図５７】本開示の原理による捕虫装置の第１３の実施形態の一例の背面斜視図である。
【図５８】図５７の捕虫装置の断面図である。
【図５９】図５８の一部分の拡大図である。
【図６０】本開示の原理による捕虫装置の第１４の実施形態の正面斜視図である。
【図６１】図６０の捕虫装置の断面図である。
【図６２】本開示の原理による捕虫装置の第１５の実施形態の正面斜視図である。
【図６３】図６２の捕虫装置の正面斜視図である。
【図６４】図６２の捕虫装置の正面斜視図である。
【図６５】図６２の捕虫装置の断面図である。
【図６６】本開示の原理による捕虫装置の第１５の実施形態の一例の正面斜視図である。
【図６７】本開示の原理による捕虫装置の第１５の実施形態の一例の正面斜視図である。
【図６８】図６７の捕虫装置の断面図である。
【図６９】本開示の原理による捕虫装置の第１５の実施形態の一例の正面斜視図である。
【図７０】図６９の捕虫装置の断面図である。
【図７１】図７０の一部分の拡大図である。
【図７２】本開示の原理による捕虫装置の第１５の実施形態の一例の正面斜視図である。
【図７３】図７２の捕虫装置の断面図である。
【図７４】図７３の一部分の拡大図である。
【図７５】本開示の原理による捕虫装置の第１５の実施形態の一例の正面斜視図である。
【図７６】図７５の一部分の断面図である。
【図７７】図７６の一部分の拡大図である。
【図７８】本開示の原理による捕虫装置の第１５の実施形態の一例の正面斜視図である。
【図７９】本開示の原理による捕虫装置の第１６の実施形態の正面斜視図である。
【図８０】図７９の捕虫装置の断面図である。
【図８１】本開示の原理による捕虫装置の第１７の実施形態の背面斜視図である。
【図８２】図８１の捕虫装置の断面図である。
【図８３】図８２の一部分の拡大図である。
【図８４】本開示の原理による捕虫装置の第１７の実施形態の一例の正面斜視図である。
【図８５】図８４の捕虫装置の断面図である。
【図８６】図８５の一部分の拡大図である。
【図８７】本開示の原理による捕虫装置の第１８の実施形態の正面斜視図である。
【図８８】本開示の原理による捕虫装置の第１９の実施形態の正面斜視図である。
【図８９】図８８の捕虫装置の背面斜視図である。
【図９０】本開示の原理による捕虫装置の第１９の実施形態の一例の正面斜視図である。
【図９１】図９０の捕虫装置の背面斜視図である。
【図９２】図９０の捕虫装置の側面図である。
【図９３】本開示の原理による捕虫装置の第１９の実施形態の一例の正面斜視図である。
【図９４】本開示の原理による捕虫装置の第１９の一例の実施形態の一例の正面斜視図である。
【図９５】図９０の虫の断面図である。
【図９６】本開示の原理による捕虫装置の第２０の実施形態の正面斜視図である。
【図９７】図９６の捕虫装置の断面図である。
【図９８】本開示の原理による捕虫装置の第２１の実施形態の背面斜視図である。
【図９９】図９８の捕虫装置の正面斜視図である。
【図１００】図９８の捕虫装置の断面図である。
【図１０１】図１００の一部分の拡大図である。
【図１０２】本開示の原理による捕虫装置の第２２の実施形態の正面斜視図である。
【図１０３】図１０２の捕虫装置の正面斜視図である。
【図１０４】図１０２の捕虫装置の正面斜視図である。
【図１０５】１０２図の捕虫装置の断面図である。
【図１０６】本開示の原理による捕虫装置の第２２の実施形態の一例の正面斜視図である。
【図１０７】図１０６の捕虫装置の断面図である。
【図１０８】本開示の原理による捕虫装置の第２３の実施形態の正面斜視図である。
【図１０９】図１０８の一部分の拡大図である。
【図１１０】図１０８の捕虫装置の断面図である。
【図１１１】図１１０の一部分の拡大図である。
【図１１２】図１０８の捕虫装置の断面図である。
【図１１３】図１１２の一部分の拡大図である。
【図１１４】本開示の原理による捕虫装置の第２３の実施形態の一例の正面斜視図である。
【図１１５】図１１４の一部分の拡大図である。
【図１１６】図１１４の捕虫装置の断面図である。
【図１１７】図１１６の一部分の拡大図である。
【図１１８】図１１４の捕虫装置の断面図である。
【図１１９】図１１８の一部分の拡大図である。
【図１２０】本開示の原理による捕虫装置の第２３の実施形態の一例の正面斜視図である。
【図１２１】図１２０の捕虫装置の捕虫部分の分解図である。
【図１２２】図１２０の捕虫装置の断面図である。
【図１２３】図１２２の一部分の拡大図である。
【図１２４】図１２０の捕虫装置の断面図である。
【図１２５】図１２４の一部分の拡大図である。
【図１２６】本開示の原理による捕虫装置の第２３の実施形態の一例の正面斜視図である。
【図１２７】図１２６の捕虫装置の断面図である。
【図１２８】図１２７の一部分の拡大図である。
【図１２９】本開示の原理による捕虫装置の第２４の実施形態の正面斜視図である。
【図１３０】図１２９の捕虫装置の正面斜視図である。
【図１３１】図１２９の捕虫装置の断面図である。
【図１３２】本開示の原理による捕虫装置の第２５の実施形態の正面斜視図である。
【図１３３】図１３２の捕虫装置の断面図である。
【図１３４】本開示の原理による捕虫装置の第２５の実施形態の一例の正面斜視図である。
【図１３５】本開示の原理による捕虫装置の第２５の実施形態の一例の正面斜視図である。
【図１３６】図１３５の捕虫装置の背面斜視図である。
【図１３７】本開示の原理による捕虫装置の第２６の実施形態の正面斜視図である。
【図１３８】図１３７の捕虫装置の断面図である。
【図１３９】本開示の原理による捕虫装置の第２７の実施形態の正面斜視図である。
【図１４０】本開示の原理による捕虫装置の第２８の実施形態の正面斜視図である。
【図１４１】本開示の原理による捕虫装置の第２８の実施形態の一例の正面斜視図である。
【発明を実施するための形態】
【００１８】
図面を参照すると、図１は、捕虫装置の一実施形態の正面斜視図であり、この捕虫装置全体は１１０で示されている。捕虫装置１１０は、ベース部分１１２と取り外し可能な捕虫部分１１４と、を含む。捕虫装置１１０は、全体長さ、全体幅、及び全体奥行きを有していてよく、また、捕虫装置１１０が壁面に取り付けられたとき、捕虫装置１１０が壁面から突出する全距離によって定義される全体奥行きが、これら３つの全体寸法のうちで最小となるようになるように構成されてよい。ベース部分１１２の前面１６０は、スイッチ１１６を含み得、スイッチ１１６は、ユーザーの所望に応じて、スイッチ１１６の開閉により捕虫装置１１０の電源を入れたり、切ったりすることができるように構成可能である。あるいは、スイッチ１１６は他の機能を制御するように構成されていてもよく、例えば光の強さ、光の波長の組み合わせ、光の点滅モード又は点滅頻度の違い、部屋が暗くなったときに電源が入る自動設定、あるいはリモートコントロール設定が挙げられる。スイッチ１１６は手動で操作されてもよいが、スイッチ１１６は電気的、光学的、電子機械的、電子光学的、又はスイッチ１１６を開閉するための任意の他の方法、若しくは方法の組み合わせにより操作されてもよい。捕虫部分１１４は、前面１６８に少なくとも１つの開口部１２０を備えた前側ハウジング１１８を含む。前側ハウジング１１８の開口部１２０は、広範な種類の虫を捕虫装置１１０に受け入れるように構成してもよいし、あるいは、１種類又は２種類以上の特定の種類の虫を受け入れるように構成してもよい。いくつかの実施形態において、開口部１２０は、捕虫部分１１４を取り外して交換するときに、ユーザーの指が開口部１２０に入ってしまい捕獲された虫又は粘着剤に誤って触れることを防ぐように構成される。いくつかの実施形態において、開口部１２０は、直径２５ｍｍの球が開口部１２０を通過できないような寸法及び形状を有し、かつ、直径１ｍｍの球が開口部１２０のいかなる部分も通過できるような寸法及び形状を有する。開口部１２０の幅、形状及び向きは、均一であってもよいし、又は、変化していてもよく、また、捕虫部分１１４が複数の開口部１２０を有する場合は、それらの幅、形状及び向きは、同一あってもよいし、又は、異なっていてもよい。開口部１２０は、１種類又は２種類以上の個々の種類の虫又は様々な種類の虫を誘引するように構成することができる。
【００１９】
図２は、捕虫部分１１４を取り外した捕虫装置１１０のベース部分１１２の背面斜視図である。ベース部分１１２の背面１６２から突出しているのは、複数の導電性プロング１２２であり、導電性プロング１２２を標準の家庭用壁面電気コンセントに差し込むことにより、捕虫装置１１０を壁面に取り付けて捕虫装置１１０に電力を供給するよう適合されている。あるいは、導電性プロング１２２は、導電性プロング１２２が水平方向を向いた家庭用壁面電気コンセントに差し込まれる場合に、捕虫装置１１０が直立したままとなり得るように、スイベル式に回転するように適合されていてもよい。あるいは、ベース部分１１２は、所望の任意の場所に静置又は吊り下げて、ベース部分１１２内に取り付けられた電池（図示せず）から電力を受け取るように構成されてもよい。電気コンセントと電池が、捕虫装置１１０に電力を供給するものとして記載されたが、任意の好適な電源を使用することができる。ベース部分１１２は、１つ又は２つ以上の発光ダイオード（ＬＥＤ）１２４などの発光素子を含む。いくつかの実施形態において、ＬＥＤ１２４は、紫外（ＵＶ）光を発するＬＥＤを少なくとも１つ、及び可視光を発するＬＥＤを少なくとも１つ含む。いくつかの実施形態において、ＬＥＤ１２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１２４は、蚊などの特定の種類の虫をよりよく誘引するために、赤外（ＩＲ）光を発するＬＥＤを少なくとも１つ含む。ベース部分１１２の上面１２６には、透明又は半透明のウィンドウ１２８が取り付けられていてよい（図ではＬＥＤ１２４を見えるようにするため部分的に切り取られている）。ウィンドウ１２８により、ＬＥＤ１２４が埃と虫の破片から保護され、ベース部分１１２のクリーニングが容易になる。上面１２６にはスロット１３０があってよく、上面１２６の外周１６４には、縁又は上向きの突出部１３２がある。
【００２０】
図３は、捕虫装置１１０の捕虫部分１１４の分解図である。捕虫部分１１４は、全体長さ、全体幅、及び全体奥行きを有していてよく、また、捕虫部分１１４が捕虫装置１１０に取り付けられ、かつ捕虫装置１１０が壁面に取り付けられたとき、その壁面に垂直な方向に測定される、捕虫部分１１４の全体奥行きが、捕虫部分１１４のこれら３つの全体寸法のうちで最小となるように構成されていてもよい。捕虫部分１１４は、前面１３８を有し得るディバイダ１３４と、後側ハウジング１４０とを含む。いくつかの実施形態において、ディバイダ１３４は、透明又は半透明の材料から構築されるか、又は透明又は半透明の材料を含み、また、前面１３８が透明又は半透明の粘着剤１３６でコーティングされ得る。粘着剤１３６はこの図で部分的に切り取られて示されている。いくつかの実施形態において、ディバイダ１３４は、飛翔昆虫（広範な種類の飛翔昆虫が、偏光を感知することが知られている）を更に誘引するため、ディバイダ１３４を透過する光を、日光と同様の配向に偏光するように構成される。いくつかの実施形態において、ディバイダ１３４の材料及び厚さと粘着剤１３６の材料及び厚さは、ＵＶ光及び／又は可視光及び／又はＩＲ光のかなりの割合を透過させるよう選択され、例えば、光の６０％超がディバイダ１３４と粘着剤１３６を透過するよう選択される。いくつかの実施形態において、後側ハウジング１４０は、反射性コーティングされた内面１４２を含む。あるいは、後側ハウジング１４０の材料及び表面仕上げは、反射性コーティングなしに、ＵＶ光及び／又は可視光及び／又はＩＲ光を反射及び分散させるように構成され得る。後側ハウジング１４０は、その底面１６６に少なくとも１つの開口部１４４を含んでよく、あるいは開口部１４４は、透明又は半透明のウィンドウ（図示せず）に置き換えられてもよい。
【００２１】
いくつかの実施形態において、前側ハウジング１１８と後側ハウジング１４０は不透明のプラスチックシートで熱成形される。あるいは、紙、板紙、厚紙又は紙パルプなどの他の不透明、透明又は半透明の材料も使用することができる。いくつかの実施形態において、前側ハウジング１１８及び後側ハウジング１４０は、射出成形、注型成形、又はその他の好適な製造法により構築される。図示されているように、ディバイダ１３４は実質的に平らであるが、均一に配光するために最適化されるよう、凸状、凹状、又はサドル形状、又は形状の組み合わせに形成されてもよい。あるいは、ディバイダ１３４は、粘着面の面積を増大させ、かつ明暗コントラスト領域を形成するような、畝又はその他の形状を有していてもよい。明暗コントラスト領域は、広範な種類の虫に対して可視性が高く、それらの虫に対する誘引効果をより高めることができる。
【００２２】
いくつかの実施形態において、前側ハウジング１１８は内面１７０が透明、半透明又は不透明の粘着剤でコーティングされ、これにより更なる捕虫効果及び能力が提供されてもよい。加えて、前側ハウジング１１８は更に内面１７０の粘着剤コーティングの下に反射性コーティング（図示せず）を有し、これにより、虫の誘引効果を強化し、捕虫効果及び効率を更に向上させてもよい。
【００２３】
いくつかの実施形態において、前側ハウジング１１８、ディバイダ１３４及び後側ハウジング１４０は、外周が互いに接着剤で接合されているが、これらは、超音波溶接、若しくはＲＦ密封などの他の一般的に使用されているパッケージング組立法、又は任意の他の好適な組立方法により、互いに接合されていてもよい。捕虫部分１１４の材料は更に、１種類又は２種類以上の虫誘引剤を含み得る。例えば、捕虫部分１１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１１０の虫誘引効率を更に向上させるにおいをもたらす物質を、含浸させることができる。そのような実施形態において、虫誘引剤は、捕虫部分１１４に一体化している。あるいは、虫誘引剤は、前側ハウジング１１８の内面１７０若しくは外面上に、又は前側ハウジング１１８の開口部１２０を通して、又はディバイダ１３４の前面１３８上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個の部分に水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個の部分に埋め込むか、又は収容してもよい。そのような誘引剤は、捕虫装置１１０から半径約２メートルにいる虫に感知可能であることが望ましい。
【００２４】
図４は、捕虫装置１１０の断面図である。図示されているように、ディバイダ１３４は、捕虫部分１１４を前側エンクロージャ１４６と後側エンクロージャ１４８とに分割している。いくつかの実施形態において、ベース部分１１２は、コマンドを実行するためのプログラム可能プロセッサ又はチップ（図示せず）を有する回路基板１５０を含み、これは導電性プロング１２２（１つのみ図示）、スイッチ１１６、及びＬＥＤ１２４（１つのみ図示）に電気的に接続されている。ただし、見やすくするため、電気的接続は一部しか示されていない。回路基板１５０は、導電性プロング１２２から通常の家庭用電流を受け取り、スイッチ１１６の位置に対して応答し、ＬＥＤ１２４を点灯させる電力を供給するための電子回路を含み得る。回路基板１５０は、スイッチ１１６が閉位置にあるときに、ＬＥＤ１２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１５０は、ＵＶ光及び／又は可視光及び／又はＩＲ光を提供するために、ＬＥＤ１２４に電力を供給してもよいが、ＵＶ光及び／又は可視光及び／又はＩＲ光の点滅の組み合わせを生み出すために、ＵＶ  ＬＥＤ１２４のみ又は可視光ＬＥＤ１２４のみ又はＩＲ光ＬＥＤ１２４のみに電力を供給するか、あるいは変動電力を供給するように構成してもよい。回路基板１５０はまた、圧電スピーカ（図示せず）などの発信機又はトランシーバー、又はその他の装置を駆動させるように構成することができ、これらはベース部分１１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１１０から約２メートル以内の距離にいる虫に感知可能であることが望ましい。そのような虫誘引性の音は、捕虫装置１１０から約１メートルを超える距離にいる人間に感知できないものであることが望ましい。また、回路基板１５０は���ノミ及び蚊などの一部の虫類を誘引するために、１つ若しくは２つ以上の抵抗発熱コイル、又は１つ若しくは２つ以上の抵抗器などの１つ又は２つ以上の電気的発熱体１５６、あるいは、１つ又は２つ以上の熱交換素子（例えば、ペルチェ効果及び／又はトムソン効果を用いて、熱を特定領域に移動させる素子など）、あるいは、熱を発生及び／又は移動させ、この熱を、ベース部分１１２を通して捕虫部分１１４へと伝達させ得る、電気素子の組み合わせを含んでもよい。あるいは、ＬＥＤ１２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分１１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【００２５】
図示されているように、ベース部分１１２の上面１２６のスロット１３０と、ベース部分１１２の上面１２６の突出部１３２とが、捕虫部分１１４と係合して、使用中に捕虫部分１１４を定位置に固定する。しかしながら、捕虫部分１１４をベース部分１１２にしっかりと、かつ取り外し可能に取り付けることができるような、任意の他の取り付け形態に置き換えてもよい。捕虫装置１１０をコンセントから外した際に、捕虫装置１１０を床、机、テーブル、又は棚の上に直立させて静置できるように、ベース部分１１２の底面１５４は、実質的に平坦であるか又は凹状になっていてもよい。あるいは、ベース部分１１２の底面１５４は、捕虫装置１１０をコンセントから外した際に、捕虫装置１１０を直立させて静置可能とする、２つ以上の突出部又は脚部（図示せず）を有していてもよい。
【００２６】
捕虫装置１１０の操作においては、導電性プロング１２２を壁面電気コンセントに差し込み、スイッチ１１６を閉位置に動かす。ＬＥＤ１２４は、好ましくはＵＶ及び可視光の光（矢印で示す）を発し、この光は、ベース部分１１２のウィンドウ１２８を通り、捕虫部分１１４の後側ハウジング１４０の底面１６６にある開口部１４４を通って、後側エンクロージャ１４８に入り、直接、後側ハウジング１４０の内面１４２上に、かつディバイダ１３４の背面１５２上に、伝わっていく。ＬＥＤ１２４からの光は、捕虫部分１１４の後側ハウジング１４０の底面１６６における開口部１４４（例えば、捕虫部分１１４の全体奥行きに実質的に平行な面にある）を通って、後側エンクロージャ１４８に入ることから、ＬＥＤ１２４からの光は、後側エンクロージャ１４８の長さ全体を通過することができるとともに、後側エンクロージャ１４８の長さ全体にわたって発散することができるため、後側エンクロージャ１４８全体にわたって、より均一に配光され得る。いくつかの実施形態において、光はベース部分１１２において操作されず、捕虫部分１１４内へ直接発せられる。後側ハウジング１４０の内面１４２は凹形状を含んでいてもよく、ＬＥＤ１２４からの光を反射及び分散させて、ディバイダ１３４の背面１５２上に均一に配光するように構成されていてもよいが、後側ハウジング１４０の内面１４２は凸状又はサドル形状又は形状の組み合わせを有していてよく、あるいは、より均一に配光するように、畝又はその他の形状を有していてもよい。あるいは、ディバイダ１３４の背面１５２上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部１４４において、若しくはその付近において、後側ハウジング１４０に取り付けるか、又はウィンドウ１２８において、若しくはその付近において、ベース部分１１２に取り付けてよく、また、この光学的エンハンサにより、後側ハウジング１４０の内面１４２の役割を置き換えるか、又は増強してもよい。いくつかの実施形態において、ＬＥＤ１２４からの光は、ディバイダ１３４の背面１５２に斜めの角度（例えば、約０°〜９０°の鋭角）で直接当たり、ディバイダ１３４全体にわたって広がり、後側ハウジング１４０の内面１４２の役割、又は後側ハウジング１４０に取り付けられた１つ若しくは複数のレンズの役割を置き換えるか、又は強化する。
【００２７】
その後、光は、ディバイダ１３４及び前面１３８上の粘着剤１３６を透過し、前側エンクロージャ１４６に入る。光は、ディバイダ１３４、前面１３８上の粘着剤１３６、又はこれら両方の光散乱特性により、更に均一に配光され得る。前側エンクロージャ１４６に入る光の一部は、続いて、前側ハウジング１１８の開口部１２０を通って、捕虫装置１１０が設置されている周辺領域に放たれる。虫は、粘着剤コーティング１３６と前側ハウジング１１８の開口部１２０とを通って放射される光に誘引され、開口部１２０から粘着剤１３６上へと飛んでいくか、又は這っていき、（例えば、粘着剤１３６の）粘着剤にて捕獲される。ユーザーは、前側ハウジング１１８の開口部１２０を通して見ることにより、捕獲された虫を確認できる。十分な数の虫が捕獲されると、ユーザーは、捕獲された虫、虫の破片又は粘着剤（これらは捕虫部分１１４内の届かないところに留まる）に触れることなく、使用済みの捕虫部分１１４全体を容易に取り外して捨て、新しい捕虫部分１１４に交換することができる。新しい捕虫部分１１４は、粘着剤コーティングされた新しい表面と光指向面を有しており、捕虫装置１１０での効率的かつ効果的な虫の誘引と捕獲が持続的に確保される。
【００２８】
いくつかの実施形態において、捕虫部分１１４はベース部分１１２の前ではなく上に取り付けられているため、一般的な家庭用壁面コンセントに差し込んだときに、壁面からの捕虫装置１１０の突出が最小限に抑えられ、これによって、家庭環境に対する邪魔を最小限に抑える。いくつかの実施形態において、捕虫装置１１０は、壁面に取り付けられたとき、捕虫装置１１０が壁面から突出する全距離によって定義される全体奥行きが、捕虫装置１１０の全体高さ及び全体幅よりも小さくなるように構成される。
【００２９】
捕虫装置１１０の利点は、捕虫部分１１４内の光の操作であることが理解されよう。いくつかの実施形態において、光の操作は捕虫部分１１４内でのみ行われる。光の操作には、反射、屈折、偏光、分散及び／又は散乱が含まれてよく、操作可能な素子又は表面（例えば、内面１４２、ディバイダ１３４及び粘着剤１３６）と係合することにより達成される。いくつかの実施形態において、光の操作により、粘着剤１３６上に光の均等な分布が形成される。いくつかの実施形態において、光は、粘着剤１３６の上又は捕虫部分１１４内に所定のパターンを生成するよう操作され、例えば、均一な分布、高強度のホットスポットを伴う均一な分布、ホットスポットパターン、及び／又はこれらの組み合わせを生成するよう操作される。
【００３０】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【００３１】
この構成の捕虫装置１１０は、ベース部分１１２に取り外し可能に取り付けることができる様々な異なる捕虫部分１１４に対応することができ、それぞれの捕虫部分１１４は、特定の種類又は複数の種類の飛翔昆虫を誘引して捕獲するような固有の構成を有する。例えば、捕虫部分１１４の全体の寸法及び形状、並びに捕虫部分１１４の前側ハウジング１１８における開口部１２０の寸法、形状、位置及び向きは、特定の種類又は複数の種類の飛翔昆虫を誘引して捕獲するような固有の構成を有していてよい。例えば、いくつかの実施形態において、捕虫部分１１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１１４はおよそ、幅２０ｍｍ〜１３０ｍｍ、高さ２０ｍｍ〜１３０ｍｍ、及び奥行き５ｍｍ〜５０ｍｍである。
【００３２】
いくつかの実施形態において、ベース部分１１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１１２は、幅２０ｍｍ〜２００ｍｍ、高さ１０ｍｍ〜１００ｍｍ、及び奥行き１０ｍｍ〜８０ｍｍである。いくつかの実施形態において、ベース部分１１２は、幅２０ｍｍ〜１３０ｍｍ、高さ１０ｍｍ〜５０ｍｍ、及び奥行き１０ｍｍ〜５０ｍｍである。
【００３３】
本明細書で提供されるように、開口部１２０は様々な形状及び／又は寸法であり得る。例えば、開口部１２０の形状は、円形、正方形、長方形、多角形、及び／又は楕円形であり得る。あるいは、開口部１２０は、直線、曲線、又は波状の形状又はパターンを有するスロット形状であり得る。開口部１２０が円形の場合、開口部１２０の直径は約０．５ｍｍ〜３０ｍｍであり得る。いくつかの実施形態において、円形開口部１２０の直径は約０．５ｍｍ〜２０ｍｍである。いくつかの実施形態において、円形開口部１２０の直径は約０．５ｍｍ〜１５ｍｍである。開口部１２０がスロット形状の場合、開口部１２０はおよそ、幅２ｍｍ〜３０ｍｍ、長さ５ｍｍ〜５００ｍｍであり得る。いくつかの実施形態において、スロット形状開口部１２０はおよそ、幅２ｍｍ〜２０ｍｍ、長さ５ｍｍ〜２００ｍｍである。いくつかの実施形態において、スロット形状開口部１２０はおよそ、幅２ｍｍ〜１５ｍｍ、長さ５ｍｍ〜１００ｍｍである。
【００３４】
いくつかの実施形態において、開口部１２０は前側ハウジング１１８の全部又は一部を占める。例えば、開口部１２０は、前側ハウジング１１８の表面積の約１％〜７５％の範囲を占めていてもよい。いくつかの実施形態において、開口部１２０は、前側ハウジング１１８の表面積の約５％〜５０％を占める。いくつかの実施形態において、開口部１２０は、前側ハウジング１１８の表面積の約１０％〜３０％を占める。
【００３５】
図５は、捕虫装置の第２の実施形態の断面図であり、この捕虫装置全体は２１０で示されている。捕虫装置２１０は、ベース部分２１２と取り外し可能な捕虫部分２１４と、を含む。捕虫装置２１０は、全体長さ、全体幅、及び全体奥行きを有していてよく、また、捕虫装置２１０が壁面に取り付けられたとき、捕虫装置２１０が壁面から突出する全距離によって定義される全体奥行きが、これら３つの全体寸法のうちで最小となるようになるように構成されてよい。ベース部分２１２の後面２６２から突出しているのは、複数の導電性プロング２１６（１つのみ図示）であり、導電性プロング２１６を標準の家庭用壁面電気コンセントに差し込むことにより、捕虫装置２１０を壁面に取り付けて捕虫装置２１０に電力を供給するよう適合されている。あるいは、導電性プロング２１６は、導電性プロング２１６が水平方向を向いた家庭用壁面電気コンセントに差し込まれる場合に、捕虫装置２１０が直立したままとなり得るように、スイベル式に回転するように適合されていてもよい。あるいは、ベース部分２１２は、所望の任意の場所に静置又は吊り下げて、ベース部分２１２内に取り付けられた電池（図示せず）から電力を受け取るように構成されてもよい。電気コンセントと電池が、捕虫装置２１０に電力を供給するものとして記載されたが、任意の好適な電源を使用することができる。ベース部分２１２は、１つ又は２つ以上のＬＥＤ２１８（１つのみ図示）などの発光素子を含む。いくつかの実施形態において、ＬＥＤ２１８は、紫外（ＵＶ）光を発するＬＥＤを少なくとも１つ、及び可視光を発するＬＥＤを少なくとも１つ含む。いくつかの実施形態において、ＬＥＤ２１８は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２１８は、蚊及びノミなどの特定の種類の虫をよりよく誘引するために、赤外（ＩＲ）光を発するＬＥＤを少なくとも１つ含む。
【００３６】
いくつかの実施形態において、ベース部分２１２の上面２２０に、透明又は半透明のウィンドウ２２２が取り付けられる。ウィンドウ２２２により、ＬＥＤ２１８が埃と虫の破片から保護され、ベース部分２１２のクリーニングが容易になる。ベース部分２１２の上面２２０にはスロット２２４が含まれてよく、上面２２０の外周２７０には、上向きの突出部２２６がある。捕虫部分２１４は、少なくとも１つの開口部２３０と導光体２３８を備えた前側ハウジング２２８を含む。前側ハウジング２２８の開口部２３０は、広範な種類の虫を捕虫装置２１０に受け入れるように構成してもよいし、あるいは、１種類又は２種類以上の特定の種類の虫を受け入れるように構成してもよい。いくつかの実施形態において、開口部２３０は、捕虫部分２１４を取り外して交換するときに、ユーザーの指が開口部２３０に入ってしまい捕獲された虫又は粘着剤に誤って触れることを防ぐように構成される。いくつかの実施形態において、開口部２３０は、直径２５ｍｍの球が開口部２３０を通過できないような寸法及び形状を有し、かつ、直径１ｍｍの球が開口部２３０のいかなる部分も通過できるような寸法及び形状を有する。開口部２３０の幅、形状及び向きは、均一であってもよいし、又は、変化していてもよく、また、捕虫部分２１４が複数の開口部２３０を有する場合は、それらの幅、形状及び向きは、同一あってもよいし、又は、異なっていてもよい。開口部２３０は、１種類又は２種類以上の個々の種類の虫又は様々な種類の虫を誘引するように構成することができる。いくつかの実施形態において、導光体２３８は、前面２５４と、前面２５４上の粘着剤コーティング又は粘着剤層２３４と、後側カバー２４８とを含む。いくつかの実施形態において、粘着剤層２３４の材料及び厚さは、ＵＶ光及び／又は可視光及び／又はＩＲ光のかなりの割合を透過させるよう選択され、例えば、光の６０％超が粘着剤層２３４を透過するよう選択される。導光体は、先細形状になっていてよく、ＬＥＤ２１８から底面２４０を通して受光し、この光を偏向させ、（例えば、前面２５４及び粘着剤層２３４を通して）均一に配光するように構成されていてよい。後側カバー２４８は、導光体２３８の上面２４２、後面２５６及び側面（図示せず）を通って光が漏れ出るのを防ぐように構成することができる。本明細書で示すように、任意の好適な導光体を使用することができる。
【００３７】
いくつかの実施形態において、前側ハウジング２２８は不透明のプラスチックシートから熱成形されるが、紙、板紙、厚紙又は紙パルプなどの他の不透明、透明又は半透明の材料も使用することができる。いくつかの実施形態において、前側ハウジング２２８は、射出成形、注型成形、又はその他の好適な製造法により構築される。また、前側ハウジング２２８は内面２５０が透明、半透明又は不透明の粘着剤でコーティングされ、これにより更なる捕虫効果及び能力が提供されてもよい。加えて、前側ハウジング２２８は更に内面２５０の粘着剤コーティングの下に反射性コーティング（図示せず）を有し、これにより、虫の誘引効果を強化し、捕虫効果及び効率を更に向上させてもよい。前側ハウジング２２８と導光体２３８は、それらが交差又は係合する箇所において、超音波溶接又は高周波（ＨＦ）溶接で互いに接合されていてよいが、接着剤により、又は一般的に使用されている他のパッケージング組立法により、又は任意の他の好適な組立法により、恒久的又は取り外し可能に、接合されていてもよい。
【００３８】
図示されているように、前側ハウジング２２８と導光体２３８は一体となって、前側エンクロージャ２４６を形成する。導光体２３８は先細形状であってよく（例えば、底面２４０側がより厚く、上面２４２側がより薄い）、また、アクリル又はポリカーボネートプラスチックなどの、ＵＶ光及び／又はＩＲ光及び／又は可視光を伝導する任意の透明材料から構築されていてもよい。後側カバー２４８の内面（図示せず）は、光を反射させて導光体２３８内に戻し、前面２５４を通過させる反射性コーティングを有し得、これにより光透過効率を高める。導光体２３８は、前面２５４上に、小平面又は様々な寸法、奥行き及び密度の光誘導形状を有し得、これにより光伝達効率を高める。あるいは、いくつかの実施形態において、導光体２３８は、前面２５４上に、小平面又は他の光誘導形状を有し、先細形状ではない。前面２５４上に微小平面又は他の形状を備えた導光体２３８は、一般に光ガイドプレートと呼ばれるが、この小平面又は他の形状は、より大きくしかも依然として効果的に機能するものであってもよい。
【００３９】
あるいは、いくつかの実施形態において、導光体２３８は粘着剤コーティングを有していなくてもよく、また、導光体２３８と後側カバー２４８はベース部分２１２の一部であってもよい。そのような実施形態において、捕虫部分２１４は、外周が前側ハウジング２２８に取り付けられ、前面に粘着剤コーティングを備えた、透明又は半透明の背板（図示せず）を含み得る。
【００４０】
捕虫部分２１４の材料は更に、１種類又は２種類以上の虫誘引剤を含み得る。例えば、捕虫部分２１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２１０の虫誘引効率を更に向上させるにおいをもたらす物質を、含浸させることができる。そのような実施形態において、虫誘引剤は、捕虫部分２１４に一体化している。あるいは、虫誘引剤は、前側ハウジング２２８の内面２５０若しくは外面上に、又は前側ハウジング２２８の開口部２３０を通して、又は導光体２３８の前面２５４上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置２１０から半径約２メートルにいる虫に感知可能であることが望ましい。
【００４１】
いくつかの実施形態において、ベース部分２１２は、コマンドを実行するためのプログラム可能プロセッサ又はチップ（図示せず）を有する回路基板２５２を含み、これは導電性プロング２１６及びＬＥＤ２１８に電気的に接続されている。ただし、見やすくするため、電気的接続は一部しか示されていない。回路基板２５２は、導電性プロング２１６から通常の家庭用電流を受け取り、ＬＥＤ２１８を点灯させる電力を供給するための電子回路を含み得る。回路基板２５２は、ＬＥＤ２１８に一定電圧を供給する、全波整流回路又はその他の回路などのエネルギー安定器を含み得るが、一部の種類の虫（蚊を含む）を誘引し得るような変化を真似たものであってもよい、点滅光が提供されるように、ＬＥＤ２１８に変動電圧を供給することもできる。例えば、およそ０．０５Ｈｚ（例えば、大型哺乳動物の呼吸数を真似たもの）〜２７０Ｈｚ（例えば、オスのイエバエを誘引する点滅の最高頻度）の範囲の点滅頻度が望ましいことがあり、発光素子は、この範囲内で点滅するように構成されてよい。回路基板２５２は、ＵＶ光及び／又は可視光及び／又はＩＲ光を提供するために、ＬＥＤ２１８に電力を供給してもよいが、ＵＶ光及び／又は可視光及び／又はＩＲ光の点滅の組み合わせを生み出すために、ＵＶ  ＬＥＤ２１８のみ又は可視光ＬＥＤ２１８のみ又はＩＲ  ＬＥＤ２１８のみに電力を供給するか、あるいは変動電力を供給するように構成してもよい。いくつかの実施形態において、回路基板２５２はまた、圧電スピーカなどの発信機又はトランシーバー、又はその他の装置を駆動させるように構成することができ、これらはベース部分２１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２１０から約２メートル以内の距離にいる虫に感知可能であることが望ましい。そのような虫誘引性の音は、捕虫装置２１０から約１メートルを超える距離にいる人間に感知できないものであることが望ましい。また、回路基板２５２は、ノミ及び蚊などの一部の虫類を誘引するために、抵抗器（図示せず）若しくは抵抗発熱体（図示せず）などの１つ又は２つ以上の電気的発熱体（図示せず）、あるいは、１つ又は２つ以上の熱交換素子（図示せず）（例えば、ペルチェ効果及び／又はトムソン効果を用いて、熱��特定領域に移動させる素子など）、あるいは、熱を発生及び／又は移動させ、この熱を、ベース部分２１２を通して捕虫部分２１４へと伝達させ得る、電気素子の組み合わせを含んでもよい。あるいは、ＬＥＤ２１８のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ２１８を、熱と光の両方を発生させる１つ又は２つ以上の白熱電球で置き換えてもよいし、又は強化してもよい。哺乳類の肌の温度及び体温に似せるために、一般に、発生させる熱により、捕虫部分２１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【００４２】
図示されているように、ベース部分２１２の上面２２０のスロット２２４と、ベース部分２１２の上面２２０の突出部２２６とが、捕虫部分２１４と係合して、使用中に捕虫部分１１４を定位置に固定する。しかしながら、捕虫部分２１４をベース部分２１２にしっかりと、かつ取り外し可能に取り付けることができるような、任意の他の取り付け形態に置き換えてもよい。捕虫装置２１０をコンセントから外した際に、捕虫装置２１０を床、机、テーブル、又は棚の上に直立させて静置できるように、ベース部分２１２の底面２３６は、実質的に平坦であるか又は凹状になっていてもよい。あるいは、ベース部分２１２の底面２３６は、捕虫装置２１０をコンセントから外した際に、捕虫装置２１０を直立させて静置可能とする、２つ以上の突出部（図示せず）又は脚部を有していてもよい。
【００４３】
捕虫装置２１０の操作においては、導電性プロング２１６が壁面電気コンセントに差し込まれ、ＬＥＤ２１８が光（矢印で示す）を発する。好ましくはこの光はＵＶ及び可視光である。ＬＥＤ２１８からの光がウィンドウ２２２を通過し、導光体２３８の底面２４０に入り、前面２５４と後面２５６で繰り返し反射される。いくつかの実施形態において、光はベース部分２１２において操作されず、捕虫部分２１４内へ直接発せられる。反射光の一部が導光体２３８の前面２５４を透過し、粘着剤層２３４上へと、また、粘着剤層２３４を通って前側エンクロージャ２４６内へと、均一な配光がもたらされる。この光は、導光体２３８の前面２５４における粘着剤層２３４の屈折特性及び光散乱特性により、更に均一に配光される。前側エンクロージャ２４６に入る光の一部は、続いて、前側ハウジング２２８の開口部２３０を通って、捕虫装置２１０が設置されている周辺領域に放たれる。虫は、粘着剤層２３４と前側ハウジング２２８の開口部２３０とを通って伝わってくる光に誘引され、開口部２３０を通って粘着剤層２３４上へと飛んでいくか、又は這っていき、粘着剤にて捕獲される。ユーザーは、前側ハウジング２２８の開口部２３０を通して見ることにより、捕獲された虫を確認できる。十分な数の虫が捕獲されると、ユーザーは、捕獲された虫、虫の破片又は粘着剤（これらは捕虫部分２１４内の届かないところに留まる）に触れることなく、使用済みの捕虫部分２１４全体を容易に取り外して捨て、新しい捕虫部分２１４に交換することができる。新しい捕虫部分２１４は、粘着剤コーティングされた新しい表面と光指向面を有しており、捕虫装置２１０での効率的かつ効果的な虫の誘引と捕獲が持続的に確保される。
【００４４】
いくつかの実施形態において、捕虫部分２１４はベース部分２１２の前ではなく上に取り付けられているため、一般的な家庭用壁面コンセントに差し込んだときに、壁面からの捕虫装置２１０の突出が最小限に抑えられ、これによって、家庭環境に対する邪魔を最小限に抑える。いくつかの実施形態において、捕虫装置２１０は、壁面に取り付けられたとき、捕虫装置２１０が壁面から突出する全距離によって定義される全体奥行きが、捕虫装置２１０の全体高さ及び全体幅よりも小さくなるように構成される。
【００４５】
捕虫装置２１０の利点は、捕虫部分２１４内の光の操作であることが理解されよう。いくつかの実施形態において、光の操作は捕虫部分２１４内でのみ行われる。光の操作には、反射、屈折、偏光及び／又は散乱が含まれてよく、操作可能な素子又は表面（例えば、導光体２３８、前面２５４、後面２５６、及び粘着剤層２３４）と係合することにより達成される。いくつかの実施形態において、光の操作により、粘着剤層２３４上に光の均等な分布が形成される。いくつかの実施形態において、光は、粘着剤層２３４の上又は捕虫部分２１４内に所定のパターンを生成するよう操作され、例えば、均一な分布、高強度のホットスポットを伴う均一な分布、ホットスポットパターン、及び／又はこれらの組み合わせを生成するよう操作される。
【００４６】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【００４７】
この構成の捕虫装置２１０は、ベース部分２１２に取り外し可能に取り付けることができる様々な異なる捕虫部分２１４に対応することができ、それぞれの捕虫部分２１４は、特定の種類又は複数の種類の虫を誘引して捕獲するような固有の構成を有する。例えば、捕虫部分２１４の全体の寸法及び形状、並びに捕虫部分２１４の前側ハウジング２２８における開口部２３０の寸法、形状、位置及び向きは、特定の種類又は複数の種類の虫を誘引して捕獲するような固有の構成を有していてよい。例えば、いくつかの実施形態において、捕虫部分２１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２１４はおよそ、幅２０ｍｍ〜１３０ｍｍ、高さ２０ｍｍ〜１３０ｍｍ、及び奥行き５ｍｍ〜５０ｍｍである。
【００４８】
いくつかの実施形態において、ベース部分２１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２１２は、幅２０ｍｍ〜２００ｍｍ、高さ１０ｍｍ〜１００ｍｍ、及び奥行き１０ｍｍ〜８０ｍｍである。いくつかの実施形態において、ベース部分２１２は、幅２０ｍｍ〜１３０ｍｍ、高さ１０ｍｍ〜５０ｍｍ、及び奥行き１０ｍｍ〜５０ｍｍである。
【００４９】
本明細書で提供されるように、開口部２３０は様々な形状及び／又は寸法であり得る。例えば、開口部２３０の形状は、円形、正方形、長方形、多角形、及び／又は楕円形であり得る。あるいは、開口部２３０は、直線、曲線、又は波状の形状又はパターンを有するスロット形状であり得る。開口部２３０が円形の場合、開口部２３０の直径は約０．５ｍｍ〜３０ｍｍであり得る。いくつかの実施形態において、円形開口部２３０の直径は約０．５ｍｍ〜２０ｍｍである。いくつかの実施形態において、円形開口部２３０の直径は約０．５ｍｍ〜１５ｍｍである。開口部２３０がスロット形状の場合、開口部２３０はおよそ、幅２ｍｍ〜３０ｍｍ、長さ５ｍｍ〜５００ｍｍであり得る。いくつかの実施形態において、スロット形状開口部２３０はおよそ、幅２ｍｍ〜２０ｍｍ、長さ５ｍｍ〜２００ｍｍである。いくつかの実施形態において、スロット形状開口部２３０はおよそ、幅２ｍｍ〜１５ｍｍ、長さ５ｍｍ〜１００ｍｍである。
【００５０】
いくつかの実施形態において、開口部２３０は前側ハウジング２２８の全部又は一部を占める。例えば、開口部２３０は、前側ハウジング２２８の表面積の約１％〜７５％の範囲を占めていてもよい。いくつかの実施形態において、開口部２３０は、前側ハウジング２２８の表面積の約５％〜５０％を占める。いくつかの実施形態において、開口部２３０は、前側ハウジング２２８の表面積の約１０％〜３０％を占める。
【００５１】
図６は、捕虫装置の第３の実施形態の正面斜視図であり、この捕虫装置全体は３１０で示されている。捕虫装置３１０は、ベース部分３１２と取り外し可能な捕虫部分３１４とを含み得る。捕虫装置３１０は、全体長さ、全体幅、及び全体奥行きを有していてよく、また、捕虫装置３１０が壁面に取り付けられたとき、捕虫装置３１０が壁面から突出する全距離によって定義される全体奥行きが、これら３つの全体寸法のうちで最小となるようになるように構成されてよい。いくつかの実施形態において、ベース部分３１２の前面３６０は、スイッチ３１６を含み、スイッチ３１６は、ユーザーの所望に応じて、スイッチ３１６の開閉により捕虫装置３１０の電源を入れたり、切ったりすることができるように構成可能である。あるいは、スイッチ３１６は他の機能を制御するように構成されていてもよく、例えば光の強さ、光の波長の組み合わせ、点滅頻度又は点滅モードの違い、部屋が暗くなったときに電源が入る自動設定、あるいはリモートコントロール設定が挙げられる。スイッチ３１６は手動で操作されてもよいが、スイッチ３１６は電気的、光学的、電子機械的、電子光学的、又はスイッチ３１６を開閉するための任意の他の方法により操作されてもよい。捕虫部分３１４は、少なくとも１つの開口部３２０を備えたハウジング３１８を含み得る。ハウジング３１８の開口部３２０は、広範な種類の虫を捕虫装置３１０に受け入れるように構成してもよいし、あるいは、１種類又は２種類以上の特定の種類の虫を受け入れるように構成してもよい。好ましくは、開口部３２０は、捕虫部分３１４を取り外して交換するときに、ユーザーの指が開口部３２０に入ってしまい捕獲された虫又は粘着剤に誤って触れることを防ぐように構成されていてもよい。開口部３２０は好ましくは、直径２５ｍｍの球が開口部３２０を通過できないような寸法及び形状を有し得、かつ、開口部３２０は好ましくは、直径１ｍｍの球が開口部３２０のいかなる部分も通過できるような寸法及び形状を有し得る。開口部３２０の幅、形状及び向きは、均一であってもよいし、又は、変化していてもよく、また、捕虫部分３１４が複数の開口部３２０を有する場合は、それらの幅、形状及び向きは、同一あってもよいし、又は、異なっていてもよい。
【００５２】
図７は、捕虫装置３１０のベース部分３１２の背面斜視図である。ベース部分３１２の背面３６２から突出しているのは、複数の導電性プロング３２２であり、標準の家庭用壁面電気コンセントに差し込むことにより、捕虫装置３１０を壁面に取り付けて捕虫装置３１０に電力を供給するよう適合されている。あるいは、導電性プロング３２２は、導電性プロング３２２が水平方向を向いた家庭用壁面電気コンセントに差し込まれる場合に、捕虫装置３１０が直立したままとなり得るように、スイベル式に回転するように適合されていてもよい。あるいは、ベース部分３１２は、所望の任意の場所に静置又は吊り下げて、ベース部分３１２内に取り付けられた電池（図示せず）から電力を受け取るように構成されてもよい。電気コンセントと電池が、捕虫装置３１０に電力を供給するものとして記載されたが、任意の好適な電源を使用することができる。ベース部分３１２は、１つ又は２つ以上のＬＥＤ３２４などの発光素子を含む。いくつかの実施形態において、ＬＥＤ３２４は、紫外（ＵＶ）光を発するＬＥＤ、及び可視光を発するＬＥＤを含む。いくつかの実施形態において、ＬＥＤ３２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ３２４は、蚊及びノミなどの特定の種類の虫をよりよく誘引するために、赤外（ＩＲ）光を発するＬＥＤを少なくとも１つ含む。ベース部分３１２の上面３２６には、透明又は半透明のウィンドウ３２８が取り付けられていてよい（図ではＬＥＤ３２４を見えるようにするため部分的に切り取られている）。ウィンドウ３２８により、ＬＥＤ３２４が埃と虫の破片から保護され、ベース部分３１２のクリーニングが容易になる。ベース部分３１２の上面３２６の外周３６４から突出した上向き突出部又は縁３３０は、使用中に捕虫部分３１４を定位置に固定する役割を果たし得るが、捕虫部分３１４をベース部分３１２にしっかりと、かつ取り外し可能に取り付けることができるような、任意の他の取り付け形態に置き換えてもよい。
【００５３】
図８は、捕虫装置３１０の捕虫部分３１４の正面斜視図である。捕虫部分３１４は、エンクロージャを形成するハウジング３１８と、１つ又は２つ以上の内面３３４に適用される透明又は半透明の粘着剤コーティングとを含む。いくつかの実施形態において、ハウジング３１８の材料及び厚さと粘着剤コーティングの材料及び厚さは、ＵＶ光及び／又は可視光及び／又はＩＲ光のかなりの割合を透過させるよう選択され、例えば、光の６０％超がハウジング３１８と粘着剤コーティングを透過するよう選択される。いくつかの実施形態において、ハウジング３１８は不透明のプラスチックシートから熱成形されるが、紙、板紙、厚紙又は紙パルプなどの他の不透明、透明又は半透明の材料も使用することができる。いくつかの実施形態において、ハウジング３１８は、射出成形、又はその他の好適な製造法により構築される。
【００５４】
図示されているように、ハウジング３１８は、畝３３６又はその他の形状を含み、これにより、粘着剤コーティングされた表面の面積を増加させ、一部の種類の虫にとって誘引性となる交互の明暗領域を形成し、捕虫部分３１４の内側３７０への虫誘引性の光の伝達を向上させる。スリーブ３３８は、ハウジング３１８の外面３６８から放射される光の量を低減し、開口部３２０において底面３６６以外のハウジング３１８の外面３６８を覆う。いくつかの実施形態において、スリーブ３３８は不透明のプラスチックシートから熱成形されるが、紙、板紙、厚紙又は紙パルプなどの他の不透明、透明又は半透明の材料も使用することができる。いくつかの実施形態において、スリーブ３３８は、１つ又は２つ以上の内面に反射性コーティング（図示せず）を含み、これにより、スリーブ３３８は、ハウジング３１８の内面３３４を通してより多くの光を指向して、虫の誘引及び捕獲の効率と効果を更に増強することができる。いくつかの実施形態において、スリーブ３３８は、ハウジング３１８の外面３６８から放射される光の量を低減するように構成されたコーティングに置き換えられるか、又は、ハウジング３１８の底面３６６以外の外面３６８に適用された反射性コーティングの上に適用されるコーティングに置き換えられる。
【００５５】
捕虫部分３１４の材料は更に、１種類又は２種類以上の虫誘引剤を含み得る。例えば、捕虫部分３１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置３１０の虫誘引効率を向上させるにおいをもたらす物質を、含浸させることができる。そのような実施形態において、虫誘引剤は、捕虫部分３１４に一体化している。あるいは、虫誘引剤は、ハウジング３１８の内面３３４上に、又はハウジング３１８の開口部３２０を通して取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置３１０から半径約２メートルにいる虫に感知可能であることが望ましい。
【００５６】
図９は、捕虫装置３１０の断面図である。いくつかの実施形態において、ベース部分３１２は、コマンドを実行するためのプログラム可能プロセッサ又はチップ（図示せず）を有する回路基板３４０を含み、これは導電性プロング３２２（１つのみ図示）、スイッチ３１６、及びＬＥＤ３２４（１つのみ図示）に電気的に接続されている。ただし、見やすくするため、電気的接続は一部しか示されていない。回路基板３４０は、導電性プロング３２２から通常の家庭用電流を受け取り、スイッチ３１６の位置に対して応答し、ＬＥＤ３２４を点灯させる電力を供給するための電子回路を含み得る。回路基板３４０は、スイッチ３１６が閉位置にあるときに、ＬＥＤ３２４に一定電圧を供給する、全波整流フィルター回路又はその他の回路などのエネルギー安定器を含み得るが、一部の種類の虫（蚊を含む）を誘引し得るような変化を真似たものであってよい、点滅光が提供されるように、ＬＥＤ３２４に変動電圧を供給することもできる。例えば、およそ０．０５Ｈｚ（例えば、哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板３４０は、ＵＶ光及び／又は可視光及び／又はＩＲ光のすべてを提供するために、ＬＥＤ３２４に電力を供給してもよいが、ＵＶ光及び／又は可視光及び／又はＩＲ光の点滅の組み合わせを生み出すために、ＵＶ  ＬＥＤ３２４のみ又は可視光ＬＥＤ３２４のみ又はＩＲ  ＬＥＤ３２４のみに電力を供給するか、あるいは変動電力を供給するように構成してもよい。いくつかの実施形態において、回路基板３４０はまた、圧電スピーカなどの発信機又はトランシーバー、又はその他の装置を駆動させるように構成することができ、これらはベース部分３１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置３１０から約２メートル以内の距離にいる虫に感知可能であることが望ましい。そのような虫誘引性の音は、捕虫装置３１０から約１メートルを超える距離にいる人間に感知できないものであることが望ましい。また、回路基板３４０は、ノミ及び蚊などの一部の虫類を誘引するために、１つ若しくは２つ以上の抵抗器、又��抵抗発熱体などの１つ又は２つ以上の電気的発熱体３４２、あるいは、１つ又は２つ以上の熱交換素子（例えば、ペルチェ効果及び／又はトムソン効果を用いて、熱を特定領域に移動させる素子など）、あるいは、熱を発生及び／又は移動させ、この熱を、ベース部分３１２を通して捕虫部分３１４へと伝達させ得る、電気素子の組み合わせを含んでもよい。あるいは、ＬＥＤ３２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ３２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分３１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【００５７】
捕虫装置３１０の操作においては、導電性プロング３２２を壁面電気コンセントに差し込み、スイッチ３１６を閉位置に動かす。ＬＥＤ３２４は、光（矢印で示す）を発し、この光は、ベース部分３１２のウィンドウ３２８を通り、ハウジング３１８の底面３６６を通って伝わる。いくつかの実施形態において、光はベース部分３１２において操作されず、捕虫部分３１４内へ直接発せられる。光の一部は、引き続きエンクロージャ内にて、ハウジング３１８の１つ又は２つ以上の側面３７２を上っていき、内面３３４を通って外に出る。光の別の一部は、引き続きハウジング３１８の底面３６６を通ってエンクロージャに入り、内面３３４を照らす。ハウジング３１８に入る光の一部は、続いて、開口部３２０を通って、捕虫装置が設置されている周辺領域に放たれる。この領域にいる虫は、開口部３２０を通って伝わってくる光に誘引され、開口部３２０から内面３３４上へと飛んでいくか、又は這っていき、粘着剤に貼り付いて捕獲される。ユーザーは、開口部３２０を通して見ることにより、捕獲された虫を確認できる。十分な数の虫が捕獲されると、ユーザーは、捕獲された虫、虫の破片又は粘着剤（これらは捕虫部分３１４内の届かないところに留まる）に触れることなく、使用済みの捕虫部分３１４全体を容易に取り外して捨て、新しい捕虫部分３１４に交換することができる。新しい捕虫部分３１４は、粘着剤コーティングされた新しい内面３３４を有し、ハウジング３１８は光が捕虫部分３１４内へと伝わる際の通路となる、汚れのない底面３６６を有する。捕虫部分３１４の透明又は半透明の材料は、ＬＥＤ３２４からのＵＶ光に長時間曝されることによる劣化を受けていないため、捕虫装置３１０での効率的かつ効果的な虫の誘引と捕獲が持続的に確保される。
【００５８】
いくつかの実施形態において、捕虫部分３１４はベース部分３１２の前ではなく上に取り付けられているため、一般的な家庭用壁面コンセントに差し込んだときに、壁面からの捕虫装置３１０の突出が最小限に抑えられ、これによって、家庭環境に対する邪魔を最小限に抑える。いくつかの実施形態において、捕虫装置３１０は、壁面に取り付けられたとき、捕虫装置３１０が壁面から突出する全距離によって定義される全体奥行きが、捕虫装置３１０の全体高さ及び全体幅よりも小さくなるように構成される。
【００５９】
捕虫装置３１０の利点は、捕虫部分３１４内の光の操作であることが理解されよう。いくつかの実施形態において、光の操作は捕虫部分３１４内でのみ行われる。光の操作には、反射、屈折、偏光、分散及び／又は散乱が含まれてよく、操作可能な素子又は表面（例えば、ハウジング３１８及び内面３３４）と係合することにより達成される。いくつかの実施形態において、光の操作により、粘着面又は粘着剤コーティング上に光の均等な分布が形成される。いくつかの実施形態において、光は、粘着剤コーティングの上又は捕虫部分３１４内に所定のパターンを生成するよう操作され、例えば、均一な分布、高強度のホットスポットを伴う均一な分布、ホットスポットパターン、及び／又はこれらの組み合わせを生成するよう操作される。
【００６０】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【００６１】
この構成の捕虫装置３１０は、ベース部分３１２に取り外し可能に取り付けることができる様々な異なる捕虫部分３１４に対応することができ、それぞれの捕虫部分３１４は、特定の種類又は複数の種類の虫を誘引して捕獲するような固有の構成を有する。例えば、捕虫部分３１４の全体の寸法及び形状、並びに捕虫部分３１４のハウジング３１８における開口部３２０の寸法、形状、位置及び向きは、特定の種類又は複数の種類の虫を誘引して捕獲するような固有の構成を有していてよい。例えば、いくつかの実施形態において、捕虫部分３１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分３１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分３１４はおよそ、幅２０ｍｍ〜１３０ｍｍ、高さ２０ｍｍ〜１３０ｍｍ、及び奥行き５ｍｍ〜５０ｍｍである。
【００６２】
いくつかの実施形態において、ベース部分３１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分３１２は、幅２０ｍｍ〜２００ｍｍ、高さ１０ｍｍ〜１００ｍｍ、及び奥行き１０ｍｍ〜８０ｍｍである。いくつかの実施形態において、ベース部分３１２は、幅２０ｍｍ〜１３０ｍｍ、高さ１０ｍｍ〜５０ｍｍ、及び奥行き１０ｍｍ〜５０ｍｍである。
【００６３】
本明細書で提供されるように、開口部３２０は様々な形状及び／又は寸法であり得る。例えば、開口部３２０の形状は、円形、正方形、長方形、多角形、及び／又は楕円形であり得る。あるいは、開口部３２０は、直線、曲線、又は波状の形状又はパターンを有するスロット形状であり得る。開口部３２０が円形の場合、開口部３２０の直径は約０．５ｍｍ〜３０ｍｍであり得る。いくつかの実施形態において、円形開口部３２０の直径は約０．５ｍｍ〜２０ｍｍである。いくつかの実施形態において、円形開口部３２０の直径は約０．５ｍｍ〜１５ｍｍである。開口部３２０がスロット形状の場合、開口部３２０はおよそ、幅２ｍｍ〜３０ｍｍ、長さ５ｍｍ〜５００ｍｍであり得る。いくつかの実施形態において、スロット形状開口部３２０はおよそ、幅２ｍｍ〜２０ｍｍ、長さ５ｍｍ〜２００ｍｍである。いくつかの実施形態において、スロット形状開口部３２０はおよそ、幅２ｍｍ〜１５ｍｍ、長さ５ｍｍ〜１００ｍｍである。
【００６４】
いくつかの実施形態において、開口部３２０は捕虫部分３１４の全部又は一部を占める。例えば、開口部３２０は、捕虫部分３１４の表面積の約１％〜７５％の範囲を占めていてもよい。いくつかの実施形態において、開口部３２０は、捕虫部分３１４の表面積の約５％〜５０％の範囲を占める。いくつかの実施形態において、開口部３２０は、捕虫部分３１４の表面積の約１０％〜３０％の範囲を占める。
【００６５】
図１〜９の実施形態では、捕虫部分がベース部分の上面に取り付けられているが、他の構成も想到される。例えば、図１０及び１１は、捕虫装置の第４の実施形態を示し、ここで、捕虫部分はベース部分の前方に取り付けられている。
【００６６】
図１０は正面斜視図であり、図１１は背面斜視図であり、両方とも、捕虫装置の第４の実施形態を示しており、この捕虫装置全体は４１０で示されている。捕虫装置４１０は、ベース部分４１２と取り外し可能な捕虫部分４２０と、を含む。捕虫部分４２０は、どちらの図でも、ベース部分４１２から取り外された状態で示されている。ベース部分４１２の背面４３２から突出しているのは、複数の導電性プロング４３４であり、標準の家庭用壁面電気コンセントに差し込むことにより、捕虫装置４１０を壁面に取り付けて捕虫装置４１０に電力を供給するよう適合されている。あるいは、ベース部分４１２は、所望の任意の場所に静置又は吊り下げて、ベース部分４１２内に取り付けられた電池（図示せず）から電力を受け取るように構成されてもよい。電気コンセントと電池が、捕虫装置４１０に電力を供給するものとして記載されたが、任意の好適な電源を使用することができる。１つ又は２つ以上のＬＥＤ４１４などの発光素子が、ベース部分４１２の前面４１８から突出している十字形突出部４１６に取り付けられ得る。あるいは、ＬＥＤ４１４は、それ自体が突出部を形成し得る。図には十字形突出部として示されているが、ＬＥＤ４１４の取り付け表面及び／又は構成は、任意の所望の形状であり得る。いくつかの実施形態において、ベース部分４１２は、コマンドを実行するためのプログラム可能プロセッサ又はチップ（図示せず）を有する回路基板（図示せず）を含み、これは導電性プロング４３４及びＬＥＤ４１４に電気的に接続されている。捕虫部分４２０は、１つ又は２つ以上の粘着剤コーティングされた内面４２２と、少なくとも１つの開口部４２４とを備えた、半透明又は透明の材料からなるハウジング４５０を含む。いくつかの実施形態において、ハウジング４５０の材料及び厚さと粘着剤の材料及び厚さは、光のかなりの割合を透過させるよう選択され、例えば、光の６０％超がハウジング４５０と粘着剤コーティングを透過するよう選択される。開口部４２４は、広範な種類の虫を捕虫装置４１０に受け入れるように構成してもよいし、あるいは、１種類又は２種類以上の特定の種類の虫を受け入れるように構成してもよい。開口部４２４は、捕虫部分４２０を取り外して交換するときに、ユーザーの指が開口部４２４に入ってしまい捕獲された虫又は粘着剤に誤って触れることを防ぐように構成されていてもよい。開口部４２４は好ましくは、直径２５ｍｍの球が少なくとも１つの開口部４２４を通過できないような寸法及び形状を有し得、かつ、開口部４２４は好ましくは、直径１ｍｍの球が開口部４２４のいかなる部分も通過できるような寸法及び形状を有し得る。開口部４２４の幅、形状及び向きは、均一であってもよいし、又は、変化していてもよく、また、捕虫部分４２０が複数の開口部４２４を有する場合は、それらの幅、形状及び向きは、同一あってもよいし、又は、異なっていてもよい。捕虫部分４２０は、開口部４２４、及び背面４２８の十字形のブラインドキャビティ４２６を除く外面４５２上に、外面４５２から放射される光の量を、低減するように構成されたコーティング（図示せず）を含み得る。図示されているように、ブラインドキャビティ４２６は十字形４５４であるが、これは任意の望ましい形状であり得る。例えば、ベース部分４１２の前面４１８の十字形突出部４１６は、捕虫部分４２０の背面４２８の十字形キャビティ４５４にある凹部と係合することができ、これにより捕虫部分４２０をベース部分４１２に取り外し可能に取り付けることができる。よってこの構成において、捕虫部分４２０はベース部分４１２の前方に取り付けられる。
【００６７】
捕虫装置４１０の操作においては、ベース部分４１２が壁面電気コンセントに差し込まれ、捕虫部分４２０がベース部分４１２の前方に取り付けられる。ＬＥＤ４１４からの光は、捕虫部分４２０の背面４２８にある十字形キャビティ４５４へと伝わる。いくつかの実施形態において、光はベース部分４１２において操作されず、捕虫部分４２０内へ直接発せられる。光の一部は、捕虫部分４２０の半透明又は透明の壁の中に留まり、光は散乱して、捕虫部分４２０内において、また、内面４２２を通って、均等に拡がる。光の別の一部は、引き続き捕虫部分４２０の後壁を通り、捕虫部分４２０の内側４３０に入り、内面４２２を照らす。捕虫部分４２０に入った光の一部は、引き続いて、開口部４２４を通過していき、捕虫装置４１０が設置されている室内へと向かう。室内にいる虫は、開口部４２４を通って伝わってくる光に誘引され、開口部４２４から内面４２２上へと飛んでいくか、又は這っていき、ここで虫は粘着剤に貼り付いて捕獲される。ユーザーは、開口部４２４を通して見ることにより、捕獲された虫を確認できる。十分な数の虫が捕獲されると、ユーザーは、捕獲された虫、虫の破片又は粘着剤（これらは捕虫部分４２０内の届かないところに留まる）に触れることなく、使用済みの捕虫部分４２０全体を容易に取り外して捨て、新しい捕虫部分４２０に交換することができる。新しい捕虫部分４２０は、粘着剤コーティングされた新しい内面４２２と、光が捕虫部分４２０内へと伝わる際の通路となる、背面４２８における汚れのない十字形キャビティ４２６とを有する。捕虫部分４２０の透明又は半透明の材料は、ＬＥＤ４１４からのＵＶ光に長時間曝されることによる劣化を受けていないため、捕虫装置４１０での効率的かつ効果的な虫の誘引と捕獲が持続的に確保される。
【００６８】
捕虫装置４１０の利点は、捕虫部分４２０内の光の操作であることが理解されよう。いくつかの実施形態において、光の操作は捕虫部分４２０内でのみ行われる。光の操作には、反射、屈折、偏光、分散及び／又は散乱が含まれてよく、操作可能な素子又は表面（例えば、捕虫部分４２０及び内面４２２）と係合することにより達成される。いくつかの実施形態において、光の操作により、粘着面又は粘着剤コーティング上に光の均等な分布が形成される。いくつかの実施形態において、光は、粘着剤コーティングの上又は捕虫部分４２０内に所定のパターンを生成するよう操作され、例えば、均一な分布、高強度のホットスポットを伴う均一な分布、ホットスポットパターン、及び／又はこれらの組み合わせを生成するよう操作される。
【００６９】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【００７０】
この構成の捕虫装置４１０は、ベース部分４１２に取り外し可能に取り付けることができる様々な異なる捕虫部分４２０に対応することができ、それぞれの捕虫部分４２０は、特定の種類又は複数の種類の虫を誘引して捕獲するような固有の構成を有する。例えば、捕虫部分４２０の全体の寸法及び形状、並びに捕虫部分４２０における開口部４２４の寸法、形状、位置及び向きは、特定の種類又は複数の種類の虫を誘引して捕獲するような固有の構成を有していてよい。例えば、いくつかの実施形態において、捕虫部分４２０はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分４２０はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分４２０はおよそ、幅２０ｍｍ〜１３０ｍｍ、高さ２０ｍｍ〜１３０ｍｍ、及び奥行き５ｍｍ〜５０ｍｍである。
【００７１】
いくつかの実施形態において、ベース部分４１２はおよそ、幅１０ｍｍ〜６００ｍｍ、高さ１０ｍｍ〜１５０ｍｍ、及び奥行き１０ｍｍ〜１５０ｍｍである。いくつかの実施形態において、ベース部分４１２は、幅１０ｍｍ〜２００ｍｍ、高さ１０ｍｍ〜１００ｍｍ、及び奥行き１０ｍｍ〜８０ｍｍである。いくつかの実施形態において、ベース部分４１２は、幅１０ｍｍ〜１３０ｍｍ、高さ１０ｍｍ〜５０ｍｍ、及び奥行き１０ｍｍ〜５０ｍｍである。
【００７２】
本明細書で提供されるように、開口部４２４は様々な形状及び／又は寸法であり得る。例えば、開口部４２４の形状は、円形、正方形、長方形、多角形、及び／又は楕円形であり得る。あるいは、開口部４２４は、直線、曲線、又は波状の形状又はパターンを有するスロット形状であり得る。開口部４２４が円形の場合、開口部４２４の直径は約０．５ｍｍ〜３０ｍｍであり得る。いくつかの実施形態において、円形開口部４２４の直径は約０．５ｍｍ〜２０ｍｍである。いくつかの実施形態において、円形開口部４２４の直径は約０．５ｍｍ〜１５ｍｍである。開口部４２４がスロット形状の場合、開口部４２４はおよそ、幅２ｍｍ〜３０ｍｍ、長さ５ｍｍ〜５００ｍｍであり得る。いくつかの実施形態において、スロット形状開口部４２４はおよそ、幅２ｍｍ〜２０ｍｍ、長さ５ｍｍ〜２００ｍｍである。いくつかの実施形態において、スロット形状開口部４２４はおよそ、幅２ｍｍ〜１５ｍｍ、長さ５ｍｍ〜１００ｍｍである。
【００７３】
いくつかの実施形態において、開口部４２４は捕虫部分４２０の全部又は一部を占める。例えば、開口部４２４は、捕虫部分４２０の表面積の約１％〜７５％の範囲を占めていてもよい。いくつかの実施形態において、開口部４２４は、捕虫部分４２０の表面積の約５％〜５０％の範囲を占める。いくつかの実施形態において、開口部４２４は、捕虫部分４２０の表面積の約１０％〜３０％の範囲を占める。
【００７４】
図１２は正面斜視図であり、図１３は背面斜視図であって、捕虫装置の第５の実施形態を示しており、この捕虫装置全体は５１０で示されている。捕虫装置５１０は、ベース部分５１２と取り外し可能な捕虫部分５１４と、を含む。捕虫装置５１０は、全体長さ、全体幅、及び全体奥行きを有していてよく、また、捕虫装置５１０が壁面に取り付けられたとき、捕虫装置５１０が壁面から突出する全距離によって定義される全体奥行きが、これら３つの全体寸法のうちで最小となるようになるように構成されてよい。ベース部分５１２は、捕虫部分５１４を受容するために上面５６０に上開口部５１８を備えたハウジング５１６と、前面５６２に少なくとも１つの前側開口部５２０と、背面５６４に複数の導電性プロング５２２とを含み、これは、標準の家庭用壁面電気コンセントに差し込むことにより、捕虫装置５１０を壁面に取り付けて捕虫装置５１０に電源を供給するよう適合されている。あるいは、導電性プロング５２２は、導電性プロング５２２が水平方向を向いた壁面電気コンセントに差し込まれる場合に、捕虫装置５１０が直立したままとなり得るように、スイベル式に回転するように適合されていてもよい。あるいは、ベース部分５１２は、所望の任意の場所に静置又は吊り下げて、ベース部分５１２内に取り付けられた電池（図示せず）から電力を受け取るように構成されてもよい。電気コンセントにより、捕虫装置５１０に電力を供給するものとして記載されたが、任意の好適な電源を使用することができる。前側開口部５２０は、広範な種類の虫を捕虫装置５１０に受け入れるように構成してもよいし、あるいは、１種類又は２種類以上の特定の種類の虫を受け入れるように構成してもよい。前側開口部５２０は、捕虫部分５１４を取り外して交換するときに、ユーザーの指が前側開口部５２０に入ってしまい捕獲された虫又は粘着剤に誤って触れることを防ぐように構成されていてもよい。前側開口部５２０は好ましくは、直径２５ｍｍの球が前側開口部５２０を通過できないような寸法及び形状を有し得、かつ、前側開口部５２０は好ましくは、直径１ｍｍの球が前側開口部５２０のいかなる部分も通過できるような寸法及び形状を有し得る。前側開口部５２０の幅、形状及び向きは、均一であってよく又は変化してよく、また、捕虫部分５１４が複数の前側開口部５２０を有する場合は、それらの幅、形状及び向きは、同一であってよく又は異なってよい。いくつかの実施形態において、ベース部分５１２は不透明のプラスチックを射出成型したものであるが、他の材料及び構築法も使用することができる。
【００７５】
図１４は、捕虫装置５１０の正面斜視図である。捕虫部分５１４はこの図で、ベース部分５１２から部分的に取り外された状態で示されている。捕虫部分５１４には、少なくとも１つの開口部５２６を備えたハウジング５２４と、捕虫部分５１４を取り外して交換するために適合されたタブ５２８とが含まれ得る。捕虫部分５１４は、タブ５２８をつかみ、捕虫部分５１４をベース部分５１２のハウジング５１６から持ち上げることによって、取り外すことができる。捕虫部分５１４の開口部５２６は、寸法、形状、方向及び位置に関してベース部分５１２の前側開口部５２０に対応していてよく、これによって、捕虫部分５１４をベース部分５１２に取り付けたときに、これらの開口部が揃い得るようになっている。そのような実施形態において、捕虫部分５１４は、内側スリーブ又はポケットとして見なすことができ、ベース部分５１２は外側スリーブとして見なすことができ、ユーザーは、内側スリーブを外側スリーブ内に投入又は挿入することができる。
【００７６】
図１５は、捕虫部分５１４の正面斜視図である。捕虫部分５１４はこの図で部分的に切り取って示されている。ハウジング５２４は、半透明又は透明の粘着剤でコーティングされた内面５３０を含み得る。図示されているように、ハウジング５２４は、畝５３２又はその他の形状を含み、これにより、粘着剤コーティングされた表面の面積を増加させ、一部の種類の虫にとって誘引性となる交互の明暗領域を形成し、捕虫部分５１４の内側への虫誘引性の光の伝達を向上させる。いくつかの実施形態において、捕虫部分５１４は、２つの別個のピースとして、又は「クラムシェル」構成（２つの辺が一方で接合されて、互いに折りたたまれる構成）で、半透明又は透明のプラスチックシートで熱成形されるが、捕虫部分５１４は、半透明又は透明のプラスチックで射出成型することもでき、又は半透明の紙又はその他の材料で構築することもできる。いくつかの実施形態において、捕虫部分５１４の材料及び厚さと粘着剤の材料及び厚さは、光のかなりの割合を透過させるよう選択され、例えば、光の６０％超が捕虫部分５１４と粘着剤コーティングを透過するよう選択される。捕虫部分５１４の材料は更に、１種類又は２種類以上の虫誘引剤を含み得る。例えば、捕虫部分５１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置５１０の虫誘引効率を向上させるにおいをもたらす物質を、含浸させることができる。そのような実施形態において、虫誘引剤は、捕虫部分５１４に一体化している。あるいは、虫誘引剤は、ハウジング５２４の内面５３０上に、又はハウジング５２４の開口部５２６を通して取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置５１０から半径約２メートルにいる虫に感知可能であることが望ましい。
【００７７】
図１６は、捕虫装置５１０の断面図である。いくつかの実施形態において、ベース部分５１２は、コマンドを実行するためのプログラム可能プロセッサ又はチップ（図示せず）を有する回路基板５３４を含み、これは導電性プロング５２２（１つのみ図示）、及び１つ又は２つ以上のＬＥＤ５３６などの発光素子（１つのみ図示）に電気的に接続されている。いくつかの実施形態において、ＬＥＤ５３６は、紫外（ＵＶ）光を発するＬＥＤ、及び可視光を発するＬＥＤを含む。いくつかの実施形態において、ＬＥＤ５３６は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ５３６は、蚊及びノミなどの特定の種類の虫をよりよく誘引するために、赤外（ＩＲ）光を発するＬＥＤを少なくとも１つ含む。見やすくするため、電気的接続は一部しか示されていない。回路基板５３４は、導電性プロング５２２から任意の家庭用電流を受け取り、ＬＥＤ５３６に電力を供給するための電子回路を含み得る。あるいは、回路基板５３４は、ベース部分５１２内に取り付けられた電池（図示せず）から電力を受け取るように構成されていてもよい。電気コンセントと電池が、捕虫装置５１０に電力を供給するものとして記載されたが、任意の好適な電源を使用することができる。回路基板５３４は、ＬＥＤ５３６に一定電圧を供給する、全波整流回路又はその他の回路を含み得るが、一部の種類の虫（蚊を含む）を誘引し得るような変化を真似た点滅光が提供されるように、ＬＥＤ５３６に変動電圧を供給することもできる。例えば、およそ０．０５Ｈｚ（例えば、哺乳動物の呼吸数を真似たもの）〜２７０Ｈｚ（例えば、オスのイエバエを誘引することが知られている点滅の最高頻度）の範囲の点滅頻度が望ましいことがあり、発光素子は、この範囲内で点滅するように構成されてよい。回路基板５３４は、ＵＶ光及び／又は可視光及び／又はＩＲ光を提供するために、ＬＥＤ５３６に電力を供給してもよいが、ＵＶ光及び／又は可視光及び／又はＩＲ光の点滅の組み合わせを生み出すために、ＵＶ  ＬＥＤ５３６のみ又は可視光ＬＥＤ５３６のみに電力を供給するか、あるいは変動電力を供給するように構成してもよい。いくつかの実施形態において、回路基板５３４はまた、圧電スピーカなどの発信機又はトランシーバー、又はその他の装置を駆動させるように構成することができ、これらはベース部分５１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の���拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置５１０から約２メートル以内の距離にいる虫に感知可能であることが望ましい。そのような虫誘引性の音は、捕虫装置５１０から約１メートルを超える距離にいる人間に感知できないものであることが望ましい。また、回路基板５３４は、ノミ及び蚊などの一部の虫類を誘引するために、１つ若しくは２つ以上の抵抗器、又は１つ若しくは２つ以上の抵抗発熱体（図示せず）などの１つ又は２つ以上の電気的発熱体５４２、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分５１２を通して捕虫部分５１４へと伝達させ得る、電気素子の組み合わせを含んでもよい。あるいは、ＬＥＤ５３６のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ５３６を、熱と光の両方を発生させる１つ又は２つ以上の白熱電球で置き換えてもよいし、又は強化してもよい。哺乳類の肌の温度及び体温に似せるために、一般に、発生させる熱により、捕虫部分５１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【００７８】
捕虫装置５１０をコンセントから外した際に、捕虫装置５１０を床、机、テーブル、又は棚の上に直立させて静置できるように、ベース部分５１２の底面５４０は、実質的に平坦であるか又は凹状になっていてもよい。あるいは、ベース部分５１２の底面５４０は、捕虫装置５１０をコンセントから外した際に、捕虫装置５１０を直立させて静置可能とする、２つ以上の突出部（図示せず）又は脚部を有していてもよい。
【００７９】
捕虫装置５１０の操作においては、導電性プロング５２２を壁面電気コンセントに差し込む。ＬＥＤ５３６は、光（矢印で示す）（好ましくはＵＶ及び可視光）を放射し、これが捕虫部分５１４のハウジング５２４の背面５３８を透過する。いくつかの実施形態において、光はベース部分５１２において操作されず、捕虫部分５１４内へ直接発せられる。光の一部は、引き続きエンクロージャ内にて、ハウジング５２４の１つ又は２つ以上の側面５７２を上っていき、内面５３０を通って外に出る。光の別の一部は、引き続きハウジング５２４の壁を通ってエンクロージャに入り、内面５３０を照らす。エンクロージャに入る光の一部は、続いて、捕虫部分５１４の開口部５２６及びベース部分の対応する前側開口部５２０を通っていき、捕虫装置５１０が設置されている領域へと放射される。この領域にいる虫は、捕虫部分５１４の開口部５２６及びベース部分５１２の前側開口部５２０を通って伝わってくる光に誘引され、前側開口部５２０から捕虫部分５１４の内面５３０上へと飛んでいくか、又は這っていき、ここで虫は粘着剤に貼り付いて捕獲される。ユーザーは、前側開口部５２０及び開口部５２６を通して見ることにより、捕獲された虫を確認できる。十分な数の虫が捕獲されると、ユーザーは、捕獲された虫、虫の破片又は粘着剤（これらは捕虫部分５１４内の届かないところに留まる）に触れることなく、使用済みの捕虫部分５１４全体を容易に取り外して捨て、新しい捕虫部分５１４に交換することができる。新しい捕虫部分５１４は、粘着剤コーティングされた新しい内面５３０を有し、ハウジング５２４は光が捕虫部分５１４内へと伝わる際の通路となる、汚れのない背面５３８を有する。捕虫部分５１４の透明又は半透明の材料は、ＬＥＤ５３６からのＵＶ光に長時間曝されることによる劣化を受けていないため、捕虫装置５１０での効率的かつ効果的な虫の誘引と捕獲が持続的に確保される。
【００８０】
いくつかの実施形態において、捕虫部分５１４はベース部分５１２の前ではなく上に取り付けられているため、一般的な家庭用壁面コンセントに差し込んだときに、壁面からの捕虫装置５１０の突出が最小限に抑えられ、これによって、家庭環境に対する邪魔を最小限に抑える。いくつかの実施形態において、捕虫装置５１０は、壁面に取り付けられたとき、捕虫装置５１０が壁面から突出する全距離によって定義される全体奥行きが、捕虫装置５１０の全体高さ及び全体幅よりも小さくなるように構成される。
【００８１】
捕虫装置５１０の利点は、捕虫部分５１４内の光の操作であることが理解されよう。いくつかの実施形態において、光の操作は捕虫部分５１４内でのみ行われる。光の操作には、反射、屈折、偏光、分散及び／又は散乱が含まれてよく、操作可能な素子又は表面（例えば、ハウジング５１６及び内面５３０）と係合することにより達成される。いくつかの実施形態において、光の操作により、粘着面又は粘着剤コーティング上に光の均等な分布が形成される。いくつかの実施形態において、光は、粘着剤コーティングの上又は捕虫部分５１４内に所定のパターンを生成するよう操作され、例えば、均一な分布、高強度のホットスポットを伴う均一な分布、ホットスポットパターン、及び／又はこれらの組み合わせを生成するよう操作される。
【００８２】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤が使用される。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【００８３】
いくつかの実施形態において、捕虫部分５１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分５１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分５１４はおよそ、幅２０ｍｍ〜１３０ｍｍ、高さ２０ｍｍ〜１３０ｍｍ、及び奥行き５ｍｍ〜５０ｍｍである。
【００８４】
いくつかの実施形態において、ベース部分５１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分５１２は、幅２０ｍｍ〜２００ｍｍ、高さ１０ｍｍ〜１００ｍｍ、及び奥行き１０ｍｍ〜８０ｍｍである。いくつかの実施形態において、ベース部分５１２は、幅２０ｍｍ〜１３０ｍｍ、高さ１０ｍｍ〜５０ｍｍ、及び奥行き１０ｍｍ〜５０ｍｍである。
【００８５】
本明細書で提供されるように、開口部５２６及び前側開口部５２０は様々な形状及び／又は寸法であり得る。例えば、開口部５２６及び前側開口部５２０の形状は、円形、正方形、長方形、多角形、及び／又は楕円形であり得る。あるいは、開口部５２６及び前側開口部５２０は、直線、曲線、又は波状の形状又はパターンを有するスロット形状であり得る。開口部５２６及び前側開口部５２０が円形の場合、開口部５２６及び前側開口部５２０の直径は約０．５ｍｍ〜３０ｍｍであり得る。いくつかの実施形態において、円形開口部５２６及び円形前側開口部５２０の直径は約０．５ｍｍ〜２０ｍｍである。いくつかの実施形態において、円形開口部５２６及び円形前側開口部５２０の直径は約０．５ｍｍ〜１５ｍｍである。開口部５２６及び前側開口部５２０がスロット形状の場合、開口部５２６及び前側開口部５２６はおよそ、幅２ｍｍ〜３０ｍｍ、長さ５ｍｍ〜５００ｍｍであり得る。いくつかの実施形態において、スロット形状開口部５２６及びスロット形状前側開口部５２０はおよそ、幅２ｍｍ〜２０ｍｍ、長さ５ｍｍ〜２００ｍｍである。いくつかの実施形態において、スロット形状開口部５２６及びスロット形状前側開口部５２０はおよそ、幅２ｍｍ〜１５ｍｍ、長さ５ｍｍ〜１００ｍｍである。
【００８６】
いくつかの実施形態において、開口部５２６はハウジング５１６の前面５６２の全部又は一部を占める。例えば、開口部５２６は、ハウジング５１６の前面５６２の表面積の約１％〜７５％の範囲を占めていてもよい。いくつかの実施形態において、開口部５２６は、ハウジング５１６の前面５６２の表面積の約５％〜５０％を占める。いくつかの実施形態において、開口部５２６は、ハウジング５１６の前面５６２の表面積の約１０％〜３０％を占める。
【００８７】
図１７は、捕虫装置の第６の実施形態の正面斜視図であり、この捕虫装置全体は６１０で示されている。捕虫装置６１０は、全体長さ、全体幅、及び全体奥行きを有していてよく、また、捕虫装置６１０が壁面に取り付けられたとき、捕虫装置６１０が壁面から突出する全距離によって定義される全体奥行きが、これら３つの全体寸法のうちで最小となるようになるように構成されてよい。捕虫装置６１０は、ベース部分６１２と取り外し可能な捕虫部分６１４と、を含む。捕虫部分６１４は、この図において、ベース部分６１２から取り外された状態で示されている。いくつかの実施形態において、ベース部分６１２は、スイッチ６１６を含み、スイッチ６１６は、ユーザーの所望に応じて、スイッチ６１６の開閉により捕虫装置６１０の電源を入れたり、切ったりすることができるように構成可能である。あるいは、スイッチ６１６は他の機能を制御するように構成されていてもよく、例えば光の強さ、光の波長の組み合わせ、光の点滅モード又は点滅頻度の違い、部屋が暗くなったときに電源が入る自動設定、あるいはリモートコントロール設定が挙げられる。いくつかの実施形態において、スイッチ６１６は手動で操作されてもよいが、スイッチ６１６は電気的、光学的、電子機械的、電子光学的、又はスイッチ６１６を開閉するための任意の他の方法により操作されてもよい。捕虫部分６１４は、前面６５２に少なくとも１つの開口部６２０を備えた前側ハウジング６１８を含む。開口部６２０は、広範な種類の虫を捕虫装置６１０に受け入れるように構成してもよいし、あるいは、１種類又は２種類以上の特定の種類の虫を受け入れるように構成してもよい。好ましくは、開口部６２０は、捕虫部分６１４を取り外して交換するときに、ユーザーの指が開口部６２０に入ってしまい捕獲された虫又は粘着剤に誤って触れることを防ぐように構成されていてもよい。開口部６２０は好ましくは、直径２５ｍｍの球が開口部６２０を通過できないような寸法及び形状を有し得、かつ、開口部６２０は好ましくは、直径１ｍｍの球が開口部６２０のいかなる部分も通過できるような寸法及び形状を有し得る。開口部６２０の幅、形状及び向きは、均一であってもよいし、又は、変化していてもよく、また、捕虫部分６１４が複数の開口部６２０を有する場合は、それらの幅、形状及び向きは、同一あってもよいし、又は、異なっていてもよい。開口部６２０は、１種類又は２種類以上の個々の種類の虫又は様々な種類の虫を誘引するように構成することができる。ベース部分６１２の背面６７０（図１８に図示）から突出しているのは、複数の導電性プロング６２２（１つのみ図示）であり、導電性プロング６２２を標準の家庭用壁面電気コンセントに差し込むことにより、捕虫装置６１０を壁面に取り付けて捕虫装置６１０に電力を供給するよう適合されている。あるいは、導電性プロング６２２は、導電性プロング６２２が水平方向コンセントに差し込まれる場合に、捕虫装置６１０が直立したままとなり得るように、スイベル式に回転するように適合されていてもよい。あるいは、ベース部分６１２は、所望の任意の場所に静置又は吊り下げて、ベース部分６１２内に取り付けられた電池（図示せず）から電力を受け取るように構成されてもよい。電気コンセントと電池が、捕虫装置６１０に電力を供給するものとして記載されたが、任意の好適な電源を使用することができる。ベース部分６１２は、１つ又は２つ以上のＬＥＤ６２４などの発光素子と、後側ハウジング６２６とを含み、後側ハウジング６２６は反射性コーティングされた内面６２８を含む。いくつかの実施形態において、ＬＥＤ６２４は、紫外（ＵＶ）光を発するＬＥＤ、及び可視光を発するＬＥＤを含む。いくつかの実施形態において、ＬＥＤ６２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ６２４は、蚊及びノミなどの特定の種類の虫をよりよく誘引するために、赤外（ＩＲ）光を発するＬＥＤを少なくとも１つ含む。いくつかの実施形態において、後側ハウジング６２６の材料及び表面仕上げは、反射性コーティングなしに、ＵＶ光及び／又は可視光及び／又はＩＲ光を反射及び分散させるように構成され得る。図示されているように、ベース部分６１２は、透明又は半透明のウィンドウ６３０（ＬＥＤ６２４が見えるように部分的に切り取った状態で示す）を含む。ウィンドウ６３０により、後側ハウジング６２６の内面６２８、及びＬＥＤ６２４が埃と虫の破片から保護され、ベース部分６１２のクリーニングが容易になる。また、ウィンドウ６３０は、飛翔昆虫（広範な種類の飛翔昆虫が、偏光を感知することが知られている）を更に誘引するため、ディバイダを透過する光を、日光と同様の配向に偏光するように構成されてもよい。ウィンドウ６３０は、接着剤又は超音波溶接などの任意の好適な製造法により、その外周（図示せず）が後側ハウジング６２６に取り付けられていてよい。いくつかの実施形態において、ウィンドウ６３０は後側ハウジング６２６に取り外し可能に取り付けられる。ベース部分６１２は、少なくとも１つの開口部６３２を含む。いくつかの実施形態において、ベース部分６１２の上面６３４の外周６７２には、上向きの縁又は突出部６３６がある。
【００８８】
図１８は、捕虫装置６１０の断面図である。捕虫部分６１４は、開口部６２０を備えた前側ハウジング６１８と、背板６３８とを含み、これは透明又は半透明の材料で構築されていてよく、かつ前面６４２が透明又は半透明の粘着剤６４０でコーティングされていてよい。いくつかの実施形態において、背板６３８の材料及び厚さと粘着剤６４０の材料及び厚さは、ＵＶ光及び／又は可視光及び／又はＩＲ光のかなりの割合を透過させるよう選択され、例えば、光の６０％超が背板６３８と粘着剤６４０を透過するよう選択される。いくつかの実施形態において、捕虫部分６１４の前側ハウジング６１８とベース部分６１２の後側ハウジング６２６は、不透明のプラスチックシートから熱成形されるが、紙、板紙、厚紙又は紙パルプなどの他の不透明、透明又は半透明の材料も使用することができる。いくつかの実施形態において、前側ハウジング６１８及び後側ハウジング６２６は、射出成形又はその他の好適な製造法により構築される。また、背板６３８は、飛翔昆虫（広範な種類の飛翔昆虫が、偏光を感知することが知られている）を更に誘引するため、背板６３８を透過する光を、日光と同様の配向に偏光するように構成されてもよい。背板６３８は背面（図示せず）を有し得、実質的に平らであってよいが、均一に配光するために最適化されるよう、凸状、凹状、又はサドル形状、又は形状の組み合わせに形成されてもよい。あるいは、背板６３８は、畝又はその他の形状を有していてもよく、これにより、粘着剤コーティングされた表面の面積を増加させ、一部の種類の虫にとって誘引性となる交互の明暗領域を形成し、捕虫部分６１４への虫誘引性の光の伝達を向上させる。いくつかの実施形態において、前側ハウジング６１８は、内面が透明、半透明又は不透明の粘着剤でコーティングされ、これにより更なる捕虫効果及び能力が提供される。加えて、前側ハウジング６１８は更に内面の粘着剤コーティングの下に反射性コーティング（図示せず）を有し、これにより、虫の誘引効果を強化し、捕虫効果及び効率を更に向上させてもよい。前側ハウジング６１８及び背板６３８は、それらが係合する箇所において、接着剤で互いに接合されていてよいが、これらは、超音波溶接、若しくはＲＦ密封などの他の一般的に使用されているパッケージング組立法、又は任意の他の好適な組立方法により、互いに接合されていてもよい。捕虫部分６１４の材料は更に、１種類又は２種類以上の虫誘引剤を含み得る。例えば、捕虫部分６１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置６１０の虫誘引効率を向上させるにおいをもたらす物質を、含浸させることができる。そのような実施形態において、虫誘引剤は、捕虫部分６１０に一体化している。あるいは、虫誘引剤は、前側ハウジング６１８の内面若しくは外面上に、又は前側ハウジング６１８の開口部６２０を通して、又は背板６３８の前面６４２上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置６１０から半径約２メートルにいる虫に感知可能であることが望ましい。
【００８９】
図示されているように、前側ハウジング６１８と背板６３８とが、捕虫部分６１４の前側エンクロージャ６４４を形成し、後側ハウジング６２６とウィンドウ６３０とが、ベース部分６１２の後側エンクロージャ６４６を形成する。いくつかの実施形態において、ベース部分６１２は、コマンドを実行するためのプログラム可能プロセッサ又はチップ（図示せず）を有する回路基板６４８を含み、これは導電性プロング６２２、スイッチ６１６、及びＬＥＤ６２４（１つのみ図示）に電気的に接続されている。ただし、見やすくするため、電気的接続は一部しか示されていない。回路基板６４８は、導電性プロング６２２（１つのみ図示）から通常の家庭用電流を受け取り、スイッチ６１６の位置に対して応答し、ＬＥＤ６２４を点灯させる電力を供給するための電子回路を含み得る。回路基板６４８は、ＬＥＤ６２４に一定電圧を供給する、全波整流回路又はその他の回路を含み得るが、一部の種類の虫（蚊を含む）を誘引し得るような変化を真似た点滅光が提供されるように、ＬＥＤ６２４に変動電圧を供給することもできる。例えば、およそ０．０５Ｈｚ（例えば、哺乳動物の呼吸数を真似たもの）〜２７０Ｈｚ（例えば、オスのイエバエを誘引する点滅の最高頻度）の範囲の点滅頻度が望ましいことがあり、発光素子は、この範囲内で点滅するように構成されてよい。回路基板６４８は、ＵＶ光及び可視光の両方を提供するために、ＬＥＤ６２４に電力を供給してもよいが、ＵＶ光及び／又は可視光及び／又はＩＲ光の点滅の組み合わせを生み出すために、ＵＶ  ＬＥＤ６２４のみ又は可視光ＬＥＤ６２４のみ又はＩＲ光ＬＥＤ６２４のみに電力を供給するか、あるいは変動電力を供給するように構成してもよい。いくつかの実施形態において、回路基板６４８はまた、圧電スピーカなどの発信機又はトランシーバー、又はその他の装置を駆動させるように構成することができ、これらはベース部分６１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置６１０から約２メートル以内の距離にいる虫に感知可能であることが望ましい。そのような虫誘引性の音は、捕虫装置６１０から約１メートルを超える距離にいる人間に感知できないものであることが望ましい。
【００９０】
また、回路基板６４８は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分６１２を通して捕虫部分６１４へと伝達させ得る、電気素子の組み合わせを含んでもよい。あるいは、ＬＥＤ６２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ６２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分６１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【００９１】
図示されているように、ベース部分６１２の上面６３４の縁又は突出部６３６が、捕虫部分６１４と係合して、使用中に捕虫部分６１４を定位置に固定する。しかしながら、捕虫部分６１４をベース部分６１２にしっかりと、かつ取り外し可能に取り付けることができるような、任意の他の取り付け形態に置き換えてもよい。捕虫装置６１０をコンセントから外した際に、捕虫装置６１０を床、机、テーブル、又は棚の上に直立させて静置できるように、ベース部分６１２の底面６５４は、実質的に平坦であるか又は凹状になっていてもよい。あるいは、ベース部分６１２の底面６５４は、捕虫装置６１０をコンセントから外した際に、捕虫装置６１０を直立させて静置可能とする、２つ以上の突出部（図示せず）又は脚部を有していてもよい。
【００９２】
捕虫装置６１０の操作においては、導電性プロング６２２を壁面電気コンセントに差し込み、スイッチ６１６を閉位置に動かす。ＬＥＤ６２４は、光（矢印で示す）（好ましくはＵＶ及び可視光）を発し、この光は、ベース部分６１２の開口部６３２を通り、後側エンクロージャ６４６に入り、後側ハウジング６２６の内面６２８上に、かつウィンドウ６３０の背面６５０上に、伝わっていく。いくつかの実施形態において、光はベース部分６１２において操作されず、捕虫部分６１４内へ直接発せられる。後側ハウジング６２６の内面６２８は凹形状を含んでいてもよく、ＬＥＤ６２４からの光を反射及び分散させて、ウィンドウ６３０の背面６５０上に均一に配光するように構成されていてもよいが、後側ハウジング６２６の内面６２８は凸状又はサドル形状又は形状の組み合わせを有していてよく、あるいは、より均一に配光するように、畝又はその他の形状を有していてもよい。あるいは、ウィンドウ６３０の背面６５０上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、ベース部分６１２の開口部６３２において、若しくはその付近において、ベース部分６１２に取り付けてよく、また、この光学的エンハンサにより、後側ハウジング６２６の内面６２８の役割を置き換えるか、又は増強してもよい。あるいは、ＬＥＤ６２４からの光は、ウィンドウ６３０の背面６５０に斜めの角度（例えば、約０°〜９０°の鋭角）で直接当たってよく、ベース部分６１２のウィンドウ６３０全体にわたって広がり、かつそれを通って捕虫部分６１４の背板６３８上へと広がり、後側ハウジング６２６の内面６２８の役割、又はベース部分６１２に取り付けられた１つ若しくは複数のレンズの役割を、置き換えるか、又は強化してもよい。光は、背板６３８及び前面６４２上の粘着剤６４０を透過し、前側エンクロージャ６４４に入る。光は、ベース部分６１２のウィンドウ６３０、捕虫部分６１４の背板６３８、背板６３８の前面６４２の粘着剤６４０、又はウィンドウ６３０、背板６３８及び粘着剤６４０の任意の組み合わせの光散乱特性により、更に均一に配光され得る。前側エンクロージャ６４４に入る光の一部は、続いて、前側ハウジング６１８の開口部６２０を通って、捕虫装置６１０が設置されている領域に放たれる。虫は、粘着剤６４０と前側ハウジング６１８の開口部６２０とを通って伝わってくる光に誘引され、開口部６２０を通って粘着剤６４０上へと飛んでいくか、又は這っていき、そこで捕獲される。ユーザーは、前側ハウジング６１８の開口部６２０を通して見ることにより、捕獲された虫を確認できる。十分な数の虫が捕獲されると、ユーザーは、捕獲された虫、虫の破片又は粘着剤（これらは捕虫部分６１４内の届かないところに留まる）に触れることなく、使用済みの捕虫部分６１４全体を容易に取り外して捨て、新しい捕虫部分６１４に交換することができる。新しい捕虫部分６１４は、粘着剤コーティングされた新しい表面を有しており、捕虫装置６１０での効率的かつ効果的な虫の誘引と捕獲が持続的に確保される。
【００９３】
いくつかの実施形態において、捕虫部分６１４はベース部分６１２の前ではなく上に取り付けられているため、一般的な家庭用壁面コンセントに差し込んだときに、壁面からの捕虫装置６１０の突出が最小限に抑えられ、これによって、家庭環境に対する邪魔を最小限に抑える。いくつかの実施形態において、捕虫装置６１０は、壁面に取り付けられたとき、捕虫装置６１０が壁面から突出する全距離によって定義される全体奥行きが、捕虫装置６１０の全体高さ及び全体幅よりも小さくなるように構成される。
【００９４】
捕虫装置６１０の利点は、捕虫部分６１４内の光の操作であることが理解されよう。いくつかの実施形態において、光の操作は捕虫部分６１４内でのみ行われる。光の操作には、反射、屈折、偏光、分散及び／又は散乱が含まれてよく、操作可能な素子又は表面（例えば、内面６２８、ウィンドウ６３０、背板６３８及び粘着剤６４０）と係合することにより達成される。いくつかの実施形態において、光の操作により、粘着剤６４０上に光の均等な分布が形成される。いくつかの実施形態において、光は、粘着剤６４０の上又は捕虫部分６１４内に所定のパターンを生成するよう操作され、例えば、均一な分布、高強度のホットスポットを伴う均一な分布、ホットスポットパターン、及び／又はこれらの組み合わせを生成するよう操作される。
【００９５】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【００９６】
この構成の捕虫装置６１０は、ベース部分６１２に取り外し可能に取り付けることができる様々な異なる捕虫部分６１４に対応することができ、それぞれの捕虫部分６１４は、特定の種類又は複数の種類の虫を誘引して捕獲するような固有の構成を有する。例えば、捕虫部分６１４の全体の寸法及び形状、並びに捕虫部分６１４の前側ハウジング６１８における開口部６２０の寸法、形状、位置及び向きは、特定の種類又は複数の種類の虫を誘引して捕獲するような固有の構成を有していてよい。例えば、いくつかの実施形態において、捕虫部分６１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分６１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分６１４はおよそ、幅２０ｍｍ〜１３０ｍｍ、高さ２０ｍｍ〜１３０ｍｍ、及び奥行き５ｍｍ〜５０ｍｍである。
【００９７】
いくつかの実施形態において、ベース部分６１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分６１２は、幅２０ｍｍ〜２００ｍｍ、高さ１０ｍｍ〜１００ｍｍ、及び奥行き１０ｍｍ〜８０ｍｍである。いくつかの実施形態において、ベース部分６１２は、幅２０ｍｍ〜１３０ｍｍ、高さ１０ｍｍ〜５０ｍｍ、及び奥行き１０ｍｍ〜５０ｍｍである。
【００９８】
本明細書で提供されるように、開口部６２０は様々な形状及び／又は寸法であり得る。例えば、開口部６２０の形状は、円形、正方形、長方形、多角形、及び／又は楕円形であり得る。あるいは、開口部６２０は、直線、曲線、又は波状の形状又はパターンを有するスロットであり得る。開口部６２０が円形の場合、開口部６２０の直径は約０．５ｍｍ〜３０ｍｍであり得る。いくつかの実施形態において、円形開口部６２０の直径は約０．５ｍｍ〜２０ｍｍである。いくつかの実施形態において、円形開口部６２０の直径は約０．５ｍｍ〜１５ｍｍである。開口部６２０がスロット形状の場合、開口部６２０はおよそ、幅２ｍｍ〜３０ｍｍ、長さ５ｍｍ〜５００ｍｍであり得る。いくつかの実施形態において、スロット形状開口部６２０はおよそ、幅２ｍｍ〜２０ｍｍ、長さ５ｍｍ〜２００ｍｍである。いくつかの実施形態において、スロット形状開口部６２０はおよそ、幅２ｍｍ〜１５ｍｍ、長さ５ｍｍ〜１００ｍｍである。
【００９９】
いくつかの実施形態において、開口部６２０は前側ハウジング６１８の全部又は一部を占める。例えば、開口部６２０は、前側ハウジング６１８の表面積の約１％〜７５％の範囲を占めていてもよい。いくつかの実施形態において、開口部６２０は、前側ハウジング６１８の表面積の約５％〜５０％を占める。いくつかの実施形態において、開口部６２０は、前側ハウジング６１８の表面積の約１０％〜３０％を占める。
【０１００】
熱は、蚊などの様々な飛翔昆虫類を誘引することができる。したがって、捕虫装置の捕虫用粘着剤を加熱して、粘着剤自体を虫誘引性のものとすることが有益となり得る。粘着剤を均一な温度に加熱すると同時に、粘着剤を通過させて虫誘引性の光を最大限投射して、誘引性の熱と光の両方を用いることが、捕虫装置にとって特に有益となり得る。６１０の捕虫装置は、粘着剤を通過させて投影される虫誘引性の光を大きく妨げることなく、粘着剤を均一に加熱するように適合され得る。図１９は、捕虫装置の第６の実施形態の一例の正面斜視図であり、この捕虫装置全体は６１０Ａで示されている。捕虫装置６１０Ａは、ベース部分６１２Ａと、取り外し可能な捕虫部分６１４Ａとを含む。捕虫部分６１４Ａは、この図において、ベース部分６１２Ａから取り外された状態で示されている。捕虫部分６１４Ａは、捕虫装置６１０の捕虫部分６１４と同一の構成であってもよい。ベース部分６１２Ａは、捕虫装置６１０のベース部分６１２と同様の構成であってもよく、導電性プロング６２２Ａ（１つのみ図示）、１つ又は２つ以上のＬＥＤ６２４Ａなどの発光素子、ウィンドウ６３０Ａ、及び開口部６３２Ａを含んでいてよい。また、捕虫装置６１０Ａのベース部分６１２Ａは、ウィンドウ６３０Ａの背面（図示せず）上に取り付けられた、１本又は２本以上の電熱線６５６Ａなどの発熱体も含んでいる。電熱線６５６Ａは、電力に応じて熱が均一に分散されるよう、均一パターンに構成されていてよい。
【０１０１】
図２０、図２１、及び図２２は、ウィンドウ６３０Ａの背面図、及び電熱線６５６Ａの様々な構成である。これらの図では、ウィンドウ６３０Ａの輪郭は破線で示されている。図２０は、ウィンドウ６３０Ａの輪郭に沿い、複数のバス６５８Ａに並列に接続される、電熱線６５６Ａの均一な同心状パターンを示し、これら複数のバス６５８Ａは、対応する複数の接続線６６０Ａに電気的に接続されている。いくつかの実施形態において、接続線６６０Ａは、はんだにより、バス６５８Ａに電気的に接続される。図２１は、バス６５８Ａに並列接続される垂直方向の電熱線６５６Ａの均一なパターンを示し、バス６５８Ａは、接続線６６０Ａに電気的に接続されている。あるいは、電熱線６５６Ａは、ウィンドウ６３０Ａにわたって水平に、又は斜めの角度で配向されてもよい。図２２は、ウィンドウ６３０Ａの輪郭に沿った、単一の電熱線６５６Ａからなる均一な迷路パターンを示す。この図では、電熱線６５６Ａは、一本のみであるため、バスは必要ではなく（この図では図示せず）、電熱線６５６Ａは、接続線６６０Ａに直接電気的に接続されている。いくつかの実施形態において、電熱線６５６Ａは、いくつかの領域の温度を上下させるように、また、ウィンドウ６３０Ａにわたる温度的均一性を向上させるように、不均一なパターンに構成されてもよい。いくつかの実施形態において、電熱線６５６Ａは、均一に間隔を開けたパターンで、ウィンドウ６３０Ａの背面に接着されるか、又はその他の方法で固定され、電流に応答した熱を生み出すように構成された抵抗線からなっていてもよい。いくつかの実施形態において、電熱線６５６Ａは、ウィンドウ６３０Ａの背面に直接塗布された導電性ポリマー又は他の導電性材料からなっていてもよい。いくつかの実施形態において、電熱線６５６Ａは、自己補正性導電性ポリマー又は他の自己補正性導電性材料からなっていてもよく、これらの材料は、より高い温度にて内部抵抗が増加し、より高温の領域からより低温の領域に電力を移動させることにより、電熱線６５６Ａ及びウィンドウ６３０Ａにわたる温度的均一性を向上させる。一部の実施形態では、バス６５８Ａは、銅などの高導電性金属からなっていてもよい。いくつかの実施形態において、電熱線６５６Ａ及びバス６５８Ａは共に導電性ポリマーからなっていてもよい。いくつかの実施形態において、電熱線６５６Ａは、透明又は半透明な材料からなっていてもよい。いくつかの実施形態において、電熱線６５６Ａは、ウィンドウ６３０Ａの背面の両側において電気的に接続され、電流に応じた熱を生み出す、ウィンドウ６３０Ａの背面上にある金属酸化物（図示せず）の薄い透明層で置き換えられる。哺乳類の肌の温度及び体温に似せるために、一般に、発生させる熱により、粘着剤の少なくとも一部分の温度をおよそ３０℃〜４５℃、好ましくはおよそ３３℃〜４２℃に上昇させて維持してもよい。
【０１０２】
図２３は、捕虫装置６１０Ａの断面図であり、図２４は図２３の一部の拡大図である。捕虫部分６１４Ａは、前面６４２Ａ上に虫誘引性の粘着剤６４０Ａのコーティングを有する背板６３８Ａを含む。ベース部分６１２Ａは、内面６２８Ａを備える後側ハウジング６２６Ａを含む。後側ハウジング６２６Ａ及びウィンドウ６３０Ａは、後側エンクロージャ６４６Ａを形成する。また、ベース部分６１２Ａは、導電性プロング６２２Ａ（一つのみ図示）、ＬＥＤ６２４Ａ（１つのみ図示）、及び接続線６６０Ａ（１つのみ図示）に電気的に接続された回路基板６４８Ａを含む。見やすくするため、電気的接続は一部しか示されていない。回路基板６４８Ａは、導電性プロング６２２Ａから通常の家庭用電流を受け取り、ＬＥＤ６２４Ａを点灯させる電力を供給し、接続線６６０Ａに電力を供給するように構成される。接続線６６０Ａは、バス６５８Ａ（この図では図示せず）に電力を供給し、バス６５８Ａは、熱を発生させてウィンドウ６３０Ａを温める電熱線６５６Ａに電力を供給し、ウィンドウ６３０Ａは、背板６３８Ａを温め、これにより、粘着剤６４０Ａが均一な温度に温められる。いくつかの実施形態において、回路基板は、接続線６６０Ａを通る電流を監視して、電熱線６５６Ａにかかる電圧を増減させて、電熱線６５６Ａの抵抗値における、温度に関連した変化に応答することにより、粘着剤６４０Ａを安定して、均一な温度に温めるように構成される。ＬＥＤ６２４Ａからの光は、ベース６１２Ａにおける開口部６３２Ａを通り、後側エンクロージャ６４６Ａへと伝わる。ＬＥＤ６２４Ａからの光の一部は、ウィンドウ６３０Ａを直接照らし、光の一部分は、後側ハウジング６２６Ａの内面６２８Ａで反射して、ウィンドウ６３０Ａを照らす。光は、ウィンドウ６３０Ａ、背板６３８Ａ、及び粘着剤６４０Ａを通って伝わる。電熱線６５６Ａは、十分に細く、粘着剤６４０Ａを通って伝わる光をほとんど妨害しない。したがって、捕虫装置６１０Ａは、粘着剤６４０Ａを通して投射される、虫誘引性の光を大きく妨げることなく、粘着剤６４０Ａを均一な温度に温め得る。いくつかの実施形態において、熱のみを誘引物として用い、捕虫装置６１０Ａにおいて、光源を用いない。
【０１０３】
図２５は、捕虫装置の第７の実施形態の断面図であり、この捕虫装置全体は７１０で示されている。図２６は図２５の一部の拡大図である。捕虫装置７１０は、ベース部分７１２と取り外し可能な捕虫部分７１４と、を含む。捕虫装置７１０は、全体長さ、全体幅、及び全体奥行きを有していてよく、また、捕虫装置７１０が壁面に取り付けられたとき、捕虫装置７１０が壁面から突出する全距離によって定義される全体奥行きが、これら３つの全体寸法のうちで最小となるようになるように構成されてよい。図示されているように、ベース部分７１２は、スイッチ７１６を含み、スイッチ７１６は、ユーザーの所望に応じて、スイッチ７１６の開閉により捕虫装置７１０の電源を入れたり、切ったりすることができるように構成可能である。あるいは、スイッチ７１６は他の機能を制御するように構成されていてもよく、例えば光の強さ、光の波長の組み合わせ、光の点滅モード又は点滅頻度の違い、部屋が暗くなったときに電源が入る自動設定、あるいはリモートコントロール設定が挙げられる。スイッチ７１６は手動で操作されてもよいが、スイッチ７１６は電気的、光学的、電子機械的、電子光学的、又はスイッチ７１６を開閉するための任意の他の方法により操作されてもよい。ベース部分７１２の背面７７０から突出しているのは、複数の導電性プロング７１８（この図では１つのみ図示）であり、導電性プロング７１８を標準の家庭用壁面電気コンセントに差し込むことにより、捕虫装置７１０を壁面に取り付けて捕虫装置７１０に電力を供給するよう適合されている。あるいは、導電性プロング７１８は、導電性プロング７１８が水平方向を向いた壁面電気コンセントに差し込まれる場合に、捕虫装置７１０が直立したままとなり得るように、スイベル式に回転するように適合されていてもよい。あるいは、ベース部分７１２は、所望の任意の場所に静置又は吊り下げて、ベース部分７１２内に取り付けられた電池（図示せず）から電力を受け取るように構成されてもよい。電気コンセントと電池が、捕虫装置７１０に電力を供給するものとして記載されたが、任意の好適な電源を使用することができる。いくつかの実施形態において、スロット７２２が、ベース部分７１２の上面７２０に位置し、上向きの縁又は突出部７２４が、上面７２０の外周に位置する。
【０１０４】
捕虫部分７１４は、前面７５４に少なくとも１つの開口部７２８を備えた前側ハウジング７２６と、ディバイダ７３０と、後側ハウジング７３６と、１つ又は２つ以上のＬＥＤ７４０（１つのみ図示）などの発光素子と、捕虫部電気接点７４２とを含む。前側ハウジング７２６の開口部７２８は、広範な種類の虫を捕虫装置７１０に受け入れるように構成してもよいし、あるいは、１種類又は２種類以上の特定の種類の虫を受け入れるように構成してもよい。好ましくは、開口部７２８は、捕虫部分７１４を取り外して交換するときに、ユーザーの指が開口部７２８に入ってしまい捕獲された虫又は粘着剤に誤って触れることを防ぐように構成されていてもよい。開口部７２８は好ましくは、直径２５ｍｍの球が開口部７２８を通過できないような寸法及び形状を有し得る。開口部７２８は好ましくは、直径１ｍｍの球が開口部７２８のいかなる部分も通過できるような寸法及び形状を有し得る。開口部７２８の幅、形状及び向きは、均一であってもよいし、又は、変化していてもよく、また、捕虫部分７１４が複数の開口部７２８を有する場合は、それらの幅、形状及び向きは、同一あってもよいし、又は、異なっていてもよい。開口部７２８は、１種類又は２種類以上の個々の種類の虫又は様々な種類の虫を誘引するように構成することができる。いくつかの実施形態において、ディバイダ７３０は、透明又は半透明の材料から構築され、また、前面７３４が透明又は半透明の粘着剤７３２でコーティングされている。いくつかの実施形態において、ディバイダ７３０の材料及び厚さと粘着剤７３２の材料及び厚さは、光のかなりの割合を透過させるよう選択され、例えば、光の６０％超がディバイダ７３０と粘着剤７３２を透過するよう選択される。また、ディバイダ７３０は、飛翔昆虫（広範な種類の飛翔昆虫が、偏光を感知することが知られている）を更に誘引するため、ディバイダ７３０を透過する光を、日光と同様の配向に偏光するように構成されてもよい。いくつかの実施形態において、ＬＥＤ７４０は、紫外（ＵＶ）光を発するＬＥＤ、及び可視光を発するＬＥＤを含む。いくつかの実施形態において、ＬＥＤ７４０は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ７４０は、蚊及びノミなどの特定の種類の虫をよりよく誘引するために、赤外（ＩＲ）光を発するＬＥＤを少なくとも１つ含む。図示されているように、ＬＥＤ７４０それぞれに、２つの捕虫部接点７４２がある。よって、捕虫部接点７４２は、それぞれのＬＥＤ７４０に電気的に接続される。それぞれのＬＥＤ７４０に対して２つずつ捕虫部接点７４２が示されているが、任意の好適な数の接点を使用することができる。
【０１０５】
いくつかの実施形態において、後側ハウジング７３６は、反射性コーティングされた内面７３８を含む。あるいは、後側ハウジング７３６の材料及び表面仕上げは、反射性コーティングなしに、ＵＶ光及び／又は可視光及び／又はＩＲ光を反射及び分散させるように構成され得る。いくつかの実施形態において、前側ハウジング７２６と後側ハウジング７３６は、不透明のプラスチックシートから熱成形されるが、紙、板紙、厚紙又は紙パルプなどの他の不透明、透明又は半透明の材料も使用することができる。いくつかの実施形態において、前側ハウジング７２６及び後側ハウジング７３６は、射出成形又はその他の好適な製造法により構築される。
【０１０６】
図示されているように、ディバイダ７３０は実質的に平らであってよく、また、ＬＥＤ７４０により生成される光の主方向に対して平行に、又は傾いて構成されてもよいが、ディバイダ７３０は、均一に配光するために最適化されるよう、凸状、凹状、又はサドル形状、又は形状の組み合わせに形成されてもよい。あるいは、ディバイダ７３０は、畝又はその他の形状を含み得、これにより、粘着剤コーティングされた表面の面積を増加させ、一部の種類の虫にとって誘引性となる交互の明暗領域を形成し、捕虫部分７１４の内側への虫誘引性の光の伝達を向上させる。いくつかの実施形態において、前側ハウジング７２６は、内面が透明、半透明又は不透明の粘着剤でコーティングされ、これにより更なる捕虫効果及び能力が提供される。加えて、前側ハウジング７２６は、内面の粘着剤コーティングの下に反射性コーティングを含んでよく、これにより、虫の誘引効果を強化し、捕虫効果及び効率を更に向上させてもよい。前側ハウジング７２６、ディバイダ７３０、及び後側ハウジング７３６は、それらが交差又は係合する箇所において、接着剤で互いに接合されていてよいが、これらは、超音波溶接、若しくはＲＦ密封などの他の一般的に使用されているパッケージング組立法、又は任意の他の好適な組立方法により、互いに接合されていてもよい。捕虫部分７１４の材料は更に、１種類又は２種類以上の虫誘引剤を含み得る。例えば、捕虫部分７１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置７１０の虫誘引効率を向上させるにおいをもたらす物質を、含浸させることができる。そのような実施形態において、虫誘引剤は、捕虫部分７１４に一体化している。あるいは、虫誘引剤は、前側ハウジング７２６の内面上に、又は前側ハウジング７２６の開口部７２８を通して、又は前側ハウジング７２６の前面７５４上に、又はディバイダ７３０の前面７３４上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置７１０から半径約２メートルにいる虫に感知可能であることが望ましい。図示されているように、ディバイダ７３０は背面７５２を有し、捕虫部分７１４を前側エンクロージャ７４４と後側エンクロージャ７４６とに分割している。
【０１０７】
いくつかの実施形態において、ベース部分７１２は、ベース部電気接点７５０と、コマンドを実行するためのプログラム可能プロセッサ又はチップ（図示せず）を有する回路基板７４８と含み、これは導電性プロング７１８、スイッチ７１６、及びベース部接点７５０に電気的に接続されている。ただし、見やすくするため、電気的接続は一部しか示されていない。ベース部分７１２には、捕虫部分７１４のＬＥＤ７４０のそれぞれについて、２つのベース部接点７５０が図示されているが、任意の好適な数の接点を使用することができる。ベース部接点７５０は、捕虫部分７１４がベース部分７１２に取り外し可能に取り付けられているときに、捕虫部接点７４２との電気的接触を提供するように構成することができる。回路基板７４８は、捕虫部分７１４がベース部分７１２に取り付けられているとき、導電性プロング７１８から通常の家庭用電流を受け取り、スイッチ７１６の位置に対して応答し、ベース部接点７５０に電力を供給する電子回路を含み得、このベース部接点７５０は、捕虫部接点７４２に電力を供給し、捕虫部分７１４のＬＥＤ７４０を点灯させる。いくつかの実施形態において、回路基板７４８は、ＬＥＤ７４０に一定電圧を供給する、全波整流回路又はその他の回路などのエネルギー安定器を含むが、一部の種類の虫（蚊を含む）を誘引し得るような変化を真似た点滅光が提供されるように、ＬＥＤ７４０に変動電圧を供給することもできる。例えば、およそ０．０５Ｈｚ（例えば、哺乳動物の呼吸数を真似たもの）〜２７０Ｈｚ（例えば、オスのイエバエを誘引する点滅の最高頻度）の範囲の点滅頻度が望ましいことがあり、発光素子は、この範囲内で点滅するように構成されてよい。回路基板７４８は、ＵＶ光及び／又は可視光及び／又はＩＲ光を提供するために、ＬＥＤ７４０に電力を供給してもよいが、ＵＶ光及び／又は可視光及び／又はＩＲ光の点滅の組み合わせを生み出すために、ＵＶ  ＬＥＤ７４０のみ又は可視光ＬＥＤ７４０のみ又はＩＲ  ＬＥＤ７４０のみに電力を供給するか、あるいは変動電力を供給するように構成してもよい。いくつかの実施形態において、回路基板７４８はまた、圧電スピーカなどの発信機又はトランシーバー、又はその他の装置を駆動させるように構成することができ、これらはベース部分７１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態��おいて、この周波数は約３５Ｈｚ〜５０ｋＨｚの範囲である。そのような虫誘引性の音は、捕虫装置７１０から約２メートル以内の距離にいる虫に感知可能であることが望ましい。そのような虫誘引性の音は、捕虫装置７１０から約１メートルを超える距離にいる人間に感知できないものであることが望ましい。また、回路基板７４８は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分７１２を通して捕虫部分７１４へと伝達させ得る、電気素子の組み合わせを含んでもよい。あるいは、ＬＥＤ７４０のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ７４０を、熱と光の両方を発生させる１つ又は２つ以上の白熱電球で置き換えてもよいし、又は強化してもよい。哺乳類の肌の温度及び体温に似せるために、一般に、発生させる熱により、捕虫部分７１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０１０８】
ベース部分７１２の上面７２０のスロット７２２及び突出部７２４は、捕虫部分７１４と係合して、使用中に捕虫部分７１４を定位置に固定するように構成される。しかしながら、捕虫部分７１４をベース部分７１２にしっかりと、かつ取り外し可能に取り付けることができるような、任意の他の取り付け形態に置き換えてもよい。捕虫装置７１０をコンセントから外した際に、捕虫装置７１０を床、机、テーブル、又は棚の上に直立させて静置できるように、ベース部分７１２の底面７５６は、実質的に平坦であるか又は凹状になっていてもよい。あるいは、ベース部分７１２の底面７５６は、捕虫装置７１０をコンセントから外した際に、捕虫装置７１０を直立させて静置可能とする、２つ以上の突出部（図示せず）又は脚部を有していてもよい。
【０１０９】
捕虫装置７１０の操作においては、導電性プロング７１８を壁面電気コンセントに差し込み、スイッチ７１６を閉位置に動かし、捕虫部分７１４をベース部分７１２に取り付ける。ＬＥＤ７４０は、光（矢印で表わす）を発し、この光は、後側エンクロージャ７４６内に入り、後側ハウジング７３６の内面７３８上へ、また、ディバイダ７３０の背面７５２上へと伝わる。いくつかの実施形態において、光はベース部分７１２において操作されず、捕虫部分７１４内へ直接発せられる。後側ハウジング７３６の内面７３８は凹形状であってよく、ＬＥＤ７４０からの光を反射及び分散させて、ディバイダ７３０の背面７５２上に均一に配光するように構成されていてもよいが、後側ハウジング７３６の内面７３８の形状は、凸状又はサドル形状又は形状の組み合わせを有していてよく、あるいは、より均一に配光するように、畝（図示せず）又はその他の形状を有していてもよい。あるいは、ディバイダ７３０の背面７５２上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、ＬＥＤ７４０に近接させて、若しくはその上方において、後側ハウジング７３６に取り付けてもよいし、又は、ＬＥＤ７４０に取り付けてもよく、また、この光学的エンハンサにより、後側ハウジング７３６の内面７３８の役割を置き換えるか、又は増強してもよい。あるいは、ＬＥＤ７４０からの光は、ディバイダ７３０の背面７５２に斜めの角度（例えば、約０°〜９０°の鋭角）で直接当たってよく、ディバイダ７３０全体にわたって広がり得、後側ハウジング７３６の内面７３８の役割、又は後側ハウジング７３６若しくはＬＥＤ７４０に取り付けられた１つ若しくは複数のレンズの役割を置き換えるか、又は強化してもよい。光は、ディバイダ７３０及び前面７３４上の粘着剤７３２を透過し、前側エンクロージャ７４４に入り得る。この光は、ディバイダ７３０、前面７３４上の粘着剤７３２、又はこれら両方の光散乱特性により、更に均一に配光され得る。前側エンクロージャ７４４に入る光の一部は、続いて、前側ハウジング７２６の開口部７２８を通って、捕虫装置７１０が設置されている領域に放たれる。虫は、粘着剤７３２と前側ハウジング７２６の開口部７２８とを通って伝わってくる光に誘引され、開口部７２８から粘着剤７３２上へと飛んでいくか、又は這っていき、そこで捕獲される。ユーザーは、前側ハウジング７２６の開口部７２８を通して見ることにより、捕獲された虫を確認できる。十分な数の虫が捕獲されると、ユーザーは、捕獲された虫、虫の破片又は粘着剤（これらは捕虫部分７１４内の届かないところに留まる）に触れることなく、使用済みの捕虫部分７１４全体を容易に取り外して捨て、新しい捕虫部分７１４に交換することができる。新しい捕虫部分７１４は、粘着剤コーティングされた新しい表面と光指向面を有しており、捕虫装置７１０での効率的かつ効果的な虫の誘引と捕獲が持続的に確保される。
【０１１０】
いくつかの実施形態において、捕虫部分７１４はベース部分７１２の前ではなく上に取り付けられているため、一般的な家庭用壁面コンセントに差し込んだときに、壁面からの捕虫装置７１０の突出が最小限に抑えられ、これによって、家庭環境に対する邪魔を最小限に抑える。いくつかの実施形態において、捕虫装置７１０は、壁面に取り付けられたとき、捕虫装置７１０が壁面から突出する全距離によって定義される全体奥行きが、捕虫装置７１０の全体高さ及び全体幅よりも小さくなるように構成される。
【０１１１】
捕虫装置７１０の利点は、捕虫部分７１４内の光の操作であることが理解されよう。いくつかの実施形態において、光の操作は捕虫部分７１４内でのみ行われる。光の操作には、反射、屈折、偏光、分散及び／又は散乱が含まれてよく、操作可能な素子又は表面（例えば、内面７３８、ディバイダ７３０及び粘着剤７３２）と係合することにより達成される。いくつかの実施形態において、光の操作により、粘着面又は粘着剤コーティング上に光の均等な分布が形成される。いくつかの実施形態において、光は、粘着剤コーティングの上又は捕虫部分７１４内に所定のパターンを生成するよう操作され、例えば、均一な分布、高強度のホットスポットを伴う均一な分布、ホットスポットパターン、及び／又はこれらの組み合わせを生成するよう操作される。
【０１１２】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０１１３】
この構成の捕虫装置７１０は、ベース部分７１２に取り外し可能に取り付けることができる様々な異なる捕虫部分７１４に対応することができ、それぞれの捕虫部分７１４は、特定の種類又は複数の種類の虫を誘引して捕獲するような固有の構成を有する。例えば、捕虫部分７１４の全体の寸法及び形状、捕虫部分７１４の前側ハウジング７２６における開口部７２８の寸法、形状、位置及び向き、並びにＬＥＤ７４０の波長と光量は、特定の種類又は複数の種類の虫を誘引して捕獲するような固有の構成を有していてよい。例えば、いくつかの実施形態において、捕虫部分７１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分７１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分７１４はおよそ、幅２０ｍｍ〜１３０ｍｍ、高さ２０ｍｍ〜１３０ｍｍ、及び奥行き５ｍｍ〜５０ｍｍである。
【０１１４】
いくつかの実施形態において、ベース部分７１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分７１２は、幅２０ｍｍ〜２００ｍｍ、高さ１０ｍｍ〜１００ｍｍ、及び奥行き１０ｍｍ〜８０ｍｍである。いくつかの実施形態において、ベース部分７１２は、幅２０ｍｍ〜１３０ｍｍ、高さ１０ｍｍ〜５０ｍｍ、及び奥行き１０ｍｍ〜５０ｍｍである。
【０１１５】
本明細書で提供されるように、開口部７２８は様々な形状及び／又は寸法であり得る。例えば、開口部７２８の形状は、円形、正方形、長方形、多角形、及び／又は楕円形であり得る。あるいは、開口部７２８は、直線、曲線、又は波状の形状又はパターンを有するスロット形状であり得る。開口部７２８が円形の場合、開口部７２８の直径は約０．５ｍｍ〜３０ｍｍであり得る。いくつかの実施形態において、円形開口部７２８の直径は約０．５ｍｍ〜２０ｍｍである。いくつかの実施形態において、円形開口部７２８の直径は約０．５ｍｍ〜１５ｍｍである。開口部７２８がスロット形状の場合、開口部７２８はおよそ、幅２ｍｍ〜３０ｍｍ、長さ５ｍｍ〜５００ｍｍであり得る。いくつかの実施形態において、スロット形状開口部７２８はおよそ、幅２ｍｍ〜２０ｍｍ、長さ５ｍｍ〜２００ｍｍである。いくつかの実施形態において、スロット形状開口部７２８はおよそ、幅２ｍｍ〜１５ｍｍ、長さ５ｍｍ〜１００ｍｍである。
【０１１６】
いくつかの実施形態において、開口部７２８は前側ハウジング７２６の全部又は一部を占める。例えば、開口部７２８は、前側ハウジング７２６の表面積の約１％〜７５％の範囲を占めていてもよい。いくつかの実施形態において、開口部７２８は、前側ハウジング７２６の表面積の約５％〜５０％を占める。いくつかの実施形態において、開口部７２８は、前側ハウジング７２６の表面積の約１０％〜３０％を占める。
【０１１７】
図２７は、捕虫装置の第８の実施形態の正面斜視図であり、この捕虫装置全体は８１０で示されている。捕虫装置８１０は、捕虫部分８１４及びベース部分８１２を含む。捕虫部分８１４は、この図において、ベース部分８１２から取り外された状態で示されている。いくつかの実施形態において、捕虫部分８１４は、底面８５０から下向きに突出している係合可能部分８１８を含む。しかしながら、係合可能部分８１８は捕虫部分８１４から突出している必要はない。係合可能部分８１８は、捕虫部分８１４の面一になった底面の、非突出部分であってもよく、この非突出部分が、ベース部分８１２と少なくとも部分的に係合する。ベース部分８１２は、捕虫部分８１４がベース部分８１２に取り付けられたときに、係合可能部分８１８を受容するための対応する開口部８２４（図２９に図示）を有し得る。開口部８２４は好ましくは、ユーザーの指が開口部８２４を通り抜けることができないように構成され得る。開口部８２４は好ましくは、直径１０ｍｍの球が開口部８２４を通過できないように構成され得る。図示されているように、ベース部分８１２はスイッチ８１６を含む。
【０１１８】
図２８は、捕虫装置８１０の断面図であり、図２９は図２８の一部の拡大図である。ベース部分８１２は、回路基板８２２と、ドッキングスイッチ８２０と、１つ又は２つ以上のＬＥＤ８２６（１つのみ図示）とを含み得る。ドッキングスイッチ８２０は回路基板８２２に取り付けられた状態で示されているが、ドッキングスイッチ８２０は、ベース部分８１２に直接取り付けられていてもよい。いくつかの実施形態において、ＬＥＤ８２６は、広範な種類の虫をよりよく誘引するために、紫外（ＵＶ）光を発するＬＥＤを１つ又は２つ以上、及び可視光を発するＬＥＤを１つ又は２つ以上含んでいてもよい。いくつかの実施形態において、この発光素子は、日光を模した波長の組み合わせを放射する。いくつかの実施形態において、１つ又は２つ以上のＬＥＤ８２６は、蚊及びノミなどの特定の種類の虫をよりよく誘引するために、赤外（ＩＲ）光を発してもよい。いくつかの実施形態において、回路基板８２２は、コマンドを実行するためのプログラム可能プロセッサ又はチップ（図示せず）を有し、所望の部品（例えば、スイッチ８１６、ＬＥＤ８２６など）に電力を供給し、かつ命令を与えるように構成されている。ただし、見やすくするため、電気的接続は一部しか示されていない。いくつかの実施形態において、回路基板８２２は、回路基板８２２上に取り付けられたドッキングスイッチ８２０を含む。
【０１１９】
捕虫部分８１４がベース部分８１２に取り付けられると、捕虫部分８１４の係合可能部分８１８がドッキングスイッチ８２０に係合する。ドッキングスイッチ８２０は、捕虫部分８１４がベース部分８１２に取り付けられ、捕虫部分８１４の係合可能部分８１８がドッキングスイッチ８２０と係合すると、閉じるように構成することができ、また、捕虫部分８１４がベース部分８１２から取り外され、捕虫部分８１４の係合可能部分８１８がドッキングスイッチ８２０から持ち上げられると、開くように構成することができる。ドッキングスイッチ８２０は、捕虫部分８１４の係合可能部分８１８による力又は圧力に応答してオンになるように構成することができる。あるいは、ドッキングスイッチ８２０は、捕虫部分８１４の係合可能部分８１８による変位に応答してオンになるように構成することができる。あるいは、ドッキングスイッチ８２０は、捕虫部分８１４の係合可能部分８１８により光ビームが遮断されると閉じる光学スイッチとして構成されてもよいし、あるいは、捕虫部分８１４の磁石に近づくと閉じるホール効果センサとして構成されてもよいし、あるいは、捕虫部分８１４のベース部分８１２への取り付け／取り外しに応じて開閉する任意の他のスイッチ又はセンサとして構成されてもよい。ドッキングスイッチ８２０は、回路基板８２２及び／又はスイッチ８１６に電気的に接続され、捕虫部分８１４がベース部分８１２から取り外されると、ＵＶ及び／又は可視光及び／又はＩＲのＬＥＤ８２６が消灯されるようなっていてよい。これによって、ユーザーがＬＥＤ８２６からのＵＶ光及び／又は可視光及び／又はＩＲ光を直接見てしまうことを防ぐとともに、エネルギー消費を低減する。あるいは、ドッキングスイッチ８２０は、捕虫部分８１４がベース部分８１２から取り外されると、ＵＶ用ＬＥＤ８２６のみ、かつ／又はＩＲ用ＬＥＤ８２６のみ、かつ／又は可視光ＬＥＤ８２６のみを消灯するように、回路基板８２２及び／又はスイッチ８１６に電気的に接続されていてもよい。
【０１２０】
図３０は、捕虫装置の第９の実施形態の正面斜視図であり、この捕虫装置全体は９１０で示されている。捕虫装置９１０は、捕虫部分９１４及びベース部分９１２を含む。捕虫部分９１４は、この図において、ベース部分９１２から取り外された状態で示されている。いくつかの実施形態において、捕虫部分９１４は、底面（図示せず）から下向きに突出している係合可能部分９１８を含む。しかしながら、係合可能部分９１８は捕虫部分９１４から突出している必要はない。係合可能部分９１８は、捕虫部分９１４の面一になった底面の、非突出部分であってもよく、この非突出部分が、ベース部分９１２と少なくとも部分的に係合する。ベース部分９１２は、捕虫部分９１４がベース部分９１２に取り付けられたときに、係合可能部分９１８を受容するための対応する開口部９２４（図３２に図示）を有し得る。開口部９２４は好ましくは、ユーザーの指が開口部９２４を通り抜けることができないように構成され得る。開口部９２４は好ましくは、直径１０ｍｍの球が開口部９２４を通過できないように構成され得る。図示されているように、ベース部分９１２はスイッチ９１６も含み得る。
【０１２１】
図３１は、捕虫装置９１０の断面図であり、図３２は図３１の一部の拡大図である。ベース部分９１２は、回路基板９２２と、ドッキングスイッチ９２０と、１つ又は２つ以上のＬＥＤ９２６（１つのみ図示）とを含み得る。ドッキングスイッチ９２０は回路基板９２２に取り付けられた状態で示されているが、ドッキングスイッチ９２０は、ベース部分９１２に直接取り付けられていてもよい。いくつかの実施形態において、ＬＥＤ９２６は、広範な種類の虫をよりよく誘引するために、紫外（ＵＶ）光を発するＬＥＤを１つ又は２つ以上、及び可視光（好ましくは青色光）を発するＬＥＤを１つ又は２つ以上含んでいてもよい。いくつかの実施形態において、この発光素子は、日光を模した波長の組み合わせを放射する。いくつかの実施形態において、１つ又は２つ以上のＬＥＤ９２６は、蚊及びノミなどの特定の種類の虫をよりよく誘引するために、赤外（ＩＲ）光を発してもよい。いくつかの実施形態において、回路基板９２２は、コマンドを実行するためのプログラム可能プロセッサ又はチップ（図示せず）を有し、所望の部品（例えば、スイッチ９１６、ＬＥＤ９２６など）に電力を供給し、かつ命令を与えるように構成されている。ただし、見やすくするため、電気的接続は一部しか示されていない。ベース部分９１２は、スクリーン９２８を含み得る。捕虫部分９１４がベース部分９１２に取り付けられると、捕虫部分９１４の係合可能部分９１８がドッキングスイッチ９２０に係合する。ドッキングスイッチ９２０は、捕虫部分９１４がベース部分９１２に取り付けられ、捕虫部分９１４の係合可能部分９１８がドッキングスイッチ９２０と係合すると、閉じるように構成することができ、また、捕虫部分９１４がベース部分９１２から取り外され、捕虫部分９１４の係合可能部分９１８がドッキングスイッチ９２０から持ち上げられると、開くように構成することができる。ドッキングスイッチ９２０は、捕虫部分９１４の係合可能部分９１８による力又は圧力に応答してオンになるように構成することができる。あるいは、ドッキングスイッチ９２０は、捕虫部分９１４の係合可能部分９１８による変位に応答してオンになるように構成することができる。あるいは、ドッキングスイッチ９２０は、捕虫部分９１４の係合可能部分９１８により光ビームが遮断されると閉じる光学スイッチとして構成されてもよいし、あるいは、捕虫部分９１４の磁石に近づくと閉じるホール効果センサとして構成されてもよいし、あるいは、捕虫部分９１４のベース部分９１２への取り付け／取り外しに応じて開閉する任意の他のスイッチ又はセンサとして構成されてもよい。ドッキングスイッチ９２０は、回路基板９２２及び／又はスイッチ９１６に電気的に接続されていてよい。回路基板９２２は、１つ又は２つ以上のＵＶ及び／又は可視光及び／又はＩＲ用ＬＥＤ９２６（１つのみ図示）に電気的に接続されていてよく、また、スクリーン９２８にも電気的に接続されていてよく、ドッキングスイッチ９２０が閉じたときに、スクリーン９２８を作動させることができる。いくつかの実施形態において、スクリーン９２８は液晶（ＬＣ）技術を使用し、スクリーン９２８が作動している際は、ＵＶ光及び／又は可視光及び／又はＩＲ光のＬＥＤ９２６からの光のすべて又は一部が遮断されるように構成されてもよい。これによって、ユーザーがＬＥＤ９２６からのＵＶ光及び／又は可視光及び／又はＩＲ光を直接見てしまうことを防ぐとともに、エネルギー消費を低減する。いくつかの実施形態において、スクリーン９２８は、作動中、ＵＶ  ＬＥＤ９２６からのみの光のすべて若しくは一部、又は可視光ＬＥＤ９２６からのみの光のすべて若しくは一部、又はＩＲ  ＬＥＤ９２６からのみの光のすべて若しくは一部、又はＵＶ、可視光、及びＩＲ  ＬＥＤ９２６の任意の組み合わせからの光のすべて若しくは一部を遮断するように構成することができる。いくつかの実施形態において、スクリーン９２８は、電気モーター、又はソレノイド、又は磁歪アクチュエーター、又は圧電アクチュエーター、又は様々な電気機械式手法のうちの１つ又は２つ以上を利用して、シャッターを閉じ、ＵＶ  ＬＥＤ９２６からの光、可視光ＬＥＤ９２６からの光、ＩＲ  ＬＥＤ９２６からの光、又はＵＶ、可視光、及びＩＲ  ＬＥＤ９２６の任意の組み合わせからの光のすべて又は一部を遮断してもよい。あるいは、スクリーン９２８は、捕虫部分９１４がベース部分９１２から取り外されたときに、捕虫部分９１４の係合可能部分９１８により機械的に作動して、スクリーン９２８のシャッターを閉じ、ＵＶ及び／又は可視光及び／又はＩＲ  ＬＥＤ９２６からの光のすべて又は一部を遮断するように構成されてもよい。
【０１２２】
図３３は、捕虫装置の第１０の実施形態の正面斜視図であり、この捕虫装置全体は１０１０で示されている。捕虫装置１０１０は、ベース部分１０１２と取り外し可能な捕虫部分１０１４と、を含む。捕虫部分１０１４は、この図において、ベース部分１０１２から取り外された状態で示されている。捕虫装置１０１０は、全体長さ、全体幅、及び全体奥行きを有していてよく、また、捕虫装置１０１０が壁面に取り付けられたとき、捕虫装置１０１０が壁面から突出する全距離によって定義される全体奥行きが、これら３つの全体寸法のうちで最小となるようになるように構成されてよい。捕虫部分１０１４は、前面１０５８に少なくとも１つの開口部１０２０を備えた前側ハウジング１０１８を含む。前側ハウジング１０１８の開口部１０２０は、広範な種類の虫を捕虫装置１０１０に受け入れるように構成してもよいし、あるいは、１種類又は２種類以上の特定の種類の虫を受け入れるように構成してもよい。いくつかの実施形態において、開口部１０２０は、捕虫部分１０１４を取り外して交換するときに、ユーザーの指が開口部１０２０に入ってしまい捕獲された虫又は粘着剤に誤って触れることを防ぐように構成される。いくつかの実施形態において、開口部１０２０は、直径２５ｍｍの球が開口部１０２０を通過できないような寸法及び形状を有し、かつ、直径１ｍｍの球が開口部１０２０のいかなる部分も通過できるような寸法及び形状を有する。開口部１０２０の幅、形状及び向きは、均一であってもよいし、又は、変化していてもよく、また、捕虫部分１０１４が複数の開口部１０２０を有する場合は、それらの幅、形状及び向きは、同一あってもよいし、又は、異なっていてもよい。開口部１０２０は、１種類又は２種類以上の個々の種類の虫又は様々な種類の虫を誘引するように構成することができる。捕虫部分１０１４は、全体長さ、全体幅、及び全体奥行きを有していてよく、また、捕虫部分１０１４が捕虫装置１０１０に取り付けられ、かつ捕虫装置１０１０が壁面に取り付けられたとき、その壁面に垂直な方向に測定される、捕虫部分１０１４の全体奥行きが、捕虫部分１０１４のこれら３つの全体寸法のうちで最小となるように構成されていてもよい。
【０１２３】
ベース部分１０１２の背面１０６０（図３４に図示）から突出しているのは、複数の導電性プロング１０２２であり、導電性プロング１０２２を標準の家庭用壁面電気コンセントに差し込むことにより、捕虫装置１０１０を壁面に取り付けて捕虫装置１０１０に電力を供給するよう適合されている。あるいは、導電性プロング１０２２は、導電性プロング１０２２が水平方向を向いた壁面電気コンセントに差し込まれる場合に、捕虫装置１０１０が直立したままとなり得るように、スイベル式に回転するように適合されていてもよい。あるいは、ベース部分１０１２は、所望の任意の場所に静置又は吊り下げて、ベース部分１０１２内に取り付けられた電池（図示せず）から電力を受け取るように構成されてもよい。電気コンセントと電池が、捕虫装置１０１０に電力を供給するものとして記載されたが、任意の好適な電源を使用することができる。ベース部分１０１２は、１つ又は２つ以上のＬＥＤ１０２４などの発光素子を含む。いくつかの実施形態において、ベース部分１０１２はＬＥＤ１０２４のアレイを含む。図示されているように、ＬＥＤ１０２４は青色及びＵＶ  ＬＥＤ１０２４の２×３アレイで構成されているが、別の数及び配置のＬＥＤ１０２４を有する別のアレイ構成（例えば、３×２アレイ、又は４×３アレイ、又は１×２アレイなど）、異なる波長の光を放射するＬＥＤ１０２４、及び、異なる波長の光を放射するＬＥＤ１０２４の異なる組み合わせを、使用することもできる。いくつかの実施形態において、ＬＥＤ１０２４は、ＵＶ光を発するＬＥＤを少なくとも１つ、及び可視光を発するＬＥＤを少なくとも１つ含む。いくつかの実施形態において、ＬＥＤ１０２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１０２４は、蚊などの特定の種類の虫をよりよく誘引するために、赤外（ＩＲ）光を発するＬＥＤを少なくとも１つ含む。ベース部分１０１２の上面１０２６には、透明又は半透明のウィンドウ１０２８が取り付けられていてよい（図ではＬＥＤ１０２４を見えるようにするため部分的に切り取られている）。ウィンドウ１０２８により、ＬＥＤ１０２４が埃と虫の破片から保護され、ベース部分１０１２のクリーニングが容易になる。上面１０２６にはスロット１０３０があってよく、上面１０２６の外周には、縁又は上向きの突出部１０３２がある。
【０１２４】
図３４は、捕虫装置１０１０の断面図である。いくつかの実施形態において、各ＬＥＤ１０２４から放射される光は、主方向１０５４を有する。捕虫部分１０１４は、前面１０３８を備えたディバイダ１０３４と、後側ハウジング１０４０とを含む。いくつかの実施形態において、ディバイダ１０３４は、透明又は半透明の材料から構築されるか、又は透明又は半透明の材料を含み、また、前面１０３８が透明又は半透明の粘着剤１０３６でコーティングされ得る。いくつかの実施形態において、ディバイダ１０３４は、飛翔昆虫（広範な種類の飛翔昆虫が、偏光を感知することが知られている）を更に誘引するため、ディバイダ１０３４を透過する光を、日光と同様の配向に偏光するように構成される。いくつかの実施形態において、ディバイダ１０３４の材料及び厚さと粘着剤１０３６の材料及び厚さは、ＵＶ光及び／又は可視光及び／又はＩＲ光のかなりの割合を透過させるよう選択され、例えば、光の６０％超がディバイダ１０３４と粘着剤１０３６を透過するよう選択される。いくつかの実施形態において、後側ハウジング１０４０は、反射性コーティングされた内面１０４２を含む。あるいは、後側ハウジング１０４０の材料及び表面仕上げは、反射性コーティングなしに、ＵＶ光及び／又は可視光及び／又はＩＲ光を反射及び分散させるように構成され得る。後側ハウジング１０４０は、その底面に開口部１０４４を含んでよく、あるいは開口部１０４４は、透明又は半透明のウィンドウ（図示せず）に置き換えられてもよい。
【０１２５】
いくつかの実施形態において、前側ハウジング１０１８と後側ハウジング１０４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１０１８及び後側ハウジング１０４０は、射出成形、注型成形、又はその他の好適な製造法により構築される。図示されているように、ディバイダ１０３４は実質的に平らであり、１つ又は２つ以上のＬＥＤ１０２４により生成される光の主方向１０５４に対して平行又はある角度１０５２になるように構成することができる。角度１０５２は鋭角であってよく、好ましくは０°〜４５°とされ、捕虫装置１０１０が壁に取り付けられたときに、ディバイダ１０３４の上端又は遠位端（例えば、ベース部分１０１２から遠い方の端）が、下端又は近位端よりも壁に近づくようにされてもよい。いくつかの実施形態において、ディバイダ１０３４は、均一に配光するために最適化されるよう、凸状、凹状、又はサドル形状、又は形状の組み合わせに形成されてもよい。いくつかの実施形態において、ディバイダ１０３４は、粘着面の面積を増大させ、かつ明暗コントラスト領域を形成するような、畝又はその他の形状を有していてもよい。明暗コントラスト領域は、広範な種類の虫に対して可視性が高く、それらの虫に対する誘引効果をより高めることができる。
【０１２６】
いくつかの実施形態において、前側ハウジング１０１８は、その内面が透明、半透明又は不透明の粘着剤でコーティングされてよく、これにより付加的な捕虫効果及び能力が提供される。加えて、前側ハウジング１０１８は更に内面の粘着剤コーティングの下に反射性コーティング（図示せず）を有し、これにより、虫の誘引効果を強化し、捕虫効果及び効率を更に向上させてもよい。
【０１２７】
いくつかの実施形態において、前側ハウジング１０１８、ディバイダ１０３４及び後側ハウジング１０４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。捕虫部分１０１４の材料は更に、１種類又は２種類以上の虫誘引剤を含み得る。例えば、捕虫部分１０１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１０１０の虫誘引効率を更に向上させるにおいをもたらす物質を、含浸させることができる。そのような実施形態において、虫誘引剤は、捕虫部分１０１４に一体化している。あるいは、虫誘引剤は、前側ハウジング１０１８の内面上に、又は前側ハウジング１０１８の開口部１０２０を通して、又は前側ハウジング１０１８の前面１０５８上に、又はディバイダ１０３４の前面１０３８上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置１０１０から半径約２メートルにいる虫に感知可能であることが望ましい。ディバイダ１０３４は、捕虫部分１０１４を前側エンクロージャ１０４６と後側エンクロージャ１０４８とに分割している。いくつかの実施形態において、ベース部分１０１２は、コマンドを実行するためのプログラム可能プロセッサ又はチップ（図示せず）を有する回路基板１０５０を含み、これは導電性プロング１０２２（１つのみ図示）、及びＬＥＤ１０２４（１つのみ図示）に電気的に接続されている。ただし、見やすくするため、電気的接続は一部しか示されていない。回路基板１０５０は、導電性プロング１０２２から通常の家庭用電流を受け取り、ＬＥＤ１０２４を点灯させる電力を供給するための電子回路を含み得る。回路基板１０５０は、ＬＥＤ１０２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１０２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１０５０は、ＵＶ光及び／又は可視光及び／又はＩＲ光を提供するために、ＬＥＤ１０２４に電力を供給してもよいが、ＵＶ光及び／又は可視光及び／又はＩＲ光の点滅の組み合わせを生み出すために、ＵＶ  ＬＥＤ１０２４のみ又は可視光ＬＥＤ１０２４のみ又はＩＲ  ＬＥＤ１０２４のみに電力を供給するか、あるいは変動電力を供給するように構成してもよい。回路基板１０５０はまた、圧電スピーカ（図示せず）などの発信機又はトランシーバー、又はその他の装置を駆動させるように構成することができ、これらはベース部分１０１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１０１０から約２メートル以内の距離にいる虫に感知可能であることが望ましい。そのような虫誘引性の音は、捕虫装置１０１０から約１メートルを超える距離にいる人間に感知できないものであることが望ましい。また、回路基板１０５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１０１２を通して捕虫部分１０１４へと伝達させ得る、電気素子の組み合わせを含んでもよい。あるいは、ＬＥＤ１０２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１０２４を、熱と光の両方を発生させる１つ又は２つ以上の白熱電球で置き換えてもよいし、又は強化してもよい。哺乳類の肌の温度及び体温に似せるために��一般に、発生させる熱により、捕虫部分１０１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０１２８】
図示されているように、ベース部分１０１２の上面１０２６のスロット１０３０と、ベース部分１０１２の上面１０２６の突出部１０３２とが、捕虫部分１０１４と係合して、使用中に捕虫部分１０１４を定位置に固定する。しかしながら、捕虫部分１０１４をベース部分１０１２にしっかりと、かつ取り外し可能に取り付けることができるような、任意の他の取り付け形態に置き換えてもよい。捕虫装置１０１０をコンセントから外した際に、捕虫装置１０１０を床、机、テーブル、又は棚の上に直立させて静置できるように、ベース部分１０１２の底面１０１６は、実質的に平坦であるか又は凹状になっていてもよい。あるいは、ベース部分１０１２の底面１０１６は、捕虫装置１０１０をコンセントから外した際に、捕虫装置１０１０を直立させて静置可能とする、２つ以上の突出部（図示せず）又は脚部を有していてもよい。
【０１２９】
捕虫装置１０１０の操作においては、導電性プロング１０２２を壁面電気コンセントに差し込む。ＬＥＤ１０２４は、好ましくはＵＶ及び可視光の光（矢印で示す）を発し、この光は、ベース部分１０１２のウィンドウ１０２８を通り、捕虫部分１０１４の後側ハウジング１０４０にある開口部１０４４を通って、後側エンクロージャ１０４８に入り、直接、後側ハウジング１０４０の内面１０４２上に、かつディバイダ１０３４の背面１０５６上に、伝わっていく。見やすくするため、光を表わす矢印は、１つのＬＥＤ１０２４から放射される光のみを示す。ＬＥＤ１０２４からの光は、捕虫部分１０１４の後側ハウジング１０４０の底面における開口部１０４４（例えば、捕虫部分１０１４の全体奥行きに実質的に平行な面にある）を通って、後側エンクロージャ１０４８に入ることから、この光は、後側エンクロージャ１０４８の長さ全体を通過することができるとともに、後側エンクロージャ１０４８の長さ全体にわたって発散することができるため、後側エンクロージャ１０４８全体にわたって、より均一に配光され得る。いくつかの実施形態において、光はベース部分１０１２において操作されず、捕虫部分１０１４内へ直接発せられる。後側ハウジング１０４０の内面１０４２は凹形状を含んでいてもよく、ＬＥＤ１０２４からの光を反射及び分散させて、ディバイダ１０３４の背面１０５６上に均一に配光するように構成されていてもよいが、後側ハウジング１０４０の内面１０４２は凸状又はサドル形状又は形状の組み合わせを有していてよく、あるいは、より均一に配光するように、畝又はその他の形状を有していてもよい。あるいは、ディバイダ１０３４の背面１０５６上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部１０４４において、若しくはその付近において、後側ハウジング１０４０に取り付けるか、又はウィンドウ１０２８において、若しくはその付近において、ベース部分１０１２に取り付けてよく、また、この光学的エンハンサにより、後側ハウジング１０４０の内面１０４２の役割を置き換えるか、又は増強してもよい。いくつかの実施形態において、ＬＥＤ１０２４からの光は、ディバイダ１０３４の背面１０５６に斜めの角度（例えば、約０°〜９０°の鋭角）で直接当たってよく、ディバイダ１０３４全体にわたって広がり、後側ハウジング１０４０の内面１０４２の役割、又は後側ハウジング１０４０に取り付けられた１つ若しくは複数のレンズの役割を置き換えるか、又は強化してもよい。
【０１３０】
その後、光は、ディバイダ１０３４及び前面１０３８上の粘着剤１０３６を透過し、前側エンクロージャ１０４６に入る。光は、ディバイダ１０３４、前面１０３８上の粘着剤１０３６、又はこれら両方の光散乱特性により、更に均一に配光され得る。前側エンクロージャ１０４６に入る光の一部は、続いて、前側ハウジング１０１８の開口部１０２０を通って、捕虫装置１０１０が設置されている周辺領域に放たれる。虫は、粘着剤１０３６と前側ハウジング１０１８の開口部１０２０とを通って放射される光に誘引され、開口部１０２０から粘着剤１０３６上へと飛んでいくか、又は這っていき、そこで捕獲される。ユーザーは、前側ハウジング１０１８の開口部１０２０を通して見ることにより、捕獲された虫を確認できる。十分な数の虫が捕獲されると、ユーザーは、捕獲された虫、虫の破片又は粘着剤（これらは捕虫部分１０１４内の届かないところに留まる）に触れることなく、使用済みの捕虫部分１０１４全体を容易に取り外して捨て、新しい捕虫部分１０１４に交換することができる。新しい捕虫部分１０１４は、粘着剤コーティングされた新しい表面と光指向面を有しており、捕虫装置１０１０での効率的かつ効果的な虫の誘引と捕獲が持続的に確保される。
【０１３１】
いくつかの実施形態において、捕虫部分１０１４はベース部分１０１２の前ではなく上に取り付けられているため、一般的な家庭用壁面コンセントに差し込んだときに、壁面からの捕虫装置１０１０の突出が最小限に抑えられ、これによって、家庭環境に対する邪魔を最小限に抑える。いくつかの実施形態において、捕虫装置１０１０は、壁面に取り付けられたとき、捕虫装置１０１０が壁面から突出する全距離によって定義される全体奥行きが、捕虫装置１０１０の全体高さ及び全体幅よりも小さくなるように構成される。
【０１３２】
捕虫装置１０１０の利点は、捕虫部分１０１４内の光の操作であることが理解されよう。いくつかの実施形態において、光の操作は捕虫部分１０１４内でのみ行われる。光の操作には、反射、屈折、偏光、分散及び／又は散乱が含まれてよく、操作可能な素子又は表面（例えば、内面１０４２、ディバイダ１０３４及び粘着剤１０３６）と係合することにより達成される。いくつかの実施形態において、光の操作により、粘着剤１０３６上に光の均等な分布が形成される。いくつかの実施形態において、光は、粘着剤１０３６の上又は捕虫部分１０１４内に所定のパターンを生成するよう操作され、例えば、均一な分布、高強度のホットスポットを伴う均一な分布、ホットスポットパターン、及び／又はこれらの組み合わせを生成するよう操作される。
【０１３３】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０１３４】
この構成の捕虫装置１０１０は、ベース部分１０１２に取り外し可能に取り付けることができる様々な異なる捕虫部分１０１４に対応することができ、それぞれの捕虫部分１０１４は、特定の種類又は複数の種類の飛翔昆虫又は非飛翔昆虫を誘引して捕獲するような固有の構成を有する。例えば、捕虫部分１０１４の全体の寸法及び形状、並びに捕虫部分１０１４の前側ハウジング１０１８における開口部１０２０の寸法、形状、位置及び向きは、特定の種類又は複数の種類の飛翔昆虫を誘引して捕獲するような固有の構成を有していてよい。
【０１３５】
例えば、いくつかの実施形態において、捕虫部分１０１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１０１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１０１４はおよそ、幅２０ｍｍ〜１３０ｍｍ、高さ２０ｍｍ〜１３０ｍｍ、及び奥行き５ｍｍ〜５０ｍｍである。
【０１３６】
いくつかの実施形態において、ベース部分１０１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１０１２は、幅２０ｍｍ〜２００ｍｍ、高さ１０ｍｍ〜１００ｍｍ、及び奥行き１０ｍｍ〜８０ｍｍである。いくつかの実施形態において、ベース部分１０１２は、幅２０ｍｍ〜１３０ｍｍ、高さ１０ｍｍ〜５０ｍｍ、及び奥行き１０ｍｍ〜５０ｍｍである。
【０１３７】
本明細書で提供されるように、開口部１０２０は様々な形状及び／又は寸法であり得る。例えば、開口部１０２０の形状は、円形、正方形、長方形、多角形、及び／又は楕円形であり得る。あるいは、開口部１０２０は、直線、曲線、又は波状の形状又はパターンを有するスロット形状であり得る。開口部１０２０が円形の場合、開口部１０２０の直径は約０．５ｍｍ〜３０ｍｍであり得る。いくつかの実施形態において、円形開口部１０２０の直径は約０．５ｍｍ〜２０ｍｍである。いくつかの実施形態において、円形開口部１０２０の直径は約０．５ｍｍ〜１５ｍｍである。開口部１０２０がスロット形状の場合、開口部１０２０はおよそ、幅２ｍｍ〜３０ｍｍ、長さ５ｍｍ〜５００ｍｍであり得る。いくつかの実施形態において、スロット形状開口部１０２０はおよそ、幅２ｍｍ〜２０ｍｍ、長さ５ｍｍ〜２００ｍｍである。いくつかの実施形態において、スロット形状開口部１０２０はおよそ、幅２ｍｍ〜１５ｍｍ、長さ５ｍｍ〜１００ｍｍである。
【０１３８】
いくつかの実施形態において、開口部１０２０は前側ハウジング１０１８の全部又は一部を占める。例えば、開口部１０２０は、前側ハウジング１０１８の表面積の約１％〜７５％の範囲を占めていてもよい。いくつかの実施形態において、開口部１０２０は、前側ハウジング１０１８の表面積の約５％〜５０％を占める。いくつかの実施形態において、開口部１０２０は、前側ハウジング１０１８の表面積の約１０％〜３０％を占める。
【０１３９】
図３５は、捕虫装置の第１１の実施形態の正面斜視図であり、この捕虫装置全体は１１１０で示されている。捕虫装置１１１０は、ベース部分１１１２と取り外し可能な捕虫部分１１１４と、を含む。捕虫装置１１１０は、全体長さ、全体幅、及び全体奥行きを有していてよく、また、捕虫装置１１１０が壁面に取り付けられたとき、捕虫装置１１１０が壁面から突出する全距離によって定義される全体奥行きが、これら３つの全体寸法のうちで最小となるようになるように構成されてよい。捕虫部分１１１４は、この図において、ベース部分１１１２から取り外された状態で示されている。いくつかの実施形態において、ベース部分１１１２は、スイッチ１１１６を含み、スイッチ１１１６は、ユーザーの所望に応じて、スイッチ１１１６の開閉により捕虫装置１１１０の電源を入れたり、切ったりすることができるように構成可能である。あるいは、スイッチ１１１６は他の機能を制御するように構成されていてもよく、例えば光の強さ、光の波長の組み合わせ、光の点滅モード又は点滅頻度の違い、部屋が暗くなったときに捕虫装置１１１０の電源が入る自動設定、あるいはリモートコントロール設定が挙げられる。いくつかの実施形態において、スイッチ１１１６は手動で操作されてもよいが、スイッチ１１１６は電気的、光学的、電子機械的、電子光学的、又はスイッチ１１１６を開閉するための任意の他の方法により操作されてもよい。捕虫部分１１１４は、前面１１３２に少なくとも１つの開口部１１２０を備えた前側ハウジング１１１８を含み得る。開口部１１２０は、広範な種類の虫を捕虫装置１１１０に受け入れるように構成してもよいし、あるいは、１種類又は２種類以上の特定の種類の虫を受け入れるように構成してもよい。好ましくは、開口部１１２０は、捕虫部分１１１４を取り外して交換するときに、ユーザーの指が開口部１１２０に入ってしまい捕獲された虫又は粘着剤に誤って触れることを防ぐように構成されていてもよい。開口部１１２０は好ましくは、直径２５ｍｍの球が開口部１１２０を通過できないような寸法及び形状を有し得、かつ、開口部１１２０は好ましくは、直径１ｍｍの球が開口部１１２０のいかなる部分も通過できるような寸法及び形状を有し得る。開口部１１２０の幅、形状及び向きは、均一であってもよいし、又は、変化していてもよく、また、捕虫部分１１１４が複数の開口部１１２０を有する場合は、それらの幅、形状及び向きは、同一あってもよいし、又は、異なっていてもよい。開口部１１２０は、１種類又は２種類以上の個々の種類の虫又は様々な種類の虫を誘引するように構成することができる。ベース部分１１１２の背面１１５２（図３６に図示）から突出しているのは、複数の導電性プロング１１２２（１つのみ図示）であり、導電性プロング１１２２を標準の家庭用壁面電気コンセントに差し込むことにより、捕虫装置１１１０を壁面に取り付けて捕虫装置１１１０に電力を供給するよう適合されている。あるいは、導電性プロング１１２２は、導電性プロング１１２２が水平方向コンセントに差し込まれる場合に、捕虫装置１１１０が直立したままとなり得るように、スイベル式に回転するように適合されていてもよい。あるいは、ベース部分１１１２は、所望の任意の場所に静置又は吊り下げて、ベース部分１１１２内に取り付けられた電池（図示せず）から電力を受け取るように構成されてもよい。電気コンセントと電池が、捕虫装置１１１０に電力を供給するものとして記載されたが、任意の好適な電源を使用することができる。ベース部分１１１２は、上面１１３４と、後側ハウジング１１２６とを含み、後側ハウジング１１２６は反射性コーティングされた内面１１２８を含む。いくつかの実施形態において、後側ハウジング１１２６の材料及び表面仕上げは、反射性コーティングなしに、ＵＶ光及び／又は可視光を反射及び分散させるように構成され得る。ベース部分１１１２の後側ハウジング１１２６には、１つ又は２つ以上のＬＥＤ１１２４などの発光素子が取り付けられている。いくつかの実施形態において、発光素子はＬＥＤ１１２４のアレイを含み、これは、ＵＶ光を発するＬＥＤを少なくとも１つ、及び可視光を発するＬＥＤを少なくとも１つ含む。いくつかの実施形態において、ＬＥＤ１１２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１１２４は、蚊及びノミなどの特定の種類の虫をよりよく誘引するために、赤外（ＩＲ）光を発するＬＥＤを少なくとも１つ含む。
【０１４０】
図示されているように、ベース部分１１１２は、透明又は半透明のウィンドウ１１３０（ＬＥＤ１１２４が見えるように部分的に切り取った状態で示す）を含む。ウィンドウ１１３０は、背面１１５０（図３６に図示）を有し、後側ハウジング１１２６の内面１１２８、及びＬＥＤ１１２４を埃と虫の破片から保護し、ベース部分１１１２のクリーニングを容易にし得る。また、ウィンドウ１１３０は、飛翔昆虫（広範な種類の飛翔昆虫が、偏光を感知することが知られている）を更に誘引するため、ウィンドウ１１３０を透過する光を、日光と同様の配向に偏光するように構成されてもよい。ウィンドウ１１３０は、接着剤又は超音波溶接などの任意の好適な製造法により、その外周が後側ハウジング１１２６に取り付けられていてよい。いくつかの実施形態において、ウィンドウ１１３０は後側ハウジング１１２６に取り外し可能に取り付けられる。いくつかの実施形態において、ベース部分１１１２の上面１１３４の外周１１５４には、上向きの縁又は突出部１１３６がある。
【０１４１】
図３６は、捕虫装置１１１０の断面図である。捕虫部分１１１４は、前面１１４２を備えた背板１１３８を含む。背板１１３８は、透明又は半透明の材料から構築されていてもよく、また、前面１１４２が透明又は半透明の粘着剤１１４０でコーティングされていてもよい。また、背板１１３８は、飛翔昆虫を更に誘引するため、背板１１３８を透過する光を、日光と同様の配向に偏光するように構成されてもよい。いくつかの実施形態において、背板１１３８の材料及び厚さと粘着剤１１４０の材料及び厚さは、ＵＶ光及び／又は可視光及び／又はＩＲ光のかなりの割合を透過させるよう選択され、例えば、光の６０％超が背板１１３８と粘着剤１１４０を透過するよう選択される。いくつかの実施形態において、捕虫部分１１１４の前側ハウジング１１１８とベース部分１１１２の後側ハウジング１１２６は、不透明のプラスチックシートから熱成形されるが、紙、板紙、厚紙又は紙パルプなどの他の不透明、透明又は半透明の材料も使用することができる。いくつかの実施形態において、前側ハウジング１１１８及び後側ハウジング１１２６は、射出成形又はその他の好適な製造法により構築される。背板１１３８は実質的に平らであってよいが、均一に配光するために最適化されるよう、凸状、凹状、又はサドル形状、又は形状の組み合わせに形成されてもよい。あるいは、背板１１３８は、畝又はその他の形状を有していてもよく、これにより、粘着剤コーティングされた表面の面積を増加させ、一部の種類の虫にとって誘引性となる交互の明暗領域を形成し、捕虫部分１１１４への虫誘引性の光の伝達を向上させる。いくつかの実施形態において、前側ハウジング１１１８は、内面が透明、半透明又は不透明の粘着剤でコーティングされ、これにより更なる捕虫効果及び能力が提供される。加えて、前側ハウジング１１１８は更に内面の粘着剤コーティングの下に反射性コーティング（図示せず）を有し、これにより、虫の誘引効果を強化し、捕虫効果及び効率を更に向上させてもよい。前側ハウジング１１１８及び背板１１３８は、それらが係合する箇所において、接着剤で互いに接合されていてよいが、これらは、超音波溶接、若しくはＲＦ密封などの他の一般的に使用されているパッケージング組立法、又は任意の他の好適な組立方法により、互いに接合されていてもよい。捕虫部分１１１４の材料は更に、１種類又は２種類以上の虫誘引剤を含み得る。例えば、捕虫部分１１１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１１１０の虫誘引効率を更に向上させ得るにおいをもたらす物質を、含浸させることができる。そのような実施形態において、虫誘引剤は、捕虫部分１１１４に一体化している。あるいは、虫誘引剤は、前側ハウジング１１１８の内面上に、又は前側ハウジング１１１８の開口部１１２０を通して、又は前側ハウジング１１１８の前面１１３２上に、又は背板１１３８の前面１１４２上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置１１１０から半径約２メートルにいる虫に感知可能であることが望ましい。
【０１４２】
図示されているように、前側ハウジング１１１８と背板１１３８とが、捕虫部分１１１４の前側エンクロージャ１１４４を形成し、後側ハウジング１１２６とウィンドウ１１３０とが、ベース部分１１１２の後側エンクロージャ１１４６を形成する。いくつかの実施形態において、ベース部分１１１２は、コマンドを実行するためのプログラム可能プロセッサ又はチップ（図示せず）を有する回路基板１１４８を含み、これは導電性プロング１１２２、スイッチ１１１６、及びＬＥＤ１１２４（１つのみ図示）に電気的に接続されている。ただし、見やすくするため、電気的接続は一部しか示されていない。回路基板１１４８は、導電性プロング１１２２（１つのみ図示）から通常の家庭用電流を受け取り、スイッチ１１１６の位置に対して応答し、ＬＥＤ１１２４を点灯させる電力を供給するための電子回路を含み得る。回路基板１１４８は、スイッチ１１１６が閉位置にあるときに、ＬＥＤ１１２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１１２４に変動電圧を供給することもできる。例えば、およそ０．０５Ｈｚ（例えば、哺乳動物の呼吸数を真似たもの）〜２７０Ｈｚ（例えば、オスのイエバエを誘引する点滅の最高頻度）の範囲の点滅頻度が望ましいことがあり、発光素子は、この範囲内で点滅するように構成されてよい。回路基板１１４８は、ＵＶ光及び可視光の両方を提供するために、ＬＥＤ１１２４に電力を供給してもよいが、ＵＶ光及び／又は可視光及び／又はＩＲ光の点滅の組み合わせを生み出すために、ＵＶ  ＬＥＤ１１２４のみ又は可視光ＬＥＤ１１２４のみ又はＩＲ  ＬＥＤ１１２４のみに電力を供給するか、あるいは変動電力を供給するように構成してもよい。いくつかの実施形態において、回路基板１１４８はまた、圧電スピーカなどの発信機又はトランシーバー（図示せず）、又はその他の装置を駆動させるように構成することができ、これらはベース部分１１１２に取り付けて、虫誘引性の音を発するようにすることができる。いくつかの実施形態において、この発信機又はトランシーバーは、虫（蚊、小昆虫、蛾、又は蠅のうちの１種類又は２種類以上を含み得る）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１１１０から約２メートル以内の距離にいる虫に感知可能であることが望まし��。そのような虫誘引性の音は、捕虫装置１１１０から約１メートルを超える距離にいる人間に感知できないものであることが望ましい。また、回路基板１１４８は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１１１２を通して捕虫部分１１１４へと伝達させ得る、電気素子の組み合わせを含んでもよい。あるいは、ＬＥＤ１１２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１１２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分１１１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０１４３】
図示されているように、ベース部分１１１２の上面１１３４の縁又は突出部１１３６とウィンドウ１１３０は、捕虫部分１１１４と係合して、使用中に捕虫部分１１１４を定位置に固定する。しかしながら、捕虫部分１１１４をベース部分１１１２にしっかりと、かつ取り外し可能に取り付けることができるような、任意の他の取り付け形態に置き換えてもよい。捕虫装置１１１０をコンセントから外した際に、捕虫装置１１１０を床、机、テーブル、又は棚の上に直立させて静置できるように、ベース部分１１１２の底面１１５６は、実質的に平坦であるか又は凹状になっていてもよい。あるいは、ベース部分１１１２の底面１１５６は、捕虫装置１１１０をコンセントから外した際に、捕虫装置１１１０を直立させて静置可能とする、２つ以上の突出部（図示せず）又は脚部を有していてもよい。
【０１４４】
捕虫装置１１１０の操作においては、導電性プロング１１２２を壁面電気コンセントに差し込み、スイッチ１１１６を閉位置に動かす。ＬＥＤ１１２４は、光（矢印で表す）を発し、この光は、ウィンドウ１１３０の背面１１５０上に直接伝わる。いくつかの実施形態において、光はベース部分１１１２において操作されず、捕虫部分１１１４内へ直接発せられる。後側ハウジング１１２６の内面１１２８は凹形状を含んでいてもよく、ＬＥＤ１１２４からのＵＶ光及び可視光を反射及び分散させて、ウィンドウ１１３０の背面１１５０上に均一に配光するように構成されていてもよいが、後側ハウジング１１２６の内面１１２８は凸状又はサドル形状又は形状の組み合わせを有していてよく、あるいは、より均一に配光するように、畝又はその他の形状を有していてもよい。いくつかの実施形態において、ＬＥＤ１１２４はウィンドウ１１３０に対して実質的に垂直である（例えば、ＬＥＤの光の主方向がウィンドウ１１３０に対して実質的に垂直となるように構成される）。光は、背板１１３８及び前面１１４２上の粘着剤１１４０を透過し、前側エンクロージャ１１４４に入る。光は、ベース部分１１１２のウィンドウ１１３０、捕虫部分１１１４の背板１１３８、背板１１３８の前面１１４２の粘着剤１１４０、又はウィンドウ１１３０、背板１１３８及び粘着剤１１４０の任意の組み合わせの光散乱特性により、更に均一に配光され得る。いくつかの実施形態において、前側エンクロージャ１１４４に入る光の一部は、続いて、前側ハウジング１１１８の開口部１１２０を通って、捕虫装置１１１０が設置されている領域に放たれる。虫は、粘着剤１１４０と前側ハウジング１１１８の開口部１１２０とを通って伝わってくるＵＶ光及び／又は可視光に誘引され、開口部１１２０を通って粘着剤１１４０上へと飛んでいくか、又は這っていき、そこで捕獲される。ユーザーは、前側ハウジング１１１８の開口部１１２０を通して見ることにより、捕獲された虫を確認できる。十分な数の虫が捕獲されると、ユーザーは、捕獲された虫、虫の破片又は粘着剤（これらは捕虫部分１１１４内の届かないところに留まる）に触れることなく、使用済みの捕虫部分１１１４全体を容易に取り外して捨て、新しい捕虫部分１１１４に交換することができる。新しい捕虫部分１１１４は、粘着剤コーティングされた新しい表面を有しており、捕虫装置１１１０での効率的かつ効果的な虫の誘引と捕獲が持続的に確保される。
【０１４５】
いくつかの実施形態において、捕虫部分１１１４はベース部分１１１２の前ではなく上に取り付けられているため、一般的な家庭用壁面コンセントに差し込んだときに、壁面からの捕虫装置１１１０の突出が最小限に抑えられ、これによって、家庭環境に対する邪魔を最小限に抑える。いくつかの実施形態において、捕虫装置１１１０は、壁面に取り付けられたとき、捕虫装置１１１０が壁面から突出する全距離によって定義される全体奥行きが、捕虫装置１１１０の全体高さ及び全体幅よりも小さくなるように構成される。
【０１４６】
捕虫装置１１１０の利点は、捕虫部分１１１４内の光の操作であることが理解されよう。いくつかの実施形態において、光の操作は捕虫部分１１１４内でのみ行われる。光の操作には、反射、屈折、偏光、分散及び／又は散乱が含まれてよく、操作可能な素子又は表面（例えば、内面１１２８、ウィンドウ１１３０、背板１１３８及び粘着剤１１４０）と係合することにより達成される。いくつかの実施形態において、光の操作により、粘着剤１１４０上に光の均等な分布が形成される。いくつかの実施形態において、光は、粘着剤１１４０の上又は捕虫部分１１１４内に所定のパターンを生成するよう操作され、例えば、均一な分布、高強度のホットスポットを伴う均一な分布、ホットスポットパターン、及び／又はこれらの組み合わせを生成するよう操作される。
【０１４７】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０１４８】
この構成の捕虫装置１１１０は、ベース部分１１１２に取り外し可能に取り付けることができる様々な異なる捕虫部分１１１４に対応することができ、それぞれの捕虫部分１１１４は、特定の種類又は複数の種類の虫を誘引して捕獲するような固有の構成を有する。例えば、捕虫部分１１１４の全体の寸法及び形状、並びに捕虫部分１１１４の前側ハウジング１１１８における開口部１１２０の寸法、形状、位置及び向きは、特定の種類又は複数の種類の虫を誘引して捕獲するような固有の構成を有していてよい。例えば、いくつかの実施形態において、捕虫部分１１１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１１１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１１１４はおよそ、幅２０ｍｍ〜１３０ｍｍ、高さ２０ｍｍ〜１３０ｍｍ、及び奥行き５ｍｍ〜５０ｍｍである。
【０１４９】
いくつかの実施形態において、ベース部分１１１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１１１２は、幅２０ｍｍ〜２００ｍｍ、高さ１０ｍｍ〜１００ｍｍ、及び奥行き１０ｍｍ〜８０ｍｍである。いくつかの実施形態において、ベース部分１１１２は、幅２０ｍｍ〜１３０ｍｍ、高さ１０ｍｍ〜５０ｍｍ、及び奥行き１０ｍｍ〜５０ｍｍである。
【０１５０】
本明細書で提供されるように、開口部１１２０は様々な形状及び／又は寸法であり得る。例えば、開口部１１２０の形状は、円形、正方形、長方形、多角形、及び／又は楕円形であり得る。あるいは、開口部１１２０は、直線、曲線、又は波状の形状又はパターンを有するスロットであり得る。開口部１１２０が円形の場合、開口部１１２０の直径は約０．５ｍｍ〜３０ｍｍであり得る。いくつかの実施形態において、円形開口部１１２０の直径は約０．５ｍｍ〜２０ｍｍである。いくつかの実施形態において、円形開口部１１２０の直径は約０．５ｍｍ〜１５ｍｍである。開口部１１２０がスロット形状の場合、開口部１１２０はおよそ、幅２ｍｍ〜３０ｍｍ、長さ５ｍｍ〜５００ｍｍであり得る。いくつかの実施形態において、スロット形状開口部１１２０はおよそ、幅２ｍｍ〜２０ｍｍ、長さ５ｍｍ〜２００ｍｍである。いくつかの実施形態において、スロット形状開口部１１２０はおよそ、幅２ｍｍ〜１５ｍｍ、長さ５ｍｍ〜１００ｍｍである。
【０１５１】
いくつかの実施形態において、開口部１１２０は前側ハウジング１１１８の全部又は一部を占める。例えば、開口部１１２０は、前側ハウジング１１１８の表面積の約１％〜７５％の範囲を占めていてもよい。いくつかの実施形態において、開口部１１２０は、前側ハウジング１１１８の表面積の約５％〜５０％を占める。いくつかの実施形態において、開口部１１２０は、前側ハウジング１１１８の表面積の約１０％〜３０％を占める。
【０１５２】
図３７は、捕虫装置の第１２の実施形態の正面斜視図であり、この捕虫装置全体は１２１０で示されている。捕虫装置１２１０は、ベース部分１２１２と取り外し可能な捕虫部分１２１４と、を含む。捕虫部分１２１４は、この図で、部分的に切り取られ、かつベース部分１２１２から取り外された状態で示されている。捕虫装置１２１０は、全体長さ、全体幅、及び全体奥行きを有していてよく、また、捕虫装置１２１０が壁面に取り付けられたとき、捕虫装置１２１０が壁面から突出する全距離によって定義される全体奥行きが、これら３つの全体寸法のうちで最小となるようになるように構成されてよい。ベース部分１２１２の前面１２３８は、スイッチ１２１６を含み得、スイッチ１２１６は、ユーザーの所望に応じて、スイッチ１２１６の開閉により捕虫装置１２１０の電源を入れたり、切ったりすることができるように構成可能である。あるいは、スイッチ１２１６は他の機能を制御するように構成されていてもよく、例えば光の強さ、光の波長の組み合わせ、光の点滅モード又は点滅頻度の違い、部屋が暗くなったときに捕虫装置１２１０の電源が入る自動設定、あるいはリモートコントロール設定が挙げられる。スイッチ１２１６は好ましくは手動で操作され得るが、スイッチ１２１６は電気的、光学的、電子機械的、電子光学的、又はスイッチ１２１６を開閉するための任意の他の方法により操作されてもよい。ベース部分１２１２の背面１２４２（図３８に図示）から突出しているのは、複数の導電性プロング１２２２であり、導電性プロング１２２２を標準の家庭用壁面電気コンセントに差し込むことにより、捕虫装置１２１０を壁面に取り付けて捕虫装置１２１０に電力を供給するよう適合されている。あるいは、導電性プロング１２２２は、導電性プロング１２２２が水平方向を向いた壁面電気コンセントに差し込まれる場合に、捕虫装置１２１０が直立したままとなり得るように、スイベル式に回転するように適合されていてもよい。あるいは、ベース部分１２１２は、所望の任意の場所に静置又は吊り下げて、ベース部分１２１２内に取り付けられた電池（図示せず）から電力を受け取るように構成されてもよい。電気コンセントと電池が、捕虫装置１２１０に電力を供給するものとして記載されたが、任意の好適な電源を使用することができる。ベース部分１２１２は、１つ又は２つ以上のＬＥＤ１２２４などの発光素子を含む。いくつかの実施形態において、ＬＥＤ１２２４は、ＵＶ光を発するＬＥＤを少なくとも１つ、及び可視光を発するＬＥＤを少なくとも１つ含む。いくつかの実施形態において、ＬＥＤ１２２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１２２４は、蚊及びノミなどの特定の種類の虫をよりよく誘引するために、ＩＲ光を発するＬＥＤを少なくとも１つ含む。ベース部分１２１２の上面１２３４には、少なくとも１つの開口部１２３２があってよく、開口部１２３２には、透明又は半透明のウィンドウ１２３０が取り付けられていてよい（ＬＥＤ１２２４が見えるように部分的に切り取った状態で示す）。ウィンドウ１２３０により、ＬＥＤ１２２４が埃と虫の破片から保護され、ベース部分１２１２のクリーニングが容易になる。また、上面１２３４にはスロット１２４６があってよく、上面１２３４の外周には、上向きの縁又は突出部１２３６があってよい。捕虫部分１２１４は、全体長さ、全体幅、及び全体奥行きを有していてよく、また、捕虫部分１２１４が捕虫装置１２１０に取り付けられ、かつ捕虫装置１２１０が壁面に取り付けられたとき、その壁面に垂直な方向に測定される、部分１２１４の全体奥行きが、捕虫部分１２１４のこれら３つの全体寸法のうちで最小となるように構成されていてもよい。捕虫部分１２１４は、前面１２５４に少なくとも１つの開口部１２２０を備えた前側ハウジング１２１８と、後側ハウジング１２２６とを含む。前側ハウジング１２１８の開口部１２２０は、広範な種類の虫を捕虫装置１２１０に受け入れるように構成してもよいし、あるいは、１種類又は２種類以上の特定の種類の虫を受け入れるように構成してもよい。いくつかの実施形態において、開口部１２２０は、捕虫部分１２１４を取り外して交換するときに、ユーザーの指が開口部１２２０に入ってしまい捕獲された虫又は粘着剤に誤って触れることを防ぐように構成される。いくつかの実施形態において、開口部１２２０は、直径２５ｍｍの球が開口部１２２０を通過できないような寸法及び形状を有し、かつ、直径１ｍｍの球が開口部１２２０のいかなる部分も通過できるような寸法及び形状を有する。開口部１２２０の幅、形状及び向きは、均一であってもよいし、又は、変化していてもよく、また、捕虫部分１２１４が複数の開口部１２２０を有する場合は、それらの幅、形状及び向きは、同一あってもよいし、又は、異なっていてもよい。開口部１２２０は、１種類又は２種類以上の個々の種類の虫又は様々な種類の虫を誘引するように構成することができる。捕虫部分１２１４の前側ハウジング１２１８及び後側ハウジング１２２６は、エンクロージャ１２４４を形成する。後側ハウジング１２２６は、透明、半透明又は不透明の粘着剤１２４０でコーティングされ得る内面１２２８を含む。いくつかの実施形態において、後側ハウジング１２２６の内面１２２８は、粘着剤１２４０の下に反射性コーティング（図示せず）をも有する。あるいは、後側ハウジング１２２６の材料及び表面仕上げは、反射性コーティングなしに、ＵＶ光及び／又は可視光及び／又はＩＲ光を反射及び分散させるように構成され得る。あるいは、粘着剤１２４０は更に、ＵＶ光及び／又は可視光及び／又はＩＲ光を反射するように構成することができる。また、後側ハウジング１２２６の内面１２２８は、飛翔昆虫（広範な種類の飛翔昆虫が、偏光を感知することが知られている）を更に誘引するため、内面１２２８で反射する光を、日光と同様の配向に偏光し得るような材料から構成されていてもよい。後側ハウジング１２２６は、その底面１２５２に開口部１２５０を含んでよく、あるいは開口部１２５０は、透明又は半透明のウィンドウ（図示せず）に置き換えられてもよい。いくつかの実施形態において、前側ハウジング１２１８は、その内面（図示せず）が透明、半透明又は不透明の粘着剤でコーティングされてよく、これにより付加的な捕虫効果及び能力が提供される。前側ハウジング１２１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング１２１８と後側ハウジング１２２６は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１２１８及び後側ハウジング１２２６は、射出成形又はその他の好適な製造法により構築される。いくつかの実施形態において、前側ハウジング１２１８及び後側ハウジング１２２６は、それらが交差又は係合する箇所において、接着剤で互いに接合されているが、これらは、超音波溶接、若しくはＲＦ密封などの他の一般的に使用されているパッケージング組立法、又は任意の他の好適な組立方法により、互いに接合されていてもよい。捕虫部分１２１４の材料は更に、１種類又は２種類以上の虫誘引剤を含み得る。例えば、捕虫部分１２１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１２１０の虫誘引効率を更に向上させ得るにおいをもたらす物質を、含浸させることができる。そのような実施形態において、虫誘引剤は、捕虫部分１２１４に一体化している。あるいは、虫誘引剤は、エンクロージャ１２４４の内面上に、又は前側ハウジング１２１８若しくは後側ハウジング１２２６の開口部を通して、又は前側ハウジング１２１８の前面１２５４上に取り付けられ得る、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置１２１０から半径約２メートルにいる虫に感知可能であることが望ましい。
【０１５３】
図３８は、捕虫装置１２１０の断面図である。いくつかの実施形態において、ベース部分１２１２は、コマンドを実行するためのプログラム可能プロセッサ又はチップ（図示せず）を有する回路基板１２４８を含み、これは導電性プロング１２２２（１つのみ図示）、スイッチ１２１６、及びＬＥＤ１２２４（１つのみ図示）に電気的に接続されている。ただし、見やすくするため、電気的接続は一部しか示されていない。回路基板１２４８は、導電性プロング１２２２から通常の家庭用電流を受け取り、スイッチ１２１６の位置に対して応答し、ＬＥＤ１２２４を点灯させる電力を供給するための電子回路を含み得る。回路基板１２４８は、スイッチ１２１６が閉位置にあるときに、ＬＥＤ１２２４に一定電圧を供給し得る、全波整流回路又はその他の回路などのエネルギー安定器を含み得るが、一部の種類の虫（蚊を含む）を誘引し得るような変化を真似た点滅光が提供されるように、ＬＥＤ１２２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１２４８は、ＵＶ光及び／又は可視光及び／又はＩＲ光のすべてを提供するために、ＬＥＤ１２２４に電力を供給してもよいが、ＵＶ光及び／又は可視光及び／又はＩＲ光の点滅の組み合わせを生み出すために、ＵＶ  ＬＥＤ１２２４のみ又は可視光ＬＥＤ１２２４のみ又はＩＲ  ＬＥＤ１２２４のみに電力を供給するか、あるいは変動電力を供給するように構成してもよい。回路基板１２４８はまた、圧電スピーカ（図示せず）などの発信機又はトランシーバー、又はその他の装置を駆動させるように構成することができ、これらはベース部分１２１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１２１０から約２メートル以内の距離にいる虫に感知可能であることが望ましい。そのような虫誘引性の音は、捕虫装置１２１０から約１メートルを超える距離にいる人間に感知できないものであることが望ましい。また、回路基板１２４８は、ノミ及び蚊などの一部の虫類を誘引するために、抵抗器（図示せず）若し��は抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１２１２を通して捕虫部分１２１４へと伝達させ得る、電気素子の組み合わせを含んでもよい。あるいは、ＬＥＤ１２２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１２２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分１２１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０１５４】
図示されているように、ベース部分１２１２の上面１２３４のスロット１２４６と、上面１２３４の縁又は突出部１２３６とが、捕虫部分１２１４と係合して、使用中に捕虫部分１２１４を定位置に固定する。しかしながら、捕虫部分１２１４をベース部分１２１２にしっかりと、かつ取り外し可能に取り付けることができるような、任意の他の取り付け形態に置き換えてもよい。捕虫装置１２１０をコンセントから外した際に、捕虫装置１２１０を床、机、テーブル、又は棚の上に直立させて静置できるように、ベース部分１２１２の底面１２５６は、実質的に平坦であるか又は凹状になっていてもよい。あるいは、ベース部分１２１２の底面１２５６は、捕虫装置１２１０をコンセントから外した際に、捕虫装置１２１０を直立させて静置可能とする、２つ以上の突出部（図示せず）又は脚部を有していてもよい。
【０１５５】
捕虫装置１２１０の操作においては、導電性プロング１２２２を壁面電気コンセントに差し込み、スイッチ１２１６を閉位置に動かし得る。ＬＥＤ１２２４は、光（矢印で示す）を発し、この光は、ベース部分１２１２の開口部１２３２を通って、エンクロージャ１２４４に入り、後側ハウジング１２２６の内面１２２８をコーティングしている粘着剤１２４０上に直接伝わる。いくつかの実施形態において、光はベース部分１２１２において操作されず、捕虫部分１２１４内へ直接発せられる。ＬＥＤ１２２４からの光は、捕虫部分１２１４の後側ハウジング１２２６の底面１２５２における開口部１２３８（例えば、捕虫部分１２１４の全体奥行きに実質的に平行な面）を通って、エンクロージャ１２４４に入ることから、この光は、エンクロージャ１２４４の長さ全体を通過することができるとともに、後側エンクロージャ１２４４の長さ全体にわたって発散することができるため、エンクロージャ１２４４全体にわたって、より均一に配光され得る。
【０１５６】
後側ハウジング１２２６の内面１２２８は凹形状を含んでいてもよく、ＬＥＤ１２２４からの光を反射させて、エンクロージャ１２４４を通して均一に配光するように構成されていてもよいが、後側ハウジング１２２６の内面１２２８は凸状又はサドル形状又は形状の組み合わせを有していてよく、あるいは、より均一に配光するように、畝又はその他の形状を有していてもよい。あるいは、後側ハウジング１２２６の内面１２２８上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部１２３２において、若しくはその付近において、ベース部分１２１２に取り付けるか、又は開口部１２５０において、若しくはその付近において、捕虫部分１２１４に取り付けてよく、また、この光学的エンハンサにより、後側ハウジング１２２６の内面１２２８の配光の役割を置き換えるか、又は増強してもよい。いくつかの実施形態において、ＬＥＤ１２２４からの光は、後側ハウジング１２２６の内面１２２８に斜めの角度（例えば、約０°〜９０°の鋭角）で直接当たってよく、内面１２２８全体にわたって広がり、捕虫部分１２１４又はベース部分１２１２に取り付けられた１つ若しくは複数のレンズの、内面１２２８の配光の役割を置き換えるか、又は強化してもよい。光は、ベース部分１２１２のウィンドウ１２３０の光散乱特性によって、後側ハウジング１２２６の内面１２２８上の粘着剤１２４０によって、又はこれら２つの組み合わせによって、更に均一に配光され得る。
【０１５７】
その後、光の一部は、続いて、前側ハウジング１２１８の開口部１２２０を通って、捕虫装置が設置されている周辺領域に放たれる。虫は、開口部１２２０を通って伝わってくるＵＶ光及び／又は可視光に誘引され、開口部１２２０を通って粘着剤１２４０上へと飛んでいくか、又は這っていき、そこで捕獲される。ユーザーは、前側ハウジング１２１８の開口部１２２０を通して見ることにより、捕獲された虫を確認できる。十分な数の虫が捕獲されると、ユーザーは、捕獲された虫、虫の破片又は粘着剤（これらは捕虫部分１２１４内の届かないところに留まる）に触れることなく、使用済みの捕虫部分１２１４全体を容易に取り外して捨て、新しい捕虫部分１２１４に交換することができる。新しい捕虫部分１２１４は、粘着剤コーティングされた新しい表面を有しており、捕虫装置１２１０での効率的かつ効果的な虫の誘引と捕獲が持続的に確保される。
【０１５８】
いくつかの実施形態において、捕虫部分１２１４はベース部分１２１２の前ではなく上に取り付けられているため、一般的な家庭用壁面コンセントに差し込んだときに、壁面からの捕虫装置１２１０の突出が最小限に抑えられ、これによって、家庭環境に対する邪魔を最小限に抑える。いくつかの実施形態において、捕虫装置１２１０は、壁面に取り付けられたとき、捕虫装置１２１０が壁面から突出する全距離によって定義される全体奥行きが、捕虫装置１２１０の全体高さ及び全体幅よりも小さくなるように構成される。
【０１５９】
捕虫装置１２１０の利点は、捕虫部分１２１４内の光の操作であることが理解されよう。いくつかの実施形態において、光の操作は捕虫部分１２１４内でのみ行われる。光の操作には、反射、屈折、偏光、分散及び／又は散乱が含まれてよく、操作可能な素子又は表面（例えば、内面１２２８及び粘着剤１２４０）と係合することにより達成される。いくつかの実施形態において、光の操作により、粘着剤１２４０上に光の均等な分布が形成される。いくつかの実施形態において、光は、粘着剤１２４０の上又は捕虫部分１２１４内に所定のパターンを生成するよう操作され、例えば、均一な分布、高強度のホットスポットを伴う均一な分布、ホットスポットパターン、及び／又はこれらの組み合わせを生成するよう操作される。
【０１６０】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０１６１】
この構成の捕虫装置１２１０は、ベース部分１２１２に取り外し可能に取り付けることができる様々な異なる捕虫部分１２１４に対応することができ、それぞれの捕虫部分１２１４は、特定の種類又は複数の種類の虫を誘引して捕獲するような固有の構成を有する。例えば、捕虫部分１２１４の全体の寸法及び形状、並びに捕虫部分１２１４の前側ハウジング１２１８における開口部１２２０の寸法、形状、位置及び向きは、特定の種類又は複数の種類の飛翔昆虫を誘引して捕獲するような固有の構成を有していてよい。例えば、いくつかの実施形態において、捕虫部分１２１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１２１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１２１４はおよそ、幅２０ｍｍ〜１３０ｍｍ、高さ２０ｍｍ〜１３０ｍｍ、及び奥行き５ｍｍ〜５０ｍｍである。
【０１６２】
いくつかの実施形態において、ベース部分１２１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１２１２は、幅２０ｍｍ〜２００ｍｍ、高さ１０ｍｍ〜１００ｍｍ、及び奥行き１０ｍｍ〜８０ｍｍである。いくつかの実施形態において、ベース部分１２１２は、幅２０ｍｍ〜１３０ｍｍ、高さ１０ｍｍ〜５０ｍｍ、及び奥行き１０ｍｍ〜５０ｍｍである。
【０１６３】
本明細書で提供されるように、開口部１２２０は様々な形状及び／又は寸法であり得る。例えば、開口部１２２０の形状は、円形、正方形、長方形、多角形、及び／又は楕円形であり得る。あるいは、開口部１２２０は、直線、曲線、又は波状の形状又はパターンを有するスロット形状であり得る。開口部１２２０が円形の場合、開口部１２２０の直径は約０．５ｍｍ〜３０ｍｍであり得る。いくつかの実施形態において、円形開口部１２２０の直径は約０．５ｍｍ〜２０ｍｍである。いくつかの実施形態において、円形開口部１２２０の直径は約０．５ｍｍ〜１５ｍｍである。開口部１２２０がスロット形状の場合、開口部１２２０はおよそ、幅２ｍｍ〜３０ｍｍ、長さ５ｍｍ〜５００ｍｍであり得る。いくつかの実施形態において、スロット形状開口部１２２０はおよそ、幅２ｍｍ〜２０ｍｍ、長さ５ｍｍ〜２００ｍｍである。いくつかの実施形態において、スロット形状開口部１２２０はおよそ、幅２ｍｍ〜１５ｍｍ、長さ５ｍｍ〜１００ｍｍである。
【０１６４】
いくつかの実施形態において、開口部１２２０は前側ハウジング１２１８の全部又は一部を占める。例えば、開口部１２２０は、前側ハウジング１２１８の表面積の約１％〜７５％の範囲を占めていてもよい。いくつかの実施形態において、開口部１２２０は、前側ハウジング１２１８の表面積の約５％〜５０％を占める。いくつかの実施形態において、開口部１２２０は、前側ハウジング１２１８の表面積の約１０％〜３０％を占める。
【０１６５】
図３９は、捕虫装置の第１３の実施形態の正面斜視図であり、この捕虫装置全体は１３１０で示されている。捕虫装置１３１０は、ベース部分１３１２と取り外し可能な捕虫部分１３１４と、を含む。捕虫部分１３１４は、この図で、部分的に切り取られ、かつベース部分１３１２から部分的に取り外された状態で示されている。捕虫装置１３１０は、全体長さ、全体幅、及び全体奥行きを有していてよく、また、捕虫装置１３１０が壁面に取り付けられたとき、捕虫装置１３１０が壁面から突出する全距離によって定義される全体奥行きが、これら３つの全体寸法のうちで最小となるようになるように構成されてよい。ベース部分１３１２の前面１３４６は、スイッチ１３１６を含み得、スイッチ１３１６は、ユーザーの所望に応じて、スイッチ１３１６の開閉により捕虫装置１３１０の電源を入れたり、切ったりすることができるように構成可能である。あるいは、スイッチ１３１６は他の機能を制御するように構成されていてもよく、例えば光の強さ、光の波長の組み合わせ、光の点滅モード又は点滅頻度の違い、部屋が暗くなったときに捕虫装置１３１０の電源が入る自動設定、あるいはリモートコントロール設定が挙げられる。スイッチ１３１６は手動で操作されてもよいが、スイッチ１３１６は電気的、光学的、電子機械的、電子光学的、又はスイッチ１３１６を開閉するための任意の他の方法により操作されてもよい。ベース部分１３１２の背面１３５０（図４０に図示）から突出しているのは、複数の導電性プロング１３２２であり、導電性プロング１３２２を標準の家庭用壁面電気コンセントに差し込むことにより、捕虫装置１３１０を壁面に取り付けて捕虫装置１３１０に電力を供給するよう適合されている。あるいは、導電性プロング１３２２は、導電性プロング１３２２が水平方向を向いた壁面電気コンセントに差し込まれる場合に、捕虫装置１３１０が直立したままとなり得るように、スイベル式に回転するように適合されていてもよい。あるいは、ベース部分１３１２は、所望の任意の場所に静置又は吊り下げて、ベース部分１３１２内に取り付けられた電池（図示せず）から電力を受け取るように構成されてもよい。電気コンセントと電池が、捕虫装置１３１０に電力を供給するものとして記載されたが、任意の好適な電源を使用することができる。ベース部分１３１２は、上面１３３２と、１つ又は２つ以上の光源１３２４とを含む。光源１３２４は、蛍光灯、白熱灯、ＬＥＤ、又は任意の他の照明技術、又は照明技術の組み合わせを使用することができる。いくつかの実施形態において、光源１３２４はＵＶ光と可視光の両方を発する。いくつかの実施形態において、広範な種類の虫をよりよく誘引するために、１つ又は２つ以上の光源１３２４がＵＶ光を発し、１つ又は２つ以上の光源１３２４が青色光を発する。いくつかの実施形態において、光源１３２４は、日光を模した波長の組み合わせを放射する。いくつかの実施形態において、１つ又は２つ以上の光源１３２４は、蚊及びノミなどの特定の種類の虫をよりよく誘引するために、赤外（ＩＲ）光を発してもよい。いくつかの実施形態において、光源１３２４は、ベース部分１３１２の上面１３３２から少なくとも部分的に突出していてもよい。ベース部分１３１２の上面１３３２には、光源１３２４を受容し得る、少なくとも１つの開口部１３３０があってよい。上面１３３２の外周には、上向きの縁又は突出部１３３４があってよい。捕虫部分１３１４は、前面１３５２に少なくとも１つの開口部１３２０を備えた前側ハウジング１３１８と、内面１３２８を備えた後側ハウジング１３２６とを含む。前側ハウジング１３１８の開口部１３２０は、広範な種類の虫を捕虫装置１３１０に受け入れるように構成してもよいし、あるいは、１種類又は２種類以上の特定の種類の虫を受け入れるように構成してもよい。いくつかの実施形態において、開口部１３２０は、捕虫部分１３１４を取り外して交換するときに、ユーザーの指が開口部１３２０に入ってしまい捕獲された虫又は粘着剤に誤って触れることを防ぐように構成される。いくつかの実施形態において、開口部１３２０は、直径２５ｍｍの球が開口部１３２０を通過できないような寸法及び形状を有し、かつ、直径１ｍｍの球が開口部１３２０のいかなる部分も通過できるような寸法及び形状を有する。開口部１３２０の幅、形状及び向きは、均一であってもよいし、又は、変化していてもよく、また、捕虫部分１３１４が複数の開口部１３２０を有する場合は、それらの幅、形状及び向きは、同一あってもよいし、又は、異なっていてもよい。開口部１３２０は、１種類又は２種類以上の個々の種類の虫又は様々な種類の虫を誘引するように構成することができる。捕虫部分１３１４の前側ハウジング１３１８及び後側ハウジング１３２６は、エンクロージャ１３４４を形成する。後側ハウジング１３２６の内面１３２８は、透明、半透明又は不透明の粘着剤でコーティングされ得る。いくつかの実施形態において、後側ハウジング１３２６の内面１３２８は、粘着剤１３４０の下に反射性コーティング（図示せず）をも有する。あるいは、後側ハウジング１３２６の材料及び表面仕上げは、反射性コーティングなしに、ＵＶ光及び／又は可視光及び／又はＩＲ光を反射及び分散させるように構成され得る。あるいは、粘着剤１３４０は、ＵＶ光及び／又は可視光及び／又はＩＲ光を反射及び分散させるように構成することもできる。また、後側ハウジング１３２６の内面１３２８は、飛翔昆虫（広範な種類の飛翔昆虫が、偏光を感知することが知られている）を更に誘引するため、内面１３２８で反射する光を、日光と同様の配向に偏光し得るような材料から構成されていてもよい。いくつかの実施形態において、前側ハウジング１３１８は、その内面（図示せず）が透明、半透明又は不透明の粘着剤でコーティングされてよく、これにより付加的な捕虫効果及び能力が提供される。前側ハウジング１３１８は更に内面の粘着剤コーティングの下に反射性コーティング（図示せず）を有し、これにより、虫の誘引効果を強化し、捕虫効果及び効率を更に向上させてもよい。いくつかの実施形態において、捕虫部分１３１４の前側ハウジング１３１８と後側ハウジング１３２６は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１３１８及び後側ハウジング１３２６は、射出成形又はその他の好適な製造法により構築される。いくつかの実施形態において、前側ハウジング１３１８及び後側ハウジング１３２６は、それらが交差又は係合する箇所において、接着剤で互いに接合されているが、これらは、超音波溶接、若しくはＲＦ密封などの他の一般的に使用されているパッケージング組立法、又は任意の他の好適な組立方法により、互いに接合されていてもよい。捕虫部分１３１４の材料は更に、１種類又は２種類以上の虫誘引剤を含み得る。例えば、捕虫部分１３１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１３１０の虫誘引効率を更に向上させ得るにおいをもたらす物質を、含浸させることができる。そのような実施形態において、虫誘引剤は、捕虫部分１３１４に一体化している。あるいは、虫誘引剤は、エンクロージャ１３４４の内面上に、又は前側ハウジング１３１８若しくは後側ハウジング１３２６の開口部を通して、又は前側ハウジング１３１８の前面１３５２上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置１３１０から半径約２メートルにいる虫に感知可能であることが望ましい。いくつかの実施形態において、捕虫部分１３１４は更に、少なくとも１つの透明又は半透明のスリーブ１３３６を含み、このスリーブ１３３６は、捕虫部分１３１４がベース部分１３１２に取り付けられたときに、光源１３２４を受容して保護する。いくつかの実施形態において、スリーブ１３３６の材料及び厚さは、ＵＶ光及び／又は可視光及び／又はＩＲ光のかなりの割合を透過させるよう選択され、例えば、光の６０％超がスリーブ１３３６を透過するよう選択される。
【０１６６】
図４０は、捕虫装置１３１０の断面図である。いくつかの実施形態において、ベース部分１３１２は、コマンドを実行するためのプログラム可能プロセッサ又はチップ（図示せず）を有する回路基板１３４８を含み、これは導電性プロング１３２２（１つのみ図示）、スイッチ１３１６、及び光源１３２４（１つのみ図示）に電気的に接続されている。ただし、見やすくするため、電気的接続は一部しか示されていない。回路基板１３４８は、導電性プロング１３２２から通常の家庭用電流を受け取り、スイッチ１３１６の位置に対して応答し、光源１３２４を点灯させる電力を供給するための電子回路を含み得る。回路基板１３４８は、スイッチ１３１６が閉位置にあるときに、光源１３２４に一定電圧を供給する、全波整流回路又はその他の回路などのエネルギー安定器を含み得るが、一部の種類の虫（蚊を含む）を誘引し得るような変化を真似た点滅光が提供されるように、光源１３２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１３４８は、ＵＶ光及び／又は可視光及び／又はＩＲ光を提供するために、光源１３２４に電力を供給してもよいが、ＵＶ光及び／又は可視光及び／又はＩＲ光の点滅の組み合わせを生み出すために、ＵＶ光を生成する光源１３２４のみ又は可視光を生成する光源１３２４のみ又はＩＲ光を生成する光源１３２４のみに電力を供給するか、あるいは変動電力を供給するように構成してもよい。回路基板１３４８はまた、圧電スピーカ（図示せず）などの発信機又はトランシーバー、又はその他の装置を駆動させるように構成することができ、これらはベース部分１３１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１３１０から約２メートル以内の距離にいる虫に感知可能であることが望ましい。そのような虫誘引性の音は、捕虫装置１３１０から約１メートルを超える距離にいる人間に感知できないものであることが望ましい。また、回路基板１３４８は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１３１２を通して捕虫部分１３１４へと伝達させ得る、電気素子の組み合わせを含んでもよい。あるいは、光源１３２４のうちの１つ又は２つ以上によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分１３１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０１６７】
捕虫部分１３１４は、少なくとも１つの開口部１３３８を含み得る。捕虫部分１３１４のスリーブ１３３６は、スリーブ１３３６の開口端部が開口部１３３８に隣接する状態で、取り付けられてよく、また、スリーブ１３３６は、開口部１３３８に隣接する先細部分１３４２を含んでいてもよく、この先細部分１３４２は、捕虫部分１３１４がベース部分１３１２に取り付けられる際に、光源１３２４をスリーブ１３３６内へとガイドするように構成される。あるいは、捕虫部分１３１４のスリーブ１３３６は不透明な材料でできていてよく、光源１３２４からの光がエンクロージャ１３４４内へと伝わり得るよう、１つ又は２つ以上の開口部（図示せず）を含んでいてもよい。あるいは、スリーブ１３３６は、光源１３２４からエンクロージャ１３４４を通り、前側ハウジング１３１８の開口部１３２０を通って外部へと光が直接伝わっていくことを防ぐため、捕虫部分１３１４の前側ハウジング１３１８に隣接する外面上に不透明コーティング（図示せず）を含んでいてもよい。あるいは、スリーブ１３３６は、光源１３２４を捕虫部分１３１４内にガイドし、光源１３２４が粘着剤１３４０に接触しないよう保護し、光源１３２４からの光がエンクロージャ１３４４に入ることができるような、プラスチック又は金属のワイヤメッシュ（図示せず）、又は任意の構成で構成されていてよい。
【０１６８】
図示されているように、ベース部分１３１２の上面１３３２の縁又は突出部１３３４が、捕虫部分１３１４と係合して、使用中に捕虫部分１３１４を定位置に固定する。しかしながら、捕虫部分１３１４をベース部分１３１２にしっかりと、かつ取り外し可能に取り付けることができるような、任意の他の取り付け形態に置き換えてもよい。捕虫装置１３１０をコンセントから外した際に、捕虫装置１３１０を床、机、テーブル、又は棚の上に直立させて静置できるように、ベース部分１３１２の底面１３５４は、実質的に平坦であるか又は凹状になっていてもよい。あるいは、ベース部分１３１２の底面１３５４は、捕虫装置１３１０をコンセントから外した際に、捕虫装置１３１０を直立させて静置可能とする、２つ以上の突出部（図示せず）又は脚部を有していてもよい。
【０１６９】
捕虫装置１３１０の操作においては、導電性プロング１３２２を壁面電気コンセントに差し込み、スイッチ１３１６を閉位置に動かす。光源１３２４は、光（矢印で示す）を発し、この光は、捕虫部分１３１４のスリーブ１３３６を通って、エンクロージャ１３４４に入り、後側ハウジング１３２６の内面１３２８をコーティングしている粘着剤１３４０上に直接伝わる。いくつかの実施形態において、光はベース部分１３１２において操作されず、捕虫部分１３１４内へ直接発せられる。
【０１７０】
後側ハウジング１３２６の内面１３２８は凹形状を含んでいてもよく、光源１３２４からの光を反射及び分散させて、光がエンクロージャ１３４４を通じて均一に投射され、前側ハウジング１３１８の開口部１３２０を通って出ていくように構成されていてもよいが、後側ハウジング１３２６の内面１３２８は凸状又はサドル形状又は形状の組み合わせを有していてよく、あるいは、より均一に配光するように、畝又はその他の形状を有していてもよい。光は、スリーブ１３３６の光散乱特性によって、後側ハウジング１３２６の内面１３２８上の粘着剤１３４０によって、又はこれら２つの組み合わせによって、更に均一に配光され得る。
【０１７１】
その後、エンクロージャ１３４４に入る光の一部は、続いて、前側ハウジング１３１８の開口部１３２０を通って、捕虫装置１３１０が設置されている周辺領域に放たれる。虫は、前側ハウジング１３１８の開口部１３２０を通って伝わってくる光に誘引され、開口部１３２０から粘着剤１３４０上へと飛んでいくか、又は這っていき、そこで捕獲される。ユーザーは、前側ハウジング１３１８の開口部１３２０を通して見ることにより、捕獲された虫を確認できる。十分な数の虫が捕獲されると、ユーザーは、捕獲された虫、虫の破片又は粘着剤（これらは捕虫部分１３１４内の届かないところに留まる）に触れることなく、捕虫部分１３１４全体を容易に取り外して捨て、新しい捕虫部分１３１４に交換することができる。新しい捕虫部分１３１４は、粘着剤コーティングされた新しい表面を有しており、捕虫装置１３１０での効率的かつ効果的な虫の誘引と捕獲が持続的に確保される。スリーブ１３３６により、光源１３２４は、虫、虫の破片、及び粘着剤１３４０に触れないよう保護されているため、光源１３２４は清潔に保たれ、光生成効率を維持する。
【０１７２】
いくつかの実施形態において、捕虫部分１３１４はベース部分１３１２の前ではなく上に取り付けられているため、一般的な家庭用壁面コンセントに差し込んだときに、壁面からの捕虫装置１３１０の突出が最小限に抑えられ、これによって、家庭環境に対する邪魔を最小限に抑える。いくつかの実施形態において、捕虫装置１３１０は、壁面に取り付けられたとき、捕虫装置１３１０が壁面から突出する全距離によって定義される全体奥行きが、捕虫装置１３１０の全体高さ及び全体幅よりも小さくなるように構成される。
【０１７３】
捕虫装置１３１０の利点は、捕虫部分１３１４内の光の操作であることが理解されよう。いくつかの実施形態において、光の操作は捕虫部分１３１４内でのみ行われる。光の操作には、反射、屈折、偏光、分散及び／又は散乱が含まれてよく、操作可能な素子又は表面（例えば、内面１３２８及び粘着剤１３４０）と係合することにより達成される。いくつかの実施形態において、光の操作により、粘着剤１３４０上に光の均等な分布が形成される。いくつかの実施形態において、光は、粘着剤１３４０の上又は捕虫部分１３１４内に所定のパターンを生成するよう操作され、例えば、均一な分布、高強度のホットスポットを伴う均一な分布、ホットスポットパターン、及び／又はこれらの組み合わせを生成するよう操作される。
【０１７４】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０１７５】
この構成の捕虫装置１３１０は、ベース部分１３１２に取り外し可能に取り付けることができる様々な異なる捕虫部分１３１４に対応することができ、それぞれの捕虫部分１３１４は、特定の種類又は複数の種類の虫を誘引して捕獲するような固有の構成を有する。例えば、捕虫部分１３１４の全体の寸法及び形状、並びに捕虫部分１３１４の前側ハウジング１３１８における開口部１３２０の寸法、形状、位置及び向きは、特定の種類又は複数の種類の飛翔昆虫を誘引して捕獲するような固有の構成を有していてよい。例えば、いくつかの実施形態において、捕虫部分１３１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１３１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１３１４はおよそ、幅２０ｍｍ〜１３０ｍｍ、高さ２０ｍｍ〜１３０ｍｍ、及び奥行き５ｍｍ〜５０ｍｍである。
【０１７６】
いくつかの実施形態において、ベース部分１３１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１３１２は、幅２０ｍｍ〜２００ｍｍ、高さ１０ｍｍ〜１００ｍｍ、及び奥行き１０ｍｍ〜８０ｍｍである。いくつかの実施形態において、ベース部分１３１２は、幅２０ｍｍ〜１３０ｍｍ、高さ１０ｍｍ〜５０ｍｍ、及び奥行き１０ｍｍ〜５０ｍｍである。
【０１７７】
本明細書で提供されるように、開口部１３２０は様々な形状及び／又は寸法であり得る。例えば、開口部１３２０の形状は、円形、正方形、長方形、多角形、及び／又は楕円形であり得る。あるいは、開口部１３２０は、直線、曲線、又は波状の形状又はパターンを有するスロット形状であり得る。開口部１３２０が円形の場合、開口部１３２０の直径は約０．５ｍｍ〜３０ｍｍであり得る。いくつかの実施形態において、円形開口部１３２０の直径は約０．５ｍｍ〜２０ｍｍである。いくつかの実施形態において、円形開口部１３２０の直径は約０．５ｍｍ〜１５ｍｍである。開口部１３２０がスロット形状の場合、開口部１３２０はおよそ、幅２ｍｍ〜３０ｍｍ、長さ５ｍｍ〜５００ｍｍであり得る。いくつかの実施形態において、スロット形状開口部１３２０はおよそ、幅２ｍｍ〜２０ｍｍ、長さ５ｍｍ〜２００ｍｍである。いくつかの実施形態において、スロット形状開口部１３２０はおよそ、幅２ｍｍ〜１５ｍｍ、長さ５ｍｍ〜１００ｍｍである。
【０１７８】
いくつかの実施形態において、開口部１３２０は前側ハウジング１３１８の全部又は一部を占める。例えば、開口部１３２０は、前側ハウジング１３１８の表面積の約１％〜７５％の範囲を占めていてもよい。いくつかの実施形態において、開口部１３２０は、前側ハウジング１３１８の表面積の約５％〜５０％を占める。いくつかの実施形態において、開口部１３２０は、前側ハウジング１３１８の表面積の約１０％〜３０％を占める。
【０１７９】
図４１は捕虫装置の第１３の実施形態の一例の正面斜視図であり、図４２は背面斜視図であり、この捕虫装置全体は１３１０Ａで示されている。捕虫装置１３１０Ａは、ベース部分１３１２Ａと、取り外し可能な捕虫部分１３１４Ａとを含む。図４１では、ベース部分１３１２Ａは、部分的に切り取られて示されている。図４１及び図４２において、捕虫部分１３１４Ａは、ベース部分１３１２Ａから部分的に取り外した状態で示されている。ベース部分１３１２Ａは、１つ又は２つ以上の光源１３２４Ａと、捕虫部分１３１４Ａがベース部分１３１２Ａに取り付けられた際に、捕虫部分１３１４Ａを受容し、捕虫部分１３１４Ａを定位置にガイドするように適合された、１つ又は２つ以上の側方チャネル１３５８Ａを備える、ハウジング１３５６Ａと、を含む。捕虫部分１３１４Ａは、フレーム１３６０Ａと、前面１３６４Ａが捕虫用粘着剤でコーティングされた膜１３６２Ａと、を含む。フレーム１３６０Ａは、タブ１３６６Ａと、少なくとも１つの開口部１３６８Ａと、を含む。タブ１３６６Ａは、捕虫部分１３１４Ａがベース部分１３１２Ａに取り付けられた際、ハウジング１３５６Ａの上方に突出するように構成される。膜１３６２Ａは、膜１３６２Ａの前面１３６４Ａがフレーム１３６０Ａ内で凹むように、フレーム１３６０Ａに取り付けられ、粘着剤のコーティングは、フレーム１３６０Ａにおける開口部１３６８Ａを通して露出している。図示されているように、フレーム１３６０Ａは、膜１３６２Ａの周囲全体を取り囲んでいるが、フレーム１３６０Ａは、膜１３６２Ａの周囲の一部分（例えば、１辺、２辺、又は３辺）のみを取り囲んでいてもよい。膜１３６２Ａは、紙、板紙、又はプラスチックなどの不透明又は半透明の材料から構成されていてもよい。フレーム１３６０Ａは、様々な厚みのものであってよく、また、段ボール紙、発泡ポリスチレン、及び板紙などの各種シート材料で、並びに成型又は熱成形したプラスチックから作製されていてもよい。捕虫部分１３１４Ａは、タブ１３６６Ａをつかんで持ち上げることにより、ベース部分１３１２Ａから取り外し得る。捕虫部分１３１４Ａは、タブ１３６６Ａをつかんで、捕虫部分１３１４Ａを側方チャネル１３５８Ａ内に差し込み、捕虫部分１３１４Ａを定位置へと下げることによって、ベース部分１３１２Ａに取り付けられる。フレーム１３６０Ａ及び膜１３６２Ａは、ユーザーが粘着剤又は死んだ虫に触れることなく、捕虫部分を取り外して交換できるように構成される。
【０１８０】
ユーザーが粘着剤に触れたり、死んだ虫を見たり、触れたりしないで済むような様々な構成が想定されている。図４３は捕虫装置の第１３の実施形態の一例の正面斜視図であり、図４４は背面斜視図であり、この捕虫装置全体は１３１０Ｂで示されている。捕虫装置１３１０Ｂは、ベース部分１３１２Ｂと、取り外し可能な捕虫部分１３１４Ｂとを含む。この図では、捕虫部分１３１４Ｂは、ベース部分１３１２Ｂから部分的に取り外した状態で示されている。ベース部分１３１２Ｂは、１つ又は２つ以上の側方チャネル１３５８Ｂを備えるハウジング１３５６Ｂを含む。捕虫部分１３１４Ｂは、フレーム１３６０Ｂと、前面１３６４Ｂが捕虫用粘着剤でコーティングされた膜１３６２Ｂと、可撓性ウェブ１３７２Ｂ及びカバー部分１３７４Ｂを備えるカバー１３７０Ｂと、を含む。フレーム１３６０Ｂは、タブ１３６６Ｂと、少なくとも１つの開口部１３６８Ｂと、を含む。膜１３６２Ｂは、膜１３６２Ｂの前面１３６４Ｂがフレーム１３６０Ｂ内で凹むように、フレーム１３６０Ｂに取り付けられ、粘着剤のコーティングは、フレーム１３６０Ｂにおける開口部１３６８Ｂを通して露出している。図示されているように、フレーム１３６０Ｂは、膜１３６２Ｂの周囲全体を取り囲んでいるが、フレーム１３６０Ｂは、膜１３６２Ｂの周囲の一部分（例えば、１辺、２辺、又は３辺）のみを取り囲んでいてもよい。カバー１３７０Ｂのウェブ１３７２Ｂは、フレーム１３６０Ｂのタブ１３６６Ｂに取り付けられ、かつヒンジとして機能するように構成されており、これにより、カバー１３７０Ｂが開位置（図の状態）にあるときは、カバー部分１３７４Ｂをフレーム１３６０Ｂ及び膜１３６２Ｂの後ろ側に折り曲げることができ、また、カバー１３７０Ｂが閉位置にあるときには、カバー部分１３７４Ｂを、フレーム１３６０Ｂの上に折り曲げることができるようになっている。ウェブ１３７２Ｂは、フレーム１３６０Ｂの頂部にあるタブ１３６６Ｂに取り付けられ、かつカバー部分１３７４Ｂは、捕虫部分１３１４Ｂの下部（例えば、ウェブ１３７２Ｂが取り付けられている箇所とは反対側）から開くように図示されているが、ウェブ１３７２Ｂは、フレーム１３６０Ｂの外周のどの箇所に取り付けられてもよいし、カバー部分１３７４Ｂは、フレーム１３６０Ｂの外周のどの箇所から開いてもよい。図４３及び図４４では、カバー部分１３７４Ｂは、フレーム１３６０Ｂの後ろ側に折り曲げられて図示されている（例えば、開位置にある）。側方チャネル１３５８Ｂは、捕虫部分１３１４Ｂがベース部分１３１２Ｂに取り付けられる際に、（例えば、開位置において）カバー部分１３７４Ｂをフレーム１３６０Ｂ及び膜１３６２Ｂの後ろ側に折り曲げた状態で、捕虫部分１３１４Ｂを受容し、捕虫部分１３１４Ｂを定位置にガイドするように適合されていてよい。膜１３６２Ｂは、紙、板紙、又はプラスチックなどの不透明又は半透明の材料から作製されていてもよい。フレーム１３６０Ｂは、段ボール紙、発泡ポリスチレン、及び板紙などの各種シート材料で、並びに成型又は熱成形したプラスチックから作製されていてもよい。カバー部分１３７４Ｂは、熱成形プラスチックシート、成型プラスチック、成形した板紙、又は成形した紙パルプなどの、様々な材料及びプロセスで作製されていてよい。
【０１８１】
図４５は、捕虫部分１３１４Ｂの正面斜視図である。図示されているように、捕虫部分１３１４Ｂには、数匹の虫が、膜１３６２Ｂの前面１３６４Ｂ上の粘着剤コーティングに貼り付いて、捕獲されており、また、捕虫部分１３１４Ｂは、ベース部分１３１２Ｂから取り外され、カバー部分１３７４Ｂは、部分的に閉位置にある状態で図示されている。いくつかの実施形態において、カバー部分１３７４Ｂは、フレーム１３６０Ｂの外周と係合する、畝、隆起部、又はリップなどの１つ又は２つ以上の機構（図示せず）を含んでいてもよく、フレーム１３６０Ｂは、凹部（図示せず）などの対応する機構を有していてよい。これにより、カバー部分１３７４Ｂが閉位置にあるときには、カバー部分１３７４Ｂがフレーム１３６０Ｂにしっかりと、かつ取り外し可能に固定され、また、カバー部分１３７４Ｂが開位置において、後ろに折り曲げられているときは、カバー部分１３７４Ｂがフレーム１３６０Ｂ及び／又は膜１３６２Ｂにしっかりと、かつ取り外し可能に固定される。また、いくつかの実施形態において、カバー部分１３７４Ｂ及びフレーム１３６０Ｂは、カバー部分１３７４Ｂを容易に開閉可能とするような、タブ又は凹部などの１つ又は２つ以上の形状（図示せず）を含んでいてもよい。
【０１８２】
図４３及び図４４を再び参照すると、捕虫部分１３１４Ｂは、タブ１３６６Ｂをつかんで持ち上げることにより、ベース部分１３１２Ｂから取り外し得る。続いて、カバー部分１３７４Ｂを、フレーム１３６０Ｂの上へと折り曲げて閉位置とすることができ、これにより、フレーム１３６０Ｂ及び膜１３６２Ｂの前面１３６４Ｂを覆い、捕虫部分１３１４Ｂの廃棄の際に、ユーザーが死んだ虫を見たり、触れたりすることのないようにする。新しい捕虫部分１３１４Ｂを設置するためには、カバー部分１３７４Ｂを折り曲げて開位置とし、タブ１３６６Ｂをつかんで、捕虫部分１３１４Ｂを側方チャネル１３５８Ｂ内に差し込み、捕虫部分１３１４Ｂを定位置に下げることによって、捕虫部分１３１４Ｂをベース部分１３１２Ｂに取り付ける。取り外し可能な捕虫部分を取り外して交換する際に、粘着剤が触れたり、死んだ虫を見たり、触れたりすることからユーザーを更に保護することが望ましい場合もある。図４６は、捕虫装置の第１３の実施形態の一例の正面斜視図であり、この捕虫装置全体は１３１０Ｃで示されている。捕虫装置１３１０Ｃは、ベース部分１３１２Ｃと、取り外し可能な捕虫部分１３１４Ｃとを含む。ベース部分は部分的に切り取って示されており、捕虫部分１３１４Ｃは、ベース部分１３１２Ｃから取り外された状態で示されている。ベース部分１３１２Ｃは、１つ又は２つ以上の光源１３２４Ｃと、捕虫部分１３１４Ｃがベース部分１３１２Ｃに取り付けられた際に、捕虫部分１３１４Ｃを受容し、捕虫部分１３１４Ｃを定位置にガイドするように適合された、１つ又は２つ以上の側方チャネル１３５８Ｃ（１つのみ図示）を備える、ハウジング１３５６Ｃと、を含む。
【０１８３】
図４７は、捕虫部分１３１４Ｃの正面斜視図である。捕虫部分１３１４Ｃはこの図で部分的に切り取って示されている。捕虫部分１３１４Ｃは、開口部１３６８Ｃを備える前板１３７０Ｃと、開口部１３７４Ｃを備える前側スペーサ１３７２Ｃと、凹部１３７８Ｃ（１つのみ図示）を備えるコア１３７６Ｃと、前面１３６４Ｃが捕虫用粘着剤でコーティングされた膜１３６２Ｃと、開口部１３８２Ｃを備える後側スペーサ１３８０Ｃと、背板１３８４Ｃと、シェード１３８６Ｃと、円筒状ピン１３８８Ｃと、を含む。シェード１３８６Ｃは、前板１３７０Ｃ、コア１３７６Ｃ、及び前側スペーサ１３７２Ｃの開口部１３７４Ｃで境界付けられる空間、並びに、膜１３６２Ｃ、背板１３８４Ｃ、及び後側スペーサ１３８０Ｃの開口部１３８２Ｃで境界付けられる空間において、ピン１３８８Ｃ上で自由に移動するように構成される。コア１３７６Ｃの凹部１３７８Ｃにより、ピン１３８８Ｃは定位置に保持され、かつ自由に回転可能となっている。シェード１３８６Ｃは、ノブ１３９０Ｃを含み、このノブ１３９０Ｃは、捕虫部分１３１４Ｃがベース部分１３１２Ｃに取り付けられたときには、ハウジング１３５６Ｃ（この図では図示せず）と係合して、シェード１３８６Ｃを持ち上げることによって、膜１３６２Ｃの前面１３６４Ｃ上の捕虫用粘着剤を露出させ、捕虫部分１３１４Ｃがベース部分１３１２Ｃから取り外されるときには、シェード１３８６Ｃが下がって、粘着剤が覆われるように構成され、また、ユーザーが手動でシェード１３８６Ｃを上げ下げすることも可能となっている。シェード１３８６Ｃは、じゃばら扉（例えば、巻き込み戸机のカバーと同様の様式のもの）として動作するように構成される。また、ノブ１３９０Ｃは、前板１３７０Ｃにおける開口部１３６８Ｃの上縁部より上方にシェード１３８６Ｃが持ち上げられることを防ぐとともに、前板１３７０Ｃの開口部１３６８Ｃの下縁部より下方にシェード１３８６Ｃが下がることも防ぐ。前板１３７０Ｃ、前側スペーサ１３７２Ｃ、コア１３７６Ｃ、膜１３６２Ｃ、後側スペーサ１３８０Ｃ、及び背板１３８４Ｃは、プラスチックシート、成型プラスチック、段ボール紙、板紙、又は発泡プラスチックなどの様々な材料から作製されてよく、接着剤、ステープル処理、超音波溶接、及び高周波溶接などの様々な製造手法を用いて、互いに重ねて組み合わせた層構成としてもよい。シェード１３８６Ｃは、プラスチックシート、成型したプラスチック及び紙などの様々な材料から作製されてよい。いくつかの実施形態において、シェード１３８６Ｃは、可撓性を高めるための横断方向の刻み目の連なりを含んでいてよい。ピン１３８８Ｃは、旋盤加工した木材、成型プラスチック、又は金属から作製されていてもよい。ハウジング１３５６Ｃは、熱成形プラスチックシート、成型プラスチック、及び成型紙パルプなどの様々な材料で作製されてよい。
【０１８４】
図４８は、捕虫装置１３１０Ｃの断面図であり、図４９は図４８の一部の拡大図である。これらの図では、捕虫部分１３１４Ｃは、ベース部分１３１２Ｃから持ち上げられた状態で示されている。ハウジング１３５６Ｃは、リップ１３９２Ｃを含む。ノブ１３９０Ｃは、前板１３７０Ｃの下方に突出しており、上側傾斜面１３９４Ｃと、下側傾斜面１３９６Ｃと、を含む。ノブ１３９０Ｃの下側傾斜面１３９６Ｃは、捕虫部分１３１４Ｃがベース部分１３１２Ｃ上へと下げられた際、ハウジング１３５６Ｃのリップ１３９２Ｃと係合するように構成されている。捕虫部分１３１４Ｃが、ベース部分１３１２Ｃ上の定位置へと下げられる際、ノブ１３９０Ｃが前板１３７０Ｃの開口部１３６８Ｃの上縁部にまで達すると（例えば、シェード１３８６Ｃが十分に開き、捕虫用粘着剤が露出すると）、ハウジング１３５６Ｃのリップ１３９２Ｃが撓んで、ノブ１３９０Ｃを通過させる。ノブ１３９０Ｃの上側傾斜面１３９４Ｃは、捕虫部分１３１４Ｃがベース部分１３１２Ｃから持ち上げられる際、ハウジング１３５６Ｃのリップ１３９２Ｃと係合するように構成されている。捕虫部分１３１４Ｃが、ベース部分１３１２Ｃから取り外される際、ノブ１３９０Ｃが前板１３７０Ｃの開口部１３６８Ｃの下縁部にまで達すると（例えば、シェード１３８６Ｃが十分に閉じると）、ハウジング１３５６Ｃのリップ１３９２Ｃが撓んで、ノブ１３９０Ｃを通過させる。したがって、捕虫部分１３１４Ｃのシェード１３８６Ｃは、捕虫部分１３１４Ｃがベース部分１３１２Ｃに取り付けられるときには、自動的に開き、また、捕虫部分１３１４Ｃがベース部分１３１２Ｃから取り外されるときには、自動的に閉じるため、捕虫部分１３１４Ｃを取り外して、交換する間に、ユーザーが捕虫用粘着剤に触れたり、死んだ虫を見たり、触ったりすることが防がれる。
【０１８５】
取り外し可能な捕虫部分を取り外して交換する際に、粘着剤が触れたり、死んだ虫を見たり、触れたりすることからユーザーが自動的に保護されるような様々な構成が想定されている。図５０は、捕虫部分の一例の正面斜視図であり、この捕虫装置全体は１３１４Ｄで示されている。図５１は、図５０の一部分の拡大図である。捕虫部分１３１４Ｄはこの図で部分的に切り取って示されている。捕虫部分１３１４Ｄは、開口部１３６８Ｄを備える前板１３７０Ｄと、開口部１３７４Ｄを備えるスペーサ１３７２Ｄと、開口部１３７８Ｄ及びロール用凹部１３８０Ｄを備えるコア１３７６Ｄと、前面１３６４Ｄが捕虫用粘着剤でコーティングされた膜１３６２Ｄと、近位端１３８２Ｄ上にノブ１３９０Ｄを備えるシェード１３８６Ｄと、を含む。図示されているように、捕虫部分１３１４Ｄは層構造であり、膜１３６２Ｄの前面１３６４Ｄが、コア１３７６Ｄの後面（図示せず）に取り付けられ、コア１３７６Ｄの前面が、スペーサ１３７２Ｄの後面（図示せず）に取り付けられ、スペーサ１３７２Ｄの前面が、前板１３７０Ｄの後面（図示せず）に取り付けられ、膜１３６２Ｄ、コア１３７６Ｄ、前側スペーサ１３７２Ｄ、及び前板１３７０Ｄは、捕虫部分１３１４Ｄの外周に沿って位置合わせされるようになっている。膜１３６２Ｄの前面１３６４Ｄ上の虫誘引性の粘着剤コーティングは、コア１３７６Ｄにおける開口部１３７８Ｄ、スペーサ１３７２Ｄにおける開口部１３７４Ｄ、及び前板１３７０Ｄにおける開口部１３６８Ｄを通して露出している。前板１３７０Ｄ、スペーサ１３７２Ｄ、コア１３７６Ｄ、及び膜１３６２Ｄは、プラスチックシート、成型プラスチック、段ボール紙、板紙、及び発泡プラスチックなどの様々な材料から作製されてよく、粘着剤、機械的締結具、及び溶接などの様々な方法にて１つに組み立てられ得る。シェード１３８６Ｄは巻き取られて、ロール端部１３９６Ｄ（１つのみ図示）を備える円筒状ロール部分１３９４Ｄとなり、コア１３７６Ｄのロール用凹部１３８０Ｄ内部に緩く嵌合する遠位端（図示せず）を有する。シェード１３８６Ｄのロール部分１３９４Ｄは、シェード１３８６Ｄの近位端１３８２Ｄが下げられたときに、巻き出され、家庭用の窓用ローラブラインドと同様の動作を行うように構成されている。コア１３７６Ｄの前面、スペーサ１３７２Ｄにおける開口部１３７４Ｄ、及び前板１３７０Ｄの後面（図示せず）により形成されるチャネルにより、シェード１３８６Ｄの巻き出された部分の両辺がガイドされ、かつ、シェード１３８６Ｄの巻き出された部分が実質的に平坦に維持され、これにより、シェード１３８６Ｄの近位端１３８２Ｄが下げられた際に、シェードにより、コア１３７６Ｄの開口部１３７８Ｄ、及び膜１３６２Ｄの前面１３６４Ｄ上の粘着剤コーティングが覆われる。シェード１３８６Ｄは、しっかりと巻き取られ、かつ巻き出した際にも実質的に平坦なままとなるように、薄く可撓性のものであり、プラスチックシート、成型したプラスチック及び紙などの様々な材料から作製されてよい。いくつかの実施形態において、シェード１３８６Ｄのロール部分１３９４Ｄは、周りにシェード１３８６Ｄの遠位端を巻きつけるための中実形状（solid form）を��供し、ロール部分１３９４Ｄに剛性を付与する中心シャフト（図示せず）を有していてもよい。いくつかの実施形態において、この中心シャフト（図示せず）は、ロール部分１３９４Ｄのロール端部１３９６Ｄを超えて延びる両端を有し、ロール用凹部１３８０Ｄの両端にある凹部（図示せず）内で自由に回転してもよく、これにより、シェード１３８６Ｄのロール部分１３９４Ｄが、より明確に位置決めされるとともに、シェード１３８６Ｄが巻き出される際の摩擦が減少する。いくつかの実施形態において、コア１３７６Ｄの内部又は中心シャフト（図示せず）内部のばね機構（図示せず）により、近位端１３８２Ｄが持ち上げられる際に、シェード１３８６Ｄの巻き出された部分を再度巻き取るためのねじり力を付与してもよく、また、巻き出された部分を実質的に平坦に保ちやすくするための張力を付与してもよい。
【０１８６】
捕虫装置１３１０Ｄの使用時には捕虫用粘着剤を露出させ、捕虫部分１３１４Ｃを取り外して交換する際には、粘着剤及び死んだ虫を覆い隠す他の構成も想定されている。いくつかの実施形態において、前板１３７０Ｄにおける開口部１３６８Ｄの前方に位置し、一体となって開閉するように構成された枢動スラットのアレイ（図示せず）によって、シェード１３８６Ｄを置き換えてもよい。
【０１８７】
図５２は、捕虫装置１３１０Ｄの断面図であり、図５３は図５２の一部の拡大図である。捕虫装置１３１０Ｄは、取り外し可能な捕虫部分１３１４Ｄと、ハウジング１３５６Ｄを備えるベース部分１３１２Ｄと、を含む。この図では、捕虫部分１３１４Ｄは、ベース部分１３１２Ｄから部分的に取り外した状態で示されている。シェード１３８６Ｄのノブ１３９０Ｄは、ハウジング１３５６Ｄと係合し、シェード１３８６Ｄの近位端１３８２Ｄを下げるように構成され、これにより、捕虫部分１３１４Ｄがベース部分１３１２Ｄから取り外されたとき、虫誘引性の粘着剤、及び粘着剤上に捕獲されて死んだ虫を覆い隠す。また、ノブ１３９０Ｄは、シェード１３８６Ｄが前板１３７０Ｄの開口部１３６８Ｄの下縁部より下方に下がってしまうことを防ぐ。また、いくつかの実施形態において、ノブ１３９０Ｄは、ハウジング１３５６Ｄと係合し、シェード１３８６Ｄの近位端１３８２Ｄを持ち上げるように構成されてもよく、これにより、捕虫部分１３１４Ｄがベース部分１３１２Ｄに取り付けられたとき、粘着剤を露出させるとともに、シェード１３８６Ｄが前板１３７０Ｄの開口部１３６８Ｄの上縁部より下方に持ち上げられることを防ぐ。したがって、捕虫部分１３１４Ｄのシェード１３８６Ｄは、捕虫部分１３１４Ｄがベース部分１３１２Ｄから取り外されるときには、自動的に閉じるため、捕虫部分１３１４Ｄを取り外して、交換する間に、ユーザーが捕虫用粘着剤に触れたり、死んだ虫を見たり、触ったりすることが防がれる。
【０１８８】
図５４は捕虫装置の第１３の実施形態の一例の正面斜視図であり、図５５は背面斜視図であり、この捕虫装置全体は１３１０Ｅで示されている。捕虫装置１３１０Ｅは、ベース部分１３１２Ｅと、取り外し可能な捕虫部分１３１４Ｅとを含む。捕虫部分１３１４Ｅは、ベース部分１３１２Ｅから部分的に取り外した状態で示されている。ベース部分１３１２Ｅは、少なくとも１つの開口部１３１８Ｅを備える前側部分１３１６Ｅと、後側部分１３２０Ｅと、前側部分１３１６Ｅと後側部分１３２０Ｅとの間の側方チャネル１３５８Ｅと、背面１３２８Ｅから突出する複数の導電性プロング１３２６Ｅを備える底部１３２２Ｅと、を含む。側方チャネル１３５８Ｅは、捕虫部分１３１４Ｅがベース部分１３１２Ｅに取り付けられたときに、捕虫部分１３１４Ｅを受容し、定位置にガイドするように適合されている。捕虫部分１３１４Ｅは、フレーム１３６０Ｅと、前面１３６４Ｅが捕虫用粘着剤でコーティングされた膜１３６２Ｅと、を含む。フレーム１３６０Ｅは、タブ１３６６Ｅと、少なくとも１つの開口部１３６８Ｅと、を含む。タブ１３６６Ｅは、捕虫部分１３１４Ｅがベース部分１３１２Ｅに取り付けられた際、ハウジング１３５６Ｅの上方に突出するように構成される。膜１３６２Ｅは、膜１３６２Ｅの前面１３６４Ｅがフレーム１３６０Ｅ内で凹むように、フレーム１３６０Ｅに取り付けられ、粘着剤のコーティングは、フレーム１３６０Ｅにおける開口部１３６８Ｅを通して露出している。図示されているように、フレーム１３６０Ｅは、膜１３６２Ｅの周囲全体を取り囲んでいるが、フレーム１３６０Ｅは、膜１３６２Ｅの周囲の一部分（例えば、１辺、２辺、又は３辺）のみを取り囲んでいてもよい。膜１３６２Ｅは、紙、板紙、又はプラスチックなどの透明又は半透明の材料から構成されていてもよい。フレーム１３６０Ｅは、様々な厚みのものであってよく、また、段ボール紙、発泡ポリスチレン、及び板紙などの各種シート材料で、並びに成型又は熱成形したプラスチックから作製されていてもよい。捕虫部分１３１４Ｅは、タブ１３６６Ｅをつかんで持ち上げることにより、ベース部分１３１２Ｅから取り外し得る。捕虫部分１３１４Ｅは、タブ１３６６Ｅをつかんで、捕虫部分１３１４Ｅを側方チャネル１３５８Ｅ内に差し込み、捕虫部分１３１４Ｅを定位置へと下げることによって、ベース部分１３１２Ｅに取り付けられる。
【０１８９】
図５６は、捕虫装置１３１０Ｅの断面図である。ベース部分１３１２Ｅの底部１３２２Ｅは、開口部１３３０Ｅと、導電性プロング１３２６Ｅ（１つのみ図示）に電気的に接続された回路基板１３３２Ｅと、１つ又は２つ以上のＬＥＤ１３２４Ｅ（１つのみ図示）などの発光素子と、を含む。見やすくするため、電気的接続は一部しか示されていない。回路基板１３３２Ｅは、導電性プロング１３２６Ｅ（１つのみ図示）から通常の家庭用電流を受け取り、ＬＥＤ１３２４Ｅを点灯させる電力を供給するための電子回路を含む。捕虫部分１３１４Ｅは、ベース部分１３１２Ｅの後側部分１３２０Ｅとベース部分１３１２Ｅの前側部分１３１６Ｅとの間で、側方チャネル１３５８Ｅ（この図では図示せず）によって保持される。ベース部分１３１２Ｅの後側部分１３２０Ｅは、ＬＥＤ１３２４Ｅからの光を反射し、捕虫部分１３１４Ｅの膜１３６２Ｅへ向かって方向付けるように構成された内面１３３４Ｅを含む。いくつかの実施形態において、捕虫部分１３１４Ｅがベース部分１３１２Ｅから取り外されたときに、ＬＥＤ１３２４Ｅ及び後側部分１３２０Ｅの内面１３３４Ｅを埃及び虫の破片から保護するため、後側部分１３２０Ｅは、捕虫部分１３１４Ｅがベース部分１３１２Ｅに取り付けられたときに、捕虫部分１３１４Ｅの膜１３６２Ｅに隣接して配置されるウィンドウ（図示せず）を含む。
【０１９０】
捕虫装置１３１０Ｅの操作においては、導電性プロング１３２６Ｅを壁面電気コンセントに差し込む。ＬＥＤ１３２４Ｅは光を放射し、この光は、底部１３２２Ｅの開口部１３３０Ｅを通り、後側部分１３２０Ｅの内面１３３４Ｅ上へ伝わり、捕虫部分１３１４Ｅの膜１３６２Ｅ上へと反射される。ＬＥＤ１３２４Ｅからの光の一部は、膜１３６２Ｅ上に直接放射される。膜１３６２Ｅと前面１３６４Ｅ上の粘着剤を通り抜けた光は、続いて、前側部分１３１６Ｅにおける開口部１３１８Ｅを通って、捕虫装置１３１０Ｅが設置されている領域へと伝わる。虫は、粘着剤と開口部１３１８Ｅとを通って伝わってくる光に誘引され、開口部１３１８Ｅを通って粘着剤上へと飛んでいくか、又は這っていき、そこで捕獲される。ユーザーは、開口部１３１８Ｅを通して見ることにより、捕獲された虫を確認できる。十分な数の虫が捕獲されると、ユーザーは、タブ１３６６Ｅをつかんで、捕虫部分１３１４Ｅを持ち上げてベース部分１３１２Ｅから外すことにより、捕虫部分１３１４Ｅを容易に取り外すことができ、また、捕獲された虫、虫の破片又は粘着剤に触れることなく、使用済みの捕虫部分１３１４Ｅを丸ごと捨てて、新しい捕虫部分１３１４Ｅに交換することができる。新しい捕虫部分１３１４Ｅは、粘着剤コーティングされた新しい表面を有しており、捕虫装置１３１０Ｅでの効率的かつ効果的な虫の誘引と捕獲が持続的に確保される。
【０１９１】
図５７は、捕虫装置の第１３の実施形態の一例の背面斜視図であり、この捕虫装置全体は１３１０Ｆで示されている。捕虫装置１３１０Ｆは、ベース部分１３１２Ｆと、取り外し可能な捕虫部分１３１４Ｆとを含む。ベース部分１３１２Ｆは、少なくとも１つの開口部１３１８Ｆを備える前側部分１３１６Ｆと、後側部分１３２０Ｆと、前側部分１３１６Ｆと後側部分１３２０Ｆとの間の側方チャネル１３５８Ｆと、開口部１３３０Ｆ、１つ又は２つ以上のＬＥＤ１３２４Ｆなどの発光素子、及び背面１３２８Ｆから突出する複数の導電性プロング１３２６Ｆを備える底部１３２２Ｆと、を含む。後側部分１３２０Ｆは、捕虫部分１３１４Ｆがベース部分１３１２Ｆから取り外されるとき、ＬＥＤ１３２４Ｆを埃及び虫の破片から保護するウィンドウ１３３８Ｆを含む。ウィンドウ１３３８Ｆはこの図で部分的に切り取って示されている。ウィンドウ１３３８Ｆの背面上に、背面上に取り付けられる１本又は２本以上の電熱線１３４０Ｆなどの発熱体が取り付けられる。電熱線１３４０Ｆは、電力に応じて熱が生み出されるよう、均一パターンに構成されていてよい。電熱線１３４０Ｆは、複数のバス１３４２Ｆに接続され、これら複数のバス１３４２Ｆは、対応する複数の接続線１３４４Ｆに電気的に接続される。いくつかの実施形態において、接続線１３４４Ｆは、はんだにより、バス１３４２Ｆに電気的に接続される。いくつかの実施形態において、電熱線１３４０Ｆは、均一に間隔を開けたパターンで、ウィンドウ１３３８Ｆの背面に接着されるか、又はその他の方法で固定され、電流に応答した熱を生み出すように構成された抵抗線からなっていてもよい。いくつかの実施形態において、電熱線１３４０Ｆは、ウィンドウ１３３８Ｆの背面に直接塗布された導電性ポリマー又は他の導電性材料からなっていてもよい。いくつかの実施形態において、電熱線１３４０Ｆは、自己補正性導電性ポリマー又は他の自己補正性導電性材料からなっていてもよく、これらの材料は、より高い温度にて内部抵抗が増加し、より高温の領域からより低温の領域に電力を移動させることにより、電熱線１３４０Ｆ及びウィンドウ１３３８Ｆにわたる温度的均一性を向上させる。一部の実施形態では、バス１３４２Ｆは、銅などの高導電性金属からなっていてもよい。いくつかの実施形態において、電熱線１３４０Ｆ及びバス１３４２Ｆは共に導電性ポリマーからなっていてもよい。いくつかの実施形態において、電熱線１３４０Ｆは、透明又は半透明な材料からなっていてもよい。いくつかの実施形態において、電熱線１３４０Ｆは、ウィンドウ１３３８Ｆの背面の両側において電気的に接続され、電流に応じた熱を生み出す、ウィンドウ１３３８Ｆの背面上にある金属酸化物（図示せず）の薄い透明層で置き換えられる。哺乳類の肌の温度及び体温に似せるために、一般に、発生させる熱により、粘着剤の少なくとも一部分の温度をおよそ３０℃〜４５℃、好ましくはおよそ３３℃〜４２℃に上昇させて維持してもよい。いくつかの実施形態において、捕虫装置１３１０Ｆにおいては、熱のみ、又は熱とにおいのみが誘引物として使用され、光源は使用されない。
【０１９２】
側方チャネル１３５８Ｆは、捕虫部分１３１４Ｆがベース部分１３１２Ｆに取り付けられたときに、捕虫部分１３１４Ｆを受容し、定位置にガイドするように適合されている。捕虫部分１３１４Ｆは、フレーム１３６０Ｆと、膜１３６２Ｆと、を含む。フレーム１３６０Ｆは、タブ１３６６Ｆを含み、タブ１３６６Ｆは、捕虫部分１３１４Ｆがベース部分１３１２Ｆに取り付けられた際、ハウジング１３５６Ｆの上方に突出するように構成される。膜１３６２Ｆは、紙、板紙、又はプラスチックなどの透明又は半透明の材料から構成されていてもよい。フレーム１３６０Ｆは、様々な厚みのものであってよく、また、段ボール紙、発泡ポリスチレン、及び板紙などの各種シート材料で、並びに成型又は熱成形したプラスチックから作製されていてもよい。捕虫部分１３１４Ｆは、タブ１３６６Ｆをつかんで持ち上げることにより、ベース部分１３１２Ｆから取り外し得る。捕虫部分１３１４Ｆは、タブ１３６６Ｆをつかんで、捕虫部分１３１４Ｆを側方チャネル１３５８Ｆ内に差し込み、捕虫部分１３１４Ｆを定位置へと下げることによって、ベース部分１３１２Ｆに取り付けられる。
【０１９３】
図５８は、捕虫装置１３１０Ｆの断面図であり、図５９は図５８の一部の拡大図である。ベース部分１３１２Ｆの底部１３２２Ｆは、導電性プロング１３２６Ｆ（一つのみ図示）、ＬＥＤ１３２４Ｆ（１つのみ図示）、及び接続線１３４４Ｆ（１つのみ図示）に電気的に接続された回路基板１３３２Ｆを含む。見やすくするため、電気的接続は一部しか示されていない。回路基板１３３２Ｆは、導電性プロング１３２６Ｆから通常の家庭用電流を受け取り、ＬＥＤ１３２４Ｆを点灯させて発光させるための電力を供給するための電子回路を含み、また、この電力は、接続線１３４４Ｆに供給され、バス１３４２Ｆ（この図では図示せず）に電力を供給し、バス１３４２Ｆは、電熱線１３４０Ｆに電力を供給する。捕虫部分１３１４Ｆは、ベース部分１３１２Ｆの後側部分１３２０Ｆとベース部分１３１２Ｆの前側部分１３１６Ｆとの間で、側方チャネル１３５８Ｆ（この図では図示せず）によって保持される。フレーム１３６０Ｆは、開口部１３６８Ｆを含む。膜１３６２Ｆは、捕虫用粘着剤でコーティングされた前面１３６４Ｆを含む。膜１３６２Ｆは、膜１３６２Ｆの前面１３６４Ｆがフレーム１３６０Ｆ内で凹むように、フレーム１３６０Ｆに取り付けられ、粘着剤のコーティングは、フレーム１３６０Ｆにおける開口部１３６８Ｆを通して露出している。図示されているように、フレーム１３６０Ｆは、膜１３６２Ｆの周囲全体を取り囲んでいるが、フレーム１３６０Ｆは、膜１３６２Ｆの周囲の一部分（例えば、１辺、２辺、又は３辺）のみを取り囲んでいてもよい。ベース部分１３１２Ｆの後側部分１３２０Ｆは、ＬＥＤ１３２４Ｆからの光を反射し、捕虫部分１３１４Ｆの膜１３６２Ｆへ向かって方向付けるように構成された内面１３３４Ｆを含む。
【０１９４】
捕虫装置１３１０Ｆの操作においては、導電性プロング１３２６Ｆが壁面電気コンセントに差し込まれ、ＬＥＤ１３２４Ｆが発光し、電熱線１３４０Ｆが発熱してウィンドウ１３３８Ｆを温めることにより、膜１３６２Ｆが温まり、ひいては粘着剤が温められる。いくつかの実施形態において、回路基板１３３２Ｆは、接続線１３４４Ｆを通る電流を監視して、電熱線１３４０Ｆにかかる電圧を増減させて、電熱線１３４０Ｆの抵抗値における、温度に関連した変化に応答することにより、粘着剤を安定して、均一な温度に温めるように構成される。ＬＥＤ１３２４Ｆからの光は、ベース部分１３１２Ｆの開口部１３３０Ｆを通り、後側部分１３２０Ｆの内面１３３４Ｆ上へ伝わり、捕虫部分１３１４Ｆの膜１３６２Ｆ上へと反射される。ＬＥＤ１３２４Ｆからの光の一部は、膜１３６２Ｆ上に直接放射される。膜１３６２Ｆと前面１３６４Ｆ上の粘着剤を通り抜けた光は、前側部分１３１６Ｆにおける開口部１３１８Ｆを通って、捕虫装置１３１０Ｆが設置されている領域へと伝わる。虫は、粘着剤を通り抜けてきた光と熱に誘引され、開口部１３１８Ｆを通って粘着剤上へと飛んでいくか、又は這っていき、そこで捕獲される。ユーザーは、開口部１３１８Ｆを通して見ることにより、捕獲された虫を確認できる。十分な数の虫が捕獲されると、ユーザーは、タブ１３６６Ｆをつかんで、捕虫部分１３１４Ｆを持ち上げてベース部分１３１２Ｆから外すことにより、捕虫部分１３１４Ｆを容易に取り外すことができ、また、捕獲された虫、虫の破片又は粘着剤に触れることなく、使用済みの捕虫部分１３１４Ｆを丸ごと捨てて、新しい捕虫部分１３１４Ｆに交換することができる。新しい捕虫部分１３１４Ｆは、粘着剤コーティングされた新しい表面を有しており、捕虫装置１３１０Ｆでの効率的かつ効果的な虫の誘引と捕獲が持続的に確保される。
【０１９５】
図６０は、捕虫装置の第１４の実施形態の正面斜視図であり、この捕虫装置全体は１４１０で示されている。捕虫装置１４１０は、ベース部分１４１２と取り外し可能な捕虫部分１４１４と、を含む。捕虫部分１４１４は、この図で、部分的に切り取られ、かつベース部分１４１２から取り外された状態で示されている。捕虫装置１４１０は、全体長さ、全体幅、及び全体奥行きを有していてよく、また、捕虫装置１４１０が壁面に取り付けられたとき、捕虫装置１４１０が壁面から突出する全距離によって定義される全体奥行きが、これら３つの全体寸法のうちで最小となるようになるように構成されてよい。ベース部分１４１２は、上面１４３２と、少なくとも１つの光源１４２４と、少なくとも１つの開口部１４３０とを含み、この開口部を通して光源１４２４が露出している。
【０１９６】
いくつかの実施形態において、光源１４２４は電界発光（ＥＬ）技術を使用しているが、他の照明技術又は照明技術の組み合わせを適合させて使用することもできる。いくつかの実施形態において、光源１４２４はＵＶ光と可視光の両方を発する。いくつかの実施形態において、光源１４２４は、広範な種類の虫をよりよく誘引するために、ＵＶ光と青色光の両方を発する。いくつかの実施形態において、光源１４２４は、日光を模した波長の組み合わせを放射する。いくつかの実施形態において、光源１４２４は、蚊及びノミなどの特定の種類の虫をよりよく誘引するために、赤外（ＩＲ）光を発する。上面１４３２の外周には、上向きの縁又は突出部１４３４があってよい。捕虫部分１４１４は、前面１４１６に少なくとも１つの開口部１４２０を備えた前側ハウジング１４１８と、透明又は半透明の背板１４２６とを含む。前側ハウジング１４１８の開口部１４２０は、広範な種類の虫を捕虫装置１４１０に受け入れるように構成してもよいし、あるいは、１種類又は２種類以上の特定の種類の虫を受け入れるように構成してもよい。いくつかの実施形態において、開口部１４２０は、捕虫部分１４１４を取り外して交換するときに、ユーザーの指が開口部１４２０に入ってしまい捕獲された虫又は粘着剤に誤って触れることを防ぐように構成される。いくつかの実施形態において、開口部１４２０は、直径２５ｍｍの球が開口部１４２０を通過できないような寸法及び形状を有し、かつ、直径１ｍｍの球が開口部１４２０のいかなる部分も通過できるような寸法及び形状を有する。開口部１４２０の幅、形状及び向きは、均一であってもよいし、又は、変化していてもよく、また、捕虫部分１４１４が複数の開口部１４２０を有する場合は、それらの幅、形状及び向きは、同一あってもよいし、又は、異なっていてもよい。開口部１４２０は、１種類又は２種類以上の個々の種類の虫又は様々な種類の虫を誘引するように構成することができる。前側ハウジング１４１８と背板１４２６とが、エンクロージャ１４４４を形成する。図示されているように、背板１４２６は実質的に平らであるが、粘着面の面積を増大させ、かつ明暗コントラスト領域を形成するような、畝又はその他の形状（図示せず）を有していてもよい。明暗コントラスト領域は、広範な種類の虫に対して可視性が高く、それらの虫に対する誘引効果をより高めることができる。
【０１９７】
背板１４２６は前面１４４２を含み、前面１４４２は透明又は半透明の粘着剤１４４０でコーティングされていてよい。また、背板１４２６は、飛翔昆虫（広範な種類の飛翔昆虫が、偏光を感知することが知られている）を更に誘引するため、背板１４２６を透過する光を、日光と同様の配向に偏光するように構成されてもよい。いくつかの実施形態において、前側ハウジング１４１８は、その内面（図示せず）が透明、半透明又は不透明の粘着剤（図示せず）でコーティングされており、これにより付加的な捕虫効果及び能力が提供される。いくつかの実施形態において、前側ハウジング１４１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング１４１８と背板１４２６は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１４１８及び背板１４２６は、射出成形又はその他の好適な製造法により構築される。
【０１９８】
いくつかの実施形態において、前側ハウジング１４１８及び背板１４２６は、それらが交差又は係合する箇所において、接着剤で互いに接合されているが、これらは、超音波溶接、若しくはＲＦ密封などの他の一般的に使用されているパッケージング組立法、又は任意の他の好適な組立方法により、互いに接合されていてもよい。また、捕虫部分１４１４の材料に、１種類又は２種類以上の虫誘引剤を含浸させてもよい。例えば、捕虫部分１４１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１４１０の虫誘引効率を更に向上させ得るにおいをもたらす物質を、含浸させることができる。あるいは、虫誘引剤は、エンクロージャ１４４４の内面上に、又は前側ハウジング１４１８の前面１４１６上に、又は前側ハウジング１４１８若しくは背板１４２６の開口部を通して、取り付けられ得る、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置１４１０から半径約２メートルにいる虫に感知可能であることが望ましい。
【０１９９】
図６１は、捕虫装置１４１０の断面図である。ベース部分１４１２の背面１４２８から突出しているのは、複数の導電性プロング１４２２（１つのみ図示）であり、導電性プロング１４２２を標準の家庭用壁面電気コンセントに差し込むことにより、捕虫装置１４１０を壁面に取り付けて捕虫装置１４１０に電力を供給するよう適合されている。あるいは、導電性プロング１４２２は、導電性プロング１４２２が水平方向を向いた壁面電気コンセントに差し込まれる場合に、捕虫装置１４１０が直立したままとなり得るように、スイベル式に回転するように適合されていてもよい。あるいは、ベース部分１４１２は、所望の任意の場所に静置又は吊り下げて、ベース部分１４１２内に取り付けられた電池（図示せず）から電力を受け取るように構成されてもよい。電気コンセントと電池が、捕虫装置１４１０に電力を供給するものとして記載されたが、任意の好適な電源を使用することができる。いくつかの実施形態において、ベース部分１４１２は、コマンドを実行するためのプログラム可能プロセッサ又はチップ（図示せず）を有する回路基板１４４８を含み、これは導電性プロング１４２２（１つのみ図示）、及び光源１４２４に電気的に接続されている。ただし、見やすくするため、電気的接続は一部しか示されていない。回路基板１４４８は、導電性プロング１４２２から通常の家庭用電流を受け取り、光源１４２４を点灯させる電力を供給するための電子回路を含み得る。回路基板１４４８は、光源１４２４に一定電圧を供給する、全波整流回路又はその他の回路などのエネルギー安定器を含み得るが、一部の種類の虫（蚊を含む）を誘引し得るような変化を真似た点滅光が提供されるように、光源１４２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１４４８は、ＵＶ光及び／又は可視光及び／又はＩＲ光のすべてを提供するために、光源１４２４に電力を供給してもよいが、ＵＶ光及び／又は可視光及び／又はＩＲ光の点滅の組み合わせを生み出すために、ＵＶ光源１４２４のみ又は可視光光源１４２４のみ又はＩＲ光源のみに電力を供給するか、あるいは変動電力を供給するように構成してもよい。回路基板１４４８はまた、圧電スピーカ（図示せず）などの発信機又はトランシーバー、又はその他の装置を駆動させるように構成することができ、これらはベース部分１４１２に取り付けて、虫誘引性の音を発するようにすることができる。いくつかの実施形態において、トランシーバーの発信機は、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１４１０から約２メートル以内の距離にいる虫に感知可能であることが望ましい。そのような虫誘引性の音は、捕虫装置１４１０から約１メートルを超える距離にいる人間に感知できないものであることが望ましい。また、回路基板１４４８は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１４１２を通して捕虫部分１４１４へと伝達させ得る、電気素子の組み合わせを含んでもよい。あるいは、光源１４２４の少なくとも１つによって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分１４１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０２００】
図示されているように、ベース部分１４１２の上面１４３２の縁又は突出部１４３４が、捕虫部分１４１４と係合して、使用中に捕虫部分１４１４を定位置に固定する。しかしながら、捕虫部分１４１４をベース部分１４１２にしっかりと、かつ取り外し可能に取り付けることができるような、任意の他の取り付け形態に置き換えてもよい。捕虫装置１４１０をコンセントから外した際に、捕虫装置１４１０を床、机、テーブル、又は棚の上に直立させて静置できるように、ベース部分１４１２の底面１４４６は、実質的に平坦であるか又は凹状になっていてもよい。あるいは、ベース部分１４１２の底面１４４６は、捕虫装置１４１０をコンセントから外した際に、捕虫装置１４１０を直立させて静置可能とする、２つ以上の突出部（図示せず）又は脚部を有していてもよい。
【０２０１】
捕虫装置１４１０の操作においては、導電性プロング１４２２が、壁面電気コンセントに差し込まれ、回路基板１４４８は、光源１４２４に電流を提供してもよく、光源１４２４が光（矢印で示す）を発し、この光は、背板１４２６に直接伝わり、背板１４２６を通り、前面１４４２上の粘着剤１４４０を通って、エンクロージャ１４４４へと伝わる。いくつかの実施形態において、光はベース部分１４１２において操作されず、捕虫部分１４１４内へ直接発せられる。いくつかの実施形態において、この光は、背板１４２６、又は粘着剤１４４０、又はこれら２つの組み合わせの光散乱特性によって、更に均一に配光される。
【０２０２】
その後、エンクロージャ１４４４に入る光の一部は、続いて、前側ハウジング１４１８の開口部１４２０を通って、捕虫装置１４１０が設置されている周辺領域に放たれる。虫は、粘着剤１４４０と開口部１４２０とを通って伝わってくる光に誘引され、開口部１４２０から粘着剤１４４０上へと飛んでいくか、又は這っていき、そこで捕獲される。ユーザーは、前側ハウジング１４１８の開口部１４２０を通して見ることにより、捕獲された虫を確認できる。十分な数の虫が捕獲されると、ユーザーは、捕獲された虫、虫の破片又は粘着剤（これらは捕虫部分１４１４内の届かないところに留まる）に触れることなく、捕虫部分１４１４全体を容易に取り外して捨て、新しい捕虫部分１４１４に交換することができる。新しい捕虫部分１４１４は、粘着剤コーティングされた新しい表面を有しており、捕虫装置１４１０での効率的かつ効果的な虫の誘引と捕獲が持続的に確保される。
【０２０３】
いくつかの実施形態において、捕虫装置１４１０は、壁面に取り付けられたとき、捕虫装置１４１０が壁面から突出する全距離によって定義される全体奥行きが、捕虫装置１４１０の全体高さ及び全体幅よりも小さくなるように構成される。
【０２０４】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０２０５】
この構成の捕虫装置１４１０は、ベース部分１４１２に取り外し可能に取り付けることができる様々な異なる捕虫部分１４１４に対応することができ、それぞれの捕虫部分１４１４は、特定の種類又は複数の種類の虫を誘引して捕獲するような固有の構成を有する。例えば、捕虫部分１４１４の全体の寸法及び形状、並びに捕虫部分１４１４の前側ハウジング１４１８における開口部１４２０の寸法、形状、位置及び向きは、特定の種類又は複数の種類の飛翔昆虫を誘引して捕獲するような固有の構成を有していてよい。例えば、いくつかの実施形態において、捕虫部分１４１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１４１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１４１４はおよそ、幅２０ｍｍ〜１３０ｍｍ、高さ２０ｍｍ〜１３０ｍｍ、及び奥行き５ｍｍ〜５０ｍｍである。
【０２０６】
いくつかの実施形態において、ベース部分１４１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１４１２は、幅２０ｍｍ〜２００ｍｍ、高さ１０ｍｍ〜１００ｍｍ、及び奥行き１０ｍｍ〜８０ｍｍである。いくつかの実施形態において、ベース部分１４１２は、幅２０ｍｍ〜１３０ｍｍ、高さ１０ｍｍ〜５０ｍｍ、及び奥行き１０ｍｍ〜５０ｍｍである。
【０２０７】
本明細書で提供されるように、開口部１４２０は様々な形状及び／又は寸法であり得る。例えば、開口部１４２０の形状は、円形、正方形、長方形、多角形、及び／又は楕円形であり得る。あるいは、開口部１４２０は、直線、曲線、又は波状の形状又はパターンを有するスロット形状であり得る。開口部１４２０が円形の場合、開口部１４２０の直径は約０．５ｍｍ〜３０ｍｍであり得る。いくつかの実施形態において、円形開口部１４２０の直径は約０．５ｍｍ〜２０ｍｍである。いくつかの実施形態において、円形開口部１４２０の直径は約０．５ｍｍ〜１５ｍｍである。開口部１４２０がスロット形状の場合、開口部１４２０はおよそ、幅２ｍｍ〜３０ｍｍ、長さ５ｍｍ〜５００ｍｍであり得る。いくつかの実施形態において、スロット形状開口部１４２０はおよそ、幅２ｍｍ〜２０ｍｍ、長さ５ｍｍ〜２００ｍｍである。いくつかの実施形態において、スロット形状開口部１４２０はおよそ、幅２ｍｍ〜１５ｍｍ、長さ５ｍｍ〜１００ｍｍである。
【０２０８】
いくつかの実施形態において、開口部１４２０は前側ハウジング１４１８の全部又は一部を占める。例えば、開口部１４２０は、前側ハウジング１４１８の表面積の約１％〜７５％の範囲を占めていてもよい。いくつかの実施形態において、開口部１４２０は、前側ハウジング１４１８の表面積の約５％〜５０％を占める。いくつかの実施形態において、開口部１４２０は、前側ハウジング１４１８の表面積の約１０％〜３０％を占める。
【０２０９】
図６２は、捕虫装置の第１５の実施形態の正面斜視図であり、この捕虫装置全体は１５１０で示されている。捕虫装置１５１０は、ベース部分１５１２と取り外し可能な捕虫部分１５１４と、を含む。捕虫部分１５１４は、この図において、ベース部分１５１２から取り外された状態で示されている。捕虫装置１５１０は、全体長さ、全体幅、及び全体奥行きを有していてよく、また、捕虫装置１５１０が壁面に取り付けられたとき、捕虫装置１５１０が壁面から突出する全距離によって定義される全体奥行きが、これら３つの全体寸法のうちで最小となるようになるように構成されてよい。捕虫部分１５１４は、前面１５１６にタブスロット１５６８と少なくとも１つの開口部１５２０を備えた前側ハウジング１５１８を含む。捕虫部分１５１４は、全体長さ、全体幅、及び全体奥行きを有していてよく、また、捕虫部分１５１４が捕虫装置１５１０に取り付けられ、かつ捕虫装置１５１０が壁面に取り付けられたとき、その壁面に垂直な方向に測定される、捕虫部分１５１４の全体奥行きが、捕虫部分１５１４のこれら３つの全体寸法のうちで最小となるように構成されていてもよい。前側ハウジング１５１８の開口部１５２０は、広範な種類の虫を捕虫装置１５１０に受け入れるように構成してもよいし、あるいは、１種類又は２種類以上の特定の種類の虫を受け入れるように構成してもよい。いくつかの実施形態において、開口部１５２０は、捕虫部分１５１４を取り外して交換するときに、ユーザーの指が開口部１５２０に入ってしまい捕獲された虫又は粘着剤に誤って触れることを防ぐように構成される。いくつかの実施形態において、開口部１５２０は、直径２５ｍｍの球が開口部１５２０を通過できないような寸法及び形状を有し、かつ、直径１ｍｍの球が開口部１５２０のいかなる部分も通過できるような寸法及び形状を有する。開口部１５２０の幅、形状及び向きは、均一であってもよいし、又は、変化していてもよく、また、捕虫部分１５１４が複数の開口部１５２０を有する場合は、それらの幅、形状及び向きは、同一あってもよいし、又は、異なっていてもよい。開口部１５２０は、１種類又は２種類以上の個々の種類の虫又は様々な種類の虫を誘引するように構成することができる。図示されているように、取り外し可能なタブ１５５４の把持端部１５６２が、捕虫部分１５１４の前側ハウジング１５１８のタブスロット１５６８から突出している。ベース部分１５１２の背面１５７２（図６５に図示）から突出しているのは、複数の導電性プロング１５２２であり、導電性プロング１５２２を標準の家庭用壁面電気コンセントに差し込むことにより、捕虫装置１５１０を壁面に取り付けて捕虫装置１５１０に電力を供給するよう適合されている。あるいは、導電性プロング１５２２は、導電性プロング１５２２が水平方向を向いた壁面電気コンセントに差し込まれる場合に、捕虫装置１５１０が直立したままとなり得るように、スイベル式に回転するように適合されていてもよい。あるいは、ベース部分１５１２は、所望の任意の場所に静置又は吊り下げて、ベース部分１５１２内に取り付けられた電池（図示せず）から電力を受け取るように構成されてもよい。電気コンセントと電池が、捕虫装置１５１０に電力を供給するものとして記載されたが、任意の好適な電源を使用することができる。ベース部分１５１２は、上面１５２６と、少なくとも１つのＬＥＤ１５２４とを含む。いくつかの実施形態において、ＬＥＤ１５２４は、紫外（ＵＶ）光を発するＬＥＤを少なくとも１つ、及び可視光を発するＬＥＤを少なくとも１つ含む。いくつかの実施形態において、ＬＥＤ１５２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１５２４は、蚊及びノミなどの特定の種類の虫をよりよく誘引するために、ＩＲ光を発するＬＥＤを少なくとも１つ含む。ベース部分１５１２の上面１５２６には、透明又は半透明のウィンドウ１５２８が取り付けられていてよい（図ではＬＥＤ１５２４を見えるようにするため部分的に切り取られている）。ウィンドウ１５２８により、ＬＥＤ１５２４が埃と虫の破片から保護され、ベース部分１５１２のクリーニングが容易になる。上面１５２６にはスロット１５３０があってよく、上面１５２６の外周には、縁又は上向きの突出部１５３２がある。
【０２１０】
図６３は、捕虫装置１５１０の正面斜視図である。捕虫装置１５１０はこの図で部分的に切り取って示されている。図示されているように、上向きのカップ１５５６が、前側ハウジング１５１８の底部内面１５７０に取り付けられている。カップ１５５６は、その開放端の外周から突出しているリップ１５５８を有し得る。カップ１５５６は、本明細書に記載される任意の虫誘引物質に対するバリヤとして機能する、任意の材料又は材料の組み合わせで構築されていてよい。取り外し可能なタブ１５５４は、密封端部１５６０、及び、把持端部１５６２と密封端部１５６０との間のウェブ１５６４を有していてよく、本明細書に記載される任意の虫誘引物質に対するバリヤとして機能する、任意の可撓性かつ丈夫な材料又は材料の組み合わせで構築されていてよい。図示されているように、密封端部１５６０はカップ１５５６の開放端を覆うよう構成され、接着剤によりリップ１５５８に固着されて気密封止を形成していてよく、これにより、カップ１５５６内の任意の虫誘引物質（図示せず）の新鮮さを維持するとともに、取り外し可能なタブ１５５４を、ユーザーによって取り外されるまで定位置に保持する。ウェブ１５６４は、取り外し可能なタブ１５５４の密封端部１５６０の上で折り返され、前側ハウジング１５１８のタブスロット１５６８へと延びていてよい。取り外し可能なタブ１５５４の把持端部１５６２は、タブスロット１５６８を通って突出し、前側ハウジング１５１８の外側部分上にて下向きに折り曲げられてよい。
【０２１１】
図６４は、捕虫装置１５１０の正面斜視図である。捕虫部分１５１４はこの図で部分的に切り取られて示されており、取り外し可能なタブ１５５４は部分的に取り外された状態で示されている。ユーザーは、取り外し可能なタブ１５５４を把持端部１５６２において掴み、取り外し可能なタブ１５５４を捕虫部分１５１４から引き出すことができ、これにより、カップ１５５６のリップ１５５８と取り外し可能なタブ１５５４の密封端部１５６０との間の封止を破ることができる。カップ１５５６の内側には、１種類又は２種類以上の虫誘引物質を含浸させた担体材料１５６６がある。カップ１５５６の内側の担体材料１５６６は、固体、液体、ゲル、又はこれらの任意の組み合わせであってよい。例えば、担体材料１５６６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置の虫誘引効率を更に向上させ得るにおいをもたらす物質を、含浸させることができる。あるいは、水蒸気は蚊に対する誘引剤として知られていることから、１種類又は２種類以上の虫誘引物質に加えて、又はそれに代えて、担体材料１５６６に水を含浸させてもよい。あるいは、１種類又は２種類以上の虫誘引物質に加えて、又はそれに代えて、糖液、糖蜜、又は蜂蜜などの他の虫誘引剤を、担体材料１５６６に埋め込んでもよい。あるいは、１種類又は２種類以上の虫誘引物質に加えて、又はそれに代えて、蚊を誘引する二酸化炭素を産生し得るように、生酵母、砂糖、及び水を組み合わせて担体材料１５６６に埋め込んでもよい。あるいは、虫誘引物質を、担体材料１５６６なしでカップ１５５６内に収容してもよい。カップ１５５６と取り外し可能なタブ１５５４の密封端部１５６０との間の封止を破ることにより、１種類又は複数種類の虫誘引性のにおいが、前側ハウジング１５１８の開口部１５２０を通って、捕虫装置１５１０が設置されている周辺領域に放出される。そのような誘引剤は、捕虫装置１５１０から半径約２メートルにいる虫に感知可能であることが望ましい。
【０２１２】
図６５は、捕虫装置１５１０の断面図である。この図では、取り外し可能なタブ１５５４（図示せず）が完全に取り外されている。捕虫部分１５１４は、前面１５３８を備えたディバイダ１５３４と、内面１５４２を備えた後側ハウジング１５４０とを含む。いくつかの実施形態において、ディバイダ１５３４は、透明又は半透明の材料から構築されるか、又は透明又は半透明の材料を含み、また、前面１５３８が透明又は半透明の粘着剤１５３６でコーティングされ得る。また、いくつかの実施形態において、ディバイダ１５３４は、飛翔昆虫（広範な種類の飛翔昆虫が、偏光を感知することが知られている）を更に誘引するため、ディバイダ１５３４を透過する光を、日光と同様の配向に偏光するように構成されてもよい。いくつかの実施形態において、ディバイダ１５３４の材料及び厚さと粘着剤１５３６の材料及び厚さは、ＵＶ光及び／又は可視光及び／又はＩＲ光のかなりの割合を透過させるよう選択され、例えば、光の６０％超がディバイダ１５３４と粘着剤１５３６を透過するよう選択される。いくつかの実施形態において、後側ハウジング１５４０の内面１５４２は反射性コーティングを有する。あるいは、後側ハウジング１５４０の材料及び表面仕上げは、反射性コーティングなしに、ＵＶ光及び／又は可視光を反射及び分散させるように構成され得る。後側ハウジング１５４０は、その底面に開口部１５４４を含んでよく、あるいは開口部１５４４は、透明又は半透明のウィンドウ（図示せず）に置き換えられてもよい。
【０２１３】
いくつかの実施形態において、前側ハウジング１５１８と後側ハウジング１５４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１５１８及び後側ハウジング１５４０は、射出成形又はその他の好適な製造法により構築される。図示されているように、ディバイダ１５３４は背面１５５２を有し、また、実質的に平らであってよく、ＬＥＤ１５２４により生成される光の主方向（図示せず）に対して平行又はある角度になるように構成されていてもよい。いくつかの実施形態において、ディバイダ１５３４は、均一に配光するために最適化されるよう、凸状、凹状、又はサドル形状（図示せず）、又は形状の組み合わせに形成されてもよい。いくつかの実施形態において、ディバイダ１５３４は、粘着面の面積を増大させ、かつ明暗コントラスト領域を形成するような、畝又はその他の形状（図示せず）を有していてもよい。明暗コントラスト領域は、広範な種類の虫に対して可視性が高く、それらの虫に対する誘引効果をより高めることができる。
【０２１４】
いくつかの実施形態において、前側ハウジング１５１８は、その内面が透明、半透明又は不透明の粘着剤（図示せず）でコーティングされており、これにより付加的な捕虫効果及び能力が提供される。加えて、前側ハウジング１５１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング１５１８、ディバイダ１５３４及び後側ハウジング１５４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。捕虫部分１５１４（例えば、前側ハウジング１５１８、後側ハウジング１５４０、ディバイダ１５３４及び粘着剤１５３６）の材料にも、１種類又は２種類以上の虫誘引剤を含浸させてよい。ディバイダ１５３４は、捕虫部分１５１４を前側エンクロージャ１５４６と後側エンクロージャ１５４８とに分割している。
【０２１５】
いくつかの実施形態において、ベース部分１５１２は、コマンドを実行するためのプログラム可能プロセッサ又はチップ（図示せず）を有する回路基板１５５０を含み、これは導電性プロング１５２２（１つのみ図示）、及びＬＥＤ１５２４に電気的に接続されている。ただし、見やすくするため、電気的接続は一部しか示されていない。回路基板１５５０は、導電性プロング１５２２から通常の家庭用電流を受け取り、ＬＥＤ１５２４を点灯させる電力を供給するための電子回路を含み得る。回路基板１５５０は、ＬＥＤ１５２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１５２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１５５０は、ＵＶ光及び／又は可視光及び／又はＩＲ光を提供するために、ＬＥＤ１５２４に電力を供給してもよいが、ＵＶ光及び／又は可視光及び／又はＩＲ光の点滅の組み合わせを生み出すために、ＵＶ  ＬＥＤ１５２４のみ又は可視光ＬＥＤ１５２４のみ又はＩＲ  ＬＥＤ１５２４のみに電力を供給するか、あるいは変動電力を供給するように構成してもよい。回路基板１５５０はまた、圧電スピーカ（図示せず）などの発信機又はトランシーバー、又はその他の装置を駆動させるように構成することができ、これらはベース部分１５１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１５１０から約２メートル以内の距離にいる虫に感知可能であることが望ましい。そのような虫誘引性の音は、捕虫装置１５１０から約１メートルを超える距離にいる人間に感知できないものであることが望ましい。また、回路基板１５５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソ��効果を用いて、熱を特定領域に移動させる素子など）、あるいは、熱を発生及び／又は移動させ、この熱を、ベース部分１５１２を通して捕虫部分１５１４へと伝達させ得る、電気素子の組み合わせを含んでもよい。あるいは、ＬＥＤ１５２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１５２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分１５１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。いくつかの実施形態において、捕虫装置１５１０においては、熱のみ、又は熱とにおいのみが誘引物として使用され、光源は使用されない。
【０２１６】
図示されているように、ベース部分１５１２の上面１５２６のスロット１５３０と、ベース部分１５１２の上面１５２６の縁又は突出部１５３２とが、捕虫部分１５１４と係合して、使用中に捕虫部分１５１４を定位置に固定する。しかしながら、捕虫部分１５１４をベース部分１５１２にしっかりと、かつ取り外し可能に取り付けることができるような、任意の他の取り付け形態に置き換えてもよい。捕虫装置１５１０をコンセントから外した際に、捕虫装置１５１０を床、机、テーブル、又は棚の上に直立させて静置できるように、ベース部分１５１２の底面１５７４は、実質的に平坦であるか又は凹状になっていてもよい。あるいは、ベース部分１５１２の底面１５７４は、捕虫装置１５１０をコンセントから外した際に、捕虫装置１５１０を直立させて静置可能とする、２つ以上の突出部（図示せず）又は脚部を有していてもよい。
【０２１７】
捕虫装置１５１０の操作においては、導電性プロング１５２２（１つのみ図示）が壁面電気コンセントに差し込まれ、取り外し可能なタブ１５５４（図示せず）が捕虫部分１５１４から引き抜かれて取り外され、これによってカップ１５５６と取り外し可能なタブ１５５４との間の封止が破られ、担体材料１５６６及び１種類又は複数種類の虫誘引物質が空気に曝されて、１種類又は複数種類の虫誘引性のにおいが捕虫部分１５１４内に放出され、そして、捕虫装置１５１０が設置されている周辺領域に放出される。カップ１５５６、担体材料１５６６及び１種類又は複数種類の虫誘引物質は、捕虫部分１５１４の見込み耐用期間に対応する所定期間にわたって、１種類又は複数種類の虫誘引性のにおいを放出するように構成されていてよく、この期間は例えば１週間、１ヶ月、又は３ヶ月であってよい。あるいは、カップ１５５６、担体材料１５６６及び１種類又は複数種類の虫誘引物質は、捕虫部分１５１４の耐用期間の初期に、ある種類の虫誘引性のにおい又はある一群の虫誘引性のにおいを優先的に放出し、捕虫部分１５１４の耐用期間の後期に、別の種類の虫誘引性のにおい又は別の一群の虫誘引性のにおいを放出して、においの変化により、より多くの虫又はより広範な種類の虫を誘引するように構成してもよいし、あるいは、粘着剤１５３６に多くの虫が捕獲された場合の、捕虫部分１５１４からの光の放射の低減を補うため、捕虫部分１５１４の耐用期間の後期に、より強いにおいを提供するように構成してもよい。あるいは、カップ１５５６及び担体材料１５６６は、虫に対する誘引性を実質的に低減することなく、１種類又は複数種類の虫誘引性のにおいをマスキングし得る、あるいは人間が不快だと感じ得るか又は子供若しくは対象外の動物（ペットなど）を誘引し得るような１種類又は複数種類の虫誘引性のにおいの成分をマスキング又は除去し得るような、追加のにおいを放出するように構成することができる。ＬＥＤ１５２４は、光（矢印で示す）を発し、この光は、ベース部分１５１２のウィンドウ１５２８を通り、捕虫部分１５１４の後側ハウジング１５４０にある開口部１５４４を通って、後側エンクロージャ１５４８に入り、直接、後側ハウジング１５４０の内面１５４２上に、かつディバイダ１５３４の背面１５５２上に、伝わっていく。ＬＥＤ１５２４からの光は、後側ハウジング１５４０の底面における開口部１５４４（例えば、捕虫部分１５１４の全体奥行きに実質的に平行な面にある）を通って、後側エンクロージャ１５４８に入ることから、この光は、後側エンクロージャ１５４８の長さ全体を通過することができるとともに、後側エンクロージャ１５４８の長さ全体にわたって発散することができるため、後側エンクロージャ１５４８全体にわたって、より均一に配光され得る。いくつかの実施形態において、光はベース部分１５１２において操作されず、捕虫部分１５１４内へ直接発せられる。後側ハウジング１５４０の内面１５４２は凹形状を含んでいてもよく、ＬＥＤ１５２４からのＵＶ光及び可視光を反射及び分散させて、ディバイダ１５３４の背面１５５２上に均一に配光するように構成されていてもよいが、後側ハウジング１５４０の内面１５４２は凸状又はサドル形状又は形状の組み合わせを有していてよく、あるいは、より均一に配光するように、畝又はその他の形状（図示せず）を有していてもよい。あるいは、ディバイダ１５３４の背面１５５２上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部１５４４において、若しくはその付近において、後側ハウジング１５４０に取り付けるか、又はウィンドウ１５２８において、若しくはその付近において、ベース部分１５１２に取り付けてよく、また、この光学的エンハンサにより、後側ハウジング１５４０の内面１５４２の役割を置き換えるか、又は増強してもよい。いくつかの実施形態において、ＬＥＤ１５２４からの光は、ディバイダ１５３４の背面１５５２に斜めの角度（例えば、約０°〜９０°の鋭角）で直接当たってよく、ディバイダ１５３４全体にわたって広がり、後側ハウジング１５４０の内面１５４２の役割、又は後側ハウジング１５４０に取り付けられた１つ若しくは複数のレンズの役割を置き換えるか、又は強化してもよい。
【０２１８】
その後、光は、ディバイダ１５３４及び前面１５３８上の粘着剤１５３６を透過し、前側エンクロージャ１５４６に入る。光は、ディバイダ１５３４、前面１５３８上の粘着剤１５３６、又はこれら両方の光散乱特性により、更に均一に配光され得る。前側エンクロージャ１５４６に入る光の一部は、続いて、前側ハウジング１５１８の開口部１５２０を通って、捕虫装置１５１０が設置されている周辺領域に放たれる。粘着剤１５３６と、前側ハウジング１５１８の開口部１５２０とを通って放射される光に、虫が誘引される。また、虫は、カップ１５５６内の担体材料１５６６から放出されるにおい及び／又はフェロモンに誘引される。加えて、回路基板１５５０によって生じる熱によって、担体材料１５６６を温めてもよく、これによって、虫誘引性のにおい及び／又はフェロモンの放出を増加させ得る。虫は、開口部１５２０から粘着剤１５３６上へと飛んでいくか、又は這っていき、そこで捕獲される。ユーザーは、前側ハウジング１５１８の開口部１５２０を通して見ることにより、捕獲された虫を確認できる。十分な数の虫が捕獲されると、ユーザーは、捕獲された虫、虫の破片又は粘着剤（これらは捕虫部分１５１４内の届かないところに留まる）に触れることなく、使用済みの捕虫部分１５１４全体を容易に取り外して捨て、新しい捕虫部分１５１４に交換することができる。新しい捕虫部分１５１４は、粘着剤コーティングされた新しい表面と光指向面を有しており、捕虫装置１５１０での効率的かつ効果的な虫の誘引と捕獲が持続的に確保される。
【０２１９】
いくつかの実施形態において、捕虫部分１５１４はベース部分１５１２の前ではなく上に取り付けられているため、一般的な家庭用壁面コンセントに差し込んだときに、壁面からの捕虫装置１５１０の突出が最小限に抑えられ、これによって、家庭環境に対する邪魔を最小限に抑える。いくつかの実施形態において、捕虫装置１５１０は、壁面に取り付けられたとき、捕虫装置１５１０が壁面から突出する全距離によって定義される全体奥行きが、捕虫装置１５１０の全体高さ及び全体幅よりも小さくなるように構成される。
【０２２０】
捕虫装置１５１０の利点は、捕虫部分１５１４内の光の操作であることが理解されよう。いくつかの実施形態において、光の操作は捕虫部分１５１４内でのみ行われる。光の操作には、反射、屈折、偏光、分散及び／又は散乱が含まれてよく、操作可能な素子又は表面（例えば、内面１５４２、ディバイダ１５３４及び粘着剤１５３６）と係合することにより達成される。いくつかの実施形態において、光の操作により、粘着剤１５３６上に光の均等な分布が形成される。いくつかの実施形態において、光は、粘着剤１５３６の上又は捕虫部分１５１４内に所定のパターンを生成するよう操作され、例えば、均一な分布、高強度のホットスポットを伴う均一な分布、ホットスポットパターン、及び／又はこれらの組み合わせを生成するよう操作される。
【０２２１】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０２２２】
この構成の捕虫装置１５１０は、ベース部分１５１２に取り外し可能に取り付けることができる様々な異なる捕虫部分１５１４に対応することができ、それぞれの捕虫部分１５１４は、特定の種類又は複数の種類の飛翔昆虫又は非飛翔昆虫を誘引して捕獲するような固有の構成を有する。例えば、捕虫部分１５１４の全体の寸法及び形状、捕虫部分１５１４の前側ハウジング１５１８における開口部１５２０の寸法、形状、位置及び向き、並びに担体材料１５６６、前側ハウジング１５１８、ディバイダ１５３４、粘着剤１５３６又は後側ハウジング１５４０に含浸させた１種類又は複数種類のにおいは、特定の種類又は複数の種類の飛翔昆虫を誘引して捕獲するように固有の構成を有していてよい。
【０２２３】
例えば、いくつかの実施形態において、捕虫部分１５１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１５１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１５１４はおよそ、幅２０ｍｍ〜１３０ｍｍ、高さ２０ｍｍ〜１３０ｍｍ、及び奥行き５ｍｍ〜５０ｍｍである。
【０２２４】
いくつかの実施形態において、ベース部分１５１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１５１２は、幅２０ｍｍ〜２００ｍｍ、高さ１０ｍｍ〜１００ｍｍ、及び奥行き１０ｍｍ〜８０ｍｍである。いくつかの実施形態において、ベース部分１５１２は、幅２０ｍｍ〜１３０ｍｍ、高さ１０ｍｍ〜５０ｍｍ、及び奥行き１０ｍｍ〜５０ｍｍである。
【０２２５】
本明細書で提供されるように、開口部１５２０は様々な形状及び／又は寸法であり得る。例えば、開口部１５２０の形状は、円形、正方形、長方形、多角形、及び／又は楕円形であり得る。あるいは、開口部１５２０は、直線、曲線、又は波状の形状又はパターンを有するスロット形状であり得る。開口部１５２０が円形の場合、開口部１５２０の直径は約０．５ｍｍ〜３０ｍｍであり得る。いくつかの実施形態において、円形開口部１５２０の直径は約０．５ｍｍ〜２０ｍｍである。いくつかの実施形態において、円形開口部１５２０の直径は約０．５ｍｍ〜１５ｍｍである。開口部１５２０がスロット形状の場合、開口部１５２０はおよそ、幅２ｍｍ〜３０ｍｍ、長さ５ｍｍ〜５００ｍｍであり得る。いくつかの実施形態において、スロット形状開口部１５２０はおよそ、幅２ｍｍ〜２０ｍｍ、長さ５ｍｍ〜２００ｍｍである。いくつかの実施形態において、スロット形状開口部１５２０はおよそ、幅２ｍｍ〜１５ｍｍ、長さ５ｍｍ〜１００ｍｍである。
【０２２６】
いくつかの実施形態において、開口部１５２０は前側ハウジング１５１８の全部又は一部を占める。例えば、開口部１５２０は、前側ハウジング１５１８の表面積の約１％〜７５％の範囲を占めていてもよい。いくつかの実施形態において、開口部１５２０は、前側ハウジング１５１８の表面積の約５％〜５０％の範囲を占める。いくつかの実施形態において、開口部１５２０は、前側ハウジング１５１８の表面積の約１０％〜３０％を占める。
【０２２７】
虫誘引物質を貯蔵及び送達するための様々な構成が想定されていることが理解されよう。図６６は、捕虫装置の第１５の実施形態の一例の正面斜視図であり、この捕虫装置全体は１５１０Ａで示されている。図示されているように、捕虫装置１５１０Ａは、ベース部分１５１２Ａと、捕虫部分１５１４Ａと、を含む。捕虫部分１５１４Ａは、前面１５１６Ａに取り付けられたキャップ１５５６Ａを備える前側ハウジング１５１８Ａを含む。キャップ１５５６Ａと前側ハウジング１５１８Ａの前面１５１６Ａは、１種類又は２種類以上の虫誘引物質（図示せず）を含浸させた担体材料（図示せず）を収容するエンクロージャ（図示せず）を形成する。あるいは、キャップ１５５６Ａは、箔又は他のバリヤ材料の膜（図示せず）によって、後面（図示せず）上において封止されていてもよい。キャップ１５５６Ａは、前面１５７８Ａを通る開口部１５７６Ａを含み、開口部１５７６Ａを覆うように構成された取り外し可能なタブ１５５４Ａが、接着剤によって前面１５７８Ａに固着され、封止部を形成している。タブ１５５４Ａをキャップ１５５６Ａから取り外すことにより、捕虫装置１５１０Ａが設置されている室内に虫誘引物質が放出される。この構成による更なる利点は、ユーザーから視認可能な担体材料（図示せず）を、虫誘引物質が消耗したときに変色するように処方することにより、捕虫部分１５１４Ａを取り外し、新しいものと交換すべきことを示す視覚的合図を提供し得ることである。
【０２２８】
虫誘引物質が消耗したことを示す視覚的合図を提供する他の構成が想定されている。図６７は、捕虫装置の第１５の実施形態の一例の断面図であり、この捕虫装置全体は１５１０Ｂで示されている。図６８は図６７の一部の拡大図である。図示されているように、捕虫装置１５１０Ｂは、ベース部分１５１２Ｂと、取り外し可能な捕虫部分１５１４Ｂとを含む。捕虫部分１５１４Ｂは、底部内面１５７０Ｂを有する前側ハウジング１５１８Ｂと、前側ハウジング１５１８Ｂの底部内面１５７０Ｂ上に取り付けられた上向きのカップ１５５６Ｂと、複数の捕虫部電気接点１５７６Ｂと、複数の捕虫部電気配線１５７８Ｂと、を含む。カップ１５５６Ｂは、１種類又は２種類以上の虫誘引物質（図示せず）を含浸させた担体材料１５６６Ｂを収容する。あるいは、カップ１５５６Ｂは、１種類又は２種類以上の虫誘引物質を収容するが、担体材料１５６６Ｂを収容していなくてもよい。カップ１５５６Ｂの内側底面１５８０Ｂ上には、担体材料１５６６Ｂと接触する複数の電極１５８２Ｂがある。捕虫部配線１５７８Ｂは、電極１５８２Ｂ及び捕虫部接点１５７６Ｂと電気的に接続される。この図では、カップ１５５６Ｂの開放端を封止する取り外し可能なタブは、取り外されている。ベース部分１５１２Ｂは、複数の導電性プロング１５２２Ｂ（１つのみ図示）と、少なくとも１つのＬＥＤ１５２４Ｂと、複数のベース部電気接点１５８４Ｂと、回路基板１５５０Ｂと、を含み、回路基板１５５０Ｂは、コマンドを実行するためのプログラム可能プロセッサ又はチップ（図示せず）を有し、導電性プロング１５２２Ｂ、ＬＥＤ１５２４Ｂ、及びベース部接点１５８４Ｂに電気的に接続されている。ただし、見やすくするため、電気的接続は一部しか示されていない。ベース部接点１５８４Ｂ、捕虫部接点１５７６Ｂ、捕虫部配線１５７８Ｂ、及び電極１５８２Ｂのセットが２つ図示されているが、任意の好適な数のセットが用いられてよい。ベース部接点１５８４Ｂは、捕虫部分１５１４Ｂがベース部分１５１２Ｂに取り外し可能に取り付けられているときに、それぞれに対応する捕虫部接点１５７６Ｂとの電気的接触を提供するように構成される。回路基板１５５０Ｂは、捕虫部分１５１４Ｂがベース部分１５１２Ｂに取り外し可能に取り付けられたとき、導電性プロング１５２２Ｂから通常の家庭用電流を受け取り、ＬＥＤ１５２４Ｂに電力を供給し、ベース部接点１５８４Ｂに電力を供給するための電子回路を含んでいてよく、ベース部接点１５８４Ｂは、捕虫部接点１５７６Ｂに電力を供給する。
【０２２９】
使用時には、担体材料１５６６Ｂから虫誘引物質（図示せず）が蒸発するにつれて、担体材料１５６６Ｂの電気抵抗が変化する。回路基板１５５０Ｂは、電極１５８２Ｂ間の電気抵抗を監視するように構成される。いくつかの実施形態において、回路基板１５５０Ｂは、電極１５８２Ｂ間で電圧を一定に維持し、結果として得られる電極１５８２Ｂ間の電流を測定することにより、電極１５８２Ｂ間の抵抗値を測定するように構成される。いくつかの実施形態において、回路基板１５５０Ｂは、電極１５８２Ｂ間の電流を一定に維持し、結果として得られる電極１５８２Ｂ間の電圧を測定することにより、電極１５８２Ｂ間の抵抗値を測定するように構成される。いくつかの実施形態において、回路基板１５５０Ｂは、電極１５８２Ｂ間の抵抗値が閾値を超えるか、又は下回った場合、ＬＥＤ１５２４Ｂを点滅させることにより、虫誘引物質が消耗したことを知らせるように構成される。あるいは、回路基板１５５０Ｂは、電極１５８２Ｂ間の抵抗値の変化率（例えば、ある決められた期間にわたる抵抗値の変化）が閾値を超えるか、又は下回った場合に、ＬＥＤ１５２４Ｂを点滅させるように構成されてもよい。あるいは、回路基板１５５０Ｂは、電極１５８２Ｂ間の抵抗値が、捕虫部分１５１４Ｂがベース部分１５１２Ｂに取り付けられたとき（例えば、担体材料１５６６Ｂに含浸させた虫誘引物質が新しいとき）に測定される抵抗値を超える、ある閾値分だけ増加するか、又は、該抵抗値未満のある閾値分だけ減少した場合に、ＬＥＤ１５２４Ｂを点滅させるように構成されてもよい。あるいは、回路基板１５５０Ｂは、電極１５８２Ｂ間の静電容量の変化若しくは閾値、又は電極１５８２Ｂ間のインピーダンスの変化若しくは閾値、又は、虫誘引物質若しくは担体材料１５６６Ｂ、又はその両方の消耗に影響を受ける任意の他の測定可能な電気的特性の変化若しくは閾値に応答するように構成されていてもよい。あるいは、回路基板１５５０Ｂは、圧電スピーカなどのスピーカ（図示せず）にビープ音などの可聴音を発生させることによって、異なる色のＬＥＤ１５２４Ｂを点灯させることにより捕虫装置１５１０Ｂを照らす可視光の色を変化させることによって、又は、１つ又は複数の視覚的信号及び／又は可聴信号を提供する、任意の他の構成又は構成の組み合わせにより、虫誘引物質が消耗したことを知らせるように構成されていてもよい。
【０２３０】
加えて、熱を適用することにより、虫誘引物質の放出を増大させ得る。図６９は、捕虫装置の第１５の実施形態の一例の正面斜視図であり、この捕虫装置全体は１５１０Ｃで示されている。図示されているように、捕虫装置１５１０Ｃは、ベース部分１５１２Ｃと、捕虫部分１５１４Ｃと、を含む。捕虫部分１５１４Ｃはこの図で部分的に切り取って示されている。捕虫部分１５１４Ｃは、前面１５１６Ｃ及び底部内面１５７０Ｃを有する前側ハウジング１５１８Ｃと、前面１５１６Ｃにおけるタブスロット１５６８Ｃと、１種類又は２種類以上の虫誘引物質を含浸させた担体材料１５６６Ｃを保持する上向きのカップ１５５６Ｃと、上向きのカップ１５５６Ｃの開放端（図示せず）を封止し、タブスロット１５６８Ｃを通って突出する取り外し可能なタブ１５５４Ｃと、底部内面１５７０Ｃ上、かつカップ１５５６Ｃの下方に取り付けられた発熱体１５７６Ｃと、を含む。いくつかの実施形態において、カップ１５５６Ｃは、担体材料１５６６Ｃを伴わずに、１種類又は複数種類の虫誘引物質を収容していてもよい。発熱体１５７６Ｃとして、カップ１５５６Ｃの下に取り付けられた単一の電気抵抗コイルが図示されているが、１つ又は２つ以上の抵抗器、赤外ＬＥＤ（図示せず）、ペルチェ又はトムソン効果機器（図示せず）、カップ１５５６Ｃに直接印刷された導電性インク回路の組み合わせであってもよいし、又はカップ１５５６Ｃ及び担体材料１５６６Ｃに熱を供給する任意の他の要素又は複数の要素の組み合わせであってもよい。いくつかの実施形態において、発熱体１５７６Ｃは、カップ１５５６Ｃの裏側（図示せず）又はカップ１５５６Ｃの内側若しくは外側における任意の他の領域に直接取り付けられてもよい。
【０２３１】
図７０は、捕虫装置１５１０Ｃの断面図であり、図７１は図７０の一部の拡大図である。この図では、取り外し可能なタブ１５５４Ｃ（図示せず）が完全に取り外されている。ベース部分１５１２Ｃは、複数の導電性プロング１５２２Ｃ（１つのみ図示）と、少なくとも１つのＬＥＤ１５２４Ｃ（１つのみ図示）と、複数のベース部接点１５７８Ｃと、プロング１５２２Ｃ、ＬＥＤ１５２４Ｃ、及びベース部接点１５７８Ｃに電気的に接続された回路基板１５５０Ｃと、を含む。見やすくするため、電気的接続は一部しか示されていない。いくつかの実施形態において、捕虫部分１５１４Ｃは、前側ハウジング１５１８Ｃの底部内面１５７０Ｃに取り付けられ、発熱体１５７６Ｃの上方でカップ１５５６Ｃを保持する、カップ支持体１５８０Ｃを含む。いくつかの実施形態において、発熱体１５７６Ｃは、カップ１５５６Ｃに直接取り付けられてもよく、この場合は、カップ支持体１５８０Ｃは不要となる。いくつかの実施形態において、前側ハウジング１５１８Ｃの底部内面１５７０Ｃは、発熱体１５７６Ｃの上方でカップ１５５６Ｃを保持する突出部（図示せず）を有していてもよく、この場合は、カップ支持体１５８０Ｃは不要となる。
【０２３２】
また、捕虫部分１５１４Ｃは、複数の捕虫部接点１５８２Ｃを含み、この複数の捕虫部接点１５８２Ｃは、発熱体１５７６Ｃに電気的に接続されており、捕虫部分１５１４Ｃがベース部分１５１２Ｃに取り外し可能に取り付けられたとき、ベース部分１５１２Ｃにある、対応するベース部接点１５７８Ｃとの電気的接触を形成するように構成される。ベース部接点１５７８Ｃ及び捕虫部接点１５８２Ｃのセットが２つ図示されているが、任意の好適な数で用いられてよい。回路基板１５５０Ｃは、導電性プロング１５２２Ｃから通常の家庭用電流を受け取り、ＬＥＤ１５２４Ｃ及びベース部接点１５７８Ｃに電力を供給するための電子回路を含む。ベース部接点１５７８Ｃは、捕虫部分１５１４Ｃがベース部分１５１２Ｃに取り付けられたとき、捕虫部接点１５８２Ｃ及び発熱体１５７６Ｃに電力を供給する。発熱体１５７６Ｃは、回路基板１５５０Ｃからの電力に応じて熱を発生させて、カップ１５５６Ｃを温め、これにより、放射、伝導、又は対流によって、又はこれらの任意の組み合わせによって、担体材料１５６６Ｃが温められる。担体材料１５６６Ｃの温度上昇により、虫誘引物質の放出を増加させることができ、また、虫誘引物質のより完全な放出が可能となり得る。いくつかの実施形態において、担体材料１５６６Ｃの温度上昇により、通常の室温では放出できない、いくつかの虫誘引物質の放出が可能となり得る。また、いくつかの実施形態において、発熱体１５７６Ｃは、蚊などの熱を感知する虫を誘引するように構成されてもよい。いくつかの実施形態において、捕虫装置１５１０Ｃにおいては、熱とにおいのみが誘引物として使用され、光源は使用されない。
【０２３３】
虫誘引物質を貯蔵して、取り外し可能なコンテナから送達するための様々な構成が想定されていることが理解されよう。図７２は、捕虫装置の第１５の実施形態の一例の正面斜視図であり、この捕虫装置全体は１５１０Ｄで示されている。図示されているように、捕虫装置１５１０Ｄは、ベース部分１５１２Ｄと、取り外し可能かつ交換可能な捕虫部分１５１４Ｄと、取り外し可能かつ交換可能なにおいカートリッジ１５６０Ｄと、を含む。この図では、捕虫部分１５１４Ｄは、部分的に切り取られて示されており、また、捕虫部分１５１４Ｄ、及びにおいカートリッジ１５６０Ｄは、ベース部分１５１２Ｄから取り外した状態で示されている。ベース部分１５１２Ｄは、においカートリッジ１５６０Ｄを受け入れるように構成された、前面１５６４Ｄにおける開口部１５６２Ｄと、前側上面１５７０Ｄにおける少なくとも１つの開口部１５６８Ｄと、を含む。捕虫部分１５１４Ｄは、前面１５１６Ｄにおける少なくとも１つの開口部１５２０Ｄと、底面１５７４Ｄにおける少なくとも１つの開口部１５７２Ｄと、を備える前側ハウジング１５１８Ｄを含む。開口部１５７２Ｄは、捕虫部分１５１４Ｄがベース部分１５１２Ｄに取り付けられたとき、ベース部分１５１２Ｄの前側上面１５７０Ｄにおける開口部１５６８Ｄと位置合わせされるように構成される。においカートリッジ１５６０Ｄは、開放端（図示せず）を蓋１５７６Ｄにより封止した上向きのカップ１５５６Ｄと、取り外し可能なタブ１５５４Ｄと、を含み、この図では、取り外し可能なタブ１５５４Ｄは部分的に取り外され、蓋１５７６Ｄにおける少なくとも１つの開口部１５７８Ｄが見えている。取り外し可能なタブ１５５４Ｄ、蓋１５７６Ｄ、及びカップ１５５６Ｄは、取り外し可能なタブ１５５４Ｄが蓋１５７６Ｄから取り外されるまで、においカートリッジ１５６０Ｄの内容物を密封するように構成される。蓋１５７６Ｄにおける開口部１５７８Ｄは、においカートリッジ１５６０Ｄがベース部分１５１２Ｄの開口部１５６２Ｄ内へ差し込まれたとき、ベース部分１５１２Ｄの前側上面１５７０Ｄにおける開口部１５６８Ｄと位置合わせされるように構成される。
【０２３４】
図７３は、捕虫装置１５１０Ｄの断面図であり、図７４は図７３の拡大図である。この図では、捕虫部分１５１４Ｄは、ベース部分１５１２Ｄ上に取り付けられ、取り外し可能なタブ１５５４Ｄは取り外され、においカートリッジ１５６０Ｄは、ベース部分１５１２Ｄ内に差し込まれた状態で図示されている。見やすくするため、においカートリッジ１５６０Ｄをベース部分１５１２Ｄ内部の定位置に保持する支持機構は、図示していない。カップ１５５６Ｄは、１種類又は２種類以上の虫誘引物質を含浸させた担体材料１５６６Ｄを収容する。いくつかの実施形態において、カップ１５５６Ｄは、担体材料１５６６Ｄを伴わずに、１種類又は複数種類の虫誘引物質を収容していてもよい。においカートリッジ１５６０Ｄは、においカートリッジ１５６０Ｄがベース部分１５１２Ｄ内に差し込まれた際には、ベース部分１５１２Ｄから突出するように構成されたタブ１５８０Ｄを含み、これにより、担体材料１５６６Ｄ中の虫誘引物質が消耗したとき、ユーザーがにおいカートリッジ１５６０Ｄを取り外して交換することが可能となっている。ベース部分１５１２Ｄは、複数の導電性プロング１５２２Ｄ（１つのみ図示）と、少なくとも１つのＬＥＤ１５２４Ｄ（１つのみ図示）と、回路基板１５５０Ｄと、回路基板１５５０Ｄ上に取り付けられ、においカートリッジ１５６０Ｄの下方に配置される発熱体１５８２Ｄと、を含む。発熱体１５８２Ｄとして、においカートリッジ１５６０Ｄの下に取り付けられた単一の電気抵抗コイルが図示されているが、１つ又は２つ以上の抵抗器、赤外ＬＥＤ（図示せず）、ペルチェ又はトムソン効果機器（図示せず）の組み合わせで作製されていてもよいし、又はにおいカートリッジ１５６０Ｄ及び担体材料１５６６Ｄに熱を供給する任意の他の要素又は複数の要素の組み合わせで作製されていてもよい。回路基板１５５０Ｄは、プロング１５２２Ｄ、ＬＥＤ１５２４Ｄ、及び発熱体１５８２Ｄに電気的に接続される。見やすくするため、電気的接続は一部しか示されていない。回路基板１５５０Ｄは、導電性プロング１５２２Ｄから通常の家庭用電流を受け取り、ＬＥＤ１５２４Ｄ及び発熱体１５８２Ｄに電力を供給するための電子回路を含む。発熱体１５８２Ｄは、回路基板１５５０Ｄからの電力に応じて熱を発生させて、カップ１５５６Ｄを温め、放射、伝導、又は対流によって、又はこれらの任意の組み合わせによって、担体材料１５６６Ｄが温められる。担体材料１５６６Ｄの温度上昇により、虫誘引物質の放出を増加させることができ、また、虫誘引物質のより完全な放出が可能となり得る。いくつかの実施形態において、担体材料１５６６Ｄの温度上昇により、通常の室温では放出できない、いくつかの虫誘引物質の放出が可能となり得る。いくつかの実施形態において、発熱体１５８２Ｄは、蚊などの特定の種類の虫をより強く誘引するように、捕虫部分の他の構成要素にも熱を供給する。いくつかの実施形態において、ベース部分１５１２Ｄは、発熱体１５８２Ｄを含まず、虫誘引物質は、室温にて、又は回路基板１５５０Ｄが発生させる熱により、担体材料１５６６Ｄから放出される。においカートリッジ１５６０Ｄの蓋１５７６Ｄは、ベース部分１５１２Ｄの前側上面１５７０Ｄの裏側に接触する。担体材料１５６６Ｄにより放出された虫誘引物質は、においカートリッジ１５６０Ｄにおける開口部１５７８Ｄを通り、ベース部分１５１２Ｄにおける開口部１５６８Ｄを通り、前側ハウジング１５１８Ｄにおける開口部１５７２Ｄ及び開口部１５２０Ｄを通り、捕虫装置１５１０Ｄが設置されている周辺領域へと進んでいく。いくつかの実施形態において、捕虫装置１５１０Ｄにおいては、熱とにおいのみが誘引物として使用され、光源は使用されない。
【０２３５】
蒸発性液体などの虫誘引物質を貯蔵して、取り外し可能なコンテナから送達するための更なる構成が想定されている。図７５は、捕虫装置の第１５の実施形態の一例の正面斜視図であり、この捕虫装置全体は１５１０Ｅで示されている。捕虫装置１５１０Ｅは、ベース部分１５１２Ｅと、取り外し可能な捕虫部分１５１４Ｅと、取り外し可能なにおいカートリッジ１５６０Ｅと、を含む。この図では、においカートリッジ１５６０Ｅ及び捕虫部分１５１４Ｅは、ベース部分１５１２Ｅから取り外した状態で示されており、捕虫部分は、部分的に切り取って示されている。ベース部分１５１２Ｅは、においカートリッジ１５６０Ｅを受け入れるように構成された、底面１５６４Ｅ（図７６に図示）における、開口部１５６２Ｅ（図７６に図示）を備えるポート１５５８Ｅと、前側上面１５７０Ｅにおける少なくとも１つの開口部１５６８Ｅと、を含む。捕虫部分１５１４Ｅは、前面１５１６Ｅにおける少なくとも１つの開口部１５２０Ｅと、底面１５７４Ｅにおける少なくとも１つの開口部１５７２Ｅと、を備える前側ハウジング１５１８Ｅを含む。捕虫部分１５１４Ｅにおける開口部１５７２Ｅは、捕虫部分１５１４Ｅがベース部分１５１２Ｅに取り付けられたとき、ベース部分１５１２Ｅの前側上面１５７０Ｅにおける開口部１５６８Ｅと位置合わせされるように構成される。においカートリッジ１５６０Ｅは、プラグイン式の空気清浄機用の詰め替え品と見られるものと同様の構成であってよく、液体１５６６Ｅを保持するコンテナ部分１５５６Ｅと、装着部分１５７６Ｅと、装着部分１５７６Ｅから突出する開放端１５７８Ｅを有する芯１５５４Ｅと、を含む。装着部分１５７６Ｅは、においカートリッジ１５６０Ｅをベース部分１５１２Ｅに取り外し可能にしっかりと取り付けるように構成される。コンテナ部分１５５６Ｅは、１種類又は複数種類の虫誘引物質が浸透せず、このような物質に対するバリヤとして機能するような、ガラス又はプラスチックから成型されていてよく、ユーザーがコンテナ部分１５５６Ｅ内の残りの液体１５６６Ｅの量を確認できるように透明又は半透明であってもよい。いくつかの実施形態において、においカートリッジ１５６０Ｅは、においカートリッジ１５６０Ｅがベース部分１５１２Ｅに設置されるまで、装着部分１５７６Ｅと係合し、においカートリッジ１５６０Ｅの内容物を封入するように構成された、保護キャップ（図示せず）を有していてもよい。
【０２３６】
図７６は、捕虫装置１５１０Ｅの断面図であり、図７７は図７６の一部の拡大図である。この図では、捕虫部分１５１４Ｅは、ベース部分１５１２Ｅ上に取り付けられた状態で図示され、においカートリッジ１５６０Ｅは、ベース部分１５１２Ｅ内に差し込まれた状態で図示されている。においカートリッジ１５６０Ｅのコンテナ部分１５５６Ｅ内の液体１５６６Ｅは、液体担体材料及び／又は１種類又は複数種類の虫誘引物質を含んでいてよく、蒸発することによって、１種類又は複数種類の虫誘引物質を大気中に放出するように構成される。芯１５５４Ｅの開放端１５７８Ｅは、装着部分１５７６Ｅを通ってベース部分１５１２Ｅの内部へと突出し、芯１５５４Ｅの残りの部分は、液体１５６６Ｅ中へ、コンテナ部分１５５６Ｅの底部まで延びている。芯１５５４Ｅは、ポリエステル繊維又は他の天然若しくは既製の材料から製造されていてよく、液体１５６６Ｅを吸収して、毛管作用により芯１５５４Ｅの開放端１５７８Ｅまで吸い上げるように構成され、この開放端１５７８Ｅにおいて、液体１５６６Ｅは大気に晒されて蒸発し、１種類又は複数種類の虫誘引物質が大気中に放出される。ベース部分１５１２Ｅは、複数の導電性プロング１５２２Ｅ（１つのみ図示）と、少なくとも１つのＬＥＤ１５２４Ｅ（１つのみ図示）と、回路基板１５５０Ｅと、回路基板１５５０Ｄ上に取り付けられ、芯１５５４Ｅの開放端１５７８Ｅを取り囲むように構成される発熱体１５８２Ｅと、を含む。発熱体１５８２Ｅは、プラグイン式の空気清浄機に見られるものと同様の構成であってもよい。発熱体１５８２Ｅとして、単一の電気抵抗コイルが図示されているが、１つ又は２つ以上の抵抗器（図示せず）、赤外ＬＥＤ（図示せず）、ペルチェ又はトムソン効果機器（図示せず）の組み合わせで作製されていてもよいし、又は芯１５５４Ｅの開放端１５７８Ｅに熱を供給する任意の他の要素又は複数の要素の組み合わせで作製されていてもよい。回路基板１５５０Ｅは、プロング１５２２Ｅ、ＬＥＤ１５２４Ｅ、及び発熱体１５８２Ｅに電気的に接続される。見やすくするため、電気的接続は一部しか示されていない。回路基板１５５０Ｅは、導電性プロング１５２２Ｅから通常の家庭用電流を受け取り、ＬＥＤ１５２４Ｅ及び発熱体１５８２Ｅに電力を供給するための電子回路を含む。発熱体１５８２Ｅは、回路基板１５５０Ｅからの電力に応じて熱を発生させて、芯１５５４Ｅの開放端１５７８Ｅを温め、放射、伝導、又は対流によって、又はこれらの任意の組み合わせによって、芯１５５４Ｅの開放端１５７８Ｅにおける液体１５６６Ｅが温められる。いくつかの実施形態において、発熱体１５８２Ｅは、芯１５５４Ｅの開放端１５７８Ｅに含浸させた金属粒子（図示せず）を、誘導作用により加熱してもよい。いくつかの実施形態において、回路基板１５５０Ｅは、発熱体１５８２Ｅの温度を一定に維持するように構成されていてもよく、又は発熱体１５８２Ｅは、温度が上昇すると電気抵抗が増すような自己制御材料（self-regulating material）、若しくは発熱体１５８２Ｅの温度を調節する１つ又は複数の機構の任意の組み合わせを含んでいてもよい。液体１５６６Ｅの温度上昇により、虫誘引物質の放出を増加させることができ、また、虫誘引物質のより完全な放出が可能となり得る。いくつかの実施形態において、液体１５６６Ｅの温度上昇により、通常の室温では放出できない、いくつかの虫誘引物質の放出が可能となり得る。いくつかの実施形態において、発熱体１５８２Ｅは、蚊などの特定の種類の虫をより強く誘引するように、捕虫部分の他の構成要素にも熱を供給する。いくつかの実施形態において、ベース部分１５１２Ｅは、発熱体１５８２Ｅを含まず、虫誘引物質は、室温にて、又は回路基板１５５０Ｅが発生させる熱により、液体１５６６Ｅから放出される。いくつかの実施形態において、捕虫装置１５１０Ｅにおいては、熱のみ、又は熱とにおいのみが誘引物として使用され、光源は使用されない。
【０２３７】
芯１５５４Ｅの開放端１５７８Ｅにおいて、液体１５６６Ｅにより放出された虫誘引物質は、ベース部分１５１２Ｅにおける開口部１５６８Ｅを通り、前側ハウジング１５１８Ｅにおける開口部１５７２Ｅ及び開口部１５２０Ｅを通り、捕虫装置１５１０Ｅが設置されている周辺領域へと進んでいく。
【０２３８】
捕虫装置１５１０Ｅの更なる利点は、においカートリッジ１５６０Ｅが内蔵の寿命インジケータを含み得るということである。いくつかの実施形態において、コンテナ部分１５５６Ｅに残っている液体１５６６Ｅの量がユーザーにとって視認可能となり得る。いくつかの実施形態において、コンテナ部分１５５６Ｅ内部の視認性を高めるため、液体１５６６Ｅを染色又は着色してもよい。いくつかの実施形態において、コンテナ部分１５５６Ｅ上の１つ又は複数のマーク（図示せず）によって、液体１５６６Ｅが部分的に、かつ／又は完全に消耗した場合の液体１５６６Ｅの残量を示すことにより、捕虫部分１５１４Ｅを取り外し、新しい捕虫部分１５１４Ｅに交換すべきことを示す視覚的合図を提供してもよい。
【０２３９】
捕虫装置１５１０Ｅの構成は、２種類以上の虫誘引物質の貯蔵及び送達に適合されていてもよいことが理解されよう。図７８は、捕虫装置の第１５の実施形態の一例の正面斜視図であり、この捕虫装置全体は１５１０Ｆで示されている。捕虫装置１５１０Ｆは、ベース部分１５１２Ｆと、取り外し可能な捕虫部分１５１４Ｆと、においカートリッジ１５６０Ｆと、を含む。この図では、においカートリッジ１５６０Ｆは、ベース部分１５１２Ｆから取り外した状態で示されている。においカートリッジ１５６０Ｆは、プラグイン式の空気清浄機用の詰め替え品に見られるものと同様の構成であってもよい。図示されているように、においカートリッジ１５６０Ｆは、２つ以上の装着部分１５７６Ｆと、開放端１５７８Ｆを備える２つ以上の芯１５５４Ｆと、２種類以上の異なる液体１５６６Ｆを保持するように構成された複数のコンテナ部分１５５６Ｆと、を含む。あるいは、２つ以上の別個のにおいカートリッジ（図示せず）に、それぞれ単一の液体（図示せず）を収容して、においカートリッジ１５６０Ｆの代わりに用いてもよい。ベース部分１５１２Ｆは、においカートリッジ１５６０Ｆの２つ以上の装着部分１５７６Ｆと係合する２つ以上のポート１５７２Ｆを含む。ベース部分１５１２Ｆの内側には、２つ以上の芯１５５４Ｆを温める２つ以上の発熱体（図示せず）がある。発熱体（図示せず）は、プラグイン式の空気清浄機に見られるものと同様の構成であってもよい。いくつかの実施形態において、発熱体は、互いに異なる温度で動作するように構成されていてもよい。いくつかの実施形態において、発熱体は、互いに異なる時間に動作するように構成されていてもよい。
【０２４０】
捕虫装置１５１０Ｆは、多くの利点をもたらし得る。いくつかの実施形態において、単一の液体に処方できないような虫誘引剤の組み合わせが送達されてもよい。いくつかの実施形態において、別々の温度に加熱する必要のある虫誘引物質の組み合わせが送達されてもよい。いくつかの実施形態において、日中と夜間において、異なる虫誘引物質を送達して、日中又は夜間において、より活動的になる、異なる種類の虫の誘引及び捕獲を向上させてもよい。いくつかの実施形態において、送達される一方の物質は、人間にとって好ましくない臭いの虫誘引剤であってよく、同時に、その虫誘引剤の効果を打ち消すことなく、その好ましくない臭いを中和する、他の物質を別個に送達してもよい。いくつかの実施形態において、異なる虫誘引剤を経時的に切り替えて送達し、誘引剤の変化に応答し得る虫を誘引しやすくする。いくつかの実施形態において、送達される１種類又は２種類以上の物質は、天然のにおい、又は天然のものに基づいたにおいなど、人間にとって好ましいものであってもよい。
【０２４１】
図７９は、捕虫装置の第１６の実施形態の正面斜視図であり、この捕虫装置全体は１６１０で示されている。捕虫装置１６１０は、ベース部分１６１２と取り外し可能な捕虫部分１６１４と、を含む。捕虫部分１６１４は、この図で、ベース部分１６１２から取り外された状態で示されている。捕虫装置１６１０は、全体長さ、全体幅、及び全体奥行きを有していてよく、また、捕虫装置１６１０が壁面に取り付けられたとき、捕虫装置１６１０が壁面から突出する全距離によって定義される全体奥行きが、これら３つの全体寸法のうちで最小となるようになるように構成されてよい。捕虫部分１６１４は、前面１６６０に少なくとも１つの開口部１６２０を備えた前側ハウジング１６１８を含む。捕虫部分１６１４は、全体長さ、全体幅、及び全体奥行きを有していてよく、また、捕虫部分１６１４が捕虫装置１６１０に取り付けられ、かつ捕虫装置１６１０が壁面に取り付けられたとき、その壁面に垂直な方向に測定される、捕虫部分１６１４の全体奥行きが、捕虫部分１６１４のこれら３つの全体寸法のうちで最小となるように構成されていてもよい。前側ハウジング１６１８の開口部１６２０は、広範な種類の虫を捕虫装置１６１０に受け入れるように構成してもよいし、あるいは、１種類又は２種類以上の特定の種類の虫を受け入れるように構成してもよい。いくつかの実施形態において、開口部１６２０は、捕虫部分１６１４を取り外して交換するときに、ユーザーの指が開口部１６２０に入ってしまい捕獲された虫又は粘着剤に誤って触れることを防ぐように構成される。いくつかの実施形態において、開口部１６２０は、直径２５ｍｍの球が開口部１６２０を通過できないような寸法及び形状を有し、かつ、直径１ｍｍの球が開口部１６２０のいかなる部分も通過できるような寸法及び形状を有する。開口部１６２０の幅、形状及び向きは、均一であってもよいし、又は、変化していてもよく、また、捕虫部分１６１４が複数の開口部１６２０を有する場合は、それらの幅、形状及び向きは、同一あってもよいし、又は、異なっていてもよい。開口部１６２０は、１種類又は２種類以上の個々の種類の虫又は様々な種類の虫を誘引するように構成することができる。ベース部分１６１２の背面１６６２（図８０に図示）から突出しているのは、複数の導電性プロング１６２２であってよく、導電性プロング１６２２を標準の家庭用壁面電気コンセントに差し込むことにより、捕虫装置１６１０を壁面に取り付けて捕虫装置１６１０に電力を供給するよう適合されている。あるいは、導電性プロング１６２２は、導電性プロング１６２２が水平方向を向いた壁面電気コンセントに差し込まれる場合に、捕虫装置１６１０が直立したままとなり得るように、スイベル式に回転するように適合されていてもよい。あるいは、ベース部分１６１２は、所望の任意の場所に静置又は吊り下げて、ベース部分１６１２内に取り付けられた電池（図示せず）から電力を受け取るように構成されてもよい。電気コンセントと電池が、捕虫装置１６１０に電力を供給するものとして記載されたが、任意の好適な電源を使用することができる。ベース部分１６１２は、１つ又は２つ以上のＬＥＤ１６２４などの発光素子を含む。いくつかの実施形態において、ＬＥＤ１６２４は、ＵＶ光を発するＬＥＤを少なくとも１つ、及び可視光を発するＬＥＤを少なくとも１つ含む。いくつかの実施形態において、ＬＥＤ１６２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１６２４は、蚊及びノミなどの特定の種類の虫をよりよく誘引するために、ＩＲ光を発するＬＥＤを少なくとも１つ含む。ベース部分１６１２の上面１６２６には開口部１６５２があり、開口部１６５２は透明又は半透明のウィンドウ１６２８（ＬＥＤ１６２４が見えるように部分的に切り取った状態で示す）で覆われていてよい。ウィンドウ１６２８により、ＬＥＤ１６２４が埃と虫の破片から保護され、ベース部分１６１２のクリーニングが容易になる。上面１６２６の第２の開口部１６５４には、電気機械式アクチュエーター１６５６（好ましくは圧電スピーカなどの発信機又はトランシーバー）が取り付けられている。また、上面１６２６にはスロット１６３０があってよく、上面１６２６の外周には、縁又は上向きの突出部１６３２がある。
【０２４２】
図８０は、捕虫装置１６１０の断面図である。捕虫部分１６１４は、前面１６３８を備えたディバイダ１６３４と、内面１６４２を備えた後側ハウジング１６４０とを含む。いくつかの実施形態において、ディバイダ１６３４は、透明又は半透明の材料から構築されるか、又は透明又は半透明の材料を含み、また、前面１６３８が透明又は半透明の粘着剤１６３６でコーティングされ得る。いくつかの実施形態において、ディバイダ１６３４は、飛翔昆虫（広範な種類の飛翔昆虫が、偏光を感知することが知られている）を更に誘引するため、ディバイダ１６３４を透過する光を、日光と同様の配向に偏光するように構成される。いくつかの実施形態において、後側ハウジング１６４０の内面１６４２は反射性材料でコーティングされている。いくつかの実施形態において、後側ハウジング１６４０の材料及び表面仕上げは、反射性コーティングなしに、ＵＶ光及び／又は可視光を反射及び分散させるように構成され得る。いくつかの実施形態において、ディバイダ１６３４の材料及び厚さと粘着剤１６３６の材料及び厚さは、ＵＶ光及び／又は可視光及び／又はＩＲ光のかなりの割合を透過させるよう選択され、例えば、光の６０％超がディバイダ１６３４と粘着剤１６３６を透過するよう選択される。後側ハウジング１６４０は、その底面に開口部１６４４を含んでよく、あるいは開口部１６４４は、透明又は半透明のウィンドウに置き換えられてもよい。
【０２４３】
いくつかの実施形態において、前側ハウジング１６１８と後側ハウジング１６４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１６１８及び後側ハウジング１６４０は、射出成形又はその他の好適な製造法により構築される。図示されているように、ディバイダ１６３４は実質的に平らであってよく、ＬＥＤ１６２４により生成される光の主方向（図示せず）に対して平行又はある角度になるように構成することができる。あるいは、ディバイダ１６３４は、均一に配光するために最適化されるよう、凸状、凹状、又はサドル形状（図示せず）、又は形状の組み合わせに形成されてもよい。いくつかの実施形態において、ディバイダ１６３４は、粘着面の面積を増大させ、かつ明暗コントラスト領域を形成するような、畝又はその他の形状（図示せず）を有する。明暗コントラスト領域は、広範な種類の虫に対して可視性が高く、それらの虫に対する誘引効果をより高めることができる。
【０２４４】
いくつかの実施形態において、前側ハウジング１６１８は、内面が透明、半透明又は不透明の粘着剤（図示せず）でコーティングされており、これにより付加的な捕虫効果及び能力が提供される。加えて、前側ハウジング１６１８は更に内面の粘着剤コーティングの下に反射性コーティング（図示せず）を有し、これにより、虫の誘引効果を強化し、捕虫効果及び効率を更に向上させてもよい。
【０２４５】
いくつかの実施形態において、前側ハウジング１６１８、ディバイダ１６３４及び後側ハウジング１６４０は、それらが交差又は係合する箇所において、接着剤で互いに接合されているが、これらは、超音波溶接、若しくはＲＦ密封などの他の一般的に使用されているパッケージング組立法、又は任意の他の好適な組立方法により、互いに接合されていてもよい。図示されているように、ディバイダ１６３４は、捕虫部分１６１４を前側エンクロージャ１６４６と後側エンクロージャ１６４８とに分割している。
【０２４６】
いくつかの実施形態において、ベース部分１６１２は、コマンドを実行するためのプログラム可能プロセッサ又はチップ（図示せず）を有する回路基板１６５０を含み、これは導電性プロング１６２２（１つのみ図示）、及びＬＥＤ１６２４に電気的に接続されている。ただし、見やすくするため、電気的接続は一部しか示されていない。回路基板１６５０は、導電性プロング１６２２から通常の家庭用電流を受け取り、ＬＥＤ１６２４を点灯させる電力を供給するための電子回路を含み得る。回路基板１６５０は、ＬＥＤ１６２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１６２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１６５０は、ＵＶ光及び／又は可視光及び／又はＩＲ光を提供するために、ＬＥＤ１６２４に電力を供給してもよいが、ＵＶ光及び／又は可視光及び／又はＩＲ光の点滅の組み合わせを生み出すために、ＵＶ  ＬＥＤ１６２４のみ又は可視光ＬＥＤ１６２４のみ又はＩＲ光ＬＥＤ１６２４のみに電力を供給するか、あるいは変動電力を供給するように構成してもよい。また、回路基板１６５０は、ベース部分１６１２の開口部１６５４に取り付けられたアクチュエーター１６５６を駆動して、虫誘引性の音を発するように構成され得る。いくつかの実施形態において、アクチュエーター１６５６は、虫（蚊、小昆虫、蛾、又は蠅など）をよりよく誘引するために、録音及び／又は生成された虫の音又は振動を発し、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１６１０から約２メートル以内の距離にいる虫に感知可能であることが望ましい。そのような虫誘引性の音は、捕虫装置１６１０から約１メートルを超える距離にいる人間に感知できないものであることが望ましい。また、回路基板１６５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動���せ、この熱を、ベース部分１６１２を通して捕虫部分１６１４へと伝達させ得る、電気素子の組み合わせを含んでもよい。あるいは、ＬＥＤ１６２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１６２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分１６１４の少なくとも一部分の温度をおよそ３０℃〜４５℃、好ましくはおよそ３３℃〜４２℃に上昇させて維持してもよい。
【０２４７】
図示されているように、ベース部分１６１２の上面１６２６のスロット１６３０と、ベース部分１６１２の上面１６２６の縁又は突出部１６３２とが、捕虫部分１６１４と係合して、使用中に捕虫部分１６１４を定位置に固定する。しかしながら、捕虫部分１６１４をベース部分１６１２にしっかりと、かつ取り外し可能に取り付けることができるような、任意の他の取り付け形態に置き換えてもよい。捕虫装置１６１０をコンセントから外した際に、捕虫装置１６１０を床、机、テーブル、又は棚の上に直立させて静置できるように、ベース部分１６１２の底面１６１６は、実質的に平坦であるか又は凹状になっていてもよい。あるいは、ベース部分１６１２の底面１６１６は、捕虫装置１６１０をコンセントから外した際に、捕虫装置１６１０を直立させて静置可能とする、２つ以上の突出部（図示せず）又は脚部を有していてもよい。
【０２４８】
捕虫装置１６１０の操作においては、導電性プロング１６２２（１つのみ図示）を壁面電気コンセントに差し込む。回路基板１６５０は、ＬＥＤ１６２４とアクチュエーター１６５６に電力を供給する。ＬＥＤ１６２４は、光（矢印で示す）を発し、この光は、ベース部分１６１２のウィンドウ１６２８を通り、捕虫部分１６１４の後側ハウジング１６４０にある開口部１６４４を通って、後側エンクロージャ１６４８に入り、直接、後側ハウジング１６４０の内面１６４２上に、かつディバイダ１６３４の背面１６５８上に、伝わっていく。ＬＥＤ１６２４からの光は、後側ハウジング１６４０の底面における開口部１６４４（例えば、捕虫部分１６１４の全体奥行きに実質的に平行な面にある）を通って、後側エンクロージャ１６４８に入ることから、この光は、後側エンクロージャ１６４８の長さ全体を通過することができるとともに、後側エンクロージャ１６４８の長さ全体にわたって発散することができるため、後側エンクロージャ１６４８全体にわたって、より均一に配光され得る。いくつかの実施形態において、光はベース部分１６１２において操作されず、捕虫部分１６１４内へ直接発せられる。後側ハウジング１６４０の内面１６４２は凹形状を含んでいてもよく、ＬＥＤ１６２４からのを反射及び分散させて、ディバイダ１６３４の背面１６５８上に均一に配光するように構成されていてもよいが、後側ハウジング１６４０の内面１６４２は凸状又はサドル形状又は形状の組み合わせを有していてよく、あるいは、より均一に配光するように、畝又はその他の形状（図示せず）を有していてもよい。あるいは、ディバイダ１６３４の背面１６５８上へとＵＶ光及び可視光を（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部１６４４において、若しくはその付近において、後側ハウジング１６４０に取り付けるか、又はウィンドウ１６２８において、若しくはその付近において、ベース部分１６１２に取り付けてよく、また、この光学的エンハンサにより、後側ハウジング１６４０の内面１６４２の役割を置き換えるか、又は増強してもよい。いくつかの実施形態において、ＬＥＤ１６２４からの光は、ディバイダ１６３４の背面１６５８に斜めの角度（例えば、約０°〜９０°の鋭角）で直接当たってよく、ディバイダ１６３４全体にわたって広がり、後側ハウジング１６４０の内面１６４２の役割、又は後側ハウジング１６４０に取り付けられた１つ若しくは複数のレンズの役割を置き換えるか、又は強化してもよい。
【０２４９】
その後、光は、ディバイダ１６３４及び前面１６３８上の粘着剤１６３６を透過し、前側エンクロージャ１６４６に入る。光は、ディバイダ１６３４、粘着剤１６３６、又はこれら両方の光散乱特性により、更に均一に配光され得る。前側エンクロージャ１６４６に入る光の一部は、続いて、前側ハウジング１６１８の開口部１６２０を通って、捕虫装置１６１０が設置されている周辺領域に放たれる。アクチュエーター１６５６は虫誘引性の振動を生成し、この振動は、捕虫部分１６１４の前側ハウジング１６１８を通って、捕虫部分１６１４の前側エンクロージャ１６４６に入り、捕虫部分１６１４の開口部１６２０を通って外部へと伝わる。加えて、アクチュエーター１６５６は、捕虫部分１６１４の前側ハウジング１６１８を誘導作用により振動させて、虫誘引性の音又は振動を室内に向かって発してもよい。粘着剤１６３６と、前側ハウジング１６１８の開口部１６２０とを通って伝わってくる光に、虫が誘引される。また、虫は、ベース部分１６１２のアクチュエーター１６５６によって生成され、捕虫部分１６１４の前側ハウジング１６１８を通過する音又は振動にも誘引される。虫は、開口部１６２０から粘着剤１６３６上へと飛んでいくか、又は這っていき、そこで捕獲される。ユーザーは、前側ハウジング１６１８の開口部１６２０を通して見ることにより、捕獲された虫を確認できる。十分な数の虫が捕獲されると、ユーザーは、捕獲された虫、虫の破片又は粘着剤（これらは捕虫部分１６１４内の届かないところに留まる）に触れることなく、使用済みの捕虫部分１６１４全体を容易に取り外して捨て、新しい捕虫部分１６１４に交換することができる。新しい捕虫部分１６１４は、粘着剤コーティングされた新しい表面と光指向面を有しており、捕虫装置１６１０での効率的かつ効果的な虫の誘引と捕獲が持続的に確保される。
【０２５０】
いくつかの実施形態において、捕虫部分１６１４はベース部分１６１２の前ではなく上に取り付けられているため、一般的な家庭用壁面コンセントに差し込んだときに、壁面からの捕虫装置１６１０の突出が最小限に抑えられ、これによって、家庭環境に対する邪魔を最小限に抑える。いくつかの実施形態において、捕虫装置１６１０は、壁面に取り付けられたとき、捕虫装置１６１０が壁面から突出する全距離によって定義される全体奥行きが、捕虫装置１６１０の全体高さ及び全体幅よりも小さくなるように構成される。
【０２５１】
捕虫装置１６１０の利点は、捕虫部分１６１４内の光の操作であることが理解されよう。いくつかの実施形態において、光の操作は捕虫部分１６１４内でのみ行われる。光の操作には、反射、屈折、偏光、分散及び／又は散乱が含まれてよく、操作可能な素子又は表面（例えば、内面１６４２、ディバイダ１６３４及び粘着剤１６３６）と係合することにより達成される。いくつかの実施形態において、光の操作により、粘着剤１６３６上に光の均等な分布が形成される。いくつかの実施形態において、光は、粘着剤１６３６の上又は捕虫部分１６１４内に所定のパターンを生成するよう操作され、例えば、均一な分布、高強度のホットスポットを伴う均一な分布、ホットスポットパターン、及び／又はこれらの組み合わせを生成するよう操作される。
【０２５２】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０２５３】
この構成の捕虫装置１６１０は、ベース部分１６１２に取り外し可能に取り付けることができる様々な異なる捕虫部分１６１４に対応することができ、それぞれの捕虫部分１６１４は、特定の種類又は複数の種類の飛翔昆虫又は非飛翔昆虫を誘引して捕獲するような固有の構成を有する。例えば、捕虫部分１６１４の全体の寸法及び形状、捕虫部分１６１４の前側ハウジング１６１８における開口部１６２０の寸法、形状、位置及び向き、並びに捕虫部分１６１４の固有周波数及び音増幅特性は、特定の種類又は複数の種類の飛翔昆虫又は非飛翔昆虫を誘引して捕獲するように固有の構成を有していてよい。例えば、いくつかの実施形態において、捕虫部分１６１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１６１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１６１４はおよそ、幅２０ｍｍ〜１３０ｍｍ、高さ２０ｍｍ〜１３０ｍｍ、及び奥行き５ｍｍ〜５０ｍｍである。
【０２５４】
いくつかの実施形態において、ベース部分１６１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１６１２は、幅２０ｍｍ〜２００ｍｍ、高さ１０ｍｍ〜１００ｍｍ、及び奥行き１０ｍｍ〜８０ｍｍである。いくつかの実施形態において、ベース部分１６１２は、幅２０ｍｍ〜１３０ｍｍ、高さ１０ｍｍ〜５０ｍｍ、及び奥行き１０ｍｍ〜５０ｍｍである。
【０２５５】
本明細書で提供されるように、開口部１６２０は様々な形状及び／又は寸法であり得る。例えば、開口部１２０の形状は、円形、正方形、長方形、多角形、及び／又は楕円形であり得る。あるいは、開口部１６２０は、直線、曲線、又は波状の形状又はパターンを有するスロット形状であり得る。開口部１６２０が円形の場合、開口部１６２０の直径は約０．５ｍｍ〜３０ｍｍであり得る。いくつかの実施形態において、円形開口部１６２０の直径は約０．５ｍｍ〜２０ｍｍである。いくつかの実施形態において、円形開口部１６２０の直径は約０．５ｍｍ〜１５ｍｍである。開口部１６２０がスロット形状の場合、開口部１６２０はおよそ、幅２ｍｍ〜３０ｍｍ、長さ５ｍｍ〜５００ｍｍであり得る。いくつかの実施形態において、スロット形状開口部１６２０はおよそ、幅２ｍｍ〜２０ｍｍ、長さ５ｍｍ〜２００ｍｍである。いくつかの実施形態において、スロット形状開口部１６２０はおよそ、幅２ｍｍ〜１５ｍｍ、長さ５ｍｍ〜１００ｍｍである。
【０２５６】
いくつかの実施形態において、開口部１６２０は前側ハウジング１６１８の全部又は一部を占める。例えば、開口部１６２０は、前側ハウジング１６１８の表面積の約１％〜７５％の範囲を占めていてもよい。いくつかの実施形態において、開口部１６２０は、前側ハウジング１６１８の表面積の約５％〜５０％を占める。いくつかの実施形態において、開口部１６２０は、前側ハウジング１６１８の表面積の約１０％〜３０％を占める。
【０２５７】
図８１は、捕虫装置の第１７の実施形態の背面斜視図であり、この捕虫装置全体は１７１０で示されている。捕虫装置１７１０は、ベース部分１７１２と取り外し可能な捕虫部分１７１４と、を含む。捕虫部分１７１４は、この図で、部分的に切り取られ、かつベース部分１７１２から取り外された状態で示されている。捕虫装置１７１０は、全体長さ、全体幅、及び全体奥行きを有していてよく、また、捕虫装置１７１０が壁面に取り付けられたとき、捕虫装置１７１０が壁面から突出する全距離によって定義される全体奥行きが、これら３つの全体寸法のうちで最小となるようになるように構成されてよい。捕虫部分１７１４は、前面１７１６に少なくとも１つの開口部１７２０を備えた前側ハウジング１７１８と、後側ハウジング１７４０と、背面１７５２を備えたディバイダ１７３４を含む。捕虫部分１７１４は、全体長さ、全体幅、及び全体奥行きを有していてよく、また、捕虫部分１７１４が捕虫装置１７１０に取り付けられ、かつ捕虫装置１７１０が壁面に取り付けられたとき、その壁面に垂直な方向に測定される、捕虫部分１７１４の全体奥行きが、捕虫部分１７１４のこれら３つの全体寸法のうちで最小となるように構成されていてもよい。前側ハウジング１７１８の開口部１７２０は、広範な種類の虫を捕虫装置１７１０に受け入れるように構成してもよいし、あるいは、１種類又は２種類以上の特定の種類の虫を受け入れるように構成してもよい。いくつかの実施形態において、開口部１７２０は、捕虫部分１７１４を取り外して交換するときに、ユーザーの指が開口部１７２０に入ってしまい捕獲された虫又は粘着剤に誤って触れることを防ぐように構成される。いくつかの実施形態において、開口部１７２０は、直径２５ｍｍの球が開口部１７２０を通過できないような寸法及び形状を有し、かつ、直径１ｍｍの球が開口部１７２０のいかなる部分も通過できるような寸法及び形状を有する。開口部１７２０の幅、形状及び向きは、均一であってもよいし、又は、変化していてもよく、また、捕虫部分１７１４が複数の開口部１７２０を有する場合は、それらの幅、形状及び向きは、同一あってもよいし、又は、異なっていてもよい。開口部１７２０は、１種類又は２種類以上の個々の種類の虫又は様々な種類の虫を誘引するように構成することができる。ディバイダ１７３４の背面１７５２には、電気機械式アクチュエーター１７５４（好ましくは圧電アクチュエーターなどの発信機又はトランシーバー）が取り付けられている。アクチュエーター１７５４には、捕虫部電気配線１７５６が取り付けられている。２本の捕虫部配線１７５６がアクチュエーター１７５４に取り付けられて示されているが、任意の好適な数の配線を使用することができる。後側ハウジング１７４０は、その底面に開口部１７４４を含んでよく、あるいは開口部１７４４は、透明又は半透明のウィンドウ（図示せず）に置き換えられてもよい。
【０２５８】
ベース部分１７１２の背面１７６８から突出しているのは、複数の導電性プロング１７２２であり、導電性プロング１７２２を標準の家庭用壁面電気コンセントに差し込むことにより、捕虫装置１７１０を壁面に取り付けて捕虫装置１７１０に電力を供給するよう適合されている。あるいは、導電性プロング１７２２は、導電性プロング１７２２が水平方向を向いた壁面電気コンセントに差し込まれる場合に、捕虫装置１７１０が直立したままとなり得るように、スイベル式に回転するように適合されていてもよい。あるいは、ベース部分１７１２は、所望の任意の場所に静置又は吊り下げて、ベース部分１７１２内に取り付けられた電池（図示せず）から電力を受け取るように構成されてもよい。電気コンセントと電池が、捕虫装置１７１０に電力を供給するものとして記載されたが、任意の好適な電源を使用することができる。ベース部分１７１２は、１つ又は２つ以上のＬＥＤ１７２４などの発光素子を含む。いくつかの実施形態において、ＬＥＤ１７２４は、ＵＶ光を発するＬＥＤを少なくとも１つ、及び可視光を発するＬＥＤを少なくとも１つ含む。いくつかの実施形態において、ＬＥＤ１７２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１７２４は、蚊などの特定の種類の虫をよりよく誘引するために、赤外（ＩＲ）光を発するＬＥＤを少なくとも１つ含む。ベース部分１７１２の上面１７２６は、開口部１７６６を含み、開口部１７６６は透明又は半透明のウィンドウ１７２８（ＬＥＤ１７２４が見えるように部分的に切り取った状態で示す）で覆われていてよい。ウィンドウ１７２８により、ＬＥＤ１７２４が埃と虫の破片から保護され、ベース部分１７１２のクリーニングが容易になる。ベース部分１７１２の上面１７２６にある１つ又は２つ以上の更なる開口部１７５８内には、複数のベース部電気接点１７６０が取り付けられている。２つのベース部接点１７６０が示されているが、任意の好適な数の接点を使用することができる。上面１７２６にはスロット１７３０があってよく、上面１７２６の外周には、縁又は上向きの突出部１７３２がある。
【０２５９】
図８２は捕虫装置１７１０の断面図であり、ベース部分１７１２と捕虫部分１７１４の内部が示されている。図８３は図８２の一部の拡大図である。いくつかの実施形態において、後側ハウジング１７４０は、反射性コーティングされた内面１７４２を含む。あるいは、後側ハウジング１７４０の材料及び表面仕上げは、反射性コーティングなしに、ＵＶ光及び／又は可視光及び／又はＩＲ光を反射するように構成され得る。いくつかの実施形態において、ディバイダ１７３４は、透明又は半透明の材料から構築されるか、又は透明又は半透明の材料を含み、また、前面１７３８が透明又は半透明の粘着剤１７３６でコーティングされ得る。いくつかの実施形態において、ディバイダ１７３４は、飛翔昆虫（広範な種類の飛翔昆虫が、偏光を感知することが知られている）を更に誘引するため、ディバイダ１７３４を透過する光を、日光と同様の配向に偏光するように構成される。いくつかの実施形態において、ディバイダ１７３４の材料及び厚さと粘着剤１７３６の材料及び厚さは、ＵＶ光及び／又は可視光及び／又はＩＲ光のかなりの割合を透過させるよう選択され、例えば、光の６０％超がディバイダ１７３４と粘着剤１７３６を透過するよう選択される。
【０２６０】
いくつかの実施形態において、前側ハウジング１７１８と後側ハウジング１７４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１７１８及び後側ハウジング１７４０は、射出成形又はその他の好適な製造法により構築される。図示されているように、ディバイダ１７３４は実質的に平らであり、ＬＥＤ１７２４により生成される光の主方向に対して平行又はある角度になるように構成することができる。いくつかの実施形態において、ディバイダ１７３４は、均一に配光するために最適化されるよう、凸状、凹状、又はサドル形状、又は形状の組み合わせに形成されてもよい。いくつかの実施形態において、ディバイダ１７３４は、粘着面の面積を増大させ、かつ明暗コントラスト領域を形成するような、畝又はその他の形状（図示せず）を有していてもよい。明暗コントラスト領域は、広範な種類の虫に対して可視性が高く、それらの虫に対する誘引効果をより高めることができる。
【０２６１】
また、いくつかの実施形態において、前側ハウジング１７１８は、その内面が透明、半透明又は不透明の粘着剤でコーティングされてよく、これにより付加的な捕虫効果及び能力が提供される。加えて、前側ハウジング１７１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング１７１８、ディバイダ１７３４及び後側ハウジング１７４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。捕虫部分１７１４の材料は更に、１種類又は２種類以上の虫誘引剤を含み得る。例えば、捕虫部分１７１４には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１７１０の虫誘引効率を更に向上させるにおいをもたらす物質を、含浸させることができる。そのような実施形態において、虫誘引剤は、捕虫部分１７１４に一体化している。あるいは、虫誘引剤は、前側ハウジング１７１８の内面上に、又は前側ハウジング１７１８の開口部１７２０を通して、又は前側ハウジング１７１８の前面１７１６上に、又はディバイダ１７３４の前面１７３８上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。
【０２６２】
そのような誘引剤は、捕虫装置１７１０から半径約２メートルにいる虫に感知可能であることが望ましい。ディバイダ１７３４は、捕虫部分１７１４を前側エンクロージャ１７４６と後側エンクロージャ１７４８とに分割している。後側ハウジング１７４０には、ベース部分１７１２のベース部接点１７６０に対応する複数の捕虫部電気接点１７６２（１つのみ図示）が含まれる。捕虫部接点１７６２は捕虫部配線１７５６に電気的に接続されており、捕虫部分１７１４がベース部分１７１２に取り付けられたときに、ベース部接点１７６０（１つのみ図示）と電気的接触を形成するように構成されている。いくつかの実施形態において、ベース部分１７１２は、コマンドを実行するためのプログラム可能プロセッサ又はチップ（図示せず）を有する回路基板１７５０を含み、これは導電性プロング１７２２（１つのみ図示）、ＬＥＤ１７２４（１つのみ図示）、及び、ベース部接点１７６０に対応する複数のベース部電気配線１７６４（１本のみが図示）に、電気的に接続されている。回路基板１７５０は、導電性プロング１７２２（１つのみ図示）、ＬＥＤ１７２４（１つのみ図示）、及びベース部配線１７６４に電気的に接続されていてよく、ベース部配線１７６４は、それぞれに対応するベース部接点１７６０に電気的に接続されていてよい。したがって、ディバイダ１７３４の背面１７５２に取り付けられているアクチュエーター１７５４は、捕虫部分１７１４がベース部分１７１２に取り付けられたときに、回路基板１７５０に電気的に接続され得る。ただし、見やすくするため、電気的接続は一部しか示されていない。回路基板１７５０は、導電性プロング１７２２から通常の家庭用電流を受け取り、ＬＥＤ１７２４を点灯させる電力を供給するための電子回路を含み得る。回路基板１７５０は、ＬＥＤ１７２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１７２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１７５０は、ＵＶ光及び可視光の両方を提供するために、ＬＥＤ１７２４に電力を供給してもよいが、ＵＶ光及び／又は可視光及び／又はＩＲ光の点滅の組み合わせを生み出すために、ＵＶ  ＬＥＤ１７２４のみ又は可視光ＬＥＤ１７２４のみ又はＩＲ  ＬＥＤ１７２４のみに電力を供給するか、あるいは変動電力を供給するように構成してもよい。また、回路基板１７５０は、虫誘引性の音を発するように、アクチュエーター１７５４に電力を供給するように構成されていてよい。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信��又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１７１０から約２メートル以内の距離にいる虫に感知可能であることが望ましい。そのような虫誘引性の音は、捕虫装置１７１０から約１メートルを超える距離にいる人間に感知できないものであることが望ましい。また、回路基板１７５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１７１２を通して捕虫部分１７１４へと伝達させ得る、電気素子の組み合わせを含んでもよい。あるいは、ＬＥＤ１７２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１７２４を、熱と光の両方を発生させる１つ又は２つ以上の白熱電球で置き換えてもよいし、又は強化してもよい。哺乳類の肌の温度及び体温に似せるために、一般に、発生させる熱により、捕虫部分１７１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０２６３】
図示されているように、ベース部分１７１２の上面１７２６のスロット１７３０と、ベース部分１７１２の上面１７２６の縁又は突出部１７３２とが、捕虫部分１７１４と係合して、使用中に捕虫部分１７１４を定位置に固定する。しかしながら、捕虫部分１７１４をベース部分１７１２にしっかりと、かつ取り外し可能に取り付けることができるような、任意の他の取り付け形態に置き換えてもよい。捕虫装置１７１０をコンセントから外した際に、捕虫装置１７１０を床、机、テーブル、又は棚の上に直立させて静置できるように、ベース部分１７１２の底面１７７０は、実質的に平坦であってもよい。あるいは、ベース部分１７１２の底面１７７０は、捕虫装置１７１０をコンセントから外した際に、捕虫装置１７１０を直立させて静置可能とする、２つ以上の突出部（図示せず）又は脚部を有していてもよい。
【０２６４】
捕虫装置１７１０の操作においては、導電性プロング１７２２が、壁面電気コンセントに差し込まれ、回路基板１７５０がＬＥＤ１７２４及びアクチュエーター１７５４に電力を供給する。ＬＥＤ１７２４は、光（矢印で示す）を発し、この光は、ベース部分１７１２のウィンドウ１７２８を通り、捕虫部分１７１４の後側ハウジング１７４０にある開口部１７４４を通って、後側エンクロージャ１７４８に入り、直接、後側ハウジング１７４０の内面１７４２上に、かつディバイダ１７３４の背面１７５２上に、伝わっていく。ＬＥＤ１７２４からの光は、後側ハウジング１７４０の底面における開口部１７４４（例えば、捕虫部分１７１４の全体奥行きに実質的に平行な面にある）を通って、後側エンクロージャ１７４８に入ることから、この光は、後側エンクロージャ１７４８の長さ全体を通過することができるとともに、後側エンクロージャ１７４８の長さ全体にわたって発散することができるため、後側エンクロージャ１７４８全体にわたって、より均一に配光され得る。いくつかの実施形態において、光はベース部分１７１２において操作されず、捕虫部分１７１４内へ直接発せられる。後側ハウジング１７４０の内面１７４２は凹形状を含んでいてもよく、ＬＥＤ１７２４からの光を発して、ディバイダ１７３４の背面１７５２上に均一に配光するように構成されていてもよいが、後側ハウジング１７４０の内面１７４２の形状は凸状又はサドル形状又は形状の組み合わせを有していてよく、あるいは、より均一に配光するように、畝又はその他の形状（図示せず）を有していてもよい。あるいは、ディバイダ１７３４の背面１７５２上へと（例えば、均等に、特定のパターンに従って、焦点を絞って）配光するように構成された、アナモルフィックレンズ、又は任意の他のレンズ、又はレンズの組み合わせ（図示せず）などの光学的エンハンサを、開口部１７４４において、若しくはその付近において、後側ハウジング１７４０に取り付けるか、又は開口部１７６６において、若しくはその付近において、ベース部分１７１２に取り付けてよく、また、この光学的エンハンサにより、後側ハウジング１７４０の内面１７４２の役割を置き換えるか、又は増強してもよい。いくつかの実施形態において、ＬＥＤ１７２４からの光は、ディバイダ１７３４の背面１７５２に斜めの角度（例えば、約０°〜９０°の鋭角）で直接当たってよく、ディバイダ１７３４全体にわたって広がり、後側ハウジング１７４０の内面１７４２の役割、又は後側ハウジング１７４０に取り付けられた１つ若しくは複数のレンズの役割を置き換えるか、又は強化してもよい。
【０２６５】
その後、光は、ディバイダ１７３４及び前面１７３８上の粘着剤１７３６を透過し、前側エンクロージャ１７４６に入る。この光は、ディバイダ１７３４、前面１７３８上の粘着剤１７３６、又はこれら両方の光散乱特性により、更に均一に配光され得る。前側エンクロージャ１７４６に入る光の一部は、続いて、前側ハウジング１７１８の開口部１７２０を通って、捕虫装置が設置されている周辺領域に放たれる。アクチュエーター１７５４は虫誘引性の振動を生成し、この振動は、ディバイダ１７３４により増幅され、捕虫部分１７１４の前側エンクロージャ１７４６を通り、捕虫部分１７１４の開口部１７２０を通って外部へと伝わる。粘着剤１７３６と、前側ハウジング１７１８の開口部１７２０とを通って伝わってくる光に、虫が誘引される。また、虫は、アクチュエーター１７５４により生成された虫誘引性の振動に誘引される。虫は、開口部１７２０から粘着剤１７３６上へと飛んでいくか、又は這っていき、そこで捕獲される。ユーザーは、前側ハウジング１７１８の開口部１７２０を通して見ることにより、捕獲された虫を確認できる。十分な数の虫が捕獲されると、ユーザーは、捕獲された虫、虫の破片又は粘着剤（これらは捕虫部分１７１４内の届かないところに留まる）に触れることなく、使用済みの捕虫部分１７１４全体を容易に取り外して捨て、新しい捕虫部分１７１４に交換することができる。新しい捕虫部分１７１４は、粘着剤コーティングされた新しい表面と光指向面を有しており、捕虫装置１７１０での効率的かつ効果的な虫の誘引と捕獲が持続的に確保される。
【０２６６】
いくつかの実施形態において、捕虫部分１７１４はベース部分１７１２の前ではなく上に取り付けられているため、一般的な家庭用壁面コンセントに差し込んだときに、壁面からの捕虫装置１７１０の突出が最小限に抑えられ、これによって、家庭環境に対する邪魔を最小限に抑える。いくつかの実施形態において、捕虫装置１７１０は、壁面に取り付けられたとき、捕虫装置１７１０が壁面から突出する全距離によって定義される全体奥行きが、捕虫装置１７１０の全体高さ及び全体幅よりも小さくなるように構成される。
【０２６７】
捕虫装置１７１０の利点は、捕虫部分１７１４内の光の操作であることが理解されよう。いくつかの実施形態において、光の操作は捕虫部分１７１４内でのみ行われる。光の操作には、反射、屈折、偏光、分散及び／又は散乱が含まれてよく、操作可能な素子又は表面（例えば、内面１７４２、ディバイダ１７３４及び粘着剤１７３６）と係合することにより達成される。いくつかの実施形態において、光の操作により、粘着剤１７３６上に光の均等な分布が形成される。いくつかの実施形態において、光は、粘着剤１７３６の上又は捕虫部分１７１４内に所定のパターンを生成するよう操作され、例えば、均一な分布、高強度のホットスポットを伴う均一な分布、ホットスポットパターン、及び／又はこれらの組み合わせを生成するよう操作される。
【０２６８】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０２６９】
この構成の捕虫装置１７１０は、ベース部分１７１２に取り外し可能に取り付けることができる様々な異なる捕虫部分１７１４に対応することができ、それぞれの捕虫部分１７１４は、特定の種類又は複数の種類の飛翔昆虫を誘引して捕獲するような固有の構成を有する。例えば、捕虫部分１７１４の全体の寸法及び形状、捕虫部分１７１４の前側ハウジング１７１８における開口部１７２０の寸法、形状、位置及び向き、アクチュエーター１７５４の振動生成特性、並びに捕虫部分１７１４の固有周波数及び音増幅特性は、特定の種類又は複数の種類の飛翔昆虫を誘引して捕獲するように固有の構成を有していてよい。
【０２７０】
例えば、いくつかの実施形態において、捕虫部分１７１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１７１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１７１４はおよそ、幅２０ｍｍ〜１３０ｍｍ、高さ２０ｍｍ〜１３０ｍｍ、及び奥行き５ｍｍ〜５０ｍｍである。
【０２７１】
いくつかの実施形態において、ベース部分１７１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１７１２は、幅２０ｍｍ〜２００ｍｍ、高さ１０ｍｍ〜１００ｍｍ、及び奥行き１０ｍｍ〜８０ｍｍである。いくつかの実施形態において、ベース部分１７１２は、幅２０ｍｍ〜１３０ｍｍ、高さ１０ｍｍ〜５０ｍｍ、及び奥行き１０ｍｍ〜５０ｍｍである。
【０２７２】
本明細書で提供されるように、開口部１７２０は様々な形状及び／又は寸法であり得る。例えば、開口部１７２０の形状は、円形、正方形、長方形、多角形、及び／又は楕円形であり得る。あるいは、開口部１７２０は、直線、曲線、又は波状の形状又はパターンを有するスロット形状であり得る。開口部１７２０が円形の場合、開口部１７２０の直径は約０．５ｍｍ〜３０ｍｍであり得る。いくつかの実施形態において、円形開口部１７２０の直径は約０．５ｍｍ〜２０ｍｍである。いくつかの実施形態において、円形開口部１７２０の直径は約０．５ｍｍ〜１５ｍｍである。開口部１７２０がスロット形状の場合、開口部１７２０はおよそ、幅２ｍｍ〜３０ｍｍ、長さ５ｍｍ〜５００ｍｍであり得る。いくつかの実施形態において、スロット形状開口部１７２０はおよそ、幅２ｍｍ〜２０ｍｍ、長さ５ｍｍ〜２００ｍｍである。いくつかの実施形態において、スロット形状開口部１７２０はおよそ、幅２ｍｍ〜１５ｍｍ、長さ５ｍｍ〜１００ｍｍである。
【０２７３】
いくつかの実施形態において、開口部１７２０は前側ハウジング１７１８の全部又は一部を占める。例えば、開口部１７２０は、前側ハウジング１７１８の表面積の約１％〜７５％の範囲を占めていてもよい。いくつかの実施形態において、開口部１７２０は、前側ハウジング１７１８の表面積の約５％〜５０％を占める。いくつかの実施形態において、開口部１７２０は、前側ハウジング１７１８の表面積の約１０％〜３０％を占める。
【０２７４】
図８４は、捕虫装置の第１７の実施形態の一例の正面斜視図であり、この捕虫装置全体は１７１０Ａで示されている。捕虫装置１７１０Ａは、ベース部分１７１２と取り外し可能な捕虫部分１７１４Ａとを含む。捕虫部分１７１４Ａは、この図で、部分的に切り取られ、かつベース部分１７１２Ａから取り外された状態で示されている。捕虫部分１７１４Ａは、少なくとも１つの開口部１７２０Ａを備える前側ハウジング１７１８Ａと、ディバイダ１７３４Ａと、後側ハウジング１７４０Ａと、を含む。ディバイダ１７３４Ａの背面に、背面上に取り付けられる１本又は２本以上の電熱線１７５４Ａなどの発熱体が固定される。電熱線１７５４Ａは、電力に応じて熱が生み出されるよう、均一パターンに構成されていてよい。電熱線１７５４Ａは、複数のバス１７７０Ａに接続され、これら複数のバス１７７０Ａは、対応する複数の捕虫部配線１７５６Ａに電気的に接続される。２本の捕虫部配線１７５６Ａ及び２本のバス１７７０Ａが図示されているが、任意の好適な数で用いてよい。いくつかの実施形態において、捕虫部配線１７５６Ａは、はんだにより、バス１７７０Ａに電気的に接続される。いくつかの実施形態において、電熱線１７５４Ａは、均一に間隔を開けたパターンで、ディバイダ１７３４Ａの背面に接着されるか、又はその他の方法で固定され、電流に応答した熱を生み出すように構成された抵抗線からなっていてもよい。いくつかの実施形態において、電熱線１７５４Ａは、ディバイダ１７３４Ａの背面に直接塗布された導電性ポリマー又は他の導電性材料からなっていてもよい。いくつかの実施形態において、電熱線１７５４Ａは、自己補正性導電性ポリマー又は他の自己補正性導電性材料からなっていてもよく、これらの材料は、より高い温度にて内部抵抗が増加し、より高温の領域からより低温の領域に電力を移動させることにより、電熱線１７５４Ａ及びディバイダ１７３４Ａにわたる温度的均一性を向上させる。一部の実施形態では、バス１７７０Ａは、銅などの高導電性金属からなっていてもよい。いくつかの実施形態において、電熱線１７５４Ａ及びバス１７７０Ａは共に導電性ポリマーからなっていてもよい。いくつかの実施形態において、電熱線１７５４Ａは、透明又は半透明な材料からなっていてもよい。いくつかの実施形態において、電熱線１７５４Ａは、ディバイダ１７３４Ａの背面の両側において電気的に接続され、電流に応じた熱を生み出す、ディバイダ１７４３Ａの背面上にある金属酸化物（図示せず）の薄い透明層で置き換えられる。哺乳類の肌の温度及び体温に似せるために、一般に、発生させる熱により、粘着剤の少なくとも一部分の温度をおよそ３０℃〜４５℃、好ましくはおよそ３３℃〜４２℃に上昇させて維持してもよい。いくつかの実施形態において、捕虫装置１７１０Ａにおいては、熱のみが誘引物として用いられ、光源は用いられない。
【０２７５】
後側ハウジング１７４０Ａは、その底面に開口部１７４４Ａを含んでよく、あるいは開口部１７４４Ａは、透明又は半透明のウィンドウ（図示せず）に置き換えられてもよい。ベース部分１７１２Ａの背面１７６８Ａから突出しているのは、複数の導電性プロング１７２２Ａであり、導電性プロング１７２２Ａを標準の家庭用壁面電気コンセントに差し込むことにより、捕虫装置１７１０Ａを壁面に取り付けて捕虫装置１７１０Ａに電力を供給するよう適合されている。ベース部分１７１２Ａは、１つ又は２つ以上のＬＥＤ１７２４Ａなどの発光素子を含む。ベース部分１７１２Ａの上面１７２６Ａは、開口部１７６６Ａを含む。ベース部分１７１２Ａの上面１７２６Ａにある１つ又は２つ以上の更なる開口部１７５８Ａ内には、複数のベース部電気接点１７６０Ａが取り付けられている。２つのベース部接点１７６０Ａが示されているが、任意の好適な数の接点を使用することができる。
【０２７６】
図８５は捕虫装置１７１０Ａの切り欠き断面図であり、ベース部分１７１２Ａと捕虫部分１７１４Ａの内部が示されている。図８６は図８５の一部の拡大図である。ディバイダ１７３４Ａは、透明又は半透明の材料から構築されるか、又は透明又は半透明の材料を含み、また、前面１７３８Ａが透明又は半透明の粘着剤でコーティングされ得る。いくつかの実施形態において、前側ハウジング１７１８Ａと後側ハウジング１７４０Ａは、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１７１８Ａ及び後側ハウジング１７４０Ａは、射出成形又はその他の好適な製造法により構築される。いくつかの実施形態において、前側ハウジング１７１８Ａ、ディバイダ１７３４Ａ及び後側ハウジング１７４０Ａは、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。ディバイダ１７３４Ａは、捕虫部分１７１４Ａを前側エンクロージャ１７４６Ａと後側エンクロージャ１７４８Ａとに分割している。後側ハウジング１７４０Ａは、内面１７４２Ａと、ベース部分１７１２Ａにおけるベース部接点１７６０Ａ（１つのみ図示）に対応する、複数の捕虫部電気接点１７６２Ａ（１つのみ図示）と、を含む。捕虫部接点１７６２Ａは捕虫部配線１７５６Ａ（１つのみ図示）に電気的に接続されており、捕虫部分１７１４Ａがベース部分１７１２Ａに取り付けられたときに、ベース部接点１７６０Ａと電気的接触を形成するように構成されている。いくつかの実施形態において、ベース部分１７１２Ａは、コマンドを実行するためのプログラム可能プロセッサ又はチップ（図示せず）を有する回路基板１７５０Ａを含み、これは導電性プロング１７２２Ａ（１つのみ図示）、ＬＥＤ１７２４Ａ（１つのみ図示）、及び、ベース部接点１７６０Ａに対応する複数のベース部電気配線１７６４Ａ（１本のみが図示）に、電気的に接続されている。回路基板１７５０Ａは、導電性プロング１７２２Ａ、ＬＥＤ１７２４Ａ、及びベース部配線１７６４Ａに電気的に接続されていてよく、ベース部配線１７６４Ａは、それぞれに対応するベース部接点１７６０Ａに電気的に接続されていてよい。したがって、電熱線１７５４Ａは、捕虫部分１７１４Ａがベース部分１７１２Ａに取り付けられたとき、回路基板１７５０Ａに電気的に接続され得る。ただし、見やすくするため、電気的接続は一部しか示されていない。回路基板１７５０Ａは、導電性プロング１７２２Ａから通常の家庭用電流を受け取り、電力を供給して、ＬＥＤ１７２４Ａを点灯させ、かつ電熱線１７５４Ａを動作させるための電子回路を含み得る。
【０２７７】
捕虫装置１７１０Ａの操作においては、導電性プロング１７２２Ａが、壁面電気コンセントに差し込まれ、回路基板１７５０ＡがＬＥＤ１７２４Ａ及び電熱線１７５４Ａに電力を供給する。電熱線１７５４Ａは、熱を発生させてディバイダ１７３４Ａを温め、これにより粘着剤が温められる。いくつかの実施形態において、回路基板１７５０Ｆは、電熱線１７５４Ａを通る電流を監視して、電熱線１７５４Ａにかかる電圧を増減させて、抵抗値における、温度に関連した変化に応答することにより、粘着剤を安定して、均一な温度に温めるように構成される。ＬＥＤ１７２４Ａは、光を発し、この光は、ベース部分１７１２Ａにある開口部１７６６Ａを通り、捕虫部分１７１４Ａの後側ハウジング１７４０Ａにある開口部１７４４Ａを通って、後側エンクロージャ１７４８Ａに入り、直接、後側ハウジング１７４０Ａの内面１７４２Ａ上に、かつディバイダ１７３４Ａの背面上に、伝わっていく。その後、光は、ディバイダ１７３４Ａ及び前面１７３８Ａ上の粘着剤を透過し、前側エンクロージャ１７４６Ａに入る。電熱線１７５４Ａは、十分に細く、粘着剤を通って伝わる光をほとんど妨害しない。前側エンクロージャ１７４６Ａに入る光の一部は、続いて、前側ハウジング１７１８Ａの開口部１７２０Ａを通って、捕虫装置が設置されている周辺領域に放たれる。粘着剤と、前側ハウジング１７１８Ａの開口部１７２０Ａとを通って伝わってくる光と熱に、虫が誘引される。虫は、開口部１７２０Ａから粘着剤１７３６Ａ上へと飛んでいくか、又は這っていき、そこで捕獲される。ユーザーは、前側ハウジング１７１８Ａの開口部１７２０Ａを通して見ることにより、捕獲された虫を確認できる。十分な数の虫が捕獲されると、ユーザーは、捕獲された虫、虫の破片又は粘着剤（これらは捕虫部分１７１４Ａ内の届かないところに留まる）に触れることなく、使用済みの捕虫部分１７１４Ａ全体を容易に取り外して捨て、新しい捕虫部分１７１４Ａに交換することができる。新しい捕虫部分１７１４Ａは、粘着剤コーティングされた新しい表面と光指向面を有しており、捕虫装置１７１０Ａでの効率的かつ効果的な虫の誘引と捕獲が持続的に確保される。
【０２７８】
図８７は、捕虫装置の第１８の実施形態の正面斜視図であり、この捕虫装置全体は１８１０で示されている。捕虫部分１８１４はこの図で部分的に切り取って示されている。捕虫装置１８１０は、ベース部分１８１２と取り外し可能な捕虫部分１８１４と、を含む。ベース部分１８１２は、前述の他の実施形態のベース部分と同一又は同様であってよい。捕虫部分１８１４は、前面１８３０に少なくとも１つの開口部１８１８を備えた前側ハウジング１８１６と、後側ハウジング１８２０と、前面１８２４を備えた透明又は半透明のディバイダ１８２２とを含んでいてよい。前側ハウジング１８１６の開口部１８１８は、広範な種類の虫を捕虫装置１８１０に受け入れるように構成してもよいし、あるいは、１種類又は２種類以上の特定の種類の虫を受け入れるように構成してもよい。いくつかの実施形態において、開口部１８１８は、捕虫部分１８１４を取り外して交換するときに、ユーザーの指が開口部１８２０に入ってしまい捕獲された虫又は粘着剤に誤って触れることを防ぐように構成される。いくつかの実施形態において、開口部１８１８は、直径２５ｍｍの球が開口部１８１８を通過できないような寸法及び形状を有し、かつ、直径１ｍｍの球が開口部１８２０のいかなる部分も通過できるような寸法及び形状を有する。開口部１８１８の幅、形状及び向きは、均一であってもよいし、又は、変化していてもよく、また、捕虫部分１８１４が複数の開口部１８１８を有する場合は、それらの幅、形状及び向きは、同一あってもよいし、又は、異なっていてもよい。開口部１８１８は、１種類又は２種類以上の個々の種類の虫又は様々な種類の虫を誘引するように構成することができる。いくつかの実施形態において、ディバイダ１８２２は、飛翔昆虫（広範な種類の飛翔昆虫が、偏光を感知することが知られている）を更に誘引するため、ディバイダ１８２２を透過する光を、日光と同様の配向に偏光するように構成される。いくつかの実施形態において、テキスト又は図形１８２６がディバイダ１８２２の前面１８２４に適用されるが、テキスト又は図形１８２６は代わりに、ディバイダ１８２２の背面（図示せず）に適用されてもよいし、又は、ディバイダ１８２２の両面に適用されてもよい。テキスト又は図形１８２６は、従来の印刷、ホットスタンプ、シルクスクリーン、インクジェット印刷、又は、ディバイダ１８２２の前面１８２４及び／又は背面（図示せず）にテキスト又は図形１８２６を適用し得る任意の方法又はプロセスによって適用され得る。あるいは、前側又は背面又は両面にテキスト又は図形が適用された透明又は半透明の薄いフィルムを、ディバイダ１８２２の前面１８２４に固定してもよい。あるいは、テキスト又は図形１８２６は、エンボス加工、刻印（engraving）、又は成型により、ディバイダ１８２２の前面１８２４又は背面（図示せず）上をエンボス加工又は隆起させたものであってよく、これにより、光がディバイダ１８２２を透過したときに、テキスト又は図形１８２６が周辺領域より暗く又は明るく見えるようにすることができる。透明又は半透明の粘着剤１８２８のコーティングが、ディバイダ１８２２の前面１８２４及びテキスト又は図形１８２６の上に適用される。テキスト又は図形１８２６は、通常の周辺光で、又は裏から照らされたときに、又はその両方で、粘着剤１８２８を通して見ることができてよい。あるいは、テキスト又は図形１８２６は、紫外光で照らされると光って見える蛍光顔料で適用されてもよい。テキスト又は図形１８２６は、反復されるメッセージ又はブランド名又は会社ロゴの形態であってよく、これによりテキスト又は図形１８２６がディバイダ１８２２の前面１８２４上に反復して表示されるため、製造中の位置合わせ及び印刷見当合わせの問題が排除される。テキスト又は図形１８２６は、前側ハウジング１８１６の開口部１８１８を通して視認可能となっているため、テキスト又は図形１８２６は、近距離から見ない限り、十分に視認可能又は読取り可能でなくてもよい。近距離から見る場合としては、ユーザーが、粘着剤１８２８に捕獲された虫を確認するために開口部１８１８を通して近距離から見る場合、又は廃棄と交換のためにベース部分１８１２から捕虫部分１８１４を取り外す場合などがあり得、このどちらの場合も、捕虫装置のブランド名及び／又はロゴ、使用又は廃棄の説明、あるいは任意の他の１つ又は複数のメッセージを、ユーザーに思い出させる機会となり得る。テキスト又は図形１８２６は、遠くから見たときに十分に視認可能又は読取り可能とならない場合があることから、テキスト又は図形１８２６は、捕虫装置１８１０が設置される部屋の外観に影響を及ぼさない場合がある。捕虫装置１８１０の動作時には、ディバイダ１８２２及びテキスト又は図形１８２６は裏側から照らされ、テキスト又は図形１８２６は、明瞭な明暗コントラスト領域として現れ得、この明暗コントラスト領域は、広範な種類の虫に対して可視性が高く、それらの虫に対する誘引効果をより高めることができる。ディバイダ１８２２の前面１８２４に適用されたテキスト又は図形１８２６は、裏側から照らされたときも照らされていないときも視認可能であってよく、一方、ディバイダ１８２２の背面に適用されたテキスト又は図形１８２６は、裏側から照らされたときだけ視認可能であり得る。したがって、テキスト又は図形１８２６がディバイダ１８２２の両面に適用された場合、捕虫装置１８１０の動作時にディバイダ１８２２が裏側から照らされているときと、捕虫装置１８１０が動作していないときとで、異なるメッセージ又は図形、又はメッセージ若しくは図形の組み合わせを表示させることができる。
【０２７９】
図８８は捕虫装置の第１９の実施形態の正面斜視図であり、図８９は背面斜視図であり、この捕虫装置全体は１９１０で示されている。捕虫装置１９１０は、ベース部分１９１２と取り外し可能な捕虫部分１９１４と、を含む。捕虫部分１９１４は、どちらの図でも、ベース部分１９１２から取り外された状態で示されている。捕虫装置１９１０は、全体長さ、全体幅、及び全体奥行きを有していてよく、また、捕虫装置１９１０が壁面に取り付けられたとき、捕虫装置１９１０が壁面から突出する全距離によって定義される全体奥行きが、これら３つの全体寸法のうちで最小となるようになるように構成されてよい。捕虫部分１９１４は、少なくとも１つの開口部１９２０を備えた前側ハウジング１９１８と、後側ハウジング１９４０と、を含む。捕虫部分１９１４は、全体長さ、全体幅、及び全体奥行きを有していてよく、また、捕虫部分１９１４が捕虫装置１９１０に取り付けられ、かつ捕虫装置１９１０が壁面に取り付けられたとき、その壁面に垂直な方向に測定される、捕虫部分１９１４の全体奥行きが、捕虫部分１９１４のこれら３つの全体寸法のうちで最小となるように構成されていてもよい。捕虫部分１９１４とベース部分１９１２は、捕虫部分１９１４がベース部分１９１２に取り付けられたときに、捕虫部分１９１４がベース部分１９１２の上面１９２６と係合するように構成されている。捕虫部分１９１４は、前面１９１６に少なくとも１つの開口部１９２０を備えた前側ハウジング１９１８と、後側ハウジング１９４０とを含む。前側ハウジング１９１８の開口部１９２０は、広範な種類の虫を捕虫装置１９１０に受け入れるように構成してもよいし、あるいは、１種類又は２種類以上の特定の種類の虫を受け入れるように構成してもよい。いくつかの実施形態において、開口部１９２０は、捕虫部分１９１４を取り外して交換するときに、ユーザーの指が開口部１９２０に入ってしまい捕獲された虫又は粘着剤に誤って触れることを防ぐように構成される。いくつかの実施形態において、開口部１９２０は、直径２５ｍｍの球が開口部１９２０を通過できないような寸法及び形状を有し、かつ、直径１ｍｍの球が開口部１９２０のいかなる部分も通過できるような寸法及び形状を有する。開口部１９２０の幅、形状及び向きは、均一であってもよいし、又は、変化していてもよく、また、捕虫部分１９１４が複数の開口部１９２０を有する場合は、それらの幅、形状及び向きは、同一あってもよいし、又は、異なっていてもよい。開口部１９２０は、１種類又は２種類以上の個々の種類の虫又は様々な種類の虫を誘引するように構成することができる。いくつかの実施形態において、前側ハウジング１９１８は、特に開口部１９２０の周辺の剛性及び強度を高めるため、１つ又は２つ以上の畝又はその他のレリーフ（図示せず）を有する。
【０２８０】
いくつかの実施形態において、ベース部分１９１２は、捕虫装置１９１０が平らな水平面（例えば床、あるいは保管用の棚）に置かれたときに、捕虫装置１９１０を直立したままとすることが可能なように、底面に実質的に平らな若しくは凹状の面（図示せず）、又は１つ若しくは２つ以上の突出部（図示せず）を有していてよい。ベース部分１９１２の背面１９６２（図８９に図示）から突出しているのは、複数の導電性プロング１９２２であり、導電性プロング１９２２を標準の家庭用壁面電気コンセントに差し込むことにより、捕虫装置１９１０を壁面に取り付けて捕虫装置１９１０に電力を供給するよう適合されている。あるいは、導電性プロング１９２２は、導電性プロング１９２２が水平方向を向いた壁面電気コンセントに差し込まれる場合に、捕虫装置１９１０が直立したままとなり得るように、スイベル式に回転するように適合されていてもよい。あるいは、ベース部分１９１２は、所望の任意の場所に静置又は吊り下げて、ベース部分１９１２内に取り付けられた電池（図示せず）から電力を受け取るように構成されてもよい。電気コンセントと電池が、捕虫装置１９１０に電力を供給するものとして記載されたが、任意の好適な電源を使用することができる。ベース部分１９１２は、上面１９２６と、１つ又は２つ以上のＬＥＤ１９２４などの発光素子とを含む。いくつかの実施形態において、ベース部分１９１２はＬＥＤ１９２４のアレイを含む。図示されているように、ＬＥＤ１９２４は青色及びＵＶ  ＬＥＤ１９２４の２×３アレイで構成されているが、別の数及び配置のＬＥＤ１９２４を有する別のアレイ構成（例えば、３×２アレイ、又は４×３アレイ、又は１×２アレイなど）、異なる波長の光を放射するＬＥＤ１９２４、及び、異なる波長の光を放射するＬＥＤ１９２４の異なる組み合わせを、使用することもできる。いくつかの実施形態において、ＬＥＤ１９２４は、ＵＶ光を発するＬＥＤを少なくとも１つ、及び可視光を発するＬＥＤを少なくとも１つ含む。いくつかの実施形態において、ＬＥＤ１９２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ１９２４は、蚊などの特定の種類の虫をよりよく誘引するために、ＩＲ光を発するＬＥＤを少なくとも１つ含む。ベース部分１９１２の上面１９２６には、透明又は半透明のウィンドウ１９２８が取り付けられていてよい（図ではＬＥＤ１９２４を見えるようにするため部分的に切り取られている）。ウィンドウ１９２８により、ＬＥＤ１９２４が埃と虫の破片から保護され、ベース部分１９１２のクリーニングが容易になる。いくつかの実施形態において、上面１９２６は、好ましくは上面１９２６の前部及び後部に、１つ又は２つ以上のスナップ突出部１９５６を有するが、スナップ突出部１９５６は上面１９２６の任意の場所に配置することができる。いくつかの実施形態において、スナップ突出部１９５６は、その遠位部分の少なくとも一部の幅及び／又は奥行きが、その近位部分の少なくとも一部に比べて��り大きくなるように構成され、これにより、アンダーカットと呼ばれる形状が形成される。捕虫部分１９１４の前側ハウジング１９１８及び／又は後側ハウジング１９４０は、ベース部分１９１２のスナップ突出部１９５６に寸法、形状及び位置が対応する１つ又は２つ以上のスナップ凹部１９５８を有してよいが、ただし、スナップ凹部１９５８のアンダーカットは、その近位部分の少なくとも一部の幅及び／又は奥行きが、その遠位部分の少なくとも一部と比べてより大きくなるように構成され得る。捕虫部分１９１４がベース部分１９１２に取り付けられたときに、スナップ突出部１９５６のアンダーカットと、スナップ凹部１９５８のアンダーカットが係合して、スナップ嵌めとして知られる、確実でありながら取り外し可能な取り付けが形成される。ベース部分１９１２と捕虫部分１９１４の間のスナップ嵌めにより、ユーザーが、確信をもって、捕虫部分１９１４とベース部分１９１２とを適切に係合させるための、明確な触覚的合図及び聴覚的合図を提供することができる。ベース部分１９１２と捕虫部分１９１４の間のスナップ嵌めにより、捕虫装置１９１０の使用中に、捕虫部分１９１４をベース部分１９１２に、しっかりと、かつ取り外し可能に取り付けることができ、また、捕虫部分１９１４又はベース部分１９１２を損傷することなく、かつユーザーが捕獲された虫に接触することなく、捕虫部分１９１４をベース部分１９１２から容易に取り外すことが可能になる。いくつかの実施形態において、ベース部分１９１２と捕虫部分１９１４の間のスナップ嵌めは、ユーザーが片手で捕虫部分１９１４をベース部分１９１２から簡単に取り外して交換できる一方で、ベース部分１９１２は取り外し可能にしっかりと壁面電気コンセントに差し込まれたままになっているように構成される。いくつかの実施形態において、ベース部分１９１２と捕虫部分１９１４の間のスナップ嵌めは、例えば、５０ニュートン以下の下向きの力で、捕虫部分１９１４をベース部分１９１２に取り付けることができるように、かつ、例えば、５０ニュートン以下の上向きの力で、捕虫部分１９１４をベース部分１９１２から取り外すことができるように、構成される。
【０２８１】
捕虫部分１９１４をベース部分１９１２に、取り外し可能にしっかりと取り付けるには、スナップ嵌めが好ましいと考えられるが、他の機構及び機構の組み合わせも想到され得る。図９０は捕虫装置の第１９の実施形態の一例の正面斜視図であり、図９１は背面斜視図であり、この捕虫装置全体は１９１０Ａで示されている。捕虫装置１９１０Ａは、ベース部分１９１２Ａと、取り外し可能な捕虫部分１９１４Ａとを含む。これらの図では、捕虫部分１９１４Ａは、ベース部分１９１２Ａから取り外した状態で示されている。ベース部分１９１２Ａは、上面１９２６Ａと、上面１９２６Ａの前側部分にある少なくとも１つのスナップ突出部１９５６Ａと、上面１９２６Ａの後側部分にある少なくとも１つのフック突出部１９６４Ａと、を含む。捕虫部分１９１４Ａは、前側ハウジング１９１８Ａと、後側ハウジング１９４０Ａと、前側ハウジング１９１８Ａにある少なくとも１つのスナップ凹部１９５８Ａと、後側ハウジング１９４０Ａにある少なくとも１つのフック凹部１９６６Ａと、を含む。スナップ凹部１９５８Ａは、ベース部分１９１２Ａ上のスナップ突出部１９５６Ａに対して、寸法、形状及び位置が対応しており、スナップ凹部１９５８Ａ及びフック凹部１９６６Ａは、捕虫部分１９１４Ａがベース部分１９１２Ａに取り付けられたとき、それぞれ、スナップ突出部１９５６Ａ及びフック突出部１９６４Ａと係合するように構成される。
【０２８２】
図９２は、捕虫装置１９１０Ａの左側面図である。この図では、捕虫部分１９１４Ａは、ベース部分１９１２Ａに部分的に取り付けられた状態で示されている。捕虫部分１９１４Ａをベース部分１９１２Ａ上に取り付けるには、まず最初に、図示されているように、捕虫部分１９１４Ａをわずかに後ろ（例えば、この図では、反時計回り方向）に傾けて、ベース部分上へと下ろし、捕虫部分１９１４Ａにあるフック凹部１９６６Ａを、ベース部分１９１２Ａ上のフック突出部１９６４Ａに係合させる。続いて、捕虫部分１９１４Ａを前方（例えば、この図では、時計回り方向）に傾けることによって、スナップ凹部１９５８Ａ（この図では図示せず）をスナップ突出部１９５６Ａ上に係合させると、ユーザーが確実に捕虫部分１９１４Ａをベース部分１９１２Ａに適切に係合させられるように、明確な触覚的合図及び聴覚的合図が提供される。捕虫部分１９１４Ａをベース部分１９１２Ａから取り外すには、捕虫部分１９１４Ａを後ろ（例えば、この図では、反時計回り方向）に傾けて、スナップ突出部１９５６Ａからスナップ凹部１９５８Ａを係合解除し、続いて、捕虫部分１９１４Ａをわずかに前方に引っ張って、ベース部分１９１２Ａから持ち上げる。ユーザーは捕虫部分１９１４Ａの頂部を保持して力を加えることにより、捕虫部分１９１４Ａを前方へ傾けて、スナップ突出部１９５６Ａにあるスナップ凹部１９５８Ａに係合させることができ、また、捕虫部分１９１４Ａを後方に傾けることによって、スナップ突出部１９５６Ａからスナップ凹部１９５８Ａを係合解除することができることから、加えて、捕虫部分１９１４Ａの頂部からフック凹部１９６６Ａまでの距離が、フック突出部１９６４Ａとスナップ突出部１９５６Ａとの間の距離よりも大きいことから、捕虫部分１９１４Ａを前方に傾け、捕虫部分１９１４Ａをベース部分１９１２Ａ上に取り付けるために必要な力、及び捕虫部分１９１４Ａを後方に傾け、捕虫部分１９１４Ａをベース部分１９１２Ａから取り外すために必要な力は著しく小さくなる。あるいは、この機械的な利点により、捕虫部分１９１４Ａを取り外して交換するために必要な力を増加させることなく、捕虫部分１９１４Ａをベース部分１９１２Ａ上に、より頑丈に取り付けることができるようになる。
【０２８３】
図９３は、捕虫装置の第１９の実施形態の一例の正面斜視図であり、この捕虫装置全体は１９１０Ｂで示されている。捕虫装置１９１０Ｂは、上面１９２６Ｂを備えるベース部分１９１２Ｂと、底面１９６４Ｂ及び側方フランジ１９６６Ｂ（１つのみ図示）を備える、取り外し可能な捕虫部分１９１４Ｂと、を含む。この図では、捕虫部分１９１４Ｂは、ベース部分１９１２Ｂから部分的に取り外した状態で示されている。ベース部分１９１４Ｂは、概ね捕虫部分１９１４Ｂの長さ分、ベース部分１９１２Ｂの両側から上方へ突出する、２本の側方レール１９６８Ｂを含む。側方レール１９６８Ｂのそれぞれは、遠位端１９７０Ｂと、ベース部分１９１２Ｂの上面１９２６Ｂから側方レール１９６８Ｂの遠位端１９７０Ｂを通って延びるチャネル１９７４Ｂ（１つのみ図示）を備える内側表面１９７２Ｂ（１つのみ図示）と、を含む。チャネル１９７４Ｂは、捕虫部分１９１４Ｂが側方レール１９６８Ｂを自由に上下へ摺動し得るように、捕虫部分１９１４Ｂの側方フランジ１９６６Ｂを受容するように構成される。
【０２８４】
捕虫部分１９１４Ｂをベース部分１９１２Ｂ上に取り付けるには、捕虫部分１９１４Ｂの底面１９６４Ｂに近い側方フランジ１９６６Ｂを、ベース部分１９１２Ｂの側方レール１９６８Ｂの遠位端１９７０Ｂにおいて、チャネル１９７４Ｂと位置合わせしてから、捕虫部分１９１４Ｂを解放し、捕虫部分１９１４Ｂの底面１９６４Ｂがベース部分１９１２Ｂの上面１９２６Ｂに接触するまで、捕虫部分１９１４Ｂを側方レール１９６８Ｂで下方に摺動させる。捕虫部分１９１４Ｂをベース部分１９１２Ｂから取り外すには、捕虫部分１９１４Ｂを上方へ持ち上げ、側方フランジ１９６６Ｂがチャネル１９７４Ｂと係合解除されるまで、捕虫部分１９１４Ｂを側方レール１９６８Ｂで上方へ摺動させる。したがって、捕虫部分１９１４Ｂの取り外し及び交換は、簡単かつ直感的である。
【０２８５】
捕虫部分１９１４Ｂをベース部分１９１２Ｂにしっかりと、かつ取り外し可能に取り付けるための他の構成が想定されている。いくつかの実施形態において、ベース部分１９１２Ｂにある１つ又は複数の磁石（図示せず）により、捕虫部分１９１４Ｂにある１つ又は複数の鉄合金要素（図示せず）を引き付け、捕虫部分１９１４Ｂをベース部分１９１２Ｂにしっかりとかつ取り外し可能に取り付けてもよい。いくつかの実施形態において、ベース部分１９１２Ｂにある１つ又は複数の電磁石（図示せず）によって、１つ又は複数の磁石の役割を置き換えてもよい。
【０２８６】
図９４は、捕虫装置の第１９の実施形態の一例の正面図であり、この捕虫装置全体は１９１０Ｃで示されている。捕虫装置１９１０Ｃは、ベース部分１９１２Ｃと、取り外し可能な捕虫部分１９１４Ｃとを含む。ベース部分１９１２Ｃ及び捕虫部分１９１４Ｃは、１つ又は２つ以上の把持部１９７６Ｃを含む。把持部１９７６Ｃにより、捕虫装置１９１０Ｃの設置時、及び／又は捕虫部分１９１４Ｃを取り外して交換するとき、ユーザーは、ベース部分１９１２Ｃ及び／又は捕虫部分１９１４Ｃを、よりしっかりと把持することができるようになる。図示されているように、ベース部分１９１２Ｃ及び捕虫部分１９１４Ｃは、どちらも把持部１９７６Ｃを含む。いくつかの実施形態において、捕虫部分１９１４Ｃだけが把持部１９７６Ｃを含んでいてもよいし、又は、ベース部分１９１２Ｃだけが把持部１９７６Ｃを含んでいてもよい。把持部１９７６Ｃは、ユーザーの指に適合するように構成された側方凹部として図示されているが、把持部１９７６Ｃは、任意の寸法の、ベース部分１９１２Ｃ又は捕虫部分１９１４Ｃの任意の部分にある、畝、隆起部、波状部、又は任意の他の凸形状若しくは凹形状の形態であってもよい。把持部１９７６Ｃは、組み立て前、組み立て中、又は組み立て後に、ベース部分１９１２Ｃ及び捕虫部分１９１４Ｃの部品に直接、成型、熱成形、切断、機械加工、又はスタンプ加工されてもよい。把持部１９７６Ｃにより、捕虫装置１９１０Ｃの設置が容易になるとともに、ベース部分１９１２Ｃ上への捕虫部分１９１４Ｃの取り外し及び交換が容易となり得る。あるいは、把持部１９７６Ｃにより、捕虫部分１９１４Ｃの取り外し及び交換の容易さを犠牲にすることなく、ベース部分１９１２Ｃと捕虫部分１９１４Ｃとの間の、よりしっかりとした取り外し可能な取り付けが可能となり得る。
【０２８７】
捕虫装置１９１０に戻ると、図９５は、捕虫装置１９１０の断面図である。いくつかの実施形態において、各ＬＥＤ１９２４から放射される光は、主方向１９５４を有する。捕虫部分１９１４は、前面１９３８を備えたディバイダ１９３４を含む。いくつかの実施形態において、ディバイダ１９３４は、透明又は半透明の材料から構築されるか、又は透明又は半透明の材料を含み、また、前面１９３８が透明又は半透明の粘着剤１９３６でコーティングされ得る。いくつかの実施形態において、ディバイダ１９３４は、飛翔昆虫（広範な種類の飛翔昆虫が、偏光を感知することが知られている）を更に誘引するため、ディバイダ１９３４を透過する光を、日光と同様の配向に偏光するように構成される。いくつかの実施形態において、ディバイダ１９３４の材料及び厚さと粘着剤１９３６の材料及び厚さは、ＵＶ光及び／又は可視光及び／又はＩＲ光のかなりの割合を透過させるよう選択され、例えば、光の６０％超がディバイダ１９３４と粘着剤１９３６を透過するよう選択される。いくつかの実施形態において、後側ハウジング１９４０は、反射性コーティングされた内面１９４２を含む。あるいは、後側ハウジング１９４０の材料及び表面仕上げは、反射性コーティングなしに、ＵＶ光及び／又は可視光及び／又はＩＲ光を反射及び分散させるように構成され得る。後側ハウジング１９４０は、その底面に開口部１９４４を含んでよく、あるいは開口部１９４４は、透明又は半透明のウィンドウ（図示せず）に置き換えられてもよい。
【０２８８】
いくつかの実施形態において、前側ハウジング１９１８と後側ハウジング１９４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング１９１８及び後側ハウジング１９４０は、射出成形又はその他の好適な製造法により構築される。図示されているように、ディバイダ１９３４は実質的に平らであり、ＬＥＤ１９２４により生成される光の主方向１９５４に対して平行又はある角度１９５２になるように構成することができる。角度１９５２は、好ましくは、ディバイダ１９３４全体に光が均一に配光されやすくなるように、鋭角であってよく、好ましくは０°〜４５°であってよい。いくつかの実施形態において、ディバイダ１９３４は、均一に配光するために最適化されるよう、凸状、凹状、又はサドル形状、又は形状の組み合わせに形成されてもよい。いくつかの実施形態において、ディバイダ１９３４は、粘着面の面積を増大させ、かつ明暗コントラスト領域を形成するような、畝又はその他の形状（図示せず）を有していてもよい。明暗コントラスト領域は、広範な種類の虫に対して可視性が高く、それらの虫に対する誘引効果をより高めることができる。
【０２８９】
また、いくつかの実施形態において、前側ハウジング１９１８は、その内面が透明、半透明又は不透明の粘着剤（図示せず）でコーティングされてよく、これにより付加的な捕虫効果及び能力が提供される。加えて、前側ハウジング１９１８は更に内面の粘着剤コーティングの下に反射性コーティング（図示せず）を有し、これにより、虫の誘引効果を強化し、捕虫効果及び効率を更に向上させてもよい。
【０２９０】
いくつかの実施形態において、前側ハウジング１９１８、ディバイダ１９３４及び後側ハウジング１９４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。捕虫部分１９１４の材料は更に、１種類又は２種類以上の虫誘引剤を含み得る。例えば、捕虫部分１９１４には、当該技術分野で既知の１種類又は２種類以上の虫誘引物質、例えば、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置１９１０の虫誘引効率を更に向上させ得るにおいをもたらす物質を、含浸させることができる。そのような実施形態において、虫誘引剤は、捕虫部分１９１４に一体化している。あるいは、虫誘引剤は、前側ハウジング１９１８の内面上に、又は前側ハウジング１９１８の開口部を通して、又は前側ハウジング１９１８の前面１９１６上に、又はディバイダ１９３４の前面１９３８上に取り付けられる、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピース又はコンテナに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピース又はコンテナに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピース又はコンテナに埋め込むか、又は収容してもよい。そのような誘引剤は、捕虫装置１９１０から半径約２メートルにいる虫に感知可能であることが望ましい。ディバイダ１９３４は、捕虫部分１９１４を前側エンクロージャ１９４６と後側エンクロージャ１９４８とに分割している。いくつかの実施形態において、ベース部分１９１２は、コマンドを実行するためのプログラム可能プロセッサ又はチップ（図示せず）を有する回路基板１９５０を含み、これは導電性プロング１９２２（１つのみ図示）、及びＬＥＤ１９２４（１つのみ図示）に電気的に接続されている。ただし、見やすくするため、電気的接続は一部しか示されていない。回路基板１９５０は、導電性プロング１９２２から通常の家庭用電流を受け取り、ＬＥＤ１９２４を点灯させる電力を供給するための電子回路を含み得る。回路基板１９５０は、ＬＥＤ１９２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ１９２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板１９５０は、ＵＶ光及び／又は可視光及び／又はＩＲ光を提供するために、ＬＥＤ１９２４に電力を供給してもよいが、ＵＶ光及び／又は可視光及び／又はＩＲ光の点滅の組み合わせを生み出すために、ＵＶ  ＬＥＤ１９２４のみ又は可視光ＬＥＤ１９２４のみ又はＩＲ  ＬＥＤ１９２４のみに電力を供給するか、あるいは変動電力を供給するように構成してもよい。回路基板１９５０はまた、圧電スピーカ（図示せず）などの発信機又はトランシーバー、又はその他の装置を駆動させるように構成することができ、これらはベース部分１９１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１９１０から約２メートル以内の距離にいる虫に感知可能であることが望ましい。そのような虫誘引性の音は、捕虫装置１９１０から約１メートルを超える距離にいる人間に感知できないものであることが望ましい。また、回路基板１９５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分１９１２を通して捕虫部分１９１４へと伝達させ得る、電気素子の組み合わせを含んでもよい。あるいは、ＬＥＤ１９２４のうちの１つ又は２つ以上によって熱を発生させ、１つ又は２つ以上の電気素子が発生させる熱を置き換えてもよいし、又は増大させてもよい。あるいは、１つ又は２つ以上のＬＥＤ１９２４を、熱と光の両方を発生させる１つ又は２つ以��の白熱電球で置き換えてもよいし、又は強化してもよい。哺乳類の肌の温度及び体温に似せるために、一般に、発生させる熱により、捕虫部分１９１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０２９１】
捕虫装置１９１０の操作においては、導電性プロング１９２２が壁面電気コンセントに差し込まれ、捕虫部分１９１４は、捕虫部分１９１４のスナップ凹部１９５８（図示せず）を、ベース部分１９１２の対応するスナップ突出部１９５６（図示せず）に係合させることにより、ベース部分１９１２に取り付けられる。ＬＥＤ１９２４は、光（矢印で示す）を発し、この光は、ベース部分１９１２のウィンドウ１９２８を通り、捕虫部分１９１４の後側ハウジング１９４０にある開口部１９４４を通って、後側エンクロージャ１９４８に入り、直接、後側ハウジング１９４０の内面１９４２上に、かつディバイダ１９３４の背面１９６０上に、伝わっていく。見やすくするため、光を表わす矢印は、１つのＬＥＤ１９２４から放射される光のみを示す。ＬＥＤ１９２４からの光は、後側ハウジング１９４０の底面における開口部１９４４（例えば、捕虫部分１９１４の全体奥行きに実質的に平行な面にある）を通って、後側エンクロージャ１９４８に入ることから、この光は、後側エンクロージャ１９４８の長さ全体を通過することができるとともに、後側エンクロージャ１９４８の長さ全体にわたって発散することができるため、後側エンクロージャ１９４８全体にわたって、より均一に配光され得る。いくつかの実施形態において、光はベース部分１９１２において操作されず、捕虫部分１９１４内へ直接発せられる。後側ハウジング１９４０の内面１９４２は凹形状を含んでいてもよく、ＬＥＤ１９２４からのＵＶ光及び可視光を反射及び分散させて、ディバイダ１９３４の背面１９６０上に均一に配光するように構成されていてもよいが、後側ハウジング１９４０の内面１９４２の形状は凸状又はサドル形状又は形状の組み合わせ（図示せず）を有していてよく、あるいは、より均一に配光するように、畝又はその他の形状を有していてもよい。あるいは、ディバイダ１９３４の背面１９６０上へとＵＶ光及び可視光を（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部１９４４において、若しくはその付近において、後側ハウジング１９４０に取り付けるか、又はウィンドウ１９２８において、若しくはその付近において、ベース部分１９１２に取り付けてよく、また、この光学的エンハンサにより、後側ハウジング１９４０の内面１９４２の役割を置き換えるか、又は増強してもよい。いくつかの実施形態において、ＬＥＤ１９２４からの光は、ディバイダ１９３４の背面１９６０に斜めの角度（例えば、約０°〜９０°の鋭角）で直接当たってよく、ディバイダ１９３４全体にわたって広がってよく、後側ハウジング１９４０の内面１９４２の役割、又は後側ハウジング１９４０に取り付けられた１つ若しくは複数のレンズの役割を置き換えるか、又は強化してもよい。
【０２９２】
その後、光は、ディバイダ１９３４及び前面１９３８上の粘着剤１９３６を透過し、前側エンクロージャ１９４６に入る。この光は、ディバイダ１９３４、前面１９３８上の粘着剤１９３６、又はこれら両方の光散乱特性により、更に均一に配光され得る。前側エンクロージャ１９４６に入る光の一部は、前側ハウジング１９１８の開口部１９２０を通って、捕虫装置が設置されている領域へと進んでいく。虫は、粘着剤１９３６と前側ハウジング１９１８の開口部１９２０とを通って伝わってくるＵＶ光及び／又は可視光に誘引され、開口部１９２０から粘着剤１９３６上へと飛んでいくか、又は這っていき、そこで捕獲される。ユーザーは、前側ハウジング１９１８の開口部１９２０を通して見ることにより、捕獲された虫を確認できる。十分な数の虫が捕獲されると、ユーザーは、捕獲された虫、虫の破片又は粘着剤（これらは捕虫部分１９１４内の届かないところに留まる）に触れることなく、使用済みの捕虫部分１９１４全体を容易に取り外して捨て、新しい捕虫部分１９１４に交換することができる。新しい捕虫部分１９１４は、粘着剤コーティングされた新しい表面と光指向面を有しており、捕虫装置１９１０での効率的かつ効果的な虫の誘引と捕獲が持続的に確保される。
【０２９３】
いくつかの実施形態において、捕虫部分１９１４はベース部分１９１２の前ではなく上に取り付けられているため、一般的な家庭用壁面コンセントに差し込んだときに、壁面からの捕虫装置１９１０の突出が最小限に抑えられ、これによって、家庭環境に対する邪魔を最小限に抑える。いくつかの実施形態において、捕虫装置１９１０は、壁面に取り付けられたとき、捕虫装置１９１０が壁面から突出する全距離によって定義される全体奥行きが、捕虫装置１９１０の全体高さ及び全体幅よりも小さくなるように構成される。
【０２９４】
捕虫装置１９１０の利点は、捕虫部分１９１４内の光の操作であることが理解されよう。いくつかの実施形態において、光の操作は捕虫部分１９１４内でのみ行われる。光の操作には、反射、屈折、偏光、分散及び／又は散乱が含まれてよく、操作可能な素子又は表面（例えば、内面１９４２、ディバイダ１９３４及び粘着剤１９３６）と係合することにより達成される。いくつかの実施形態において、光の操作により、粘着剤１９３６上に光の均等な分布が形成される。いくつかの実施形態において、光は、粘着剤１９３６の上又は捕虫部分１９１４内に所定のパターンを生成するよう操作され、例えば、均一な分布、高強度のホットスポットを伴う均一な分布、ホットスポットパターン、及び／又はこれらの組み合わせを生成するよう操作される。
【０２９５】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０２９６】
この構成の捕虫装置１９１０は、ベース部分１９１２に取り外し可能に取り付けることができる様々な異なる捕虫部分１９１４に対応することができ、それぞれの捕虫部分１９１４は、特定の種類又は複数の種類の飛翔昆虫又は非飛翔昆虫を誘引して捕獲するような固有の構成を有する。例えば、捕虫部分１９１４の全体の寸法及び形状、並びに捕虫部分１９１４の前側ハウジング１９１８における開口部１９２０の寸法、形状、位置及び向きは、特定の種類又は複数の種類の飛翔昆虫又は非飛翔昆虫を誘引して捕獲するように固有の構成を有していてよい。
【０２９７】
例えば、いくつかの実施形態において、捕虫部分１９１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１９１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１９１４はおよそ、幅２０ｍｍ〜１３０ｍｍ、高さ２０ｍｍ〜１３０ｍｍ、及び奥行き５ｍｍ〜５０ｍｍである。
【０２９８】
いくつかの実施形態において、ベース部分１９１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１９１２は、幅２０ｍｍ〜２００ｍｍ、高さ１０ｍｍ〜１００ｍｍ、及び奥行き１０ｍｍ〜８０ｍｍである。いくつかの実施形態において、ベース部分１９１２は、幅２０ｍｍ〜１３０ｍｍ、高さ１０ｍｍ〜５０ｍｍ、及び奥行き１０ｍｍ〜５０ｍｍである。
【０２９９】
本明細書で提供されるように、開口部１９２０は様々な形状及び／又は寸法であり得る。例えば、開口部１９２０の形状は、円形、正方形、長方形、多角形、及び／又は楕円形であり得る。あるいは、開口部１９２０は、直線、曲線、又は波状の形状又はパターンを有するスロット形状であり得る。開口部１９２０が円形の場合、開口部１９２０の直径は約０．５ｍｍ〜３０ｍｍであり得る。いくつかの実施形態において、円形開口部１９２０の直径は約０．５ｍｍ〜２０ｍｍである。いくつかの実施形態において、円形開口部１９２０の直径は約０．５ｍｍ〜１５ｍｍである。開口部１９２０がスロット形状の場合、開口部１９２０はおよそ、幅２ｍｍ〜３０ｍｍ、長さ５ｍｍ〜５００ｍｍであり得る。いくつかの実施形態において、スロット形状開口部１９２０はおよそ、幅２ｍｍ〜２０ｍｍ、長さ５ｍｍ〜２００ｍｍである。いくつかの実施形態において、スロット形状開口部１９２０はおよそ、幅２ｍｍ〜１５ｍｍ、長さ５ｍｍ〜１００ｍｍである。
【０３００】
いくつかの実施形態において、開口部１９２０は前側ハウジング１９１８の全部又は一部を占める。例えば、開口部１９２０は、前側ハウジング１９１８の表面積の約１％〜７５％の範囲を占めていてもよい。いくつかの実施形態において、開口部１９２０は、前側ハウジング１９１８の表面積の約５％〜５０％を占める。いくつかの実施形態において、開口部１９２０は、前側ハウジング１９１８の表面積の約１０％〜３０％を占める。
【０３０１】
図９６は、捕虫装置の第２０の実施形態の正面斜視図であり、この捕虫装置全体は２０１０で示されている。捕虫装置２０１０は、ベース部分２０１２と取り外し可能な捕虫部分２０１４とを含み得る。捕虫部分２０１４は、この図で、部分的に切り取られ、かつベース部分２０１２から取り外された状態で示されている。捕虫装置２０１０は、全体長さ、全体幅、及び全体奥行きを有していてよく、また、捕虫装置２０１０が壁面に取り付けられたとき、捕虫装置２０１０が壁面から突出する全距離によって定義される全体奥行きが、これら３つの全体寸法のうちで最小となるようになるように構成されてよい。捕虫部分２０１４は、ディバイダ２０３４と、前面２０１６に少なくとも１つの開口部２０２０を備えた前側ハウジング２０１８とを含む。捕虫部分２０１４は、全体長さ、全体幅、及び全体奥行きを有していてよく、また、捕虫部分２０１４が捕虫装置２０１０に取り付けられ、かつ捕虫装置２０１０が壁面に取り付けられたとき、その壁面に垂直な方向に測定される、捕虫部分２０１４の全体奥行きが、捕虫部分２０１４のこれら３つの全体寸法のうちで最小となるように構成されていてもよい。前側ハウジング２０１８の開口部２０２０は、広範な種類の虫を捕虫装置２０１０に受け入れるように構成してもよいし、あるいは、１種類又は２種類以上の特定の種類の虫を受け入れるように構成してもよい。いくつかの実施形態において、開口部２０２０は、捕虫部分２０１４を取り外して交換するときに、ユーザーの指が開口部２０２０に入ってしまい捕獲された虫又は粘着剤に誤って触れることを防ぐように構成される。いくつかの実施形態において、開口部２０２０は好ましくは、直径２５ｍｍの球が開口部２０２０を通過できないような寸法及び形状を有し得、かつ、直径１ｍｍの球が開口部２０２０のいかなる部分も通過できるような寸法及び形状を有する。開口部２０２０の幅、形状及び向きは、均一であってもよいし、又は、変化していてもよく、また、捕虫部分２０１４が複数の開口部２０２０を有する場合は、それらの幅、形状及び向きは、同一あってもよいし、又は、異なっていてもよい。開口部２０２０は、１種類又は２種類以上の個々の種類の虫又は様々な種類の虫を誘引するように構成することができる。前側ハウジング２０１８は更にウィンドウ２０６０を含み得るが、ウィンドウ２０６０の代わりに開口部であってもよい。いくつかの実施形態において、ディバイダ２０３４は、透明又は半透明の材料から構築されるか、又は透明又は半透明の材料を含み、また、前面２０３８が透明又は半透明の粘着剤２０３６でコーティングされ得る。使用中、捕獲された１匹以上の虫２０５８が、ディバイダ２０３４の前面２０３８上の粘着剤２０３６に付着し得る。また、いくつかの実施形態において、ディバイダ２０３４は、飛翔昆虫（広範な種類の飛翔昆虫が、偏光を感知することが知られている）を更に誘引するため、ディバイダ２０３４を透過する光を、日光と同様の配向に偏光するように構成されてもよい。ベース部分２０１２の背面２０６４（図９７に図示）から突出しているのは、複数の導電性プロング２０２２であってよく、導電性プロング２０２２を標準の家庭用壁面電気コンセントに差し込むことにより、捕虫装置２０１０を壁面に取り付けて捕虫装置２０１０に電力を供給するよう適合されている。あるいは、導電性プロング２０２２は、導電性プロング２０２２が水平方向コンセントに差し込まれる場合に、捕虫装置２０１０が直立したままとなり得るように、スイベル式に回転するように適合されていてもよい。あるいは、ベース部分２０１２は、所望の任意の場所に静置又は吊り下げて、ベース部分２０１２内に取り付けられた電池（図示せず）から電力を受け取るように構成されてもよい。電気コンセントと電池が、捕虫装置２０１０に電力を供給するものとして記載されたが、任意の好適な電源を使用することができる。ベース部分２０１２は、１つ又は２つ以上のＬＥＤ２０２４などの発光素子を含む。いくつかの実施形態において、ＬＥＤ２０２４は、ＵＶ光を発するＬＥＤを少なくとも１つ、及び可視光を発するＬＥＤを少なくとも１つ含む。いくつかの実施形態において、ＬＥＤ２０２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２０２４は、蚊及びノミなどの特定の種類の虫をよりよく誘引するために、ＩＲ光を発するＬＥＤを少なくとも１つ含む。ベース部分２０１２の上面２０２６には開口部２０５２があり、開口部２０５２は透明又は半透明のウィンドウ２０２８（ＬＥＤ２０２４が見えるように部分的に切り取った状態で示す）で覆われていてよい。当業者には、本明細書に記載されるか又は添付図に示されるような開口部及びウィンドウ（例えば２０５２及び２０２８）は、本開示の範囲から逸脱することなく、様々な寸法及び／又は位置であり得ることが理解されよう。ウィンドウ２０２８により、ＬＥＤ２０２４が埃と虫の破片から保護され、ベース部分２０１２のクリーニングが容易になり得る。いくつかの実施形態において、捕虫部分２０１４がベース部分２０１２に取り付けられたとき、ウィンドウ２０２８の少なくとも一部と、ＬＥＤ２０２４の少なくとも一部とが、ベース部分２０１２の上面２０２６から突出して捕虫部分２０１４内に入る。いくつかの実施形態において、ベース部分はウィンドウ２０２８を含まず、捕虫部分２０１４がベース部分２０１２に取り付けられたとき、ＬＥＤ２０２４の少なくとも一部が、ベース部分２０１２の上面２０２６から突出して捕虫部分２０１４内に入る。いくつかの実施形態において、上面２０２６の開口部２０５４内には、光センサ２０５６が取り付けられており、これは好ましくはフォトレジスタであるが、光電池、フォトダイオード、フォトトランジスタ、又は、光を検出し、その電気的特性を変化させることで応答する任意のセンサを、使用することができる。また、上面２０２６にはスロット２０３０があってよく、上面２０２６の外周には、縁又は上向きの突出部２０３２がある。
【０３０２】
図９７は、捕虫装置２０１０の断面図である。捕虫部分２０１４は、内面２０４２を備えた後側ハウジング２０４０を含む。いくつかの実施形態において、内面２０４２は反射性コーティングを有する。いくつかの実施形態において、後側ハウジング２０４０の材料及び表面仕上げは、反射性コーティングなしに、ＵＶ光及び／又は可視光及び／又はＩＲ光を反射及び分散させるように構成され得る。いくつかの実施形態において、ディバイダ２０３４の材料及び厚さと粘着剤２０３６の材料及び厚さは、ＵＶ光及び／又は可視光及び／又はＩＲ光のかなりの割合を透過させるよう選択され、例えば、光の６０％超がディバイダ２０３４と粘着剤２０３６を透過するよう選択される。後側ハウジング２０４０は、その底面に開口部２０４４を含んでよく、あるいは開口部２０４４は、透明又は半透明のウィンドウ（図示せず）に置き換えられてもよい。
【０３０３】
いくつかの実施形態において、前側ハウジング２０１８と後側ハウジング２０４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料も使用することができる。いくつかの実施形態において、前側ハウジング２０１８及び後側ハウジング２０４０は、射出成形又はその他の好適な製造法により構築される。図示されているように、ディバイダ２０３４は実質的に平らであり、ＬＥＤ２０２４により生成される光の主方向（図示せず）に対して平行又はある角度になるように構成することができる。あるいは、ディバイダ２０３４は、均一に配光するために最適化されるよう、凸状、凹状、又はサドル形状（図示せず）、又は形状の組み合わせに形成されてもよい。いくつかの実施形態において、ディバイダ２０３４は、粘着面の面積を増大させ、かつ明暗コントラスト領域を形成するような、畝又はその他の形状（図示せず）を有する。明暗コントラスト領域は、広範な種類の虫に対して可視性が高く、それらの虫に対する誘引効果をより高めることができる。
【０３０４】
いくつかの実施形態において、前側ハウジング２０１８は、その内面が透明、半透明又は不透明の粘着剤（図示せず）でコーティングされており、これにより付加的な捕虫効果及び能力が提供される。加えて、前側ハウジング２０１８は更に内面の粘着剤コーティングの下に反射性コーティング（図示せず）を有し、これにより、虫の誘引効果を強化し、捕虫効果及び効率を更に向上させてもよい。
【０３０５】
いくつかの実施形態において、前側ハウジング２０１８、ディバイダ２０３４及び後側ハウジング２０４０は、それらが交差又は係合する箇所において、接着剤で互いに接合されているが、これらは、超音波溶接、若しくはＲＦ密封などの他の一般的に使用されているパッケージング組立法、又は任意の他の好適な組立方法により、互いに接合されていてもよい。図示されているように、ディバイダ２０３４は、捕虫部分２０１４を前側エンクロージャ２０４６と後側エンクロージャ２０４８とに分割していてよい。いくつかの実施形態において、ベース部分２０１２は、コマンドを実行するためのプログラム可能プロセッサ又はチップ（図示せず）を有する回路基板２０５０を含み、これは導電性プロング２０２２（１つのみ図示）、及びＬＥＤ２０２４に電気的に接続されている。ただし、見やすくするため、電気的接続は一部しか示されていない。回路基板２０５０は、例えば導電性プロング２０２２から通常の家庭用電流を受け取り、ＬＥＤ２０２４を点灯させる電力を供給するための電子回路を含み得る。回路基板２０５０は、ＬＥＤ２０２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ２０２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板２０５０は、ＵＶ光及び／又は可視光及び／又はＩＲ光を提供するために、ＬＥＤ２０２４に電力を供給してもよいが、ＵＶ光及び／又は可視光及び／又はＩＲ光の点滅の組み合わせを生み出すために、ＵＶ  ＬＥＤ２０２４のみ又は可視光ＬＥＤ２０２４のみ又はＩＲ  ＬＥＤ２０２４のみに電力を供給するか、あるいは変動電力を供給するように構成してもよい。回路基板２０５０はまた、圧電スピーカ（図示せず）などの発信機又はトランシーバー、又はその他の装置を駆動させるように構成することができ、これらはベース部分２０１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような��誘引性の音は、捕虫装置２０１０から約２メートル以内の距離にいる虫に感知可能であることが望ましい。そのような虫誘引性の音は、捕虫装置２０１０から約１メートルを超える距離にいる人間に感知できないものであることが望ましい。また、回路基板２０５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２０１２を通して捕虫部分２０１４へと伝達させ得る、電気素子の組み合わせを含んでもよい。あるいは、光源２０２４のうちの１つ又は２つ以上によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２０１４の少なくとも一部分の温度をおよそ３０℃〜４５℃、好ましくはおよそ３３℃〜４２℃に上昇させて維持してもよい。
【０３０６】
図示されているように、ベース部分２０１２の上面２０２６のスロット２０３０と、ベース部分２０１２の上面２０２６の縁又は突出部２０３２とが、捕虫部分２０１４と係合して、使用中に捕虫部分２０１４を定位置に固定する。しかしながら、捕虫部分２０１４をベース部分２０１２にしっかりと、かつ取り外し可能に取り付けることができるような、任意の他の取り付け形態に置き換えてもよい。捕虫装置２０１０をコンセントから外した際に、捕虫装置２０１０を床、机、テーブル、又は棚の上に直立させて静置できるように、ベース部分２０１２の底面２０６６は、実質的に平坦であるか又は凹状になっていてもよい。あるいは、ベース部分２０１２の底面２０６６は、捕虫装置２０１０をコンセントから外した際に、捕虫装置２０１０を直立させて静置可能とする、２つ以上の突出部（図示せず）又は脚部を有していてもよい。
【０３０７】
捕虫装置２０１０の操作においては、導電性プロング２０２２（１つのみ図示）を壁面電気コンセントに差し込む。回路基板２０５０は、ＬＥＤ２０２４と光センサ２０５６に電力を供給する。ＬＥＤ２０２４は、光（矢印で示す）を発し、この光は、ベース部分２０１２のウィンドウ２０２８を通り、捕虫部分２０１４の後側ハウジング２０４０にある開口部２０４４を通って、後側エンクロージャ２０４８に入り、直接、後側ハウジング２０４０の内面２０４２上に、かつディバイダ２０３４の背面２０６２上に、伝わっていく。ＬＥＤ２０２４からの光は、後側ハウジング２０４０の底面における開口部２０４４（例えば、捕虫部分２０１４の全体奥行きに実質的に平行な面にある）を通って、後側エンクロージャ２０４８に入ることから、この光は、後側エンクロージャ２０４８の長さ全体を通過することができるとともに、後側エンクロージャ２０４８の長さ全体にわたって発散することができるため、後側エンクロージャ２０４８全体にわたって、より均一に配光され得る。いくつかの実施形態において、光はベース部分２０１２において操作されず、捕虫部分２０１４内へ直接発せられる。後側ハウジング２０４０の内面２０４２は凹形状を含んでいてもよく、ＬＥＤ２０２４からのＵＶ光及び可視光を反射及び分散させて、ディバイダ２０３４の背面２０６２上に均一に配光するように構成されていてもよいが、後側ハウジング２０４０の内面２０４２の形状は凸状又はサドル形状又は形状の組み合わせを有していてよく、あるいは、より均一に配光するように、畝又はその他の形状（図示せず）を有していてもよい。あるいは、ディバイダ２０３４の背面２０６２上へとＵＶ光及び可視光を（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部２０４４において、若しくはその付近において、後側ハウジング２０４０に取り付けるか、又は開口部２０５２において、若しくはその付近において、ベース部分２０１２に取り付けてよく、また、この光学的エンハンサにより、後側ハウジング２０４０の内面２０４２の役割を置き換えるか、又は増強してもよい。いくつかの実施形態において、ＬＥＤ２０２４からの光は、ディバイダ２０３４の背面２０６２に斜めの角度（例えば、約０°〜９０°の鋭角）で直接当たってよく、ディバイダ２０３４全体にわたって広がってよく、後側ハウジング２０４０の内面２０４２の役割、又は後側ハウジング２０４０に取り付けられた１つ若しくは複数のレンズの役割を置き換えるか、又は強化してもよい。
【０３０８】
その後、光は、ディバイダ２０３４及び前面２０３８上の粘着剤２０３６を透過し、前側エンクロージャ２０４６に入る。ディバイダ２０３４、粘着剤２０３６、又はこれら両方の光散乱特性により、光は更に均一に配光され得る。前側エンクロージャ２０４６に入る光の一部は、続いて、前側ハウジング２０１８の開口部２０２０を通って、捕虫装置２０１０が設置されている周辺領域に放たれる。虫は、粘着剤２０３６と前側ハウジング２０１８の開口部２０２０とを通って伝わってくるＵＶ光及び／又は可視光に誘引され、開口部２０２０から粘着剤２０３６上へと飛んでいくか、又は這っていき、そこで捕獲される。捕獲された虫２０５８により、前側エンクロージャ２０４６内へ伝わる光量が減少する。光センサ２０５６は光の減少を検知し、電気的特性を変化させることにより応答する。回路基板２０５０は、所定の閾値を超えた電気的特性の変化に応答して、ＬＥＤ２０２４を点滅させ、これにより、捕虫部分２０１４を交換する必要があり得ることを知らせるインジケータ機能を提供する。あるいは、他の視覚的インジケータ機能（例えば光の色の変化（例えば黄色、橙色又は赤色への変化））、あるいは聴覚的インジケータ機能（例えばトーン、チャイム又は音声）を、点滅光インジケータ機能の強化又は代替に使用することができる。いくつかの実施形態において、回路基板２０５０は、ＬＥＤ２０２４から発せられる光を、好ましくは人間の目で判別できないほど高速に、周期的にパルス発光させるか又は変化させ、この光の周期的パルスによる光センサ２０５６の電気的特性の変化を検出し、所定の閾値を超える変化に応答して、ＬＥＤ２０２４を点滅させることにより、周辺光レベルの変化に対して誤って応答することを防ぐように構成される。ユーザーは、捕虫装置２０１０から発せられる点滅光に気付き、前側ハウジング２０１８の開口部２０２０から覗くことにより、捕獲された虫２０５８を確認することができる。ユーザーは、捕獲された虫、虫の破片又は粘着剤（これらは捕虫部分２０１４内の届かないところに留まる）に触れることなく、使用済みの捕虫部分２０１４全体を容易に取り外して捨て、新しい捕虫部分２０１４に交換することができる。新しい捕虫部分２０１４は、粘着剤コーティングされた新しい表面と光指向面を有しており、捕虫装置２０１０での効率的かつ効果的な虫の誘引と捕獲が持続的に確保される。
【０３０９】
いくつかの実施形態において、捕虫部分２０１４はベース部分２０１２の前ではなく上に取り付けられているため、一般的な家庭用壁面コンセントに差し込んだときに、壁面からの捕虫装置２０１０の突出が最小限に抑えられ、これによって、家庭環境に対する邪魔を最小限に抑える。いくつかの実施形態において、捕虫装置２０１０は、壁面に取り付けられたとき、捕虫装置２０１０が壁面から突出する全距離によって定義される全体奥行きが、捕虫装置２０１０の全体高さ及び全体幅よりも小さくなるように構成される。
【０３１０】
捕虫装置２０１０の利点は、捕虫部分２０１４内の光の操作であることが理解されよう。いくつかの実施形態において、光の操作は捕虫部分２０１４内でのみ行われる。光の操作には、反射、屈折、偏光、分散及び／又は散乱が含まれてよく、操作可能な素子又は表面（例えば、内面２０４２、ディバイダ２０３４及び粘着剤２０３６）と係合することにより達成される。いくつかの実施形態において、光の操作により、粘着剤２０３６上に光の均等な分布が形成される。いくつかの実施形態において、光は、粘着剤２０３６の上又は捕虫部分２０１４内に所定のパターンを生成するよう操作され、例えば、均一な分布、高強度のホットスポットを伴う均一な分布、ホットスポットパターン、及び／又はこれらの組み合わせを生成するよう操作される。
【０３１１】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０３１２】
この構成の捕虫装置２０１０は、ベース部分２０１２に取り外し可能に取り付けることができる様々な異なる捕虫部分２０１４に対応することができ、それぞれの捕虫部分２０１４は、特定の種類又は複数の種類の飛翔昆虫又は非飛翔昆虫を誘引して捕獲するような固有の構成を有する。例えば、捕虫部分２０１４の全体の寸法及び形状、捕虫部分２０１４の前側ハウジング２０１８における開口部２０２０の寸法、形状、位置及び向き、並びに捕虫部分２０１４の固有周波数及び音増幅特性は、特定の種類又は複数の種類の飛翔昆虫を誘引して捕獲するように固有の構成を有していてよい。例えば、いくつかの実施形態において、捕虫部分２０１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２０１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２０１４はおよそ、幅２０ｍｍ〜１３０ｍｍ、高さ２０ｍｍ〜１３０ｍｍ、及び奥行き５ｍｍ〜５０ｍｍである。
【０３１３】
いくつかの実施形態において、ベース部分２０１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２０１２は、幅２０ｍｍ〜２００ｍｍ、高さ１０ｍｍ〜１００ｍｍ、及び奥行き１０ｍｍ〜８０ｍｍである。いくつかの実施形態において、ベース部分２０１２は、幅２０ｍｍ〜１３０ｍｍ、高さ１０ｍｍ〜５０ｍｍ、及び奥行き１０ｍｍ〜５０ｍｍである。
【０３１４】
本明細書で提供されるように、開口部２０２０は様々な形状及び／又は寸法であり得る。例えば、開口部２０２０の形状は、円形、正方形、長方形、多角形、及び／又は楕円形であり得る。あるいは、開口部２０２０は、直線、曲線、又は波状の形状又はパターンを有するスロット形状であり得る。開口部２０２０が円形の場合、開口部２０２０の直径は約０．５ｍｍ〜３０ｍｍであり得る。いくつかの実施形態において、円形開口部２０２０の直径は約０．５ｍｍ〜２０ｍｍである。いくつかの実施形態において、円形開口部２０２０の直径は約０．５ｍｍ〜１５ｍｍである。開口部２０２０がスロット形状の場合、開口部２０２０はおよそ、幅２ｍｍ〜３０ｍｍ、長さ５ｍｍ〜５００ｍｍであり得る。いくつかの実施形態において、スロット形状開口部２０２０はおよそ、幅２ｍｍ〜２０ｍｍ、長さ５ｍｍ〜２００ｍｍである。いくつかの実施形態において、スロット形状開口部２０２０はおよそ、幅２ｍｍ〜１５ｍｍ、長さ５ｍｍ〜１００ｍｍである。
【０３１５】
いくつかの実施形態において、開口部２０２０は前側ハウジング２０１８の全部又は一部を占める。例えば、開口部２０２０は、前側ハウジング２０１８の表面積の約１％〜７５％の範囲を占めていてもよい。いくつかの実施形態において、開口部２０２０は、前側ハウジング２０１８の表面積の約５％〜５０％を占める。いくつかの実施形態において、開口部２０２０は、前側ハウジング２０１８の表面積の約１０％〜３０％を占める。
【０３１６】
図９８は、捕虫装置の第２１の実施形態の背面斜視図であり、この捕虫装置全体は２１１０で示されている。捕虫装置２１１０は、ベース部分２１１２と取り外し可能な捕虫部分２１１４と、を含む。捕虫部分２１１４は、この図で、部分的に切り取られ、かつベース部分２１１２から取り外された状態で示されている。捕虫装置２１１０は、全体長さ、全体幅、及び全体奥行きを有していてよく、また、捕虫装置２１１０が壁面に取り付けられたとき、捕虫装置２１１０が壁面から突出する全距離によって定義される全体奥行きが、これら３つの全体寸法のうちで最小となるようになるように構成されてよい。捕虫部分２１１４は、前面２１１６（図９９に示す）に少なくとも１つの開口部２１２０を備えた前側ハウジング２１１８と、後側ハウジング２１４０と、背面２１５２を備えたディバイダ２１３４を含む。捕虫部分２１１４は、全体長さ、全体幅、及び全体奥行きを有していてよく、また、捕虫部分２１１４が捕虫装置２１１０に取り付けられ、かつ捕虫装置２１１０が壁面に取り付けられたとき、その壁面に垂直な方向に測定される、捕虫部分２１１４の全体奥行きが、捕虫部分２１１４のこれら３つの全体寸法のうちで最小となるように構成されていてもよい。ディバイダ２１３４の背面２１５２には、電気機械式アクチュエーター２１５４（好ましくは圧電アクチュエーターなどの発信機又はトランシーバー）が取り付けられている。アクチュエーター２１５４には、捕虫部電気配線２１５６が取り付けられている。２本の捕虫部配線２１５６がアクチュエーター２１５４に取り付けられて示されているが、任意の好適な数の配線を使用することができる。後側ハウジング２１４０は、その底面に開口部２１４４を含んでよく、あるいは開口部２１４４は、透明又は半透明のウィンドウ（図示せず）に置き換えられてもよい。
【０３１７】
ベース部分２１１２の背面２１７２から突出しているのは、複数の導電性プロング２１２２であり、導電性プロング２１２２を標準の家庭用壁面電気コンセントに差し込むことにより、捕虫装置２１１０を壁面に取り付けて捕虫装置２１１０に電力を供給するよう適合されている。あるいは、導電性プロング２１２２は、導電性プロング２１２２が水平方向を向いた壁面電気コンセントに差し込まれる場合に、捕虫装置２１１０が直立したままとなり得るように、スイベル式に回転するように適合されていてもよい。あるいは、ベース部分２１１２は、所望の任意の場所に静置又は吊り下げて、ベース部分２１１２内に取り付けられた電池（図示せず）から電力を受け取るように構成されてもよい。電気コンセントと電池が、捕虫装置２１１０に電力を供給するものとして記載されたが、任意の好適な電源を使用することができる。ベース部分２１１２は、１つ又は２つ以上のＬＥＤ２１２４などの発光素子を含む。いくつかの実施形態において、ＬＥＤ２１２４は、ＵＶ光を発するＬＥＤを少なくとも１つ、及び可視光を発するＬＥＤを少なくとも１つ含む。いくつかの実施形態において、ＬＥＤ２１２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２１２４は、蚊及びノミなどの特定の種類の虫をよりよく誘引するために、ＩＲ光を発するＬＥＤを少なくとも１つ含む。ベース部分２１１２の上面２１２６は、開口部２１６６を含み、開口部２１６６は透明又は半透明のウィンドウ２１２８（ＬＥＤ２１２４が見えるように部分的に切り取った状態で示す）で覆われていてよい。ウィンドウ２１２８により、ＬＥＤ２１２４が埃と虫の破片から保護され、ベース部分２１１２のクリーニングが容易になる。いくつかの実施形態において、捕虫部分２１１４がベース部分２１１２に取り付けられたとき、ウィンドウ２１２８の少なくとも一部と、ＬＥＤ２１２４の少なくとも一部とが、ベース部分２１１２の上面２１２６から突出して捕虫部分２１１４内へ突出する。いくつかの実施形態において、ベース部分２１１２はウィンドウ２１２８を含まず、捕虫部分２１１４がベース部分２１１２に取り付けられたとき、ＬＥＤ２１２４の少なくとも一部が、ベース部分２１１２の上面２１２６から突出して捕虫部分２１１４内へ突出する。ベース部分２１１２の上面２１２６にある１つ又は２つ以上の更なる開口部２１５８内には、複数のベース部電気接点２１６０が取り付けられている。２つのベース部接点２１６０が示されているが、任意の好適な数の接点を使用することができる。上面２１２６にはスロット２１３０があってよく、上面２１２６の外周には、縁又は上向きの突出部２１３２がある。
【０３１８】
図９９は、捕虫装置２１１０の正面斜視図である。捕虫部分２１１４は、この図で、部分的に切り取られ、かつベース部分２１１２から取り外された状態で示されている。前側ハウジング２１１８の開口部２１２０は、広範な種類の虫を捕虫装置２１１０に受け入れるように構成してもよいし、あるいは、１種類又は２種類以上の特定の種類の虫を受け入れるように構成してもよい。いくつかの実施形態において、開口部２１２０は、捕虫部分２１１４を取り外して交換するときに、ユーザーの指が開口部２１２０に入ってしまい捕獲された虫又は粘着剤に誤って触れることを防ぐように構成される。いくつかの実施形態において、開口部２１２０は、直径２５ｍｍの球が開口部２１２０を通過できないような寸法及び形状を有し、かつ、直径１ｍｍの球が開口部２１２０のいかなる部分も通過できるような寸法及び形状を有する。開口部２１２０の幅、形状及び向きは、均一であってもよいし、又は、変化していてもよく、また、捕虫部分２１１４が複数の開口部２１２０を有する場合は、それらの幅、形状及び向きは、同一あってもよいし、又は、異なっていてもよい。開口部２１２０は、１種類又は２種類以上の個々の種類の虫又は様々な種類の虫を誘引するように構成することができる。いくつかの実施形態において、ディバイダ２１３４は、透明又は半透明の材料から構築されるか、又は透明又は半透明の材料を含み、また、前面２１３８が透明又は半透明の粘着剤２１３６でコーティングされ得る。使用中、捕獲された虫２１７０が、ディバイダ２１３４の前面２１３８上の粘着剤２１３６に付着し得る。いくつかの実施形態において、ディバイダ２１３４の材料及び厚さと粘着剤２１３６の材料及び厚さは、ＵＶ光及び／又は可視光及び／又はＩＲ光のかなりの割合を透過させるよう選択され、例えば、光の６０％超がディバイダ２１３４と粘着剤２１３６を透過するよう選択される。
【０３１９】
また、いくつかの実施形態において、ディバイダ２１３４は、飛翔昆虫（広範な種類の飛翔昆虫が、偏光を感知することが知られている）を更に誘引するため、ディバイダ２１３４を透過する光を、日光と同様の配向に偏光するように構成されてもよい。いくつかの実施形態において、前側ハウジング２１１８の底部内側には、インサート２１６８が取り付けられ、インサート２１６８は、様々な種類の虫、特に水の近くで繁殖する虫をより良く誘引するように、水面で反射する光と同様の配向で光を反射及び偏光させるように構成されている。インサート２１６８は、光を反射及び偏光する材料で構成されてよく、また、反射及び／又は偏光特性を向上させて、更に虫が誘引されるように、畝又は他の表面若しくは表面下形状を有していてもよい。
【０３２０】
図１００は、捕虫装置の断面図であり、図１０１は図１００の一部の拡大図である。いくつかの実施形態において、後側ハウジング２１４０は、反射性コーティングされた内面２１４２を有し得る。あるいは、後側ハウジング２１４０の材料及び表面仕上げは、反射性コーティングなしに、ＵＶ光及び／又は可視光及び／又はＩＲ光を反射及び分散させるように構成され得る。
【０３２１】
いくつかの実施形態において、前側ハウジング２１１８と後側ハウジング２１４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料を使用することができる。いくつかの実施形態において、前側ハウジング２１１８及び後側ハウジング２１４０は、射出成形又はその他の好適な製造法により構築される。図示されているように、ディバイダ２１３４は実質的に平らであり、ＬＥＤ２１２４により生成される光の主方向に対して平行又はある角度になるように構成することができる。いくつかの実施形態において、ディバイダ２１３４は、均一に配光するために最適化されるよう、凸状、凹状、又はサドル形状、又は形状の組み合わせに形成されてもよい。いくつかの実施形態において、ディバイダ２１３４は、粘着面の面積を増大させ、かつ明暗コントラスト領域を形成するような、畝又はその他の形状（図示せず）を有していてもよい。明暗コントラスト領域は、広範な種類の虫に対して可視性が高く、それらの虫に対する誘引効果をより高めることができる。
【０３２２】
また、いくつかの実施形態において、前側ハウジング２１１８は、その内面が透明、半透明又は不透明の粘着剤でコーティングされてよく、これにより付加的な捕虫効果及び能力が提供される。加えて、前側ハウジング２１１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング２１１８、ディバイダ２１３４及び後側ハウジング２１４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。ディバイダ２１３４は、捕虫部分２１１４を前側エンクロージャ２１４６と後側エンクロージャ２１４８とに分割している。後側ハウジング２１４０には、ベース部分２１１２のベース部接点２１６０に対応する複数の捕虫部電気接点２１６２（１つのみ図示）が含まれる。捕虫部接点２１６２は、それぞれに対応する捕虫部配線２１５６に電気的に接続されており、捕虫部分２１１４がベース部分２１１２に取り付けられたときに、ベース部接点２１６０（１つのみ図示）と電気的接触を形成するように構成されている。いくつかの実施形態において、ベース部分２１１２は、コマンドを実行するためのプログラム可能プロセッサ又はチップ（図示せず）を有する回路基板２１５０を含み、これは導電性プロング２１２２（１つのみ図示）、ＬＥＤ２１２４（１つのみ図示）、及び、ベース部接点２１６０に対応し、ベース部接点２１６０に電気的に接続されている複数のベース部電気配線２１６４に、電気的に接続されている。したがって、ディバイダ２１３４の背面２１５２に取り付けられているアクチュエーター２１５４は、捕虫部分２１１４がベース部分２１１２に取り付けられたときに、回路基板２１５０に電気的に接続され得る。ただし、見やすくするため、電気的接続は一部しか示されていない。回路基板２１５０は、導電性プロング２１２２から通常の家庭用電流を受け取り、ＬＥＤ２１２４を点灯させる電力を供給するための電子回路を含み得る。回路基板２１５０は、ＬＥＤ２１２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ２１２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板２１５０は、ＵＶ光及び／又は可視光及び／又はＩＲ光を提供するために、ＬＥＤ２１２４に電力を供給してもよいが、ＵＶ光及び／又は可視光及び／又はＩＲ光の点滅の組み合わせを生み出すために、ＵＶ  ＬＥＤ２１２４のみ又は可視光ＬＥＤ２１２４のみ又はＩＲ  ＬＥＤ２１２４のみに電力を供給するか、あるいは変動電力を供給するように構成してもよい。また、回路基板２１５０は、虫誘引性の音を��するように、ディバイダ２１３４の背面２１５２に取り付けられたアクチュエーター２１５４に電力を供給するように構成されていてよい。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２１１０から約２メートル以内の距離にいる虫に感知可能であることが望ましい。そのような虫誘引性の音は、捕虫装置２１１０から約１メートルを超える距離にいる人間に感知できないものであることが望ましい。また、回路基板２１５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２１１２を通して捕虫部分２１１４へと伝達させ得る、電気素子の組み合わせを含んでもよい。あるいは、ＬＥＤ２１２４のうちの１つ又は２つ以上によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２１１４の少なくとも一部分の温度をおよそ３０℃〜４５℃、好ましくはおよそ３３℃〜４２℃に上昇させて維持してもよい。
【０３２３】
図示されているように、ベース部分２１１２の上面２１２６のスロット２１３０と、ベース部分２１１２の上面２１２６の縁又は突出部２１３２とが、捕虫部分２１１４と係合して、使用中に捕虫部分２１１４を定位置に固定する。しかしながら、捕虫部分２１１４をベース部分２１１２にしっかりと、かつ取り外し可能に取り付けることができるような、任意の他の取り付け形態に置き換えてもよい。捕虫装置２１１０をコンセントから外した際に、捕虫装置２１１０を床、机、テーブル、又は棚の上に直立させて静置できるように、ベース部分２１１２の底面２１７４は、実質的に平坦であるか又は凹状になっていてもよい。あるいは、ベース部分２１１２の底面２１７４は、捕虫装置２１１０をコンセントから外した際に、捕虫装置２１１０を直立させて静置可能とする、２つ以上の突出部（図示せず）又は脚部を有していてもよい。
【０３２４】
捕虫装置２１１０の操作においては、導電性プロング２１２２を壁面電気コンセントに差し込む。回路基板２１５０は、ＬＥＤ２１２４とアクチュエーター２１５４に電力を供給する。ＬＥＤ２１２４は、光（矢印で示す）を発し、この光は、ベース部分２１１２のウィンドウ２１２８を通り、捕虫部分２１１４の後側ハウジング２１４０にある開口部２１４４を通って、後側エンクロージャ２１４８に入り、直接、後側ハウジング２１４０の内面２１４２上に、かつディバイダ２１３４の背面２１５２上に、伝わっていく。ＬＥＤ２１２４からの光は、後側ハウジング２１４０の底面における開口部２１４４（例えば、捕虫部分２１１４の全体奥行きに実質的に平行な面にある）を通って、後側エンクロージャ２１４８に入ることから、この光は、後側エンクロージャ２１４８の長さ全体を通過することができるとともに、後側エンクロージャ２１４８の長さ全体にわたって発散することができるため、後側エンクロージャ２１４８全体にわたって、より均一に配光され得る。いくつかの実施形態において、光はベース部分２１１２において操作されず、捕虫部分２１１４内へ直接発せられる。後側ハウジング２１４０の内面２１４２は凹形状を含んでいてもよく、ＬＥＤ２１２４からのＵＶ光及び可視光を反射及び分散させて、ディバイダ２１３４の背面２１５２上に均一に配光するように構成されていてもよいが、後側ハウジング２１４０の内面２１４２の形状は凸状又はサドル形状又は形状の組み合わせを有していてよく、あるいは、より均一に配光するように、畝又はその他の形状（図示せず）を有していてもよい。あるいは、ディバイダ２１３４の背面２１５２上へとＵＶ光及び可視光を（例えば、均等に、特定のパターンに従って、焦点を絞って）配光するように構成された、アナモルフィックレンズ、又は任意の他のレンズ、又はレンズの組み合わせ（図示せず）などの光学的エンハンサを、開口部２１４４において、若しくはその付近において、後側ハウジング２１４０に取り付けるか、又は開口部２１６６において、若しくはその付近において、ベース部分２１１２に取り付けてよく、また、この光学的エンハンサにより、後側ハウジング２１４０の内面２１４２の役割を置き換えるか、又は増強してもよい。いくつかの実施形態において、ＬＥＤ２１２４からの光は、ディバイダ２１３４の背面２１５２に斜めの角度（例えば、約０°〜９０°の鋭角）で直接当たり、ディバイダ２１３４全体にわたって広がり、後側ハウジング２１４０の内面２１４２の役割、又は後側ハウジング２１４０若しくはベース部分２１１２に取り付けられた１つ若しくは複数のレンズの役割を置き換えるか、又は強化してもよい。
【０３２５】
その後、光は、ディバイダ２１３４及び前面２１３８上の粘着剤２１３６を透過し、前側エンクロージャ２１４６に入る。この光は、ディバイダ２１３４、前面２１３８上の粘着剤２１３６、又はこれら両方の光散乱特性により、更に均一に配光され得る。前側エンクロージャ２１４６に入る光の一部は、前側ハウジング２１１８の開口部２１２０を通って、捕虫装置が設置されている領域へと進んでいく。アクチュエーター２１５４は虫誘引性の振動を生成し、この振動は、ディバイダ２１３４により増幅され、前側エンクロージャを通り、開口部２１２０を通って外部へと伝わる。粘着剤２１３６と、前側ハウジング２１１８の開口部２１２０とを通って伝わってくるＵＶ光及び／又は可視光に、虫が誘引される。また、虫は、アクチュエーター２１５４により生成された虫誘引性の振動に誘引される。虫は、開口部２１２０から粘着剤２１３６上へと飛んでいくか、又は這っていき、そこで捕獲される。ユーザーは、前側ハウジング２１１８の開口部２１２０を通して見ることにより、捕獲された虫を確認できる。いくつかの実施形態において、回路基板２１５０は周期的に電気パルスをアクチュエーター２１５４に送信し、ディバイダ２１３４を振動させる。ディバイダ２１３４の振動により、アクチュエーター２１５４が電気的応答（例えば電圧、抵抗又は電荷の変化など）を生成する。捕獲された虫２１７０が粘着剤２１３６に貼り付くと、ディバイダ２１３４の振動特性が変化し、これによって、アクチュエーター２１５４からの電気的応答信号が変化する。回路基板２１５０は、十分な数の虫２１７０が捕獲され、粘着剤２１３６に貼り付くと、所定の閾値を超えるアクチュエーター２１５４からの電気的応答信号の変化に対して回路基板２１５０が応答し、ＬＥＤ２１２４を点滅させて、捕虫部分２１１４を交換する必要があり得ることを知らせるように構成される。あるいは、他の視覚的インジケータ機能（例えば光の色の変化（例えば黄色、橙色又は赤色への変化））、あるいは聴覚的インジケータ機能（例えばトーン、チャイム又は音声）を、点滅光インジケータ機能の強化又は代替に使用することができる。ユーザーは、捕獲された虫、虫の破片又は粘着剤（これらは捕虫部分２１１４内の届かないところに留まる）に触れることなく、使用済みの捕虫部分２１１４全体を容易に取り外して捨て、新しい捕虫部分２１１４に交換することができる。新しい捕虫部分２１１４は、粘着剤コーティングされた新しい表面と光指向面を有しており、捕虫装置２１１０での効率的かつ効果的な虫の誘引と捕獲が持続的に確保される。
【０３２６】
いくつかの実施形態において、捕虫部分２１１４はベース部分２１１２の前ではなく上に取り付けられているため、一般的な家庭用壁面コンセントに差し込んだときに、壁面からの捕虫装置２１１０の突出が最小限に抑えられ、これによって、家庭環境に対する邪魔を最小限に抑える。いくつかの実施形態において、捕虫装置２１１０は、壁面に取り付けられたとき、捕虫装置２１１０が壁面から突出する全距離によって定義される全体奥行きが、捕虫装置２１１０の全体高さ及び全体幅よりも小さくなるように構成される。
【０３２７】
捕虫装置２１１０の利点は、捕虫部分２１１４内の光の操作であることが理解されよう。いくつかの実施形態において、光の操作は捕虫部分２１１４内でのみ行われる。光の操作には、反射、屈折、偏光、分散及び／又は散乱が含まれてよく、操作可能な素子又は表面（例えば、内面２１４２、ディバイダ２１３４及び粘着剤２１３６）と係合することにより達成される。いくつかの実施形態において、光の操作により、粘着剤２１３６上に光の均等な分布が形成される。いくつかの実施形態において、光は、粘着剤２１３６の上又は捕虫部分２１１４内に所定のパターンを生成するよう操作され、例えば、均一な分布、高強度のホットスポットを伴う均一な分布、ホットスポットパターン、及び／又はこれらの組み合わせを生成するよう操作される。
【０３２８】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０３２９】
この構成の捕虫装置２１１０は、ベース部分２１１２に取り外し可能に取り付けることができる様々な異なる捕虫部分２１１４に対応することができ、それぞれの捕虫部分２１１４は、特定の種類又は複数の種類の飛翔昆虫又は非飛翔昆虫を誘引して捕獲するような固有の構成を有する。例えば、捕虫部分２１１４の全体の寸法及び形状、捕虫部分２１１４の前側ハウジング２１１８における開口部２１２０の寸法、形状、位置及び向き、アクチュエーター２１５４の振動生成特性、捕虫部分２１１４の固有周波数及び音増幅特性、並びにアクチュエーター２１５４からの電気的応答信号は、特定の種類又は複数の種類の飛翔昆虫又は非飛翔昆虫を誘引して捕獲するように固有の構成を有していてよい。例えば、いくつかの実施形態において、捕虫部分２１１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２１１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２１１４はおよそ、幅２０ｍｍ〜１３０ｍｍ、高さ２０ｍｍ〜１３０ｍｍ、及び奥行き５ｍｍ〜５０ｍｍである。
【０３３０】
いくつかの実施形態において、ベース部分２１１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２１１２は、幅２０ｍｍ〜２００ｍｍ、高さ１０ｍｍ〜１００ｍｍ、及び奥行き１０ｍｍ〜８０ｍｍである。いくつかの実施形態において、ベース部分２１１２は、幅２０ｍｍ〜１３０ｍｍ、高さ１０ｍｍ〜５０ｍｍ、及び奥行き１０ｍｍ〜５０ｍｍである。
【０３３１】
本明細書で提供されるように、開口部２１２０は様々な形状及び／又は寸法であり得る。例えば、開口部２１２０の形状は、円形、正方形、長方形、多角形、及び／又は楕円形であり得る。あるいは、開口部２１２０は、直線、曲線、又は波状の形状又はパターンを有するスロット形状であり得る。開口部２１２０が円形の場合、開口部２１２０の直径は約０．５ｍｍ〜３０ｍｍであり得る。いくつかの実施形態において、円形開口部２１２０の直径は約０．５ｍｍ〜２０ｍｍである。いくつかの実施形態において、円形開口部２１２０の直径は約０．５ｍｍ〜１５ｍｍである。開口部２１２０がスロット形状の場合、開口部２１２０はおよそ、幅２ｍｍ〜３０ｍｍ、長さ５ｍｍ〜５００ｍｍであり得る。いくつかの実施形態において、スロット形状開口部２１２０はおよそ、幅２ｍｍ〜２０ｍｍ、長さ５ｍｍ〜２００ｍｍである。いくつかの実施形態において、スロット形状開口部２１２０はおよそ、幅２ｍｍ〜１５ｍｍ、長さ５ｍｍ〜１００ｍｍである。
【０３３２】
いくつかの実施形態において、開口部２１２０は前側ハウジング２１１８の全部又は一部を占める。例えば、開口部２１２０は、前側ハウジング２１１８の表面積の約１％〜７５％の範囲を占めていてもよい。いくつかの実施形態において、開口部２１２０は、前側ハウジング２１１８の表面積の約５％〜５０％を占める。いくつかの実施形態において、開口部２１２０は、前側ハウジング２１１８の表面積の約１０％〜３０％を占める。
【０３３３】
図１０２は、捕虫装置の第２２の実施形態の正面斜視図であり、この捕虫装置全体は２２１０で示されている。捕虫装置２２１０は、ベース部分２２１２と取り外し可能な捕虫部分２２１４と、を含む。捕虫部分２２１４は、この図において、ベース部分２２１２から取り外された状態で示されている。捕虫装置２２１０は、全体長さ、全体幅、及び全体奥行きを有していてよく、また、捕虫装置２２１０が壁面に取り付けられたとき、捕虫装置２２１０が壁面から突出する全距離によって定義される全体奥行きが、これら３つの全体寸法のうちで最小となるようになるように構成されてよい。捕虫部分２２１４は、前面２２１６にタブスロット２２６８と少なくとも１つの開口部２２２０を備えた前側ハウジング２２１８を含む。捕虫部分２２１４は、全体長さ、全体幅、及び全体奥行きを有していてよく、また、捕虫部分２２１４が捕虫装置２２１０に取り付けられ、かつ捕虫装置２２１０が壁面に取り付けられたとき、その壁面に垂直な方向に測定される、捕虫部分２２１４の全体奥行きが、捕虫部分２２１４のこれら３つの全体寸法のうちで最小となるように構成されていてもよい。前側ハウジング２２１８の開口部２２２０は、広範な種類の虫を捕虫装置２２１０に受け入れるように構成してもよいし、あるいは、１種類又は２種類以上の特定の種類の虫を受け入れるように構成してもよい。いくつかの実施形態において、開口部２２２０は、捕虫部分２２１４を取り外して交換するときに、ユーザーの指が開口部２２２０に入ってしまい死んだ虫又は粘着剤に誤って触れることを防ぐように構成される。いくつかの実施形態において、開口部２２２０は、直径２５ｍｍの球が開口部２２２０を通過できないような寸法及び形状を有し、かつ、直径１ｍｍの球が開口部２２２０のいかなる部分も通過できるような寸法及び形状を有する。開口部２２２０の幅、形状及び向きは、均一であってもよいし、又は、変化していてもよく、また、捕虫部分２２１４が複数の開口部２２２０を有する場合は、それらの幅、形状及び向きは、同一あってもよいし、又は、異なっていてもよい。開口部２２２０は、１種類又は２種類以上の個々の種類の虫又は様々な種類の虫を誘引するように構成することができる。いくつかの実施形態において、前側ハウジング２２１８は、開口部２２２０を取り囲む畝又はレリーフ２２７０を備えるように構成され、これにより捕虫部分２２１０に剛性と強度を付与し、前側ハウジング２２１８がより薄い材料で製造できるようになる。図示されているように、取り外し可能なタブ２２５４が、捕虫部分２２１４の前側ハウジング２２１８のタブスロット２２６８から突出している。ベース部分２２１２の背面２２７８（図１０５に図示）から突出しているのは、複数の導電性プロング２２２２であり、導電性プロング２２２２を標準の家庭用壁面電気コンセントに差し込むことにより、捕虫装置２２１０を壁面に取り付けて捕虫装置２２１０に電力を供給するよう適合されている。あるいは、導電性プロング２２２２は、導電性プロング２２２２が水平方向を向いた壁面電気コンセントに差し込まれる場合に、捕虫装置２２１０が直立したままとなり得るように、スイベル式に回転するように適合されていてもよい。あるいは、ベース部分２２１２は、所望の任意の場所に静置又は吊り下げて、ベース部分２２１２内に取り付けられた電池（図示せず）から電力を受け取るように構成されてもよい。電気コンセントと電池が、捕虫装置２２１０に電力を供給するものとして記載されたが、任意の好適な電源を使用することができる。ベース部分２２１２は、上面２２２６と、１つ又は２つ以上のＬＥＤ２２２４などの発光素子とを含む。いくつかの実施形態において、ＬＥＤ２２２４は、ＵＶ光を発するＬＥＤを少なくとも１つ、及び可視光を発するＬＥＤを少なくとも１つ含む。いくつかの実施形態において、ＬＥＤ２２２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２２２４は、蚊及びノミなどの特定の種類の虫をよりよく誘引するために、赤外（ＩＲ）光を発するＬＥＤを少なくとも１つ含む。ベース部分２２１２の上面２２２６には、透明又は半透明のウィンドウ２２２８が取り付けられていてよい（図ではＬＥＤ２２２４を見えるようにするため部分的に切り取られている）。ウィンドウ２２２８により、ＬＥＤ２２２４が埃と虫の破片から保護され、ベース部分２２１２のクリーニングが容易になる。いくつかの実施形態において、捕虫部分２２１４がベース部分２２１２に取り付けられたとき、ウィンドウ２２２８の少なくとも一部と、ＬＥＤ２２２４の少なくとも一部とが、ベース部分２２１２の上面２２２６から突出して捕虫部分２２１４内に入る。あるいは、ベース部分２２１２はウィンドウ２２２８を含まなくともよく、捕虫部分２２１４がベース部分２２１２に取り付けられたとき、ＬＥＤ２２２４の少なくとも一部が、ベース部分２２１２の上面２２２６から突出して捕虫部分２２１４内に入る。上面２２２６にはスロット２２３０があってよく、上面２２２６の外周には、縁又は上向きの突出部２２３２がある。
【０３３４】
図１０３は、捕虫装置２２１０の正面斜視図である。捕虫部分２２１４はこの図で部分的に切り取って示されている。いくつかの実施形態において、捕虫部分２２１４はディバイダ２２３４を含み、ディバイダ２２３４は、透明又は半透明の材料から構築されるか、又は透明又は半透明の材料を含み、また、前面２２３８が透明又は半透明の粘着剤２２３６でコーティングされる。いくつかの実施形態において、ディバイダ２２３４は、飛翔昆虫（広範な種類の飛翔昆虫が、偏光を感知することが知られている）を更に誘引するため、ディバイダ２２３４を透過する光を、日光と同様の配向に偏光するように構成される。いくつかの実施形態において、ディバイダ２２３４の材料及び厚さと粘着剤２２３６の材料及び厚さは、ＵＶ光及び／又は可視光及び／又はＩＲ光のかなりの割合を透過させるよう選択され、例えば、光の６０％超がディバイダ２２３４と粘着剤２２３６を透過するよう選択される。ディバイダ２２３４は、ディバイダスロット２２７２と、１つ又は２つ以上の穿孔２２７４とを含み得る。いくつかの実施形態において、ディバイダ２２３４の前面２２３８の、ディバイダスロット２２７２及び穿孔２２７４のすぐ近くの領域は、粘着剤２２３６でコーティングされていない。捕虫部分２２１４は、内面２２４２と底部内面２２７６とを備えた後側ハウジング２２４０を含む。図示されているように、上向きのカップ２２５６が、後側ハウジング２２４０の底部内面２２７６に取り付けられている。カップ２２５６は、その開放端の外周から突出しているリップ２２５８を有し得る。カップ２２５６は、本明細書に記載される任意の虫誘引物質に対するバリヤとして機能する、任意の材料又は材料の組み合わせで構築されていてよい。取り外し可能なタブ２２５４は、密封端部２２６０、及び、密封端部２２６０と把持端部２２６２との間のウェブ２２６４を含み、本明細書に記載される任意の虫誘引物質に対するバリヤとして機能する、任意の可撓性かつ丈夫な材料又は材料の組み合わせで作製されていてよい。図示されているように、密封端部２２６０はカップ２２５６の開放端を覆うよう構成され、接着剤によりカップ２２５６のリップ２２５８に固着されて気密封止を形成し、これにより、カップ２２５６内の任意の虫誘引物質（図示せず）の新鮮さを維持するとともに、取り外し可能なタブ２２５４を、ユーザーによって取り外されるまで定位置に保持する。ウェブ２２６４は、取り外し可能なタブ２２５４の密封端部２２６０の上で折り返され、ディバイダ２２３４のディバイダスロット２２７２を通って、前側ハウジング２２１８のタブスロット２２６８へと延びていてよい。取り外し可能なタブ２２５４の把持端部２２６２は、タブスロット２２６８を通って突出し、前側ハウジング２２１８の外側部分上にて下向きに折り曲げられてよい。
【０３３５】
図１０４は、捕虫装置２２１０の正面斜視図である。捕虫部分２２１４はこの図で部分的に切り取られて示されており、取り外し可能なタブ２２５４は部分的に取り外された状態で示されている。ユーザーは、取り外し可能なタブ２２５４を把持端部２２６２において掴み、取り外し可能なタブ２２５４を捕虫部分２２１４から引き出すことができ、これにより、カップ２２５６のリップ２２５８と取り外し可能なタブ２２５４の密封端部２２６０との間の封止を破ることができる。カップ２２５６の内側には、１種類又は２種類以上の虫誘引物質を含浸させた担体材料２２６６がある。カップ２２５６の内側の担体材料２２６６は、固体、液体、ゲル、又はこれらの任意の組み合わせであってよい。例えば、担体材料２２６６には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２２１０の虫誘引効率を更に向上させ得るにおいをもたらす物質を、含浸させることができる。あるいは、水蒸気は蚊に対する誘引剤として知られていることから、１種類又は２種類以上の虫誘引物質に加えて、又はそれに代えて、担体材料２２６６に水を含浸させてもよい。あるいは、１種類又は２種類以上の虫誘引物質に加えて、又はそれに代えて、糖液、糖蜜、又は蜂蜜などの他の虫誘引剤を、担体材料２２６６に埋め込んでもよい。あるいは、１種類又は２種類以上の虫誘引物質に加えて、又はそれに代えて、蚊を誘引する二酸化炭素を産生し得るように、生酵母、砂糖、及び水を組み合わせて担体材料２２６６に埋め込んでもよい。あるいは、虫誘引物質を、担体材料２２６６なしでカップ２２５６内に収容してもよい。カップ２２５６と取り外し可能なタブ２２５４との間の封止を破ることにより、担体材料２２６６から１種類又は複数種類の虫誘引性のにおいが放出される。捕虫部分２２１４（例えば、前側ハウジング２２１８、後側ハウジング２２４０、ディバイダ２２３４及び粘着剤２２３６）の材料にも、１種類又は２種類以上の虫誘引剤を含浸させてよい。そのような誘引剤は、捕虫装置２２１０から半径約２メートルにいる虫に感知可能であることが望ましい。
【０３３６】
図１０５は、捕虫装置２２１０の断面図である。この図では、取り外し可能なタブ２２５４が完全に取り外されている。いくつかの実施形態において、後側ハウジング２２４０の内面２２４２は反射性コーティングを有する。あるいは、後側ハウジング２２４０の材料及び表面仕上げは、反射性コーティングなしに、ＵＶ光及び／又は可視光を反射及び分散させるように構成され得る。後側ハウジング２２４０は、その底面に開口部２２４４を含んでよく、あるいは開口部２２４４は、透明又は半透明のウィンドウ（図示せず）に置き換えられてもよい。
【０３３７】
いくつかの実施形態において、前側ハウジング２２１８と後側ハウジング２２４０は、不透明なプラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料を使用することができる。いくつかの実施形態において、前側ハウジング２２１８及び後側ハウジング２２４０は、射出成形又はその他の好適な製造法により製造される。図示されているように、ディバイダ２２３４は背面２２５２を有し、また、実質的に平らであり、ＬＥＤ２２２４により生成される光の主方向（図示せず）に対して平行又はある角度になるように構成されていてもよい。いくつかの実施形態において、ディバイダ２２３４は、均一に配光するために最適化されるよう、凸状、凹状、又はサドル形状（図示せず）、又は形状の組み合わせに形成されてもよい。いくつかの実施形態において、ディバイダ２２３４は、粘着面の面積を増大させ、かつ明暗コントラスト領域を形成するような、畝又はその他の形状（図示せず）を有していてもよい。明暗コントラスト領域は、広範な種類の虫に対して可視性が高く、それらの虫に対する誘引効果をより高めることができる。
【０３３８】
いくつかの実施形態において、前側ハウジング２２１８は、その内面が透明、半透明又は不透明の粘着剤（図示せず）でコーティングされており、これにより付加的な捕虫効果及び能力が提供される。加えて、前側ハウジング２２１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング２２１８、ディバイダ２２３４及び後側ハウジング２２４０は、それらが交差又は係合する箇所において、超音波溶接又は高周波溶接で互いに接合されるが、接着剤により、又は任意の他の好適な組立法により、恒久的又は取り外し可能に、互いに接合されていてもよい。ディバイダ２２３４は、捕虫部分２２１４を前側エンクロージャ２２４６と後側エンクロージャ２２４８とに分割している。
【０３３９】
いくつかの実施形態において、ベース部分２２１２は、コマンドを実行するためのプログラム可能プロセッサ又はチップ（図示せず）を有する回路基板２２５０を含み、これは導電性プロング２２２２（１つのみ図示）、及びＬＥＤ２２２４（１つのみ図示）に電気的に接続されている。見やすくするため、電気的接続は一部しか示されていない。回路基板２２５０は、導電性プロング２２２２から通常の家庭用電流を受け取り、ＬＥＤ２２２４を点灯させる電力を供給するための電子回路を含み得る。回路基板２２５０は、ＬＥＤ２２２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ２２２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板２２５０は、ＵＶ光及び／又は可視光及び／又はＩＲ光を提供するために、ＬＥＤ２２２４に電力を供給してもよいが、ＵＶ光及び／又は可視光及び／又はＩＲ光の点滅の組み合わせを生み出すために、ＵＶ  ＬＥＤ２２２４のみ又は可視光ＬＥＤ２２２４のみ又はＩＲ  ＬＥＤ２２２４のみに電力を供給するか、あるいは変動電力を供給するように構成してもよい。回路基板２２５０はまた、圧電スピーカ（図示せず）などの発信機又はトランシーバー、又はその他の装置を駆動させるように構成することができ、これらはベース部分２２１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２２１０から約２メートル以内の距離にいる虫に感知可能であることが望ましい。そのような虫誘引性の音は、捕虫装置２２１０から約１メートルを超える距離にいる人間に感知できないものであることが望ましい。
【０３４０】
また、回路基板２２５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２２１２を通して捕虫部分２２１４へと伝達させ得る、電気素子の組み合わせを含んでもよい。あるいは、ＬＥＤ２２２４のうちの１つ又は２つ以上によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２２１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０３４１】
図示されているように、ベース部分２２１２の上面２２２６のスロット２２３０と、ベース部分２２１２の上面２２２６の縁又は突出部２２３２とが、捕虫部分２２１４と係合して、使用中に捕虫部分２２１４を定位置に固定する。しかしながら、捕虫部分２２１４をベース部分２２１２にしっかりと、かつ取り外し可能に取り付けることができるような、任意の他の取り付け形態に置き換えてもよい。捕虫装置２２１０をコンセントから外した際に、捕虫装置２２１０を床、机、テーブル、又は棚の上に直立させて静置できるように、ベース部分２２１２の底面２２８０は、実質的に平坦であるか又は凹状になっていてもよい。あるいは、ベース部分２２１２の底面２２８０は、捕虫装置２２１０をコンセントから外した際に、捕虫装置２２１０を直立させて静置可能とする、２つ以上の突出部（図示せず）又は脚部を有していてもよい。
【０３４２】
捕虫装置２２１０の操作においては、導電性プロング２２２２（１つのみ図示）が壁面電気コンセントに差し込まれ、取り外し可能なタブ２２５４（図示せず）が捕虫部分２２１４から引き抜かれて取り外され、これによってカップ２２５６と取り外し可能なタブ２２５４との間の封止が破られ、担体材料２２６６及び１種類又は複数種類の虫誘引物質が空気に曝されて、１種類又は複数種類の虫誘引性のにおいがディバイダ２２３４の穿孔２２７４（この図には示されていない）を通り、前側ハウジング２２１８の開口部２２２０を通って、捕虫装置２２１０が設置されている周辺領域に放出される。カップ２２５６、担体材料２２６６及び１種類又は複数種類の虫誘引物質は、捕虫部分２２１４の見込み耐用期間に対応する所定期間にわたって、１種類又は複数種類の虫誘引性のにおいを放出するように構成されていてよく、この期間は例えば１週間、１ヶ月、又は３ヶ月、又は他の長さの期間であってよい。あるいは、カップ２２５６、担体材料２２６６及び１種類又は複数種類の虫誘引物質は、捕虫部分２２１４の耐用期間の初期に、ある種類の虫誘引性のにおい又はある一群の虫誘引性のにおいを優先的に放出し、捕虫部分２２１４の耐用期間の後期に、別の種類の虫誘引性のにおい又は別の一群の虫誘引性のにおいを放出して、においの変化により、より多くの虫又はより広範な種類の虫を誘引するように構成してもよいし、あるいは、粘着剤２２３６に多くの虫が捕獲された場合の、捕虫部分２２１４からの光の放射の低減を補うため、捕虫部分２２１４の耐用期間の後期に、より強いにおいを提供するように構成してもよい。あるいは、カップ２２５６及び担体材料２２６６は、虫に対する誘引性を実質的に低減することなく、１種類又は複数種類の虫誘引性のにおいをマスキングし得る、あるいは人間が不快だと感じ得るか又は子供若しくは対象外の動物（ペットなど）を誘引し得るような１種類又は複数種類の虫誘引性のにおいの成分をマスキング又は除去し得るような、追加のにおいを放出するように構成することができる。ＬＥＤ２２２４は、光（矢印で示す）を発し、この光は、ベース部分２２１２のウィンドウ２２２８を通り、捕虫部分２２１４の後側ハウジング２２４０にある開口部２２４４を通って、後側エンクロージャ２２４８に入り、直接、後側ハウジング２２４０の内面２２４２上に、かつディバイダ２２３４の背面２２５２上に、伝わっていく。ＬＥＤ２２２４からの光は、後側ハウジング２２４０の底部内面２２７６を通る開口部２２４４（例えば、捕虫部分２２１４の全体奥行きに実質的に平行な面にある）を通って、後側エンクロージャ２２４８に入ることから、この光は、後側エンクロージャ２２４８の長さ全体を通過することができるとともに、後側エンクロージャ２２４８の長さ全体にわたって発散することができるため、後側エンクロージャ２２４８全体にわたって、より均一に配光され得る。いくつかの実施形態において、光はベース部分２２１２において操作されず、捕虫部分２２１４内へ直接発せられる。後側ハウジング２２４０の内面２２４２は凹形状を含んでいてもよく、ＬＥＤ２２２４からのＵＶ光及び可視光を反射及び分散させて、ディバイダ２２３４の背面２２５２上に均一に配光するように構成されていてもよいが、後側ハウジング２２４０の内面２２４２は凸状又はサドル形状又は形状の組み合わせを有していてよく、あるいは、より均一に配光するように、畝又はその他の形状（図示せず）を有していてもよい。あるいは、ディバイダ２２３４の背面２２５２上へとＵＶ光及び可視光を（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部２２４４において、若しくはその付近において、後側ハウジング２２４０に取り付けるか、又はウィンドウ２２２８において、若しくはその付近において、ベース部分２２１２に取り付けてよく、また、この光学的エンハンサにより、後側ハウジング２２４０の内面２２４２の役割を置き換えるか、又は増強してもよい。あるいは、１つ又は２つ以上のＬＥＤ２２２４からのＵＶ及び可視光は、ディバイダ２２３４の背面２２５２に斜めの角度（例えば、約０°〜９０°の鋭角）で直接当たってよく、ディバイダ２２３４全体にわたって広がってよく、後側ハウジング２２４０の内面２２４２の役割、又は後側ハウジング２２４０に取り付けられた１つ若しくは複数のレンズの役割を置き換えるか、又は強化してもよい。
【０３４３】
その後、光は、ディバイダ２２３４及び前面２２３８上の粘着剤２２３６を透過し、前側エンクロージャ２２４６に入る。光は、ディバイダ２２３４、粘着剤２２３６、又はこれら両方の光散乱特性により、更に均一に配光され得る。前側エンクロージャ２２４６に入る光の一部は、続いて、前側ハウジング２２１８の開口部２２２０を通って、捕虫装置２２１０が設置されている周辺領域に放たれる。粘着剤２２３６と、前側ハウジング２２１８の開口部２２２０とを通って伝わってくる光に、虫が誘引される。また、虫は、カップ２２５６内の担体材料２２６６から放出されるにおい及び／又はフェロモンに誘引される。加えて、回路基板２２５０によって生じる熱によって、担体材料２２６６を温めてもよく、これによって、虫誘引性のにおい及び／又はフェロモンの放出を増加させ得る。虫は、開口部２２２０から粘着剤２２３６上へと飛んでいくか、又は這っていき、そこで捕獲される。ユーザーは、前側ハウジング２２１８の開口部２２２０を通して見ることにより、捕獲された虫を確認できる。十分な数の虫が捕獲されると、ユーザーは、捕獲された虫、虫の破片又は粘着剤（これらは捕虫部分２２１４内の届かないところに留まる）に触れることなく、使用済みの捕虫部分２２１４全体を容易に取り外して捨て、新しい捕虫部分２２１４に交換することができる。新しい捕虫部分２２１４は、粘着剤コーティングされた新しい表面と光指向面を有しており、捕虫装置２２１０での効率的かつ効果的な虫の誘引と捕獲が持続的に確保される。
【０３４４】
いくつかの実施形態において、捕虫部分２２１４はベース部分２２１２の前ではなく上に取り付けられているため、一般的な家庭用壁面コンセントに差し込んだときに、壁面からの捕虫装置２２１０の突出が最小限に抑えられ、これによって、家庭環境に対する邪魔を最小限に抑える。いくつかの実施形態において、捕虫装置２２１０は、壁面に取り付けられたとき、捕虫装置２２１０が壁面から突出する全距離によって定義される全体奥行きが、捕虫装置２２１０の全体高さ及び全体幅よりも小さくなるように構成される。
【０３４５】
捕虫装置２２１０の利点は、捕虫部分２２１４内の光の操作であることが理解されよう。いくつかの実施形態において、光の操作は捕虫部分２２１４内でのみ行われる。光の操作には、反射、屈折、偏光、分散及び／又は散乱が含まれてよく、操作可能な素子又は表面（例えば、内面２２４２、ディバイダ２２３４及び粘着剤２２３６）と係合することにより達成される。いくつかの実施形態において、光の操作により、粘着剤２２３６上に光の均等な分布が形成される。いくつかの実施形態において、光は、粘着剤２２３６の上又は捕虫部分２２１４内に所定のパターンを生成するよう操作され、例えば、均一な分布、高強度のホットスポットを伴う均一な分布、ホットスポットパターン、及び／又はこれらの組み合わせを生成するよう操作される。
【０３４６】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０３４７】
この構成の捕虫装置２２１０は、ベース部分２２１２に取り外し可能に取り付けることができる様々な異なる捕虫部分２２１４に対応することができ、それぞれの捕虫部分２２１４は、特定の種類又は複数の種類の飛翔昆虫を誘引して捕獲するような固有の構成を有する。例えば、捕虫部分２２１４の全体の寸法及び形状、前側ハウジング２２１８における開口部２２２０の寸法、形状、位置及び向き、並びに担体材料２２６６、前側ハウジング２２１８、ディバイダ２２３４、粘着剤２２３６又は後側ハウジング２２４０に含浸させた１種類又は複数種類のにおいは、特定の種類又は複数の種類の飛翔昆虫を誘引して捕獲するように固有の構成を有していてよい。
【０３４８】
例えば、いくつかの実施形態において、捕虫部分２２１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２２１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２２１４はおよそ、幅２０ｍｍ〜１３０ｍｍ、高さ２０ｍｍ〜１３０ｍｍ、及び奥行き５ｍｍ〜５０ｍｍである。
【０３４９】
いくつかの実施形態において、ベース部分２２１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２２１２は、幅２０ｍｍ〜２００ｍｍ、高さ１０ｍｍ〜１００ｍｍ、及び奥行き１０ｍｍ〜８０ｍｍである。いくつかの実施形態において、ベース部分２２１２は、幅２０ｍｍ〜１３０ｍｍ、高さ１０ｍｍ〜５０ｍｍ、及び奥行き１０ｍｍ〜５０ｍｍである。
【０３５０】
本明細書で提供されるように、開口部２２２０は様々な形状及び／又は寸法であり得る。例えば、開口部２２２０の形状は、円形、正方形、長方形、多角形、及び／又は楕円形であり得る。あるいは、開口部２２２０は、直線、曲線、又は波状の形状又はパターンを有するスロット形状であり得る。開口部２２２０が円形の場合、開口部２２２０の直径は約０．５ｍｍ〜３０ｍｍであり得る。いくつかの実施形態において、円形開口部２２２０の直径は約０．５ｍｍ〜２０ｍｍである。いくつかの実施形態において、円形開口部２２２０の直径は約０．５ｍｍ〜１５ｍｍである。開口部２２２０がスロット形状の場合、開口部２２２０はおよそ、幅２ｍｍ〜３０ｍｍ、長さ５ｍｍ〜５００ｍｍであり得る。いくつかの実施形態において、スロット形状開口部２２２０はおよそ、幅２ｍｍ〜２０ｍｍ、長さ５ｍｍ〜２００ｍｍである。いくつかの実施形態において、スロット形状開口部２２２０はおよそ、幅２ｍｍ〜１５ｍｍ、長さ５ｍｍ〜１００ｍｍである。
【０３５１】
いくつかの実施形態において、開口部２２２０は前側ハウジング２２１８の全部又は一部を占める。例えば、開口部２２２０は、前側ハウジング２２１８の表面積の約１％〜７５％の範囲を占めていてもよい。いくつかの実施形態において、開口部２２２０は、前側ハウジング２２１８の表面積の約５％〜５０％の範囲を占める。いくつかの実施形態において、開口部２２２０は、前側ハウジング２２１８の表面積の約１０％〜３０％を占める。
【０３５２】
捕虫装置内に虫誘引性のにおいを送達するための他の機構、又は機構の組み合わせが想定されている。図１０６は、捕虫装置の第２２の実施形態の一例の正面斜視図であり、この捕虫装置全体は２２１０Ａで示されている。捕虫装置２２１０Ａは、ベース部分２２１２Ａと、保護キャップ２２１６Ａを備える取り外し可能な捕虫部分２２１４Ａとを含む。捕虫装置２２１０Ａは、他に記載した実施形態と比べると、上下反対の配向を有し得る（例えば、壁のコンセントに差し込まれるとき、ベース部分は、捕虫部分の上にくる）。この図では、ベース部分２２１２Ａは、下面が見えるように傾けた状態で、捕虫部分２２１４Ａは、ベース部分２２１２Ａから取り外した状態で、また、保護キャップ２２１６Ａは、捕虫部分から取り外した状態で図示されている。ベース部分２２１２Ａは、１つ又は２つ以上の光開口部２２２０Ａを備える後側底面２２１８Ａと、少なくとも１つのにおい取り付け開口部２２２２Ａと、１つ又は２つ以上の前側におい開口部２２２６Ａを備える前側底面２２２４Ａと、を含む。あるいは、ベース部分２２１２Ａにおける光開口部２２２０Ａは、透明又は半透明のウィンドウ（図示せず）に置き換えられてもよい。捕虫部分２２１４Ａは、前面２２３０Ａに開口部２２３２Ａ、及び上面２２３４Ａに１つ又は２つ以上の前側におい開口部２２３６Ａを備える、前側ハウジング２２２８Ａと、１つ又は２つ以上のウィンドウ２２４２Ａ、及び上面２２４０Ａにある少なくとも１つのにおい突出部２２４４Ａを備える後側ハウジング２２３８Ａと、を含み、芯２２４６Ａの自由端２２４８Ａが、におい突出部２２４４Ａから突出している。芯２２４６Ａの構成は、プラグイン式の空気清浄機用の詰め替え品に見られるものと同様であってもよい。
【０３５３】
図１０７は、捕虫装置２２１０Ａの断面図である。保護キャップ２２１６Ａは取り外され、捕虫部分２２１４Ａは、ベース部分２２１２Ａ上に取り付けられている。ベース部分２２１２Ａは、複数の導電性プロング２２５０Ａと、回路基板２２５４Ａを備えるベースエンクロージャ２２５２Ａと、光開口部２２２０Ａに隣接する１つ又は２つ以上のＬＥＤ（図示せず）と、ベースエンクロージャ２２５２Ａ内側にあり、におい取り付け開口部２２２２Ａに隣接する発熱体２２５６Ａと、を含んでいてよい。回路基板２２５４Ａは、導電性プロング２２５０Ａ、ＬＥＤ、及び発熱体２２５６Ａに電気的に接続される。見やすくするため、電気的接続は一部しか示されていない。発熱体２２５６Ａは、芯２２４６Ａの自由端２２４８Ａの周りでコイルを形成し、回路基板２２５４Ａから電力を受け取って、芯２２４６Ａの自由端２２４８Ａに熱を供給するように構成されている。発熱体２２５６Ａは、プラグイン式の空気清浄機に見られるものと同様の構成であってもよい。
【０３５４】
捕虫部分２２１４Ａはディバイダ２２５８Ａを含み、ディバイダ２２５８Ａは、透明又は半透明の材料から構築されるか、又は透明又は半透明の材料を含み、また、前面２２６０Ａが透明又は半透明の粘着剤でコーティングされる。後側ハウジング２２３８Ａ及びディバイダ２２５８Ａは、熱溶着、超音波溶接、高周波溶接、又は接着剤による接着により互いに封着され、後側エンクロージャ２２６４Ａを形成している。後側エンクロージャ２２６４Ａは、液体２２６６Ａを収容し、液体２２６６Ａは、液体担体材料、及び／又は１種類又は複数種類の虫誘引物質を含んでいてよい。また、いくつかの実施形態において、後側エンクロージャ２２６４Ａは、液体２２６６Ａを収容した透明又は半透明の袋（図示せず）を収容していてもよい。芯２２４６Ａの自由端２２４８Ａは、におい突出部２２４４Ａにおける開口部２２６８Ａを通って、ベース部分２２１２Ａ内へと突出しており、芯２２４６Ａの残りの部分は、液体２２６６Ａ中へ後側エンクロージャ２２６４Ａの底部まで延びている。芯２２４６Ａは、ポリエステル繊維又は他の天然若しくは既製の材料から製造されていてよく、液体２２６６Ａを吸収して、毛管作用により、芯２２４６Ａの長さ分吸い上げて、自由端２２４８Ａに移動させるように構成され、この自由端２２４８Ａにおいて、液体２２６６Ａは、大気に晒される。発熱体２２５６Ａは、芯２２４６Ａの自由端２２４８Ａ、及び芯２２４６Ａの自由端２２４８Ａにおける液体２２６６Ａを加熱する。芯２２４６Ａの自由端２２４８Ａにおいて、液体２２６６Ａは、蒸発して、ベースエンクロージャ２２５２Ａ内へ入り、ベース２２１２Ａにおける前側におい開口部２２２６Ａを通り、捕虫部分２２１４Ａの前側ハウジング２２２８Ａにおける、対応する前側におい開口部２２３６Ａを通り、更に前側ハウジング２２２８Ａの開口部２２３２Ａを通って、捕虫装置２２１０Ａが設置されている部屋へと到達する。ＬＥＤ（図示せず）が点灯し、ベース部分２２１２Ａの光開口部２２２０Ａを通して光を投射し、光は、後側ハウジング２２３８Ａのウィンドウ２２４２Ａを通って、後側エンクロージャ２２６４Ａに入り、液体２２６６Ａを通る。いくつかの実施形態において、ＬＥＤ（図示せず）からの光の一部は、後側ハウジング２２３８Ａの内面２２７０Ａにて反射する。ＬＥＤからの光は、液体２２６６Ａを通って投射され、ディバイダ２２５８Ａを通り、粘着剤２２６２Ａを通り、前側ハウジング２２２８Ａの前面２２３０Ａにおける開口部２２３２Ａを通り、捕虫装置２２１０Ａが設置されている部屋へと到達する。いくつかの実施形態において、捕虫装置２２１０Ａにおいては、熱とにおいのみが誘引物として使用され、光源は使用されない。
【０３５５】
捕虫装置２２１０Ａの更なる利点は、捕虫部分２２１４Ａが内蔵の寿命インジケータを含み得るということである。いくつかの実施形態において、液体２２６６Ａを通して投射されるＬＥＤからの光により、ディバイダ２２５８Ａを通して視認可能な、水平線が示されてもよく、ここで、この水平線は、後側エンクロージャ２２６４Ａ内に残留する液体２２６６Ａの量に対応している。いくつかの実施形態において、ディバイダ２２５８Ａを通して見える水平線の視認性を高めるため、液体２２６６Ａを染色又は着色してもよい。いくつかの実施形態において、ディバイダ２２５８Ａ上の１つ又は複数のマークによって、液体２２６６Ａが部分的に、かつ／又は完全に消耗した場合に、ディバイダ２２５８Ａを通して見える水平線の位置を示すことにより、捕虫部分２２１４Ａを取り外し、新しい捕虫部分２２１４Ａに交換すべきことを示す視覚的合図を提供してもよい。
【０３５６】
図１０８は、捕虫装置の第２３の実施形態の正面斜視図であり、この捕虫装置全体は２３１０として示されている。図１０９は図１０８の一部の拡大図である。捕虫装置２３１０は、ベース部分２３１２と取り外し可能な捕虫部分２３１４と、を含む。捕虫装置２３１０は、全体長さ、全体幅、及び全体奥行きを有していてよく、また、捕虫装置２３１０が壁面に取り付けられたとき、捕虫装置２３１０が壁面から突出する全距離によって定義される全体奥行きが、これら３つの全体寸法のうちで最小となるようになるように構成されてよい。捕虫部分２３１４は、図１０８で、部分的に切り取られ、かつベース部分２３１２から取り外された状態で示されている。捕虫部分２３１４は、全体長さ、全体幅、及び全体奥行きを有していてよく、また、捕虫部分２３１４が捕虫装置２３１０に取り付けられ、かつ捕虫装置２３１０が壁面に取り付けられたとき、その壁面に垂直な方向に測定される、捕虫部分２３１４の全体奥行きが、捕虫部分２３１４のこれら３つの全体寸法のうちで最小となるように構成されていてもよい。捕虫部分２３１４は、前面２３１６に少なくとも１つの開口部２３２０を備えた前側ハウジング２３１８を含む。前側ハウジング２３１８の開口部２３２０は、広範な種類の虫を捕虫装置２３１０に受け入れるように構成してもよいし、あるいは、１種類又は２種類以上の特定の種類の虫を受け入れるように構成してもよい。いくつかの実施形態において、開口部２３２０は、捕虫部分２３１４を取り外して交換するときに、ユーザーの指が開口部２３２０に入ってしまい捕獲された虫又は粘着剤に誤って触れることを防ぐように構成される。いくつかの実施形態において、開口部２３２０は、直径２５ｍｍの球が開口部２３２０を通過できないような寸法及び形状を有し、かつ、直径１ｍｍの球が開口部２３２０のいかなる部分も通過できるような寸法及び形状を有する。開口部２３２０の幅、形状及び向きは、均一であってもよいし、又は、変化していてもよく、また、捕虫部分２３１４が複数の開口部２３２０を有する場合は、それらの幅、形状及び向きは、同一あってもよいし、又は、異なっていてもよい。開口部２３２０は、１種類又は２種類以上の個々の種類の虫又は様々な種類の虫を誘引するように構成することができる。いくつかの実施形態において、前側ハウジング２３１８は、開口部２３２０を取り囲む畝又はレリーフ２３７０を備えるように構成され、これにより捕虫部分２３１４に剛性と強度を付与し、前側ハウジング２３１８がより薄い材料で製造できるようになる。捕虫部分２３１４はディバイダ２３３４を含み、ディバイダ２３３４は、透明又は半透明の材料から構築されるか、又は透明又は半透明の材料を含み、また、前面２３３８が透明又は半透明の粘着剤２３３６でコーティングされる（図１１０に示す）。いくつかの実施形態において、ディバイダ２３３４は、飛翔昆虫（広範な種類の飛翔昆虫が、偏光を感知することが知られている）を更に誘引するため、ディバイダ２３３４を透過する光を、日光と同様の配向に偏光するように構成される。いくつかの実施形態において、ディバイダ２３３４の材料及び厚さと粘着剤２３３６の材料及び厚さは、光のかなりの割合を透過させるよう選択され、例えば、光の６０％超がディバイダ２３３４と粘着剤２２３６を透過するよう選択される。ディバイダ２３３４は、１つ又は２つ以上の穿孔２３７４を含む。いくつかの実施形態において、ディバイダ２３３４の前面２３３８の、穿孔２３７４のすぐ近くの領域は、粘着剤２３３６でコーティングされていない。捕虫部分２３１４は、内面２３４２と底部内面２３７６とを備えた後側ハウジング２３４０と、下向きカップ２３５６とを含む。カップ２３５６は、その開放端の外周から突出しているリップ２３５８を有していてよく、本明細書に記載される任意の虫誘引物質に対するバリヤとして機能する、任意の材料又は材料の組み合わせで作製されていてよい。
【０３５７】
ベース部分２３１２の背面２３５４（図１１０に図示）から突出しているのは、複数の導電性プロング２３２２であってよく、導電性プロング２３２２を標準の家庭用壁面電気コンセントに差し込むことにより、捕虫装置２３１０を壁面に取り付けて捕虫装置２３１０に電力を供給するよう適合されている。あるいは、導電性プロング２３２２は、導電性プロング２３２２が水平方向を向いた壁面電気コンセントに差し込まれる場合に、捕虫装置２３１０が直立したままとなり得るように、スイベル式に回転するように適合されていてもよい。あるいは、ベース部分２３１２は、所望の任意の場所に静置又は吊り下げて、ベース部分２３１２内に取り付けられた電池（図示せず）から電力を受け取るように構成されてもよい。電気コンセントと電池が、捕虫装置２３１０に電力を供給するものとして記載されたが、任意の好適な電源を使用することができる。ベース部分２３１２は、上面２３２６と、１つ又は２つ以上のＬＥＤ２３２４などの発光素子とを含む。いくつかの実施形態において、ＬＥＤ２３２４は、ＵＶ光を発するＬＥＤを少なくとも１つ、及び可視光を発するＬＥＤを少なくとも１つ含む。いくつかの実施形態において、ＬＥＤ２３２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２３２４は、蚊及びノミなどの特定の種類の虫をよりよく誘引するために、ＩＲ光を発するＬＥＤを少なくとも１つ含む。ベース部分２３１２の上面２３２６には、透明又は半透明のウィンドウ２３２８が取り付けられていてよい（図ではＬＥＤ２３２４を見えるようにするため部分的に切り取られている）。ウィンドウ２３２８により、ＬＥＤ２３２４が埃と虫の破片から保護され、ベース部分２３１２のクリーニングが容易になる。いくつかの実施形態において、捕虫部分２３１４がベース部分２３１２に取り付けられたとき、ウィンドウ２３２８の少なくとも一部と、ＬＥＤ２３２４の少なくとも一部とが、ベース部分２３１２の上面２３２６から突出して捕虫部分２３１４内に入る。あるいは、ベース部分２３１２はウィンドウ２３２８を含まなくともよく、捕虫部分２３１４がベース部分２３１２に取り付けられたとき、ＬＥＤ２３２４の少なくとも一部が、ベース部分２３１２の上面２３２６から突出して捕虫部分２３１４内に入る。上面２３２６にはスロット２３３０があってよく、上面２３２６の外周には、縁又は上向きの突出部２３３２がある。図示されているように、ベース部分２３１２の上面２３２６からはパンチ２３７８が突出しており、パンチ２３７８は、傾斜した上面２３８０と、傾斜した上面２３８０を通って延在するがパンチ２３７８の底面までは延在していない、１本又は２本以上の軸方向溝２３８２を備えている。パンチ２３７８の傾斜した上面２３８０は、パンチ２３７８の遠位端で尖頭を形成する。いくつかの実施形態において、パンチ２３７８の側面は先細になっており、これによってパンチ２３７８は、遠位端側よりも近位端側のほうが大きな断面積を有する。
【０３５８】
図１１０は、捕虫装置２３１０の断面図であり、図１１１は図１１０の一部の拡大図である。捕虫部分２３１４は、この図で、ベース部分２３１２の上方に持ち上げられている。カップ２３５６のリップ２３５８には、カップ２３５６の開放端とリップ２３５８とを覆うように構成された蓋２３６０が、気密封止を形成するように、接着剤で固定され、これにより、密封されたカップ２３５６内の任意の物質（図示せず）の新鮮さが維持される。蓋２３６０は、本明細書に記載される任意の虫誘引物質に対するバリヤとして機能し得る、薄く丈夫だが穿孔可能な材料又は材料の組み合わせで作製されていてよい。少なくとも１本の支持ポスト２３６２の上には、カップ２３５６が取り付けられ、この支持ポスト２３６２は、後側ハウジング２３４０の底部内面２３７６の上方にカップ２３５６及び蓋２３６０を取り付けるように構成されている。いくつかの実施形態において、支持ポスト２３６２は、後側ハウジング２３４０の底部内面２３７６にある、少なくとも１つの突出部（図示せず）に置き換えられる。カップ２３５６の内側には、１種類又は２種類以上の虫誘引物質を含浸させた担体材料２３６６がある。例えば、担体材料２３６６には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２３１０の虫誘引効率を更に向上させ得るにおいをもたらす物質を、含浸させることができる。カップ２３５６の内側の担体材料２３６６は、固体、液体、ゲル、又はこれらの任意の組み合わせであってよい。あるいは、水蒸気は蚊に対する誘引剤として知られていることから、１種類又は２種類以上の虫誘引物質に加えて、又はそれに代えて、担体材料２３６６に水を含浸させてもよい。あるいは、１種類又は２種類以上の虫誘引物質に加えて、又はそれに代えて、糖液、糖蜜、又は蜂蜜などの他の虫誘引剤を、担体材料２３６６に埋め込んでもよい。あるいは、１種類又は２種類以上の虫誘引物質に加えて、又はそれに代えて、蚊を誘引する二酸化炭素を産生し得るように、生酵母、砂糖、及び水を組み合わせて担体材料２３６６に埋め込んでもよい。あるいは、虫誘引物質を、担体材料２３６６なしでカップ２３５６内に収容してもよい。捕虫部分２３１４（例えば、前側ハウジング２３１８、後側ハウジング２３４０、ディバイダ２３３４及び粘着剤２３３６）の材料にも、１種類又は２種類以上の虫誘引剤を含浸させてよい。そのような誘引剤は、捕虫装置２３１０から半径約２メートルにいる虫に感知可能であることが望ましい。
【０３５９】
いくつかの実施形態において、後側ハウジング２３４０の内面２３４２は反射性コーティングを有する。あるいは、後側ハウジング２３４０の材料及び表面仕上げは、反射性コーティングなしに、ＵＶ光及び／又は可視光を反射及び分散させるように構成され得る。後側ハウジング２３４０は、その底面に開口部２３４４を含んでよく、あるいは開口部２３４４は、透明又は半透明のウィンドウ（図示せず）に置き換えられてもよい。いくつかの実施形態において、前側ハウジング２３１８と後側ハウジング２３４０は、プラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料を使用することができる。いくつかの実施形態において、前側ハウジング２３１８及び後側ハウジング２３４０は、射出成形又はその他の好適な製造法により製造される。図示されているように、ディバイダ２３３４は背面２３５２を有し、また、実質的に平らであり、ＬＥＤ２３２４により生成される光の主方向（図示せず）に対して平行又はある角度になるように構成されていてもよい。いくつかの実施形態において、ディバイダ２３３４は、均一に配光するために最適化されるよう、凸状、凹状、又はサドル形状（図示せず）、又は形状の組み合わせに形成される。いくつかの実施形態において、ディバイダ２３３４は、粘着面の面積を増大させ、かつ明暗コントラスト領域を形成するような、畝又はその他の形状（図示せず）を有する。明暗コントラスト領域は、広範な種類の虫に対して可視性が高く、それらの虫に対する誘引効果をより高めることができる。
【０３６０】
いくつかの実施形態において、前側ハウジング２３１８は、その内面が透明、半透明又は不透明の粘着剤（図示せず）でコーティングされており、これにより付加的な捕虫効果及び能力が提供される。加えて、前側ハウジング２３１８は更に内面の粘着剤コーティングの下に反射性コーティング（図示せず）を有し、これにより、虫の誘引効果を強化し、捕虫効果及び効率を更に向上させてもよい。いくつかの実施形態において、前側ハウジング２３１８、ディバイダ２３３４及び後側ハウジング２３４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。ディバイダ２３３４は、捕虫部分２３１４を前側エンクロージャ２３４６と後側エンクロージャ２３４８とに分割している。
【０３６１】
いくつかの実施形態において、ベース部分２３１２は、コマンドを実行するためのプログラム可能プロセッサ又はチップ（図示せず）を有する回路基板２３５０を含み、これは導電性プロング２３２２（１つのみ図示）、及びＬＥＤ２３２４（１つのみ図示）に電気的に接続されている。見やすくするため、電気的接続は一部しか示されていない。回路基板２３５０は、導電性プロング２３２２から通常の家庭用電流を受け取り、ＬＥＤ２３２４を点灯させる電力を供給するための電子回路を含み得る。回路基板２３５０は、ＬＥＤ２３２４に一定電圧を供給する、全波整流回路又はその他の回路などのエネルギー安定器を含み得るが、一部の種類の虫（蚊を含む）を誘引し得るような変化を真似た点滅光が提供されるように、ＬＥＤ２３２４に変動電圧を供給することもできる。例えば、およそ０．０５Ｈｚ（例えば、大型哺乳動物の呼吸数を真似たもの）〜２５０Ｈｚ（例えば、オスのイエバエを誘引する点滅の最高頻度）の範囲の点滅頻度が望ましいことがあり、発光素子は、この範囲内で点滅するように構成されてよい。回路基板２３５０は、ＵＶ光及び／又は可視光及び／又はＩＲ光を提供するために、ＬＥＤ２３２４に電力を供給してもよいが、ＵＶ光及び／又は可視光及び／又はＩＲ光の点滅の組み合わせを生み出すために、ＵＶ  ＬＥＤ２３２４のみ又は可視光ＬＥＤ２３２４のみ又はＩＲ  ＬＥＤ２３２４のみに電力を供給するか、あるいは変動電力を供給するように構成してもよい。回路基板２３５０はまた、圧電スピーカ（図示せず）などの発信機又はトランシーバー、又はその他の装置を駆動させるように構成することができ、これらはベース部分２３１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２３１０から約２メートル以内の距離にいる虫に感知可能であることが望ましい。そのような虫誘引性の音は、捕虫装置２３１０から約１メートルを超える距離にいる人間に感知できないものであることが望ましい。
【０３６２】
また、回路基板２３５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２３１２を通して捕虫部分２３１４へと伝達させ得る、電気素子の組み合わせを含んでもよい。あるいは、ＬＥＤ２３２４のうちの１つ又は２つ以上によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２３１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０３６３】
いくつかの実施形態において、捕虫装置２３１０をコンセントから外した際に、捕虫装置２３１０を床、机、テーブル、又は棚の上に直立させて静置できるように、ベース部分２３１２の底面２３６４は、実質的に平坦であるか又は凹状になっていてもよい。あるいは、ベース部分２３１２の底面２３６４は、捕虫装置２３１０をコンセントから外した際に、捕虫装置２３１０を直立させて静置可能とする、２つ以上の突出部（図示せず）又は脚部を有していてもよい。
【０３６４】
図１１２は、捕虫装置２３１０の断面図であり、図１１３は図１１２の一部の拡大図である。捕虫部分２３１４は、この図で、ベース部分２３１２に取り付けられた状態で示されている。図示されているように、ベース部分２３１２の上面２３２６のスロット２３３０と、ベース部分２３１２の上面２３２６の縁又は突出部２３３２とが、捕虫部分２３１４と係合して、使用中に捕虫部分２３１４を定位置に固定する。しかしながら、捕虫部分２３１４をベース部分２３１２にしっかりと、かつ取り外し可能に取り付けることができるような、任意の他の取り付け形態に置き換えてもよい。捕虫部分２３１４をベース部分２３１２に取り付けることにより、パンチ２３７８の尖った遠位端が後側ハウジング２３４０の底面及び蓋２３６０を突き破る。パンチ２３７８の軸方向溝２３８２に対応する蓋２３６０の一部分又は複数の部分が変形して、蓋２３６０とパンチ２３７８との間に隙間が形成され、１種類又は複数種類の虫誘引性のにおいが、矢印で示すように、軸方向溝２３８２を通り、捕虫部分２３１４の後側エンクロージャ２３４８に入り、更に、ディバイダ２３３４の穿孔２３７４及び前側ハウジング２３１８の開口部２３２０を通って、捕虫装置２３１０が設置されている周辺領域に放出されていく。軸方向溝２３８２はパンチ２３７８の近位端までは延びていないため、パンチ２３７８が突き破った後側ハウジング２３４０の底の開口部をパンチ２３７８自体が塞ぎ、これによって、１種類又は複数種類の虫誘引性のにおいが、ディバイダ２３３４の１つ又は２つ以上の穿孔２３７４のみを通って放出されることが確保される。
【０３６５】
捕虫装置２３１０の操作においては、導電性プロング２３２２（１つのみ図示）が壁面電気コンセントに差し込まれ、捕虫部分２３１４がベース部分２３１２に取り付けられ、これによって密封蓋２３６０が破られ、１種類又は複数種類の虫誘引性のにおいがディバイダ２３３４の穿孔２３７４を通り、前側ハウジング２３１８の開口部２３２０を通って、捕虫装置２３１０が設置されている周辺領域に放出される。カップ２３５６、担体材料２３６６及び１種類又は複数種類の虫誘引物質は、捕虫部分２３１４の見込み耐用期間に対応する所定期間にわたって、１種類又は複数種類の虫誘引性のにおいを放出するように構成されていてよく、この期間は例えば１週間、１ヶ月、又は３ヶ月、又は他の長さの期間であってよい。あるいは、カップ２３５６、担体材料２３６６及び１種類又は複数種類の虫誘引物質は、捕虫部分２３１４の耐用期間の初期に、ある種類の虫誘引性のにおい又はある一群の虫誘引性のにおいを優先的に放出し、捕虫部分２３１４の耐用期間の後期に、別の種類の虫誘引性のにおい又は別の一群の虫誘引性のにおいを放出して、においの変化により、より多くの虫又はより広範な種類の虫を誘引するように構成してもよいし、あるいは、粘着剤２３３６に多くの虫が捕獲された場合の、捕虫部分２３１４からの光の放射の低減を補うため、捕虫部分２３１４の耐用期間の後期に、より強いにおいを提供するように構成してもよい。あるいは、カップ２３５６及び担体材料２３６６は、虫に対する誘引性を実質的に低減することなく、１種類又は複数種類の虫誘引性のにおいをマスキングし得る、あるいは人間が不快だと感じ得るか又は子供若しくは対象外の動物（ペットなど）を誘引し得るような１種類又は複数種類の虫誘引性のにおいの成分をマスキング又は除去し得るような、追加のにおいを放出するように構成することができる。ＬＥＤ２３２４は、光（矢印で示す）を発し、この光は、ベース部分２３１２のウィンドウ２３２８を通り、捕虫部分２３１４の後側ハウジング２３４０にある開口部２３４４を通って、後側エンクロージャ２３４８に入り、直接、後側ハウジング２３４０の内面２３４２上に、かつディバイダ２３３４の背面２３５２上に、伝わっていく。ＬＥＤ２３２４からの光は、後側ハウジング２３４０の底部内面２３７６における開口部２３４４（例えば、捕虫部分２３１４の全体奥行きに実質的に平行な面にある）を通って、後側エンクロージャ２３４８に入ることから、この光は、後側エンクロージャ２３４８の長さ全体を通過することができるとともに、後側エンクロージャ２３４８の長さ全体にわたって発散することができるため、後側エンクロージャ２３４８全体にわたって、より均一に配光され得る。いくつかの実施形態において、光はベース部分２３１２において操作されず、捕虫部分２３１４内へ直接発せられる。後側ハウジング２３４０の内面２３４２は凹形状を含んでいてもよく、ＬＥＤ２３２４からのＵＶ光及び可視光を反射及び分散させて、ディバイダ２３３４の背面２３５２上に均一に配光するように構成されていてもよいが、後側ハウジング２３４０の内面２３４２の形状は凸状又はサドル形状又は形状の組み合わせを有していてよく、あるいは、より均一に配光するように、畝又はその他の形状（図示せず）を有していてもよい。あるいは、ディバイダ２３３４の背面２３５２上へとＵＶ光及び可視光を（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部２３４４において、若しくはその付近において、後側ハウジング２３４０に取り付けるか、又はウィンドウ２３２８において、若しくはその付近において、ベース部分２３１２に取り付けてよく、また、この光学的エンハンサにより、後側ハウジング２３４０の内面２３４２の役割を置き換えるか、又は増強してもよい。あるいは、ＬＥＤ２３２４からの光は、ディバイダ２３３４の背面２３５２に斜めの角度（例えば、約０°〜９０°の鋭角）で直接当たってよく、ディバイダ２３３４全体にわたって広がってよく、後側ハウジング２３４０の内面２３４２の役割、又は後側ハウジング２３４０に取り付けられた１つ若しくは複数のレンズの役割を置き換えるか、又は強化してもよい。
【０３６６】
その後、光は、ディバイダ２３３４及び前面２３３８上の粘着剤２３３６を透過し、前側エンクロージャ２３４６に入る。光は、ディバイダ２３３４、粘着剤２３３６、又はこれら両方の光散乱特性により、更に均一に配光され得る。前側エンクロージャ２３４６に入る光の一部は、続いて、前側ハウジング２３１８の開口部２３２０を通って、捕虫装置２３１０が設置されている周辺領域に放たれる。粘着剤２３３６と、前側ハウジング２３１８の開口部２３２０とを通って伝わってくる光に、虫が誘引される。また、虫は、カップ２３５６内の担体材料２３６６から放出されるにおい及び／又はフェロモンに誘引される。加えて、回路基板２３５０によって生じる熱によって、担体材料２３６６を温めてもよく、これによって、虫誘引性のにおい及び／又はフェロモンの放出を増加させ得る。虫は、開口部２３２０から粘着剤２３３６上へと飛んでいくか、又は這っていき、そこで捕獲される。ユーザーは、前側ハウジング２３１８の開口部２３２０を通して見ることにより、捕獲された虫を確認できる。十分な数の虫が捕獲されると、ユーザーは、捕獲された虫、虫の破片又は粘着剤（これらは捕虫部分２３１４内の届かないところに留まる）に触れることなく、使用済みの捕虫部分２３１４全体を容易に取り外して捨て、新しい捕虫部分２３１４に交換することができる。新しい捕虫部分２３１４は、粘着剤コーティングされた新しい表面と光指向面を有しており、捕虫装置２３１０での効率的かつ効果的な虫の誘引と捕獲が持続的に確保される。
【０３６７】
いくつかの実施形態において、捕虫部分２３１４はベース部分２３１２の前ではなく上に取り付けられているため、一般的な家庭用壁面コンセントに差し込んだときに、壁面からの捕虫装置２３１０の突出が最小限に抑えられ、これによって、家庭環境に対する邪魔を最小限に抑える。いくつかの実施形態において、捕虫装置２３１０は、壁面に取り付けられたとき、捕虫装置２３１０が壁面から突出する全距離によって定義される全体奥行きが、捕虫装置２３１０の全体高さ及び全体幅よりも小さくなるように構成される。
【０３６８】
捕虫装置２３１０の利点は、捕虫部分２３１４内の光の操作であることが理解されよう。いくつかの実施形態において、光の操作は捕虫部分２３１４内でのみ行われる。光の操作には、反射、屈折、偏光、分散及び／又は散乱が含まれてよく、操作可能な素子又は表面（例えば、内面２３４２、ディバイダ２３３４及び粘着剤２３３６）と係合することにより達成される。いくつかの実施形態において、光の操作により、粘着剤２３３６上に光の均等な分布が形成される。いくつかの実施形態において、光は、粘着剤２３３６の上又は捕虫部分２３１４内に所定のパターンを生成するよう操作され、例えば、均一な分布、高強度のホットスポットを伴う均一な分布、ホットスポットパターン、及び／又はこれらの組み合わせを生成するよう操作される。
【０３６９】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０３７０】
この構成の捕虫装置２３１０は、ベース部分２３１２に取り外し可能に取り付けることができる様々な異なる捕虫部分２３１４に対応することができ、それぞれの捕虫部分２３１４は、特定の種類又は複数の種類の飛翔昆虫を誘引して捕獲するような固有の構成を有する。例えば、捕虫部分２３１４の全体の寸法及び形状、捕虫部分２３１４の前側ハウジング２３１８における開口部２３２０の寸法、形状、位置及び向き、並びに担体材料２３６６、前側ハウジング２３１８、ディバイダ２３３４、粘着剤２３３６又は後側ハウジング２３４０に含浸させた１種類又は複数種類のにおいは、特定の種類又は複数の種類の飛翔昆虫を誘引して捕獲するように固有の構成を有していてよい。
【０３７１】
例えば、いくつかの実施形態において、捕虫部分２３１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２３１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２３１４はおよそ、幅２０ｍｍ〜１３０ｍｍ、高さ２０ｍｍ〜１３０ｍｍ、及び奥行き５ｍｍ〜５０ｍｍである。
【０３７２】
いくつかの実施形態において、ベース部分２３１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２３１２は、幅２０ｍｍ〜２００ｍｍ、高さ１０ｍｍ〜１００ｍｍ、及び奥行き１０ｍｍ〜８０ｍｍである。いくつかの実施形態において、ベース部分２３１２は、幅２０ｍｍ〜１３０ｍｍ、高さ１０ｍｍ〜５０ｍｍ、及び奥行き１０ｍｍ〜５０ｍｍである。
【０３７３】
本明細書で提供されるように、開口部２３２０は様々な形状及び／又は寸法であり得る。例えば、開口部２３２０の形状は、円形、正方形、長方形、多角形、及び／又は楕円形であり得る。あるいは、開口部２３２０は、直線、曲線、又は波状の形状又はパターンを有するスロット形状であり得る。開口部２３２０が円形の場合、開口部２３２０の直径は約０．５ｍｍ〜３０ｍｍであり得る。いくつかの実施形態において、円形開口部２３２０の直径は約０．５ｍｍ〜２０ｍｍである。いくつかの実施形態において、円形開口部２３２０の直径は約０．５ｍｍ〜１５ｍｍである。開口部２３２０がスロット形状の場合、開口部２３２０はおよそ、幅２ｍｍ〜３０ｍｍ、長さ５ｍｍ〜５００ｍｍであり得る。いくつかの実施形態において、スロット形状開口部２３２０はおよそ、幅２ｍｍ〜２０ｍｍ、長さ５ｍｍ〜２００ｍｍである。いくつかの実施形態において、スロット形状開口部２３２０はおよそ、幅２ｍｍ〜１５ｍｍ、長さ５ｍｍ〜１００ｍｍである。
【０３７４】
いくつかの実施形態において、開口部２３２０は前側ハウジング２３１８の全部又は一部を占める。例えば、開口部２３２０は、前側ハウジング２３１８の表面積の約１％〜７５％の範囲を占めていてもよい。いくつかの実施形態において、開口部２３２０は、前側ハウジング２３１８の表面積の約５％〜５０％を占める。いくつかの実施形態において、開口部２３２０は、前側ハウジング２３１８の表面積の約１０％〜３０％を占める。
【０３７５】
捕虫装置２３１０の構成は、自己活性化して、蚊などのいくつかの種類の虫を誘引することが知られている二酸化炭素（ＣＯ２）を送達するように適合されていてよい。図１１４は、捕虫装置の第２３の実施形態の一例の正面斜視図であり、この捕虫装置全体は２３１０Ａとして示されている。図１１５は図１１４の一部の拡大図である。捕虫装置２３１０Ａは、ベース部分２３１２Ａと、取り外し可能な捕虫部分２３１４Ａとを含む。捕虫部分２３１４Ａは、部分的に切り取られ、かつベース部分２３１２Ａから取り外された状態で示されている。この構成では、捕虫部分２０１４Ａは、ベース部分２０１２Ａの下に取り付けられてもよい。捕虫部分２３１４Ａは、前面２３１６Ａに少なくとも１つの開口部２３２０Ａを備える前側ハウジング２３１８Ａと、１つ又は２つ以上の穿孔２３７４Ａ及び前面２３３８Ａ上の透明又は半透明な粘着剤を備えるディバイダ２３３４Ａと、内面２３４２Ａ、内側上面２３７６Ａ、及びリザーバアセンブリ２３５６Ａを有する後側ハウジング２３４０Ａと、を含む。ベース部分２３１２Ａは、底面２３２６Ａと、底面２３２６Ａにある少なくとも１つの開口部２３２８Ａと、ベース部分２０１２Ａ内部にあり、開口部２３２８Ａに隣接する１つ又は２つ以上のＬＥＤ２３２４Ａなどの発光素子と、を含む。図示されているように、ベース部分２３１２Ａの底面２３２６Ａからはパンチ２３７８Ａが突出しており、パンチ２３７８Ａは、傾斜した上面２３８０Ａと、傾斜した上面２３８０Ａを通って延在するがパンチ２３７８Ａの底面までは延在していない、１本又は２本以上の軸方向溝２３８２Ａを備えている。パンチ２３７８Ａの傾斜した上面２３８０Ａは、パンチ２３７８Ａの遠位端で尖頭を形成する。いくつかの実施形態において、パンチ２３７８Ａの側面は先細になっており、これによってパンチ２３７８Ａは、遠位端側よりも近位端側のほうが大きな断面積を有する。パンチ２３７８Ａは、捕虫部分２３１４Ａがベース部分２３１２Ａに取り付けられたとき、捕虫部分２３１４Ａにおけるリザーバアセンブリ２３５６Ａと位置合わせされ、リザーバアセンブリ２３５６Ａに穴を開ける。
【０３７６】
図１１６は、捕虫装置２３１０Ａの断面図であり、図１１７は図１１６の一部の拡大図である。ベース部分２３１２Ａは、この図で、捕虫部分２３１４の上方に持ち上げられている。リザーバアセンブリ２３５６Ａは、下向きの上側カップ２３６８Ａであって、その開放端の外周から突出するリップ２３５８Ａを備える上側カップ２３６８Ａと、上向きの下側カップ２３７０Ａであって、その開放端から突出するリップ２３７２Ａを備える下側カップ２３７０Ａと、上側カップ２３６８Ａと下側カップ２３７０Ａとの間のリザーバディバイダ２３６０Ａと、を含む。リザーバディバイダ２３６０Ａは、リップ２３５８Ａにおいて接着剤により上側カップ２３６８Ａに固定され、気密シールされた上側エンクロージャ２３８４Ａを形成しており、また、リザーバディバイダ２３６０Ａは、リップ２３７２Ａにおいて下側カップ２３７０Ａに固定され、気密シールされた下側エンクロージャ２３８６Ａを形成しており、これにより、リザーバディバイダ２３６０Ａは、上側エンクロージャ２３８４Ａと下側エンクロージャ２３８６Ａとを分割している。上側エンクロージャ２３８４Ａは、砂糖水２３８８Ａを含み、下側エンクロージャ２３８６Ａは、活性酵母培養物２３９０Ａを含む。いくつかの実施形態において、上側エンクロージャ２３８４Ａ、及び／又は下側エンクロージャ２３８６Ａは、ＣＯ２の産生を増大若しくは調節する、追加的な１種類又は複数種類の物質を含んでいてもよいし、追加的な虫誘引物質によりＣＯ２を増強したり、若しくは補ったりしてもよい。下側カップ２３７０Ａは、本明細書に記載される任意の虫誘引物質に対するバリヤとして機能する、任意の材料又は材料の組み合わせで作製されていてよい。リザーバディバイダ２３６０Ａ及び上側カップ２３６８Ａは、本明細書に記載される任意の虫誘引物質に対するバリヤとして機能し得る、薄く丈夫だが穿孔可能な材料又は材料の組み合わせで作製されていてよい。リザーバアセンブリ２３５６Ａは、後側ハウジング２３４０Ａの内側上面２３７６Ａの下方にリザーバアセンブリ２３５６Ａを支持するように構成された、少なくとも１つの支持ポスト２３６２Ａに取り付けられる。いくつかの実施形態において、支持ポスト２３６２Ａは、後側ハウジング２３４０Ａの内側上面２３７６Ａにある、少なくとも１つの突出部（図示せず）に置き換えられる。後側ハウジング２３４０Ａは、その内側上面２３７６Ａに開口部２３４４Ａを含むか、あるいは開口部２３４４Ａは、透明又は半透明のウィンドウ（図示せず）に置き換えられてもよい。いくつかの実施形態において、前側ハウジング２３１８Ａと後側ハウジング２３４０Ａは、プラスチックシートから熱成形され、低価格と使い捨て性を維持しながら、清潔で美観に優れた形状を生み出す。あるいは、紙、板紙、厚紙又は紙パルプなどの他の不透明、透明又は半透明の材料を使用することができる。いくつかの実施形態において、前側ハウジング２３１８Ａ及び後側ハウジング２３４０Ａは、射出成形又はその他の好適な製造法により製造される。いくつかの実施形態において、前側ハウジング２３１８Ａ、ディバイダ２３３４Ａ及び後側ハウジング２３４０は、それらが交差又は係合する箇所において、超音波溶接又は高周波（ＨＦ）溶接で互いに接合されるが、接着剤により、又は任意の他の好適な組立法により、恒久的又は取り外し可能に、互いに接合されていてもよい。ディバイダ２３３４は、捕虫部分２３１４を前側エンクロージャ２３４６Ａと後側エンクロージャ２３４８Ａとに分割している。
【０３７７】
図１１８は、捕虫装置２３１０Ａの断面図であり、図１１９は図１１８の一部の拡大図である。捕虫部分２３１４Ａは、この図で、ベース部分２３１２Ａに取り付けられた状態で示されている。捕虫部分２３１４Ａをベース部分２３１２Ａに取り付けることにより、パンチ２３７８Ａの尖った遠位端は、後側ハウジング２３４０Ａの内側上面２３７６Ａ、上側カップ２３６８Ａの閉じた端部、及びリザーバディバイダ２３６０Ａを突き破る。パンチ２３７８Ａにおける軸方向溝２３８２Ａに対応する上側カップ２３６８Ａ及びリザーバディバイダ２３６０Ａの一部分又は複数の部分が変形して、上側カップ２３６８Ａとパンチ２３７８Ａとの間、及びリザーバディバイダ２３６０Ａとパンチ２３７８Ａとの間に隙間が生じる。砂糖水２３８８Ａ（図１１７に図示）は、リザーバディバイダ２３６０Ａとパンチ２３７８Ａの軸方向溝２３８２Ａとの間の隙間を通って、下側カップ２３７０Ａ内部の酵母培養物２３９０Ａ（図１１７に図示）上へと滴り落ち、砂糖と水と酵母培養物の混合物２３９２Ａを形成する。混合物２３９２Ａは反応し、数時間以内にＣＯ２が産生され始め、このＣＯ２は、リザーバディバイダ２３６０Ａとパンチ２３７８Ａの軸方向溝２３８２Ａとの間の隙間を通り、上側カップ２３６８Ａとパンチ２３７８Ａの軸方向溝２３８２Ａとの間の隙間を通り、捕虫部分２３１４Ａの後側エンクロージャ２３４８Ａに入り（矢印で示す）、更に、ディバイダ２３３４Ａの穿孔２３７４Ａ（図１１４）及び前側ハウジング２３１８Ａにおける開口部２３２０Ａを通って、捕虫装置２３１０Ａが設置されている周辺領域へと放出される。軸方向溝２３８２Ａはパンチ２３７８Ａの近位端までは延びていないため、パンチ２３７８Ａが突き破った後側ハウジング２３４０Ａの内側上面２３７６Ａの開口部をパンチ２３７８Ａ自体が塞ぎ、これによって、ＣＯ２が、ディバイダ２３３４Ａの１つ又は２つ以上の穿孔２３７４Ａのみを通って放出されることが確保される。リザーバアセンブリ２３５６Ａ、パンチ２３７８Ａにおける軸方向溝２３８２Ａ、砂糖水２３８８Ａ、酵母培養物２３９０Ａ、及びリザーバアセンブリ２３５６Ａにおける任意の他の１種類又は複数種類の物質は、捕虫部分２３１４Ａの見込み耐用期間に対応する所定期間にわたって、ＣＯ２及び任意の他の１種類又は複数種類の虫誘引物質を放出するように構成されていてよく、この期間は例えば１週間、１ヶ月、又は３ヶ月、又は他の長さの期間であってよい。ＣＯ２及び任意の他の１種類又は複数種類の虫誘引物質は、捕虫装置２３１０Ａの半径２メートル以内の虫によって感知可能であることが望ましい。いくつかの実施形態において、捕虫装置２３１０Ａにおいては、熱のみ、又は熱と虫誘引物質のみが誘引物として使用され、光源は使用されない。
【０３７８】
自己活性化して、１種類又は複数種類の虫誘引物質を送達するように適合された他の構成が想定されている。図１２０は、捕虫装置の第２３の実施形態の一例の正面斜視図であり、この捕虫装置全体は２３１０Ｂで示されている。捕虫装置２３１０Ｂは、ベース部分２３１２Ｂと、取り外し可能な捕虫部分２３１４Ｂとを含む。この図では、捕虫部分２３１４Ｂをベース部分２３１２Ｂから取り外し、裏側が見えるように傾けた状態で示している。捕虫部分２３１４Ｂは、前面２３１６Ｂに少なくとも１つの開口部２３２０Ｂ、及び底面２３５８Ｂに開口部２３５６Ｂを備える前側ハウジング２３１８Ｂと、底面２３７６Ｂを備える後側ハウジング２３４０Ｂと、を含む。ベース部分２３１２Ｂは、上面２３２６Ｂと、１つ又は２つ以上のＬＥＤ２３２４Ｂなどの発光素子とを含む。ベース部分２３１２Ｂの上面２３２６Ｂには、透明又は半透明のウィンドウ２３２８Ｂが取り付けられていてよい（図ではＬＥＤ２３２４Ｂを見えるようにするため部分的に切り取られている）。このウィンドウ２３２８Ｂにより、ＬＥＤ２３２４Ｂが埃と虫の破片から保護され、ベース部分２３１２Ｂのクリーニングが容易になる。図示されているように、突出部２３７８Ｂが、ベース部分２３１２Ｂの上面２３２６Ｂから突出しており、突出部２３７８Ｂは、捕虫部分２３１４Ｂがベース部分２３１２Ｂに取り付けられたとき、後側ハウジング２３４０Ｂの底面２３５８Ｂにある開口部２３５６Ｂと位置合わせされて、その中に入る。
【０３７９】
図１２１は、捕虫装置２３１０Ｂの捕虫部分２３１４Ｂの分解図である。捕虫部分２３１４Ｂは、前側ハウジング２３１８Ｂと、前面２３３８Ｂが捕虫用粘着剤２３３６Ｂでコーティングされたディバイダ２３３４Ｂと、ドーム２３６２Ｂを備えるトリガ２３６０Ｂと、膜２３６８Ｂと、平坦な座部２３７２Ｂを備える後側ハウジング２３４０Ｂと、を含む。ディバイダ２３３４Ｂは、多孔質の半透明シート材料で作製されていてもよく、粘着剤２３３６Ｂは、透明又は半透明であってよい。トリガ２３６０Ｂは、射出成型された透明又は半透明のプラスチックであってもよい。膜２３６８Ｂは、蒸気バリヤ性のある透明又は半透明のシート材料からできていてもよく、後側ハウジング２３４０Ｂは、蒸気バリヤ性のある透明又は半透明なプラスチックから射出成型されるか、又は熱成形されていてもよい。いくつかの実施形態において、後側ハウジング２３４０Ｂ、ディバイダ２３３４Ｂ、及び前側ハウジング２３１８Ｂは、交差又は係合する箇所において、超音波溶接、高周波溶接、又は接着剤により接合される。膜２３６８Ｂは、座部２３７２Ｂに当たって、後側ハウジング２３４０Ｂ内に嵌り込むように構成され、トリガ２３６０Ｂは、後側ハウジング２３４０Ｂと、膜２３６８Ｂと、ディバイダ２３３４Ｂとの間で嵌り込むように構成されている。捕虫部分２３１４Ｂの部品構成は、プラグイン式の空気清浄機用の詰め替え品に見られるものと同様であってもよい。いくつかの実施形態において、ディバイダ２３３４Ｂの前面２３３８Ｂの下部中心における領域２３７４Ｂは、粘着剤２３３６Ｂでコーティングされていない。
【０３８０】
図１２２は、捕虫装置２３１０Ｂの断面図であり、図１２３は図１２２の一部の拡大図である。この図では、捕虫部分２３１４Ｂをベース部分２３１２Ｂの上方に持ち上げた状態で示している。ベース部分２３１２Ｂは、複数の導電性プロング２３２２Ｂ（この図では、１つのみ図示）と、ＬＥＤ２３２４Ｂと、プロング２３２２Ｂ及びＬＥＤ２３２４Ｂに電気的に接続された回路基板２３５０Ｂと、を含む。見やすくするため、電気的接続は一部しか示されていない。後側ハウジング２３４０Ｂと膜とは、透明又は半透明の液体２３６６Ｂを収容する後側エンクロージャ２３４８Ｂを形成し、液体２３６６Ｂは、液体担体材料、及び／又は１種類又は複数種類の虫誘引物質を含んでいてよい。膜２３６８Ｂ及びディバイダ２３３４Ｂは、トリガ２３６０Ｂを収容する中間エンクロージャ２３８０Ｂを形成し、ディバイダ２３３４Ｂ及び前側ハウジング２３１８Ｂは、前側エンクロージャ２３４６Ｂを形成する。トリガ２３６０Ｂは、鋭利な先端２３８２Ｂ（この図では、１つのみ図示）を含み、ドーム２３６２Ｂは、ディバイダ２３３４Ｂを軽く押して、ディバイダ２３３４Ｂを前側エンクロージャ２３４６Ｂへ向かってわずかに変形させる。
【０３８１】
図１２４は、捕虫装置２３１０Ｂの断面図であり、図１２５は図１２４の一部の拡大図である。捕虫部分２３１４Ｂは、この図で、ベース部分２３１２Ｂに取り付けられた状態で示されている。捕虫部分２３１４Ｂをベース部分２３１２Ｂに取り付けることにより、ベース部分２３１２Ｂ上の突出部２３７８Ｂが、前側ハウジング２３１８Ｂの底面２３５８Ｂにある開口部２３５６Ｂに入り、粘着剤２３３６Ｂでコーティングされていない領域２３７４Ｂにおいて、ディバイダ２３３４Ｂの前面２３３８Ｂに対して押し付けられる。突出部２３７８Ｂにより、ディバイダ２３３４Ｂは、トリガ２３６０Ｂのドーム２３６２Ｂに対して押し付けられ、トリガ２３６０Ｂが曲がって、トリガ２３６０Ｂの先端２３８２Ｂ（１つのみ図示）によって、膜２３６８Ｂに穴が開けられ、中間エンクロージャ２３８０Ｂ内へ、かつディバイダ２３３４Ｂに対して、液体２３６６Ｂが放出される。いくつかの実施形態において、トリガ２３６０Ｂは、トリガ２３６０Ｂの本体を通る開口部（図示せず）を有していてもよく、この開口部により、液体２３６６Ｂがトリガ２３６０Ｂを通って、ディバイダ２３３４Ｂ上へとより速く流れることが可能となる。ディバイダ２３３４Ｂは、液体２３６６Ｂを吸収し、粘着剤２３３６Ｂを通って、又は領域２３７４Ｂ若しくは粘着剤２３３６Ｂでコーティングされていないディバイダ２３３４Ｂの他の領域（図示せず）を通して、蒸発させ、１種類又は複数種類の虫誘引物質が、速度が調節されて、前側エンクロージャ２３４６Ｂへと放出され、開口部２３２０Ｂを通って、更には捕虫装置２３１０Ｂが設置されている周辺領域へと放出される。液体２３６６Ｂ、膜２３６８Ｂ、トリガ２３６０Ｂ、及びディバイダ２３３４Ｂは、捕虫部分２３１４Ｂの見込み耐用期間に対応する所定期間にわたって、１種類又は複数種類の虫誘引物質を放出するように構成されていてよく、この期間は例えば１週間、１ヶ月、又は３ヶ月、又は他の長さの期間であってよい。導電性プロング２３２２Ｂが通常の家庭用壁面電気コンセント（図示せず）に差し込まれると、回路基板２３５０Ｂは、プロング２３２２Ｂから電力を受け取って、ＬＥＤ２３２４Ｂを点灯させる。ＬＥＤ２３２４Ｂからの光は、ベース部分２３１２Ｂにおけるウィンドウ２３２８Ｂを通り、後側ハウジング２３４０Ｂの底面２３７６Ｂを通り、液体２３６６Ｂ、膜２３６８Ｂ、トリガ２３６０Ｂ、ディバイダ２３３４Ｂ、及び粘着剤２３３６Ｂを通り、前側エンクロージャ２３４６Ｂ内へ入り、開口部２３２０Ｂを通り、捕虫装置２３１０Ｂが設置されている周辺領域へと投射される。いくつかの実施形態において、捕虫装置２３１０Ｂにおいては、熱とにおいのみが誘引物として使用され、光源は使用されない。
【０３８２】
捕虫装置２３１０Ｂの更なる利点は、捕虫部分２３１４Ｂが内蔵の寿命インジケータを含み得るということである。いくつかの実施形態において、液体２３６６Ｂを通して投射されるＬＥＤからの光により、ディバイダ２３３４Ｂを通して視認可能な、水平線が示されてもよく、ここで、この水平線は、後側エンクロージャ２３４８Ｂ及び中間エンクロージャ２３８０Ｂ内に残留する液体２３６６Ｂの量に対応している。いくつかの実施形態において、ディバイダ２３３４Ｂを通して見える水平線の視認性を高めるため、液体２３６６Ｂを染色又は着色してもよい。いくつかの実施形態において、ディバイダ２３３４Ｂ上のマークによって、液体２３６６Ｂが完全に消耗した場合に、ディバイダ２３３４Ｂを通して見える水平線の位置を示すことにより、捕虫部分２３１４Ｂを取り外し、新しい捕虫部分２３１４Ｂに交換すべきことを示す視覚的合図を提供してもよい。
【０３８３】
図１２６は、捕虫装置の第２３の実施形態の一例の正面斜視図であり、この捕虫装置全体は２３１０Ｃで示されている。図示されているように、捕虫装置２３１０Ｃは、ベース部分２３１２Ｃと、取り外し可能かつ交換可能な捕虫部分２３１４Ｃと、取り外し可能かつ交換可能なにおいカートリッジ２３３０Ｃと、を含む。この図では、捕虫部分２３１４Ｃは、部分的に切り取られて示されており、また、捕虫部分２３１４Ｃ、及びにおいカートリッジ２３３０Ｃは、ベース部分２３１２Ｃから取り外した状態で示されている。ベース部分２３１２Ｃは、においカートリッジ２３３０Ｃを受け入れるように構成された、底面２３５４Ｃにおけるポート２３３２Ｃと、前側上面２３２６Ｃにおける少なくとも１つの開口部２３６４Ｃと、を含む。いくつかの実施形態において、ポート２３３２Ｃは、ベース部分２３１２Ｃの前面、又は側面、又は上面に、においカートリッジ２３３０Ｃを受容するように構成される。捕虫部分２３１４Ｃは、前面２３１６Ｃに少なくとも１つの開口部２３２０Ｃと、底面２３５８Ｃに少なくとも１つの開口部２３５６Ｃと、を備える前側ハウジング２３１８Ｃを含む。開口部２３５６Ｃは、捕虫部分２３１４Ｃがベース部分２３１２Ｃに取り付けられたとき、ベース部分２３１２Ｃにおける開口部２３６４Ｃと位置合わせされるように構成される。においカートリッジ２３３０Ｃは、プラグイン式の空気清浄機に見られるものと同様の構成であってもよく、開放端（図示せず）を蓋２３６８Ｃで覆った、後向きのカップ２３４４Ｃを含む。いくつかの実施形態において、カップ２３４４Ｃは、ベース部分２３１２Ｃに差し込んだとき、前方、左、右、上方、又は下方を向いていてもよい。においカートリッジ２３３０Ｃは、においカートリッジ２３３０Ｃがベース部分２３１２Ｃ内に差し込まれたとき、ベース部分２３１２Ｃにあるポート２３３２Ｃから突出することにより、ユーザーがにおいカートリッジ２３３０Ｃを容易に取り外して交換できるように構成されたタブ２３５２Ｃを含む。
【０３８４】
図１２７は、捕虫装置２３１０Ｃの断面図であり、図１２８は図１２７の一部の拡大図である。これらの図では、においカートリッジ２３３０Ｃを、ベース部分２３１２Ｃにおけるポート２３３２Ｃ内に差し込んだ状態で示している。ベース部分２３１２Ｃは、複数の導電性プロング２３２２Ｃ（この図では、１つのみ図示）と、ＬＥＤ２３２４Ｃ（この図では、１つのみ図示）と、プロング２３２２Ｃ及びＬＥＤ２３２４Ｃに電気的に接続された回路基板２３５０Ｃと、を含む。見やすくするため、電気的接続は一部しか示されていない。ポート２３３２Ｃに隣接したベース部分２３１２Ｃの内側には、においカートリッジ２３３０Ｃがベース部分２３１２Ｃのポート２３３２Ｃ内に差し込まれたとき、においカートリッジ２３３０Ｃの蓋２３６８Ｃを押し付けるように構成された突出部２３８０Ｃがある。においカートリッジ２３３０Ｃは、膜２３７８Ｃを含み、膜２３７８Ｃは、カップ２３４４Ｃ内の座部２３７４Ｃに接着されて、透明又は半透明の液体２３６６Ｃを収容する密封内部においエンクロージャ２３７０Ｃを形成し、ここで、液体２３６６Ｃは、液体担体材料、及び／又は１種類又は複数種類の虫誘引物質を含んでいてよい。カップ２３４４Ｃ、膜２３７８Ｃ、及び蓋２３６８Ｃは、外側においエンクロージャ２３７２Ｃを形成し、外側においエンクロージャ２３７２Ｃは、膜２３７８Ｃに向かって尖っている少なくとも１つの鋭いスパイク２３８２Ｃを備えるトリガ２３６０Ｃと、蓋２３６８Ｃに対面しているドーム２３６２Ｃと、を収容する。においカートリッジ２３３０Ｃがポート２３３２Ｃ内に差し込まれる前は、トリガ２３６０Ｃのドーム２３６２Ｃは、蓋２３６８Ｃを軽く押している状態であり、スパイク２３８２Ｃは、膜２３７８Ｃに接触していないか、又は膜２３７８Ｃを軽く押しているだけである。図示されているように、においカートリッジ２３３０Ｃが、ベース部分２３１２Ｃのポート２３３２Ｃ内へ差し込まれると、突出部２３８０Ｃが蓋２３６８Ｃに対して押し付けられ、蓋２３６８Ｃは、トリガ２３６０Ｃのドーム２３６２Ｃに対して押し付けられて、トリガ２３６０Ｃが曲がり、スパイク２３８２Ｃによって膜２３７８Ｃが突き破られることにより、外側においエンクロージャ２３７２Ｃ内へ、かつ多孔質の蓋２３６８Ｃ上へ液体２３６６Ｃが放出される。いくつかの実施形態において、トリガ２３６０Ｃは、トリガ２３６０Ｃの本体を通る開口部（図示せず）を含んでいてもよく、この開口部により、液体２３６６Ｃがトリガ２３６０Ｃを通って、蓋２３６８Ｃ上へとより速く流れることが可能となる。蓋２３６８Ｃは、液体２３６６Ｃを吸収して蒸発させ、１種類又は複数種類の虫誘引物質を、速度を調節してベース部分２３１２Ｃの内部へと放出し、ベース部分２３１２Ｃの開口部２３６４Ｃを通して、前側ハウジング２３１８Ｃの隣接する開口部２３５６Ｃを通して、更には、前側ハウジングの開口部２３２０Ｃを通して、捕虫装置２３１０Ｃが設置されている周辺領域へと放出する。液体２３６６Ｃ、膜２３７８Ｃ、トリガ２３６０Ｃ、及び蓋２３６８Ｃは、捕虫部分２３１４Ｃの見込み耐用期間に対応する所定期間にわたって、１種類又は複数種類の虫誘引物質を放出するように構成されていてよく、この期間は例えば１週間、１ヶ月、又は３ヶ月、又は他の長さの期間であってよい。いくつかの実施形態において、１つ又は２つ以上の発熱体（図示せず）が、回路基板２３５０Ｃに電気的に接続され、においカートリッジ２３３０Ｃの蓋２３６８Ｃに隣接して位置していてもよく、また、蓋２３６８Ｃ及び蓋２３６８Ｃに吸収された液体２３６６Ｃを温め、虫誘引物質の放出を増大させるように構成されていてもよい。
【０３８５】
室内の飛翔害虫を誘引して捕獲するための、本開示に記載されている原理は、室内を這う又は跳ぶ有害節足動物を誘引して捕獲するのにも利点があることが、理解されよう。例えば、本開示の捕虫装置に誘引されるものとして蚊及び蠅が記載されているが、ゴキブリなどの這う虫又は翼のない虫、及び、クモなどの這う有害節足動物も、本開示の捕虫装置により誘引され、捕獲され得る。図１２９は、捕虫装置の第２４の実施形態の正面斜視図であり、この捕虫装置全体は２４１０で示されている。捕虫装置２４１０は、ベース部分２４１２と、取り外し可能な捕虫部分２４１４と、電気コード２４１６と、複数の導電性プロング２４２２を備えた電気プラグ２４３０とを含んでいてよく、この電気プラグ２４３０は、導電性プロング２４２２を標準の家庭用壁面電気コンセントに差し込むことにより、捕虫装置２４１０に電力を供給するよう適合されている。あるいは、ベース部分２４１２は、ベース部分２４１２内に取り付けられた電池（図示せず）から電力を受け取るように構成されていてもよい。電気コンセントと電池が、捕虫装置２４１０に電力を供給するものとして記載されたが、任意の好適な電源を使用することができる。図示されているように、捕虫装置２４１０は、使用時に床に置いて、這う虫及び跳ねる虫、並びにその他の有害節足動物を誘引して捕獲するように構成される。捕虫部分２４１４は、ハウジング２４１８を含み、ハウジング２４１８は、その外周に少なくとも１つの開口部２４２０を有する。開口部２４２０は、広範な種類の虫を捕虫装置２４１０に受け入れるように構成してもよいし、あるいは、１種類又は２種類以上の特定の種類の虫を受け入れるように構成してもよい。いくつかの実施形態において、開口部２４２０は、捕虫部分２４１４を取り外して交換するときに、ユーザーの指が開口部２４２０に入ってしまい捕獲された虫又は粘着剤に誤って触れることを防ぐように構成される。いくつかの実施形態において、開口部２４２０は、直径２５ｍｍの球が開口部２４２０を通過できないような寸法及び形状を有し、かつ、直径１ｍｍの球が開口部２４２０のいかなる部分も通過できるような寸法及び形状を有する。開口部２４２０の幅、形状及び向きは、均一であってもよいし、又は、変化していてもよく、また、捕虫部分２４１４が複数の開口部２４２０を有する場合は、それらの幅、形状及び向きは、同一あってもよいし、又は、異なっていてもよい。開口部２４２０は、１種類又は２種類以上の個々の種類の虫又は様々な種類の虫を誘引するように構成することができる。
【０３８６】
図１３０は、捕虫装置２４１０の正面斜視図である。捕虫部分２４１４は、この図で、部分的に切り取られ、かつベース部分２４１２から取り外された状態で示されている。ベース部分２４１２は、１つ又は２つ以上のＬＥＤ２４２４などの発光素子を含む。いくつかの実施形態において、ＬＥＤ２４２４は、ＵＶ光を発するＬＥＤを少なくとも１つ、及び可視光を発するＬＥＤを少なくとも１つ含む。いくつかの実施形態において、ＬＥＤ２４２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２４２４は、ノミなどの特定の種類の虫をよりよく誘引するために、ＩＲ光を発するＬＥＤを少なくとも１つ含む。ベース部分２４１２の前面２４２６には、少なくとも１つの開口部２４４４があり、開口部２４４４内には、透明又は半透明のウィンドウ（図示せず）が取り付けられていてよい。このウィンドウにより、ＬＥＤ２４２４が埃と虫の破片から保護され、ベース部分２４１２のクリーニングが容易になる。いくつかの実施形態において、捕虫部分２４１４がベース部分２４１２に取り付けられたとき、ＬＥＤ２４２４の少なくとも一部が、ベース部分２４１２の前面２４２６から突出して捕虫部分２４１４内に入る。前面２４２６の外周には、前向きの縁２４３２があってよい。捕虫部分２４１４は、上面２４３８を備えた底板２４３４を含み、この少なくとも一部が粘着剤２４３６でコーティングされている。いくつかの実施形態において、底板２４３４の底面（図示せず）は、平らであるか、又は外周が平らであり、捕虫装置２４１０を床に置いたときに、虫が捕虫装置２４１０の下に這い入ることができないように構成される。図示されているように、ハウジング２４１８は、ベース部分２４１２の開口部２４４４に対応する少なくとも１つの開口部２４４２を有する。いくつかの実施形態において、ハウジング２４１８の開口部２４４２は、透明又は半透明のウィンドウ２４４０を有する。いくつかの実施形態において、ハウジング２４１８は、その内面（図示せず）に反射性コーティング（図示せず）を有する。あるいは、ハウジング２４１８の材料及び表面仕上げは、内面の反射性コーティングなしに、ＵＶ光及び／又は可視光及び／又はＩＲ光を反射及び分散させるように構成され得る。また、ハウジング２４１８は、その内面（図示せず）が透明、半透明又は不透明の粘着剤でコーティングされてよく、これにより付加的な捕虫効果及び能力が提供される。いくつかの実施形態において、粘着剤２４３６は、ＵＶ光及び／又は可視光及び／又はＩＲ光を反射及び分散させるように構成される。ハウジング２４１８と底板２４３４とは、エンクロージャ２４４８を形成する。いくつかの実施形態において、ハウジング２４１８は、不透明なプラスチックシートから熱成形され、低価格と使い捨て性を維持しながら、清潔で美観に優れた形状を生み出す。あるいは、ハウジング２４１８は、紙、板紙、厚紙又は紙パルプなどの他の不透明、透明又は半透明の材料で構成されていてもよく、いくつかの実施形態においては、ハウジング２４１８は、射出成形又は他の好適な製造方法で構成されていてもよい。いくつかの実施形態において、ハウジング２４１８及び底板２４３４は、それらが交差又は係合する箇所において、接着剤で互いに接合されているが、これらは、超音波溶接又は高周波（ＨＦ）溶接、又は任意の他の好適な組立方法などの他の一般的に使用されているパッケージング組立法により、互いに接合されていてもよい。捕虫部分２４１４の材料は更に、１種類又は２種類以上の虫誘引剤を含み得る。例えば、ハウジング２４１８及び／又は底板２４３４及び／又は粘着剤２４３６には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２４１０の虫誘引効率を更に向上させ得るにおいをもたらす物質を、含浸させることができる。そのような実施形態において、虫誘引剤は、捕虫部分２４１４に一体化している。あるいは、虫誘引剤は、エンクロージャ２４４８の内面上に、又はハウジング２４１８の外面上に、又はハウジング２４１８の開口部を通して、取り付けられ得る、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置２４１０から半径約２メートルにいる虫に感知可能であることが望ましい。
【０３８７】
図１３１は、捕虫装置２４１０の断面図である。見やすくするため、コード２４１６、プラグ２４３０及び導電性プロング２４２２はこの図には示されていない。いくつかの実施形態において、ベース部分２４１２は、コマンドを実行するためのプログラム可能プロセッサ又はチップ（図示せず）を有する回路基板２４５０を有し、これはコード２４１６、導電性プロング２４２２、及びＬＥＤ２４２４（１つのみ図示）に電気的に接続されている。ただし、見やすくするため、電気的接続は一部しか示されていない。回路基板２４５０は、導電性プロング２４２２から通常の家庭用電流を受け取り、ＬＥＤ２４２４を点灯させる電力を供給するための電子回路を含み得る。回路基板２４５０は、ＬＥＤ２４２４に一定電圧を供給し得る、全波整流回路又はその他の回路などのエネルギー安定器を含み得るが、一部の種類の虫を誘引し得るような変化を真似た点滅光が提供されるように、ＬＥＤ２４２４に変動電圧を供給することもできる。回路基板２４５０は、ＵＶ光及び／又は可視光及び／又はＩＲ光を提供するために、ＬＥＤ２４２４に電力を供給してもよいが、ＵＶ光及び／又は可視光及び／又はＩＲ光の点滅の組み合わせを生み出すために、１つ又は２つ以上のＵＶ  ＬＥＤ２４２４のみ又は可視光ＬＥＤ２４２４のみ又はＩＲ  ＬＥＤ２４２４のみに電力を供給するか、あるいは変動電力を供給するように構成してもよい。回路基板２４５０はまた、圧電スピーカ（図示せず）などの発信機又はトランシーバー、又はその他の装置を駆動させるように構成することができ、これらはベース部分２４１２に取り付けて、虫誘引性の音を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２４１０から約２メートル以内の距離にいる虫に感知可能であることが望ましい。そのような虫誘引性の音は、捕虫装置２４１０から約１メートルを超える距離にいる人間に感知できないものであることが望ましい。
【０３８８】
また、回路基板２４５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２４１２を通して捕虫部分２４１４へと伝達させ得る、電気素子の組み合わせを含んでもよい。あるいは、ＬＥＤ２４２４によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２４１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０３８９】
図示されているように、ベース部分２４１２の前面２４２６の縁２４３２が、捕虫部分２４１４と係合して、使用中に捕虫部分２４１４を定位置に固定する。しかしながら、捕虫部分２４１４をベース部分２４１２にしっかりと、かつ取り外し可能に取り付けることができるような、任意の他の取り付け形態に置き換えてもよい。
【０３９０】
捕虫装置２４１０の操作においては、導電性プロング２４２２（図示せず）が壁面電気コンセントに差し込まれ、ＬＥＤ２４２４が光（矢印で示す）を発し、この光は、ベース部分２４１２の開口部２４４４を通ってエンクロージャ２４４８に入り、ハウジング２４１８の内面と、底板２４３４の上面２４３８上の粘着剤２４３６とに直接伝わる。いくつかの実施形態において、光はベース部分２４１２において操作されず、捕虫部分２４１４内へ直接発せられる。
【０３９１】
ハウジング２４１８の内面は凹形状を含んでいてもよく、また、ＬＥＤ２４２４からのＵＶ光及び／又は可視光及び／又はＩＲ光を反射及び分散させて、底板２４３４の上面２４３８上の粘着剤２４３６上へと均一に配光し、光が、エンクロージャ２４４８を通ってハウジング２４１８の開口部２４２０から外に出るように構成されていてもよいが、ハウジング２４１８の内面は、凸状又はサドル形状又は形状の組み合わせを有していてもよいし、より均一に配光されるように、畝又はその他の形状を有していてもよいし、又は、より均一に配光されるように、畝又はその他の形状を有していてもよい。あるいは、ハウジング２４１８の内面上へとＵＶ光及び／又は可視光及び／又はＩＲ光を（例えば、均等に、特定のパターンに従って、焦点を絞って）配光するように構成された、アナモルフィックレンズ、又は任意の他のレンズ、又はレンズの組み合わせ（図示せず）などの光学的エンハンサを、開口部２４４２において、若しくはその付近において、捕虫部分２４１４に取り付けるか、又は開口部２４４４において、若しくはその付近において、ベース部分２４１２に取り付けてよく、また、この光学的エンハンサにより、ハウジング２４１８の反射性コーティングされた内面の役割を置き換えるか、又は増強してもよい。いくつかの実施形態において、ＬＥＤ２４２４からの光は、底板２４３４の上面２４３８上の粘着剤２４３６に斜めの角度（例えば、約０°〜９０°の鋭角）で直接当たってよく、粘着剤２４３６全体にわたって広がり、ハウジング２４１８の内面の配光の役割、又は捕虫部分２４１４若しくはベース部分２４１２に取り付けられた１つ若しくは複数のレンズの役割を置き換えるか、又は強化してもよい。光は、捕虫部分２４１４のウィンドウ２４４０の光散乱特性によって、底板２４３４の上面２４３８上の粘着剤２４３６によって、又はこれら２つの組み合わせによって、更に均一に配光され得る。
【０３９２】
その後、エンクロージャ２４４８に入る光の一部は、続いて、ハウジング２４１８の開口部２４２０を通って、捕虫装置２４１０が設置されている周辺領域に放たれる。虫は、開口部２４２０を通って伝わってくる光に誘引され、開口部２４２０から粘着剤２４３６上へと跳んでいくか、又は這っていき、そこで捕獲される。ユーザーは、ハウジング２４１８の開口部２４２０を通して見ることにより、捕獲された虫を確認できる。十分な数の虫が捕獲されると、ユーザーは、捕獲された虫、虫の破片又は粘着剤（これらは捕虫部分２４１４内の届かないところに留まる）に触れることなく、使用済みの捕虫部分２４１４全体を容易に取り外して捨て、新しい捕虫部分２４１４に交換することができる。新しい捕虫部分２４１４は、粘着剤コーティングされた新しい表面を有しており、捕虫装置２４１０での効率的かつ効果的な虫の誘引と捕獲が持続的に確保される。
【０３９３】
いくつかの実施形態において、捕虫部分２４１４はベース部分２４１２の上でも下でもなく横に取り付けられているため、床からの捕虫装置２４１０の突出が最小限に抑えられ、これによって、家庭環境に対する邪魔を最小限に抑える。いくつかの実施形態において、捕虫装置２４１０は、床に置かれたとき、捕虫装置２４１０が床から突出する全距離によって画定される全体高さが、その全体長さ及び全体幅よりも小さくなるように構成される。
【０３９４】
捕虫装置２４１０の利点は、捕虫部分２４１４内の光の操作であることが理解されよう。いくつかの実施形態において、光の操作は捕虫部分２４１４内でのみ行われる。光の操作には、反射、屈折、偏光及び／又は散乱が含まれてよく、操作可能な素子又は表面（例えば、ハウジング２４１８の内面及び粘着剤２４３６）と係合することにより達成される。いくつかの実施形態において、光の操作により、粘着剤２４３６上に光の均等な分布が形成される。いくつかの実施形態において、光は、粘着剤２４３６の上又は捕虫部分２４１４内に所定のパターンを生成するよう操作され、例えば、均一な分布、高強度のホットスポットを伴う均一な分布、ホットスポットパターン、及び／又はこれらの組み合わせを生成するよう操作される。
【０３９５】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０３９６】
この構成の捕虫装置２４１０は、ベース部分２４１２に取り外し可能に取り付けることができる様々な異なる捕虫部分２４１４に対応することができ、それぞれの捕虫部分２４１４は、特定の種類又は複数の種類の虫を誘引して捕獲するような固有の構成を有する。例えば、捕虫部分２４１４の全体の寸法及び形状、ハウジング２４１８における開口部２４２０の寸法、形状、位置及び向き、並びにハウジング２４１８、底板２４３４、又は粘着剤２４３６に含浸させた１種類又は複数種類のにおいは、特定の種類又は複数の種類の虫を誘引して捕獲するように固有の構成を有していてよい。
【０３９７】
例えば、いくつかの実施形態において、捕虫部分２４１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２４１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２４１４はおよそ、幅２０ｍｍ〜１３０ｍｍ、長さ２０ｍｍ〜１３０ｍｍ、及び高さ５ｍｍ〜５０ｍｍである。
【０３９８】
いくつかの実施形態において、ベース部分２４１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２４１２は、幅２０ｍｍ〜２００ｍｍ、長さ１０ｍｍ〜１００ｍｍ、及び高さ１０ｍｍ〜８０ｍｍである。いくつかの実施形態において、ベース部分２４１２は、幅２０ｍｍ〜１３０ｍｍ、長さ１０ｍｍ〜５０ｍｍ、及び高さ１０ｍｍ〜５０ｍｍである。
【０３９９】
図１３２は、捕虫装置の第２５の実施形態の正面斜視図であり、この捕虫装置全体は２５１０で示されている。捕虫装置２５１０は、ベース部分２５１２と取り外し可能な捕虫部分２５１４と、を含む。捕虫部分２５１４は、この図で、部分的に切り取られ、かつベース部分２５１２から取り外された状態で示されている。図示されているように、ベース部分２５１２は、電気コード２５１６と、複数の導電性プロング２５２２を備えた電気プラグ２５３０とを含んでいてよく、この電気プラグ２５３０は、導電性プロング２５２２を標準の家庭用壁面電気コンセントに差し込むことにより、捕虫装置２５１０に電力を供給するよう適合されている。あるいは、ベース部分２５１２は、ベース部分２５１２内に取り付けられた電池（図示せず）から電力を受け取るように構成されていてもよい。電気コンセントと電池が、捕虫装置２５１０に電力を供給するものとして記載されたが、任意の好適な電源を使用することができる。図示されているように、捕虫装置２５１０は、使用時に床に置いて、這う虫及び跳ねる虫、又は害虫を誘引して捕獲するように構成される。捕虫部分２５１４は、ハウジング２５１８を含み、ハウジング２５１８は、その外周に少なくとも１つの開口部２５２０を有する。ハウジング２５１８の開口部２５２０は、広範な種類の虫を捕虫装置２５１０に受け入れるように構成してもよいし、あるいは、１種類又は２種類以上の特定の種類の虫を受け入れるように構成してもよい。いくつかの実施形態において、開口部２５２０は、捕虫部分２５１４を取り外して交換するときに、ユーザーの指が開口部２５２０に入ってしまい捕獲された虫又は粘着剤に誤って触れることを防ぐように構成される。いくつかの実施形態において、開口部２５２０は、直径２５ｍｍの球が開口部２５２０を通過できないような寸法及び形状を有し、かつ、直径１ｍｍの球が開口部２５２０のいかなる部分も通過できるような寸法及び形状を有する。開口部２５２０の幅、形状及び向きは、均一であってもよいし、又は、変化していてもよく、また、捕虫部分２５１４が複数の開口部２５２０を有する場合は、それらの幅、形状及び向きは、同一あってもよいし、又は、異なっていてもよい。開口部２５２０は、１種類又は２種類以上の個々の種類の虫又は様々な種類の虫を誘引するように構成することができる。ベース部分２５１２は、１つ又は２つ以上のＬＥＤ２５２４などの発光素子を含む。いくつかの実施形態において、ＬＥＤ２５２４は、ＵＶ光を発するＬＥＤを少なくとも１つ、及び可視光を発するＬＥＤを少なくとも１つ含む。いくつかの実施形態において、ＬＥＤ２５２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２５２４は、ノミなどの特定の種類の虫をよりよく誘引するために、ＩＲ光を発するＬＥＤを少なくとも１つ含む。ベース部分２５１２の前面２５２６には少なくとも１つの開口部２５４４があり、開口部２５４４内には透明又は半透明のウィンドウ（図示せず）が取り付けられていてよく、この透明又は半透明のウィンドウにより、ＬＥＤ２５２４が埃及び虫の破片から保護され得、ベース部分２５１２のクリーニングが容易になり得る。しかしながら、このウィンドウは必須ではない。いくつかの実施形態において、捕虫部分２５１４がベース部分２５１２に取り付けられたとき、ＬＥＤ２５２４の少なくとも一部が、ベース部分２５１２の前面２５２６から突出して捕虫部分２５１４内に入る。前面２５２６の外周には、前向きの縁２５３２があってよい。捕虫部分２５１４は、上面２５３８を備えた底板２５３４を含む。いくつかの実施形態において、底板２５３４の底面（図示せず）は、平らであるか、又は外周が平らであり、床に置いたときに、虫が捕虫装置２５１０の下に這い入ることができないように構成される。いくつかの実施形態において、底板２５３４の上面２５３８は反射性コーティング（図示せず）を有する。あるいは、底板２５３４の材料と、底板２５３４の上面２５３８の表面仕上げは、内面に反射性コーティングを有していなくても、ＵＶ光及び／又は可視光及び／又はＩＲ光が反射されるように構成されていてもよい。捕虫部分２５１４は更に、透明又は半透明の材料からなり、凸形状を有し得るディバイダ２５４６を含む。ディバイダ２５４６は、少なくとも一部分が透明又は半透明の粘着剤２５３６でコーティングされている上面と、底面（図示せず）とを有する。いくつかの実施形態において、ハウジング２５１８は、その内面（図示せず）が粘着剤でコーティングされており、これにより付加的な捕虫効果及び能力が提供される。いくつかの実施形態において、ハウジング２５１８の内面は、ＵＶ光及び／又は可視光及び／又はＩＲ光を反射及び分散させるように構成される。いくつかの実施形態において、ハウジング２５１８の内面の粘着剤コーティングは、ＵＶ光及び／又は可視光及び／又はＩＲ光を反射及び分散させるように構成されてもよい。図示されているように、ハウジング２５１８とディバイダ２５４６は上側エンクロージャ２５４８を形成し、ディバイダ２５４６と底板２５３４は下側エンクロージャ２５２８を形成する。図示されているように、ハウジング２５１８とディバイダ２５４６はそれぞれ、ベース部分２５１２の前面２５２６にある開口部２５４４に対応した、少なくとも１つの開口部２５４２を有する。いくつかの実施形態において、開口部２５４２は、透明又は半透明のウィンドウ（図示せず）を有し得る。いくつかの実施形態において、ハウジング２５１８は、不透明なプラスチックシートから熱成形され、低価格と使い捨て性を維持しながら、清潔で美観に優れた形状を生み出す。あるいは、それらを、紙、板紙、厚紙又は紙パルプなどの他の不透明、透明又は半透明の材料で構築することができる。いくつかの実施形態において、ハウジング２５１８は、射出成形、又はその他の好適な製造法により構築される。いくつかの実施形態において、ハウジング２５１８、ディバイダ２５４６及び底板２５３４は、それらが交差又は係合する箇所において、接着剤で互いに接合されているが、これらは、超音波溶接又は高周波（ＨＦ）溶接、又は任意の他の好適な組立方法などの他の一般的に使用されているパッケージング組立法により、互いに接合されていてもよい。捕虫部分２５１４の材料は更に、１種類又は２種類以上の虫誘引物質を含み得る。例えば、ハウジング２５１８及び／又はディバイダ２５４６及び／又は底板２５３４及び／又は粘着剤２５３６には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２５１０の虫誘引効率を更に向上させ得るにおいをもたらす物質を、含浸させることができる。そのような実施形態において、虫誘引剤は、捕虫部分２４１４に一体化している。あるいは、虫誘引剤は、上側エンクロージャ２５４８の内面上に、又はハウジング２５１８の外面上に、又はハウジング２５１８の開口部を通して、取り付けられ得る、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置２５１０から半径約２メートルにいる虫に感知可能であることが望ましい。
【０４００】
図１３３は、捕虫装置２５１０の断面図である。見やすくするため、コード２５１６、プラグ２５３０及び導電性プロング２５２２はこの図には示されていない。いくつかの実施形態において、ベース部分２５１２は、コマンドを実行するためのプログラム可能プロセッサ又はチップ（図示せず）を有する回路基板２５５０を有し、これはコード２５１６、導電性プロング２５２２、及びＬＥＤ２５２４に電気的に接続されている。ただし、見やすくするため、電気的接続は一部しか示されていない。回路基板２５５０は、導電性プロング２５２２から通常の家庭用電流を受け取り、ＬＥＤ２５２４を点灯させる電力を供給するための電子回路を含み得る。回路基板２５５０は、ＬＥＤ２５２４に一定電圧を供給し得る、全波整流回路又はその他の回路などのエネルギー安定器を含み得るが、一部の種類の虫を誘引し得るような変化を真似た点滅光が提供されるように、ＬＥＤ２５２４に変動電圧を供給することもできる。回路基板２５５０は、ＵＶ光及び／又は可視光及び／又はＩＲ光を提供するために、ＬＥＤ２５２４に電力を供給してもよいが、ＵＶ光及び／又は可視光及び／又はＩＲ光の点滅の組み合わせを生み出すために、ＵＶ  ＬＥＤ２５２４のみ又は可視光ＬＥＤ２５２４のみ又はＩＲ  ＬＥＤ２５２４のみに電力を供給するか、あるいは変動電力を供給するように構成してもよい。回路基板２５５０はまた、圧電スピーカ（図示せず）などの発信機又はトランシーバー、又はその他の装置を駆動させるように構成することができ、これらはベース部分２５１２に取り付けて、虫誘引性の音又は振動を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２５１０から約２メートル以内の距離にいる虫に感知可能であることが望ましい。そのような虫誘引性の音は、捕虫装置２５１０から約１メートルを超える距離にいる人間に感知できないものであることが望ましい。
【０４０１】
また、回路基板２５５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２５１２を通して捕虫部分２５１４へと伝達させ得る、電気素子の組み合わせを含んでもよい。あるいは、ＬＥＤ２５２４によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２５１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０４０２】
図示されているように、ベース部分２５１２の前面２５２６の縁２５３２が、捕虫部分２５１４と係合して、使用中に捕虫部分２５１４を定位置に固定する。しかしながら、捕虫部分２５１４をベース部分２５１２にしっかりと、かつ取り外し可能に取り付けることができるような、任意の他の取り付け形態に置き換えてもよい。
【０４０３】
捕虫装置２５１０の操作においては、導電性プロング２５２２が壁面電気コンセントに差し込まれ、ＬＥＤ２５２４が光（矢印で示す）を発し、この光は、ベース部分２５１２の開口部２５４４と捕虫部分２５１４の開口部２５４２とを通って下側エンクロージャ２５２８に入り、ディバイダ２５４６の底面と、底板２５３４の上面２５３８とに直接伝わる。いくつかの実施形態において、光はベース部分２５１２において操作されず、捕虫部分２５１４内へ直接発せられる。底板２５３４の上面２５３８は、ＬＥＤ２５２４からの光を反射及び分散させて、光をディバイダ２５４６の底面上へ均等に投射するように構成されていてもよいが、底板２５３４の上面２５３８は、凸状又はサドル形状又は形状の組み合わせを有していてもよいし、より均一に配光されるように、畝又はその他の形状を有していてもよい。あるいは、ディバイダ２５４６の底面上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、開口部２５４２において、若しくはその付近において、捕虫部分２５１４に取り付けるか、又は開口部２５４４において、若しくはその付近において、ベース部分２５１２に取り付けてよく、また、この光学的エンハンサにより、底板２５３４の上面２５３８の役割を置き換えるか、又は増強してもよい。いくつかの実施形態において、ＬＥＤ２５２４からの光は、底板２５３４の上面２５３８に斜めの角度（例えば、約０°〜９０°の鋭角）で直接当たってよく、上面２５３８全体にわたって広がり、ディバイダ２５４６の底面の配光の役割、又は捕虫部分２５１４若しくはベース部分２５１２に取り付けられた１つ若しくは複数のレンズの役割を置き換えるか、又は強化してもよい。
【０４０４】
その後、光は、ディバイダ２５４６及び粘着剤２５３６を透過し、上側エンクロージャ２５４８に入る。光は、ディバイダ２５４６の光散乱特性、粘着剤２５３６の光散乱特性、又はこれら２つの組み合わせにより、更に均一に配光され得る。上側エンクロージャ２５４８に入った光の一部は、開口部２５２０を通って、捕虫装置２５１０が設置された周辺領域へと伝わる。虫及びその他の有害節足動物は、開口部２５２０を通って伝わってくる光に誘引され、開口部２５２０から粘着剤２５３６上へと跳んでいくか、又は這っていき、そこで捕獲される。ユーザーは、開口部２５２０を通して見ることにより、捕獲された虫を確認できる。十分な数の虫が捕獲されると、ユーザーは、捕獲された虫、虫の破片又は粘着剤（これらは捕虫部分２５１４内の届かないところに留まる）に触れることなく、使用済みの捕虫部分２５１４全体を容易に取り外して捨て、新しい捕虫部分２５１４に交換することができる。新しい捕虫部分２５１４は、粘着剤コーティングされた新しい表面を有しており、捕虫装置２５１０での効率的かつ効果的な虫の誘引と捕獲が持続的に確保される。
【０４０５】
いくつかの実施形態において、捕虫部分２５１４はベース部分２５１２の上でも下でもなく横に取り付けられているため、床からの捕虫装置２５１０の突出が最小限に抑えられ、これによって、家庭環境に対する邪魔を最小限に抑える。いくつかの実施形態において、捕虫装置２５１０は、床に置かれたとき、捕虫装置２５１０が床から突出する全距離によって画定される全体高さが、その全体長さ及び全体幅よりも小さくなるように構成され得る。
【０４０６】
捕虫装置２５１０の利点は、捕虫部分２５１４内の光の操作であることが理解されよう。いくつかの実施形態において、光の操作は捕虫部分２５１４内でのみ行われる。光の操作には、反射、屈折、偏光、分散及び／又は散乱が含まれてよく、操作可能な素子又は表面（例えば、ハウジング２５１８の内面及び粘着剤２５３６）と係合することにより達成される。いくつかの実施形態において、光の操作により、粘着剤２５３６上に光の均等な分布が形成される。いくつかの実施形態において、光は、粘着剤２５３６の上又は捕虫部分２５１４内に所定のパターンを生成するよう操作され、例えば、均一な分布、高強度のホットスポットを伴う均一な分布、ホットスポットパターン、及び／又はこれらの組み合わせを生成するよう操作される。
【０４０７】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０４０８】
この構成の捕虫装置２５１０は、ベース部分２５１２に取り外し可能に取り付けることができる様々な異なる捕虫部分２５１４に対応することができ、それぞれの捕虫部分２５１４は、特定の種類又は複数の種類の虫を誘引して捕獲するような固有の構成を有する。例えば、捕虫部分２５１４の全体の寸法及び形状、捕虫部分２５１４のハウジング２５１８における開口部２５２０の寸法、形状、位置及び向き、並びにハウジング２５１８、底板２５３４、ディバイダ２５４６又は粘着剤２５３６に含浸させた１種類又は複数種類のにおいは、特定の種類又は複数の種類の虫を誘引して捕獲するように固有の構成を有していてよい。
【０４０９】
例えば、いくつかの実施形態において、捕虫部分２５１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２５１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２５１４はおよそ、幅２０ｍｍ〜１３０ｍｍ、長さ２０ｍｍ〜１３０ｍｍ、及び高さ５ｍｍ〜５０ｍｍである。
【０４１０】
いくつかの実施形態において、ベース部分２５１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２５１２は、幅２０ｍｍ〜２００ｍｍ、長さ１０ｍｍ〜１００ｍｍ、及び高さ１０ｍｍ〜８０ｍｍである。いくつかの実施形態において、ベース部分２５１２は、幅２０ｍｍ〜１３０ｍｍ、長さ１０ｍｍ〜５０ｍｍ、及び高さ１０ｍｍ〜５０ｍｍである。
【０４１１】
捕虫装置２５１０は、這ったり、跳ねたりする有害節足動物に加えて、飛翔昆虫を誘引して捕獲するように適合されてもよいことが理解されよう。図１３４は、捕虫装置の第２５の実施形態の一例の正面斜視図であり、この捕虫装置全体は２５１０Ａで示されている。捕虫装置２５１０Ａは、ベース部分２５１２Ａと、取り外し可能な捕虫部分２５１４Ａとを含む。捕虫部分は、上面２５４０Ａを備えるハウジング２５１８Ａを含む。捕虫装置２５１０Ａは、捕虫部分２５１４Ａの上面２５４０Ａが、開口部２５５２Ａを有する点を除いては、捕虫部分２５１０（この図では図示せず）と同じであってもよい。この開口部２５５２Ａは、捕虫部分２５１４Ａからの光を捕虫装置２５１０Ａを設置した部屋へと上方に投射して、飛翔昆虫を誘引し、この飛翔昆虫が、ハウジング２５１８Ａにおける開口部２５５２Ａを通り、捕虫部分２５１４Ａへ入って、捕虫部分２５１４Ａの内部の粘着剤（図示せず）上へと飛んでいくか、又は這っていくように構成される。
【０４１２】
捕虫装置２５１０Ａを、通常の家庭用壁面電気コンセントに差し込むことにより、壁に取り付けるように適合させてもよいことが理解されるであろう。図１３５は、捕虫装置の第２５の実施形態の一例の正面斜視図であり、この捕虫装置全体は２５１０Ｂで示されている。捕虫装置２５１０Ｂは、ベース部分２５１２Ｂと、取り外し可能な捕虫部分２５１４Ｂとを含む。この図では、捕虫装置２５１０Ｂを家庭用壁面電気コンセント２５６２Ｂに差し込んだ状態で示している。捕虫部分２５１４Ｂは、上面２５４０Ｂにある開口部２５５２Ｂと、外周にある開口部２５２０Ｂ（１つのみ図示）と、を備える、ハウジング２５１８Ｂを含む。
【０４１３】
図１３６は、捕虫装置２５１０Ｂの背面斜視図である。この図では、捕虫装置２５１０Ｂを家庭用壁面電気コンセント（図示せず）から取り外した状態で示している。ベース部分２５１２Ｂは、背面２５５６Ｂにおける壁板（wall plate）凹部２５５４Ｂと、壁板凹部２５５４Ｂ内に固定され、かつ壁板凹部２５５４Ｂから垂直に突出する複数の導電性プロング２５２２Ｂと、を含む。捕虫装置２５１０Ｂは、家庭用壁面電気コンセント（この図では図示せず）にプロング２５２２Ｂを差し込むことにより、壁（この図では図示せず）に取り付けられ、かつ電力を受け取る。捕虫部分２５１４Ｂは、背面２５６０Ｂにおいて壁板凹部２５５８Ｂを備える底板２５３４Ｂを含む。ベース部分２５１２Ｂにある壁板凹部２５５４Ｂ、及び底板２５３４Ｂにある壁板凹部２５５８Ｂは、捕虫装置２５１０Ｂが家庭用壁面電気コンセント（この図では図示せず）内に差し込まれたとき、壁板（この図では図示せず）を収容して、ベース部分２５１２Ｂの背面２５５６Ｂ及び底板２５３４Ｂの背面２５６０Ｂが、壁板に隣接する壁面（この図では図示せず）に接触するように構成される。捕虫装置２５１０Ｂは、ハウジング２５１８Ｂの上面２５４０Ｂ（図１３５に図示）における開口部２５５２Ｂ（図１３５に図示）を通して、飛翔昆虫誘引して捕獲するように構成され、また、ハウジング２５１８Ｂの外周にある開口部２５２０Ｂ（１つのみ図示）を通して、壁を這う有害節足動物を誘引して捕獲するようにも構成される。
【０４１４】
図１３７は、捕虫装置の第２６の実施形態の正面斜視図であり、この捕虫装置全体は２６１０で示されている。捕虫装置２６１０は、ベース部分２６１２と取り外し可能な捕虫部分２６１４と、を含む。捕虫部分２６１４は、この図で、部分的に切り取られ、かつベース部分２６１２から取り外された状態で示されている。図示されているように、ベース部分２６１２は、電気コード２６１６と、複数の導電性プロング２６２２を備えた電気プラグ２６３０とを含んでいてよく、この電気プラグ２６３０は、導電性プロング２６２２を標準の家庭用壁面電気コンセントに差し込むことにより、捕虫装置２６１０に電力を供給するよう適合されている。あるいは、ベース部分２６１２は、ベース部分２６１２内に取り付けられた電池（図示せず）から電力を受け取るように構成されていてもよい。電気コンセントと電池が、捕虫装置２６１０に電力を供給するものとして記載されたが、任意の好適な電源を使用することができる。図示されているように、捕虫装置２６１０は、使用時に床に置いて、這う虫及び跳ねる虫、並びにその他の有害節足動物を誘引して捕獲するように構成される。捕虫部分２６１４は、ハウジング２６１８を含み、ハウジング２６１８は、その外周に少なくとも１つの開口部２６２０を有する。ハウジング２６１８の開口部２６２０は、広範な種類の虫を捕虫装置２６１０に受け入れるように構成してもよいし、あるいは、１種類又は２種類以上の特定の種類の虫を受け入れるように構成してもよい。いくつかの実施形態において、開口部２６２０は、捕虫部分２６１４を取り外して交換するときに、ユーザーの指が開口部２６２０に入ってしまい捕獲された虫又は粘着剤に誤って触れることを防ぐように構成される。いくつかの実施形態において、開口部２６２０は、直径２５ｍｍの球が開口部２６２０を通過できないような寸法及び形状を有し、かつ、直径１ｍｍの球が開口部２６２０のいかなる部分も通過できるような寸法及び形状を有する。開口部２６２０の幅、形状及び向きは、均一であってもよいし、又は、変化していてもよく、また、捕虫部分２６１４が複数の開口部２６２０を有する場合は、それらの幅、形状及び向きは、同一あってもよいし、又は、異なっていてもよい。開口部２６２０は、１種類又は２種類以上の個々の種類の虫又は様々な種類の虫を誘引するように構成することができる。いくつかの実施形態において、ハウジング２６１８の内面（図示せず）は反射性コーティングを有し得る。あるいは、ハウジング２６１８の材料と、ハウジング２６１８の内面の表面仕上げは、内面に反射性コーティングを有していなくても、光が反射されるように構成されていてもよい。ベース部分２６１２は、１つ又は２つ以上のＬＥＤ２６２４などの発光素子を含む。いくつかの実施形態において、ＬＥＤ２６２４は、ＵＶ光を発するＬＥＤを少なくとも１つ、及び可視光を発するＬＥＤを少なくとも１つ含む。いくつかの実施形態において、ＬＥＤ２６２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２６２４は、ノミなどの特定の種類の虫をよりよく誘引するために、ＩＲ光を発するＬＥＤを少なくとも１つ含む。ベース部分２６１２の前面２６４４には少なくとも１つの開口部２６２０があり、開口部２６２０内には透明又は半透明のウィンドウ（図示せず）が取り付けられていてよく、この透明又は半透明のウィンドウにより、ＬＥＤ２６２４が埃及び虫の破片から保護され得、ベース部分２６１２のクリーニングが容易になり得る。しかしながら、このウィンドウは必須ではない。いくつかの実施形態において、捕虫部分２６１４がベース部分２６１２に取り付けられたとき、ＬＥＤ２６２４の少なくとも一部が、ベース部分２６１２の前面２６２６から突出して捕虫部分２６１４内に入る。前面２６２６の外周には、前向きの縁２６３２があってよい。捕虫部分２６１４は、上面２６３８を備えた底板２６３４を含み、この少なくとも一部が粘着剤２６３６でコーティングされている。いくつかの実施形態において、底板２６３４の底面（図示せず）は、平らであるか、又は外周が平らであり、床に置いたときに、虫が捕虫装置２６１０の下に這い入ることができないように構成される。捕虫部分２６１４は、透明又は半透明の材料からなり、上面２６４０を含む、ディバイダ２６４６を含む。いくつかの実施形態において、ディバイダ２６４６はその内面が透明又は半透明の粘着剤でコーティングされており、これにより付加的な捕虫効果及び能力が提供される。ディバイダ２６４６は、ハウジング２６１８の開口部２６２０に対応する少なくとも１つの開口部２６５２を有する。図示されているように、ハウジング２６１８とディバイダ２６４６は上側エンクロージャ２６４８を形成し、ディバイダ２６４６と底板２６３４は下側エンクロージャ２６２８を形成する。図示されているように、ハウジング２６１８は、ベース部分２６１４の前面２６２６の開口部２６４４に対応する少なくとも１つの開口部２６４２を有する。いくつかの実施形態において、開口部２６４２は、透明又は半透明のウィンドウ（図示せず）を有する。いくつかの実施形態において、ハウジング２６１８は、不透明なプラスチックシートから熱成形され、低価格と使い捨て性を維持しながら、清潔で美観に優れた形状を生み出す。あるいは、それらを、紙、板紙、厚紙又は紙パルプなどの他の不透明、透明又は半透明の材料で構築することができる。いくつかの実施形態において、ハウジング２６１８は、射出成形、又はその他の好適な製造法により構築される。いくつかの実施形態において、ハウジング２６１８、ディバイダ２６４６及び底板２６３４は、それらが交差又は係合する箇所において、接着剤で互いに接合されているが、これらは、超音波溶接又は高周波（ＨＦ）溶接、又は任意の他の好適な組立方法などの他の一般的に使用されているパッケージング組立法により、接合されていてもよい。捕虫部分２６１４の材料は更に、１種類又は２種類以上の虫誘引物質を含み得る。例えば、ハウジング２６１８及び／又はディバイダ２６４６及び／又は底板２６３４及び／又は粘着剤２６３６には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２６１０の虫誘引効率を更に向上させ得るにおいをもたらす物質を、含浸させることができる。そのような実施形態において、虫誘引剤は、捕虫部分２６１４に一体化している。あるいは、虫誘引剤は、下側エンクロージャ２６２８の内面上に、又はハウジング２６１８の外面上に、又はハウジング２６１８の開口部を通して、取り付けられ得る、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置２６１０から半径約２メートルにいる虫に感知可能であることが望ましい。
【０４１５】
図１３８は、捕虫装置２６１０の断面図である。見やすくするため、コード２６１６、プラグ２６３０及び導電性プロング２６２２は示されていない。いくつかの実施形態において、ベース部分２６１２は、コマンドを実行するためのプログラム可能プロセッサ又はチップ（図示せず）を有する回路基板２６５０を有し、これはコード２６１６、導電性プロング２６２２、及びＬＥＤ２６２４に電気的に接続されている。ただし、見やすくするため、電気的接続は一部しか示されていない。回路基板２６５０は、例えば導電性プロング２６２２から通常の家庭用電流を受け取り、ＬＥＤ２６２４を点灯させる電力を供給するための電子回路を含み得る。回路基板２６５０は、ＬＥＤ２６２４に一定電圧を供給し得る、全波整流回路又はその他の回路などのエネルギー安定器を含み得るが、一部の種類の虫を誘引し得るような変化を真似た点滅光が提供されるように、ＬＥＤ２６２４に変動電圧を供給することもできる。回路基板２６５０は、ＵＶ光及び／又は可視光及び／又はＩＲ光を提供するために、ＬＥＤ２６２４に電力を供給してもよいが、ＵＶ光及び／又は可視光及び／又はＩＲ光の点滅の組み合わせを生み出すために、ＵＶ  ＬＥＤ２６２４のみ又は可視光ＬＥＤ２６２４のみ又はＩＲ  ＬＥＤ２６２４のみに電力を供給するか、あるいは変動電力を供給するように構成してもよい。回路基板２６５０はまた、圧電スピーカ（図示せず）などの発信機又はトランシーバー、又はその他の装置を駆動させるように構成することができ、これらはベース部分２６１２に取り付けて、虫誘引性の音又は振動を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２６１０から約２メートル以内の距離にいる虫に感知可能であることが望ましい。そのような虫誘引性の音は、捕虫装置２６１０から約１メートルを超える距離にいる人間に感知できないものであることが望ましい。
【０４１６】
また、回路基板２６５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２６１２を通して捕虫部分２６１４へと伝達させ得る、電気素子の組み合わせを含んでもよい。あるいは、ＬＥＤ２６２４によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２６１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０４１７】
図示されているように、ベース部分２６１２の前面２６２６の縁２６３２が、捕虫部分２６１４と係合して、使用中に捕虫部分２６１４を定位置に固定する。しかしながら、捕虫部分２６１４をベース部分２６１２にしっかりと、かつ取り外し可能に取り付けることができるような、任意の他の取り付け形態に置き換えてもよい。
【０４１８】
捕虫装置２６１０の操作においては、導電性プロング２６２２（図示せず）が壁面電気コンセントに差し込まれ、ＬＥＤ２６２４が点灯し（矢印で示す）、この光は、ベース部分２６１２の開口部２６４４とハウジング２６１８の開口部２６４２とを通って上側エンクロージャ２６４８に入り、ハウジング２６１８の内面と、ディバイダ２６４６の上面２６４０とに直接伝わる。いくつかの実施形態において、光はベース部分２６１２において操作されず、捕虫部分２６１４内へ直接発せられる。いくつかの実施形態において、ハウジング２６１８の内面は、ＬＥＤ２６２４からの光を反射して、この光をディバイダ２６４６の上面２６４０上に投射し、上面２６４０を通して、下側エンクロージャ２６２８に入らせるように構成されるが、ハウジング２６１８の内面は、より均一に配光されるように、畝又はその他の形状（図示せず）を有していてもよい。ディバイダ２６４６の上面２６４０は、粘着剤２６３６上へと、より均一に配光されるように、平面又は凸状又は凹状又は形状の組み合わせであってもよい。いくつかの実施形態において、ディバイダ２６４６を通り粘着剤２６３６上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、ハウジング２６１８の開口部２６４２において、若しくはその付近において、捕虫部分２６１４に取り付けるか、又は開口部２６４４において、若しくはその付近において、ベース部分２６１２に取り付けてよく、また、この光学的エンハンサにより、ハウジング２６１８の内面の役割を置き換えるか、又は増強してもよい。光は、ディバイダ２６４６の光散乱特性、ディバイダ２６４６の内面をコーティングする粘着剤、又はこれら２つの組み合わせにより、更に均一に配光され得る。いくつかの実施形態において、ＬＥＤ２６２４からの光は、ディバイダ２６４６の上面２６４０に斜めの角度（例えば、約０°〜９０°の鋭角）で直接当たってよく、上面２６４０全体にわたって広がり、ディバイダ２６４６の上面２６４０の配光の役割、又は捕虫部分２６１４若しくはベース部分２６１２に取り付けられた１つ若しくは複数のレンズの配光の役割を、置き換えるか、又は強化してもよい。
【０４１９】
その後、下側エンクロージャ２６２８に入る光の一部は、続いて、ディバイダ２６４６の開口部２６５２と、ハウジング２６１８の対応する開口部２６２０とを通って、捕虫装置２６１０が設置されている周辺領域へと進む。虫及びその他の有害節足動物は、ディバイダ２６４６の開口部２６５２と、ハウジング２６１８の対応する開口部２６２０とを通って伝わってくる光に誘引され、ハウジング２６１８の開口部２６２０及びディバイダ２６４６の対応する開口部２６５２を通り、底板２６３４の粘着剤２６３６上へと這っていき、粘着剤２６３６にて捕獲される。ユーザーは、ハウジング２６１８の開口部２６２０及びディバイダ２６４６の対応する開口部２６５２を通して見ることにより、捕獲された虫を確認できる。十分な数の虫が捕獲されると、ユーザーは、捕獲された虫、虫の破片又は粘着剤（これらは捕虫部分２６１４内の届かないところに留まる）に触れることなく、使用済みの捕虫部分２６１４全体を容易に取り外して捨て、新しい捕虫部分２６１４に交換することができる。新しい捕虫部分２６１４は、粘着剤コーティングされた新しい表面を有しており、捕虫装置２６１０での効率的かつ効果的な虫の誘引と捕獲が持続的に確保される。
【０４２０】
いくつかの実施形態において、捕虫部分２６１４はベース部分２６１２の上でも下でもなく横に取り付けられているため、床からの捕虫装置２６１０の突出が最小限に抑えられ、これによって、家庭環境に対する邪魔を最小限に抑える。いくつかの実施形態において、捕虫装置２６１０は、床に置かれたとき、捕虫装置２６１０が床から突出する全距離によって画定される全体高さが、その全体長さ及び全体幅よりも小さくなるように構成される。
【０４２１】
捕虫装置２６１０の利点は、捕虫部分２６１４内の光の操作であることが理解されよう。いくつかの実施形態において、光の操作は捕虫部分２６１４内でのみ行われる。光の操作には、反射、屈折、偏光、分散及び／又は散乱が含まれてよく、操作可能な素子又は表面（例えば、ハウジング２６１８の内面及び粘着剤２６３６）と係合することにより達成される。いくつかの実施形態において、光の操作により、粘着剤２６３６上に光の均等な分布が形成される。いくつかの実施形態において、光は、粘着剤２６３６の上又は捕虫部分２６１４内に所定のパターンを生成するよう操作され、例えば、均一な分布、高強度のホットスポットを伴う均一な分布、ホットスポットパターン、及び／又はこれらの組み合わせを生成するよう操作される。
【０４２２】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０４２３】
この構成の捕虫装置２６１０は、ベース部分２６１２に取り外し可能に取り付けることができる様々な異なる捕虫部分２６１４に対応することができ、それぞれの捕虫部分２６１４は、特定の種類又は複数の種類の虫を誘引して捕獲するような固有の構成を有する。例えば、捕虫部分２６１４の全体の寸法及び形状、捕虫部分２６１４のハウジング２６１８における開口部２６２０の寸法、形状、位置及び向き、並びにハウジング２６１８、底板２６３４、ディバイダ２６４６又は粘着剤２６３６に含浸させた１種類又は複数種類のにおいは、特定の種類又は複数の種類の虫を誘引して捕獲するように固有の構成を有していてよい。
【０４２４】
例えば、いくつかの実施形態において、捕虫部分２６１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２６１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２６１４はおよそ、幅２０ｍｍ〜１３０ｍｍ、長さ２０ｍｍ〜１３０ｍｍ、及び高さ５ｍｍ〜５０ｍｍである。
【０４２５】
いくつかの実施形態において、ベース部分２６１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２６１２は、幅２０ｍｍ〜２００ｍｍ、長さ１０ｍｍ〜１００ｍｍ、及び高さ１０ｍｍ〜８０ｍｍである。いくつかの実施形態において、ベース部分２６１２は、幅２０ｍｍ〜１３０ｍｍ、長さ１０ｍｍ〜５０ｍｍ、及び高さ１０ｍｍ〜５０ｍｍである。
【０４２６】
図１３９は、捕虫装置の第２７の実施形態の正面斜視図であり、この捕虫装置全体は２７１０で示されている。捕虫装置２７１０は、ベース部分２７１２と取り外し可能な捕虫部分２７１４と、を含む。この図では、捕虫部分２７１４とベース部分２７１２は部分的に切り取られて示されており、捕虫部分２７１４はベース部分２７１２から取り外された状態で示されている。捕虫装置２７１０は、床に置いて、這う虫及び跳ねる虫、又は害虫を誘引して捕獲するように構成される。図示されているように、ベース部分２７１２は、電気コード２７１６と、複数の導電性プロング２７２２を備えた電気プラグ２７３０とを含んでいてよく、この電気プラグ２７３０は、導電性プロング２７２２を標準の家庭用壁面電気コンセントに差し込むことにより、捕虫装置２７１０に電力を供給するよう適合されている。あるいは、ベース部分２７１２は、ベース部分２７１２内に取り付けられた電池（図示せず）から電力を受け取るように構成されていてもよい。電気コンセントと電池が、捕虫装置２７１０に電力を供給するものとして記載されたが、任意の好適な電源を使用することができる。ベース部分２７１２は、１つ又は２つ以上のＬＥＤ２７２４などの発光素子を含む。いくつかの実施形態において、ＬＥＤ２７２４は、紫外（ＵＶ）光を発するＬＥＤを少なくとも１つ、及び可視光を発するＬＥＤを少なくとも１つ含む。いくつかの実施形態において、ＬＥＤ２７２４は、広範な種類の虫をよりよく誘引するために、ＵＶ光を発するＬＥＤを少なくとも１つ、及び青色光を発するＬＥＤを少なくとも１つ含む。いくつかの実施形態において、この発光素子は、日光を模した波長の組み合わせを放射する。いくつかの実施形態において、ＬＥＤ２７６４は、ノミなどの特定の種類の虫をよりよく誘引するために、ＩＲ光を発するＬＥＤを少なくとも１つ含む。ベース部分２７１２の前面２７２６には少なくとも１つの開口部２７４４があり、開口部２７４４内には透明又は半透明のウィンドウ（図示せず）が取り付けられていてよく、この透明又は半透明のウィンドウにより、ＬＥＤ２７２４が埃及び虫の破片から保護され得、ベース部分２７１２のクリーニングが容易になり得る。しかしながら、このウィンドウは必須ではない。いくつかの実施形態において、捕虫部分２７１４がベース部分２７１２に取り付けられたとき、ＬＥＤ２７２４の少なくとも一部が、ベース部分２７１２の前面２７２６から突出して捕虫部分２７１４内に入ってもよい。前面２７２６の外周には、前向きの縁２７３２があってよい。
【０４２７】
捕虫部分２７１４は、ハウジング２７１８を含み、ハウジング２７１８は、その外周に少なくとも１つの開口部２７２０を有する。ハウジング２７１８の開口部２７２０は、広範な種類の虫を捕虫装置２７１０に受け入れるように構成してもよいし、あるいは、１種類又は２種類以上の特定の種類の虫を受け入れるように構成してもよい。いくつかの実施形態において、開口部２７２０は、捕虫部分２７１４を取り外して交換するときに、ユーザーの指が開口部２７２０に入ってしまい捕獲された虫又は粘着剤に誤って触れることを防ぐように構成される。いくつかの実施形態において、開口部２７２０は、直径２５ｍｍの球が開口部２７２０を通過できないような寸法及び形状を有し、かつ、直径１ｍｍの球が開口部２７２０のいかなる部分も通過できるような寸法及び形状を有する。開口部２７２０の幅、形状及び向きは、均一であってもよいし、又は、変化していてもよく、また、捕虫部分２７１４が複数の開口部２７２０を有する場合は、それらの幅、形状及び向きは、同一あってもよいし、又は、異なっていてもよい。開口部２７２０は、１種類又は２種類以上の個々の種類の虫又は様々な種類の虫を誘引するように構成することができる。いくつかの実施形態において、ハウジング２７１８の内面（図示せず）は反射性コーティングを有する。あるいは、ハウジング２７１８の材料と、ハウジング２７１８の内面の表面仕上げは、内面に反射性コーティングを有していなくても、光が反射及び分散されるように構成されていてもよい。捕虫部分２７１４は、上面２７３８を備えた底板２７３４を含み、この少なくとも一部が粘着剤２７３６でコーティングされている。いくつかの実施形態において、底板２７３４の底面（図示せず）は、平らであるか、又は外周が平らであり、床に置いたときに、虫が捕虫装置２７１０の下に這い入ることができないように構成されていてよい。捕虫部分２７１４は、透明又は半透明の材料からなり、上面２７４０を含む、ディバイダ２７４６を含む。いくつかの実施形態において、ディバイダ２７４６はその内面が透明又は半透明の粘着剤でコーティングされており、これにより付加的な捕虫効果及び能力が提供される。ディバイダ２７４６は、ハウジング２７１８の開口部２７２０に対応する少なくとも１つの開口部２７５２を有する。ディバイダ２７４６は、低価格と使い捨て性を実現し得るように、透明又は半透明のプラスチックから熱成形されてもよいが、射出成形で製造することもでき、また他の透明又は半透明の材料で製造することもできる。捕虫部分２７１４は更に、ディフューザー２７５４（この図では半分のみが示されている）を含み、これは光散乱特性を備えた透明又は半透明の材料で製造される。あるいは、ディフューザー２７５４は、ディフューザー２７５４に光散乱特性を付与する表面仕上げ又は表面形状又は表面コーティングを有し得る。いくつかの実施形態において、ディフューザー２７５４は、ディバイダ２７４６にある凹部に嵌まり込み、接触しているディバイダ２７４６の表面の形状に適合する、シート材料からなるストリップである。あるいは、ディフューザー２７５４の形状は成型又は熱成形され得る。図示されているように、ハウジング２７１８とディバイダ２７４６は上側エンクロージャ２７４８を形成し、ディバイダ２７４６と底板２７３４は下側エンクロージャ２７２８を形成する。図示されているように、ハウジング２７１８は、ベース部分２７１２の前面２７２６の開口部２７４４に対応する少なくとも１つの開口部２７４２を含む。いくつかの実施形態において、開口部２７４２は、透明又は半透明のウィンドウ（図示せず）を有する。いくつかの実施形態において、ハウジング２７１８は、不透明なプラスチックシートから熱成形され、低価格と使い捨て性を維持しながら、清潔で美観に優れた形状を生み出す。あるいは、それらを、紙、板紙、厚紙又は紙パルプなどの他の不透明、透明又は半透明の材料で構築することができる。いくつかの実施形態において、ハウジング２７１８は、射出成形、又はその他の好適な製造法により構築される。いくつかの実施形態において、ハウジング２７１８、ディバイダ２７４６及び底板２７３４は、それらが交差又は係合する箇所において、接着剤で互いに接合されているが、これらは、超音波溶接又は高周波（ＨＦ）溶接、又は任意の他の好適な組立方法などの他の一般的に使用されているパッケージング組立法により、接合されていてもよい。例えば、ハウジング２７１８及び／又はディバイダ２７４６及び／又は底板２７３４及び／又は粘着剤２７３６には、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含む）、双翅類誘引剤（セラルア、キュールア、ラチルア、メドルア、モグチュン、ムスカルア、及びトリメドルアを含む）、同翅類誘引剤（レスカルアを含む）、鱗翅類誘引剤（ディスパールアを含む）、直鎖鱗翅類フェロモン（コドレルア、ゴシップルア、ヘキサルア、リトルア、ループルア、オルフラルア、及びオストラモンを含む）、及びその他の虫誘引剤（例えばオイゲノール、メチルオイゲノール、及びシグルア）、又はその他の、捕虫装置２７１０の虫誘引効率を更に向上させ得るにおいをもたらす物質を、含浸させることができる。あるいは、虫誘引剤は、ディバイダ２７４６の内面上に、又はハウジング２７１８の外面上に、又はハウジング２７１８の開口部を通して、取り付けられ得る、別個のピース（図示せず）に埋め込まれるか、又は収容されてもよい。あるいは、水蒸気は蚊に対する誘引剤として知られていることから、１種類又は２種類以上の虫誘引物質に加えて、又はそれに代えて、別個のピースに水を埋め込むか、又は収容してもよい。あるいは、１種類又は２種類以上の虫誘引物質に加えて、又はそれに代えて、糖液、糖蜜、又は蜂蜜などの他の虫誘引剤を、別個のピースに埋め込むか、又は収容してもよい。あるいは、１種類又は２種類以上の虫誘引物質に加えて、又はそれに代えて、蚊を誘引する二酸化炭素を産生し得るように、生酵母、砂糖、及び水を組み合わせて別個のピースに埋め込むか、又は収容してもよい。そのような誘引剤は、捕虫装置２７１０から半径約２メートルにいる虫に感知可能であることが望ましい。
【０４２８】
いくつかの実施形態において、ベース部分２７１２は、コマンドを実行するためのプログラム可能プロセッサ又はチップ（図示せず）を有する回路基板２７５０を含み、これはコード２７１６、導電性プロング２７２２、及びＬＥＤ２７２４に電気的に接続されている。しかしながら、見やすくするため、電気的接続は示されていない。回路基板２７５０は更に、例えば導電性プロング２７２２から通常の家庭用電流を受け取り、ＬＥＤ２７２４を点灯させる電力を供給するための電子回路を含み得る。回路基板２７５０は、ＬＥＤ２７２４に一定電圧を供給し得る、全波整流回路又はその他の回路などのエネルギー安定器を含み得るが、一部の虫を誘引するような変化を真似た点滅光が提供されるように、ＬＥＤ２７２４に変動電圧を供給することもできる。回路基板２７５０は、ＵＶ光及び／又は可視光及び／又はＩＲ光のすべてを提供するために、ＬＥＤ２７２４に電力を供給してもよいが、ＵＶ光及び／又は可視光及び／又はＩＲ光の点滅の組み合わせを生み出すために、ＵＶ  ＬＥＤ２７２４のみ又は可視光ＬＥＤ２７２４のみ又はＩＲ  ＬＥＤ２７２４のみに電力を供給するか、あるいは変動電力を供給するように構成してもよい。回路基板２７５０はまた、圧電スピーカ（図示せず）などの発信機又はトランシーバー、又はその他の装置を駆動させるように構成することができ、これらはベース部分２７１２に取り付けて、虫誘引性の音又は振動を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうちの１つ又は２つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の１種類又は複数種類の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２７１０から約２メートル以内の距離にいる虫に感知可能であることが望ましい。そのような虫誘引性の音は、捕虫装置２７１０から約１メートルを超える距離にいる人間に感知できないものであることが望ましい。
【０４２９】
また、回路基板２７５０は、ノミ及び蚊などの一部の虫類を誘引するために、抵抗器（図示せず）若しくは抵抗発熱体（図示せず）などの１つ又は２つ以上の電気素子（図示せず）、あるいは、１つ又は２つ以上の熱交換素子（図示せず）（例えば、ペルチェ効果及び／又はトムソン効果を用いて、熱を特定領域に移動させる素子など）、あるいは、熱を発生及び／又は移動させ、この熱を、ベース部分２７１２を通して捕虫部分２７１４へと伝達させ得る、電気素子の組み合わせを含んでもよい。あるいは、ＬＥＤ２７２４によって熱を発生させ、１つ又は２つ以上の電気素子が発生させる熱を置き換えてもよいし、又は増大させてもよい。哺乳類の肌の温度及び体温に似せるために、一般に、発生させる熱により、捕虫部分２７１４の少なくとも一部分の温度をおよそ３０℃〜４５℃、好ましくはおよそ３３℃〜４２℃に上昇させて維持してもよい。また、熱を加えることにより水蒸気及び二酸化炭素などの虫誘引物質の放出を増大させ得る。
【０４３０】
図示されているように、ベース部分２７１２の前面２７２６の縁２７３２が、捕虫部分２７１４と係合して、使用中に捕虫部分２７１４を定位置に固定する。しかしながら、捕虫部分２７１４をベース部分２７１２にしっかりと、かつ取り外し可能に取り付けることができるような、任意の他の取り付け形態に置き換えてもよい。
【０４３１】
捕虫装置２７１０の操作においては、導電性プロング２７２２（図示せず）が壁面電気コンセントに差し込まれ、ＬＥＤ２７２４が光（矢印で示す）を発し、この光は、ベース部分２７１２の開口部２７４４とハウジング２７１８の開口部２７４２とを通って上側エンクロージャ２７４８に入り、ディフューザー２７５４と、ディバイダ２７４６の上面２７４０と、ハウジング２７１８の内面とに直接伝わる。いくつかの実施形態において、光はベース部分２７１２において操作されず、捕虫部分２７１４内へ直接発せられる。ディフューザー２７５４は、ディバイダ２７４６の対応する表面を通って下側エンクロージャ２７２８内へと均一に光を透過させる。いくつかの実施形態において、ハウジング２７１８の内面は、ＬＥＤ２７２４からの光を、ディバイダ２７４６を通して下側エンクロージャ２７２８内に入らせ、底板２７３４の上面２７３８をコーティングする粘着剤２７３６上へと反射及び分散せるように構成されてもよいが、ハウジング２７１８の内面は、より均一に配光されるように、畝又はその他の形状（図示せず）を有していてもよい。ディバイダ２７４６の上面２７４０は、粘着剤２７３６上へと、より均一に配光されるように、平面又は凸状又は凹状又は形状の組み合わせであってもよい。いくつかの実施形態において、ディバイダ２７４６を通り粘着剤２７３６上へと（例えば、均等に、特定のパターンに従って、焦点を絞って）配光するように構成された、アナモルフィックレンズ（図示せず）、又は任意の他のレンズ、又はレンズの組み合わせなどの光学的エンハンサを、ハウジング２７１８の開口部２７４２において、若しくはその付近において、捕虫部分２７１４に取り付けるか、又は開口部２７４４において、若しくはその付近において、ベース部分２７１２に取り付けてよく、また、この光学的エンハンサにより、ハウジング２７１８の反射性コーティングされた内面の役割を置き換えるか、又は増強してもよい。光は、ディバイダ２７４６の光散乱特性、ディバイダ２７４６の内面をコーティングする粘着剤、又はこれらの組み合わせにより、更に均一に配光され得る。いくつかの実施形態において、ＬＥＤ２７２４からの光は、ディバイダ２７４６の上面２７４０に斜めの角度（例えば、約０°〜９０°の鋭角）で直接当たってよく、上面２７４０全体にわたって広がり、ディバイダ２７４６の上面２７４０の配光の役割、又は捕虫部分２７１４若しくはベース部分２７１２に取り付けられた１つ若しくは複数のレンズの配光の役割を、置き換えるか、又は強化してもよい。
【０４３２】
その後、下側エンクロージャ２７２８に入る光の一部は、続いて、ディバイダ２７４６の開口部２７５２と、ハウジング２７１８の対応する開口部２７２０とを通って、捕虫装置２７１０が設置されている周辺領域へと進む。虫及びその他の有害節足動物は、ディバイダ２７４６の開口部２７５２と、ハウジング２７１８の対応する開口部２７２０とを通って伝わってくる、ディフューザー２７５４からの光及び粘着剤２７３６からの光に誘引され、ハウジング２７１８の開口部２７２０及びディバイダ２７４６の対応する開口部２７５２を通り、粘着剤２７３６上へと跳ねていくか又は這っていき、粘着剤２７３６にて捕獲され得る。ユーザーは、ハウジング２７１８の開口部２７２０及びディバイダ２７４６の対応する開口部２７５２を通して見ることにより、捕獲された虫を確認できる。十分な数の虫が捕獲されると、ユーザーは、捕獲された虫、虫の破片又は粘着剤（これらは捕虫部分２７１４内の届かないところに留まる）に触れることなく、使用済みの捕虫部分２７１４全体を容易に取り外して捨て、新しい捕虫部分２７１４に交換することができる。新しい捕虫部分２７１４は、粘着剤コーティングされた新しい表面を有しており、捕虫装置２７１０での効率的かつ効果的な虫の誘引と捕獲が持続的に確保される。
【０４３３】
いくつかの実施形態において、捕虫部分２７１４はベース部分２７１２の上でも下でもなく横に取り付けられているため、床からの捕虫装置２７１０の突出が最小限に抑えられ、これによって、家庭環境に対する邪魔を最小限に抑える。いくつかの実施形態において、捕虫装置２７１０は、床に置かれたとき、捕虫装置２７１０が床から突出する全距離によって画定される全体高さが、その全体長さ及び全体幅よりも小さくなるように構成され得る。
【０４３４】
捕虫装置２７１０の利点は、捕虫部分２７１４内の光の操作であることが理解されよう。いくつかの実施形態において、光の操作は捕虫部分２７１４内でのみ行われる。光の操作には、反射、屈折、偏光、分散及び／又は散乱が含まれてよく、操作可能な素子又は表面（例えば、ハウジング２７１８の内面及び粘着剤２７３６）と係合することにより達成される。いくつかの実施形態において、光の操作により、粘着剤２７３６上に光の均等な分布が形成される。いくつかの実施形態において、光は、粘着剤２７３６の上又は捕虫部分２７１４内に所定のパターンを生成するよう操作され、例えば、均一な分布、高強度のホットスポットを伴う均一な分布、ホットスポットパターン、及び／又はこれらの組み合わせを生成するよう操作される。
【０４３５】
任意の好適な粘着材料を、虫を捕獲するための粘着面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性粘着剤を使用することができる。一般に、そのような粘着剤の厚さは約０．０１ｍｍ〜１ｍｍの範囲である。いくつかの実施形態において、粘着剤の厚さは、約０．０５ｍｍ〜０．２ｍｍの範囲であり、厚さ約０．１ｍｍが最もよく使用される。
【０４３６】
この構成の捕虫装置２７１０は、ベース部分２７１２に取り外し可能に取り付けることができる様々な異なる捕虫部分２７１４に対応することができ、それぞれの捕虫部分２７１４は、特定の種類又は複数の種類の虫を誘引して捕獲するような固有の構成を有する。例えば、捕虫部分２７１４の全体の寸法及び形状、捕虫部分２７１４のハウジング２７１８における開口部２７２０の寸法、形状、位置及び向き、並びにハウジング２７１８、底板２７３４、ディバイダ２７４６又は粘着剤２７３６に含浸させた１種類又は複数種類のにおいは、特定の種類又は複数の種類の虫を誘引して捕獲するように固有の構成を有していてよい。
【０４３７】
例えば、いくつかの実施形態において、捕虫部分２７１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２７１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２７１４はおよそ、幅２０ｍｍ〜１３０ｍｍ、長さ２０ｍｍ〜１３０ｍｍ、及び高さ５ｍｍ〜５０ｍｍである。
【０４３８】
いくつかの実施形態において、ベース部分２７１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２７１２は、幅２０ｍｍ〜２００ｍｍ、長さ１０ｍｍ〜１００ｍｍ、及び高さ１０ｍｍ〜８０ｍｍである。いくつかの実施形態において、ベース部分２７１２は、幅２０ｍｍ〜１３０ｍｍ、長さ１０ｍｍ〜５０ｍｍ、及び高さ１０ｍｍ〜５０ｍｍである。
【０４３９】
図１４０は、捕虫装置の第２８の実施形態の正面斜視図であり、この捕虫装置全体は２８１０で示されている。捕虫装置２８１０は、ベース部分２８１２と取り外し可能かつ交換可能な捕虫部分２８１４とを含む。この図では、捕虫部分２８１４は、ベース部分２８１２に取り付けた状態で、部分的に切り取られて示されている。捕虫部分２８１４は、少なくとも１つの虫用開口部２８２０、前面２８１６にある枢軸用開口部２８２２、及び上面２８２６にあるタブ用開口部２８２４を備える前側ハウジング２８１８と、前側ハウジング２８１８の前面２８１６にある枢軸用開口部２８２２内に取り付けられた枢軸２８２８と、枢軸２８２８に取り付けられ、かつ前側ハウジング２８１８の前面２８１６のすぐ後ろに位置するシャッター２８３０と、を含む。シャッター２８３０は、前側ハウジング２８１８の前面２８１６にある虫用開口部２８２０に対して、寸法、形状、及び数において対応する、少なくとも１つの虫用開口部２８３２と、前側ハウジング２８１８の上面２８２６にあるタブ用開口部２８２４を通って突出するタブ２８３４と、を含む。シャッター２８３０は、枢軸２８２８を中心に回転するように、かつタブ２８３４が前側ハウジング２８１８の上面２８２６におけるタブ用開口部２８２４内を左右に自由に移動できるように構成される。図示されているように、タブ２８３４は、左に移動しており、シャッター２８３０の虫用開口部２８３２が前側ハウジング２８１８の虫用開口部２８２０と位置合わせされ、虫用開口部２８２０及び虫用開口部２８３２を通して、捕虫部分２８１４の内側が露出している。タブ２８３４が右へ移動すると、シャッター２８３０における虫用開口部２８３２は、前側ハウジング２８１８の虫用開口部２８２０と位置合わせされなくなり、シャッター２８３０により、虫用開口部２８２０が塞がれる。したがって、タブ２８３４を左に移動させることにより、捕虫部分２８１４が開かれ、タブを右に移動させることにより、捕虫部分２８１４が閉じられる。しかしながら、タブ２８３４を右に移動させることにより、捕虫部分２８１４が開かれ、タブ２８３４を左に移動させることにより、捕虫部分２８１４が閉じられるように、シャッター２８３０を反対の配向で構成してもよいことが容易に明らかであろう。シャッター２８３０は、金属シート、プラスチックシート、又は板紙などの任意の薄い、不透明、又は半透明な材料で作製されていてもよい。
【０４４０】
シャッター２８３０が開位置にあるとき、及び閉位置にあるときに、ユーザーにとってタブの位置がわかるように、タブ２８３４は、前面上に印刷、成型、又は形成された文字又は図形を有していてもよい。図示されているように、タブ２８３４の前面は、左に「ｏｐｅｎ」という文字を、右に「ｃｌｏｓｅｄ」という文字を有する。あるいは、タブ２８３４の適切な位置を示すため、「使用中」及び「廃棄」を示す文字又は図形を、タブ２８３４、又は、任意の文字又は図形又は文字及び／若しくは図形の組み合わせ上に提示してもよい。図示されているように、前側ハウジングにおける虫用開口部２８２０及びシャッター２８３０における虫用開口部２８３２は、枢軸２８２８を中心とした放射状パターンに構成されているが、虫用開口部２８２０及び虫用開口部２８３０は、様々な形状、寸法、及び配置であってよい。いくつかの実施形態において、シャッター２８３０は、前側ハウジングにおける突出部を中心に回転してもよく、この場合、枢軸２８２８は不要となる。シャッター２８３０は、実質的に前側ハウジング２８１８の前面２８１６に垂直な枢軸を中心に回転することにより、開閉するものとして示されているが、垂直軸若しくは水平軸上で枢動することによって、又は枢軸なしで垂直若しくは水平に摺動することによって、又はこれらの任意の組み合わせによって、動作するように構成されていてもよい。ユーザーは、捕虫部分２８１４を取り外して、交換する前に、タブ２８３４を摺動させることにより、捕虫部分２８１４を閉じることができ、これによって、捕虫部分２８１４を取り扱う際に死んだ虫を見たり、又は触れたりせずに済む。
【０４４１】
捕虫装置２８１０は、ユーザーによる更なる動作を必要とすることなく自動的に開閉するように適合され得ることが理解されよう。図１４１は、捕虫装置の第２８の実施形態の一例の正面斜視図であり、この捕虫装置全体は２８１０Ａで示されている。捕虫装置２８１０Ａは、ベース部分２８１２Ａと、取り外し可能かつ交換可能な捕虫部分２８１４Ａと、を含む。この図では、捕虫部分２８１４Ａは、ベース部分２８１２Ａに取り付けた状態で、部分的に切り取られて示されている。ベース部分２８１２Ａは、上面２８２４Ａを含む。捕虫部分２８１４Ａは、少なくとも１つの虫用開口部２８２０Ａ、及び前面２８１Ａ６にある枢軸用開口部２８２２Ａを備える前側ハウジング２８１８Ａと、前側ハウジング２８１８Ａの前面２８１６Ａにある枢軸用開口部２８２２Ａ内に取り付けられた枢軸２８２８Ａと、枢軸２８２８Ａに取り付けられ、かつ前側ハウジング２８１８Ａの前面２８１６Ａのすぐ後ろに位置するシャッター２８３０Ａと、を含む。シャッター２８３０Ａは、前側ハウジング２８１８Ａの前面２８１６Ａにある虫用開口部２８２０Ａに対して、寸法、形状、及び数において対応する、少なくとも１つの虫用開口部２８３２Ａと、捕虫部分２８１４Ａがベース部分２８１２Ａから取り外されたとき、前側ハウジング２８１８Ａの底面（図示せず）にあるタブ用開口部（図示せず）を通って突出するタブ２８３４Ａと、タブ２８３４Ａに隣接してシャッター２８３０Ａの後面（図示せず）上にあるつり合い重り２８２６Ａと、を含む。シャッター２８３０Ａは、枢軸２８２８Ａを中心に回転するように、かつタブ２８３４Ａが前側ハウジング２８１８の底面におけるタブ用開口部内を自由に移動できるように構成される。図示されているように、捕虫部分２８１４Ａがベース部分２８１２Ａに取り付けられるとき、ベース部分２８１２Ａの上面２８２４Ａは、タブ２８３４Ａがもはや捕虫部分２８１４Ａから突出しなくなるまで、タブ２８３４Ａを捕虫部分２８１４Ａに向かって上方へと押しやり、これにより、シャッター２８３０Ａの虫用開口部２８３２Ａが前側ハウジングの虫用開口部２８２０Ａと位置合わせされるところまで、シャッター２８３０Ａが回転し、捕虫部分２８１４Ａの内部を露出させることで、捕虫部分２０１４Ａが開かれる。捕虫部分２８１４Ａがベース部分２８１２Ａから取り外されるときは、つり合い重り２８２６Ａが、タブ２８３４Ａを、前側ハウジング２８１８Ａの底面の開口部を通して下方へ押して、シャッター２８３０Ａを回転させることによって、シャッター２８３０Ａの虫用開口部２８３２Ａが、前側ハウジングの虫用開口部２８２０Ａと位置合わせされなくなって、シャッター２８３０Ａにより、虫用開口部２８２０Ａが塞がれることで、捕虫部分２０１４Ａが閉じられ、これによって、ユーザーは、捕虫部分２８１４Ａを取り外して廃棄する際に、死んだ虫を見たり、又は触れたりせずに済む。
【０４４２】
図示されているように、ベース部分２８１２Ａの上面２８２４Ａは、タブ２８３４Ａを押し、シャッター２８３０を回転させて捕虫部分２８１４Ａを開き、また、つり合い重り２８２６Ａは、シャッター２８３０Ａを回転させて、捕虫部分２８１４Ａを閉じる。しかしながら、捕虫部分２８１４Ａを自動的に開閉する他の構成も想定されている。いくつかの実施形態において、自重で回転して捕虫部分２８１４Ａが閉じられるように、シャッター２８３０Ａをバランスをとって構成し、つり合い重り２８２６Ａを不要としてもよい。いくつかの実施形態において、ばね（図示せず）によってシャッター２８３０Ａを回転させて捕虫部分２８１４Ａを閉じることで、つり合い重り２８２６Ａを置き換えてもよい。いくつかの実施形態において、タブ２８３４Ａの反対側のシャッター２８３０Ａ上にある磁石（図示せず）によって、ベース部分２８１２Ａの内側にある磁石（図示せず）を引き付け、シャッター２８３０Ａを回転させて捕虫部分２８１４Ａを開いてもよく、これにより、タブ２８３４Ａの役割を置き換えてもよい。あるいは、タブ２８３４Ａの反対側のシャッター２８３０Ａ上にある１片の鉄合金により、ベース部分２８１２Ａの内側にある電磁石を引き付け、シャッター２８３０Ａを回転させて捕虫部分２８１４Ａを開いてもよく、これにより、タブ２８３４Ａの役割を置き換えるとともに、捕虫装置２８１０Ａが電力を受け取っているときにのみ、捕虫部分２８１４Ａが開くという更なる利点を提供してもよい。
【０４４３】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成される。一実施形態において、第１の開口部は、虫がエンクロージャ内に入り得るように構成される。一実施形態において、エンクロージャは第２の開口部を含み、この第２の開口部は、エンクロージャから光が放たれ得るように構成される。一実施形態において、ベース部分内で、光は操作されない。一実施形態において、エンクロージャは第３の開口部を含み、第３の開口部は、ベース部分から受け取る光をエンクロージャへと通すように構成される。一実施形態において、エンクロージャは、光を所定のパターンで配光するよう構成される。一実施形態において、エンクロージャは、第１の内側表面を有する前側ハウジング部分と、第２の内側表面を有する後側ハウジング部分と、を含み、前側ハウジング部分と後側ハウジング部分とは、互いに噛み合い係合してエンクロージャを形成し、第１の内側表面又は第２の内側表面のうちの少なくとも一方は、光を操作するように構成される。一実施形態において、第１の内側表面又は第２の内側表面のうち少なくとも一方が、粘着面を含む。一実施形態において、後側ハウジング部分が凹状表面を有し、この凹状表面は、エンクロージャ内に光を均一に反射するように構成されている。一実施形態において、光は粘着面を透過し、粘着面を照らして、粘着面に虫を誘引する。一実施形態において、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、前側ハウジング部分と後側ハウジング部分とは、互いに噛み合い係合してエンクロージャを形成し、ディバイダ部分は、エンクロージャを前側エンクロージャ部分と後側エンクロージャ部分とに分割する。一実施形態において、ディバイダ部分は、半透明材料を含む背面と、粘着面を含む前面とを含む。一実施形態において、後側ハウジング部分の第２の内側表面は、凹状表面を含み、凹状表面は、ディバイダ部分の背面へと光を反射させるように構成されている。一実施形態において、光は粘着面を透過し、粘着面を照らして、粘着面に虫を誘引する。一実施形態において、ディバイダ部分の背面は、後側ハウジング部分の第２の内側表面から光を受け取るように、又は発光素子から直接的に光を受け取るように構成されている。一実施形態において、ディバイダ部分は、斜めの角度の光を受け取り、ディバイダ部分にわたって広げるように構成されている。一実施形態において、ディバイダ部分は、光を操作するように構成されている。一実施形態において、ディバイダ部分は、平面又は形成形状を含み、ディバイダ部分の形状は、配光を最適化するように構成される。一実施形態において、ベース部分は突出部を含み、捕虫部分は突出部を受容するための凹部を含み、突出部が捕虫部分により受容されると、ベース部分と捕虫部分とが係合する。一実施形態において、捕虫部分は突出部を含み、ベース部分は突出部を受容するための凹部を含み、突出部がベース部分により受容されると、ベース部分と捕虫部分とが係合する。一実施形態において、捕虫部分は、ポリマー系、繊維系、又は炭素系材料を含む。一実施形態において、取り付け部分は、取り付け部分の背面から実質的に垂直かつ直接突出している剛性の導電体を有する電気プラグを含み、この導電体は、電気コンセントに挿入可能である。一実施形態において、電源は、電気コンセント又は電池を含む。一実施形態において、この発光素子は、発光ダイオード（ＬＥＤ）を含む。一実施形態において、この発光素子は、紫外（ＵＶ）ＬＥＤ及び青色ＬＥＤを含む。一実施形態において、ベース部分は、発光素子に一定電圧を供給するように構成されたエネルギー安定器を含む。一実施形態において、エネルギー安定器は、全波整流回路を含む。一実施形態において、ベース部分は開口部を含み、この開口部は、ベース部分から捕虫部分へと光を発し得るように構成されている。一実施形態において、開口部は透明又は半透明のウィンドウを含む。一実施形態において、開口部は発光素子に近接している。一実施形態において、捕虫部分は虫誘引剤を含む。一実施形態において、虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される。一実施形態において、甲虫類誘引剤は、ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコールを含み、一実施形態において、双翅類誘引剤は、セラルア、キュールア、ラチルア、メドルア、モグチュン、ムスカルア、及びトリメドルアを含み、一実施形態において、同翅類誘引剤は、レスカルアを含む。一実施形態において、鱗翅類誘引剤は、ディスパールアを含む。一実施形態において、直鎖鱗翅類フェロモンは、コドレルア、ゴシップルア、ヘキサルア、リトルア、ループルア、オルフラルア、及びオストラモンを含む。一実施形態において、虫誘引剤は、エンクロージャに一体化している。一実施形態において、ベース部分は発信機を含む。一実施形態において、この発信機は、虫誘引性の音を発するように構成された圧電スピーカを含む。一実施形態において、虫誘引性の音は、約０．２Ｈｚ〜２４０ＫＨｚの範囲の周波数を含む。一実施形態において、ベースはスイッチを含み、このスイッチは、ユーザーが本捕虫装置の特性を制御できるように構成される。一実施形態において、この特性は、電力、光の強さ、光の波長又は周波数、光の点滅、光のパターン、及びこれらの組み合わせからなる群から選択される。一実施形態において、スイッチは、機械的スイッチ、光学的スイッチ、電子的スイッチ、電気機械的スイッチ、又はホール効果センサを含む。一実施形態において、エンクロージャは反射面を含む。一実施形態において、粘着面は反射面に近接している。一実施形態において、ベース部分は、発光素子に対して変動電圧を供給するように構成された回路を含み、発光素子は、捕虫部分に断続的な光を提供する。一実施形態において、エンクロージャは外側表面を含み、この外側表面は、エンクロージャから発する光の量を低減するように構成されたスリーブにより少なくとも部分的に取り囲まれている。一実施形態において、第１又は第２の内側表面のうち少なくとも１つは、テクスチャ付き表面を含み、テクスチャ付き表面は、エンクロージャの表面積を増加させるように構成される。一実施形態において、テクスチャ付き表面は、第１又は第２の内側表面の長さの少なくとも一部分にわたって延在する畝を含む。一実施形態において、第１又は第２の内側表面のうち少なくとも１つは、テクスチャ付き表面を含み、テクスチャ付き表面は、エンクロージャの表面積を増加させるように構成される。一実施形態において、テクスチャ付き表面は、第１又は第２の内側表面の長さの少なくとも一部分にわたって延在する畝を含む。一実施形態において、本捕虫装置は、後側ハウジング部分の第２の内側表面に近接して配置される導光体を更に含み、この導光体は、前面及び背面を有し、この導光体は、ベース部分から光を受け取り、その光を所定のパターンでエンクロージャ内に配光するように構成される。一実施形態において、導光体の前面は、粘着材料を更に含む。一実施形態において、光反射体の背面は、所定の方向に放射される光の量を低減するように構成される。一実施形態において、導光体は先細形状であり、ベース部分に近接する部分でより厚い奥行きを有し、反対側でより薄い奥行きを有する。一実施形態において、導光体の背面は、光を導光体へと反射するように構成されている。一実施形態において、光は導光体内で複数回反射されてから、エンクロージャ内に放射される。一実施形態において、背面は、後側カバー又はマット層を含む。一実施形態において、ベース部分は、光学的エンハンサを更に含み、光学的エンハンサは、光を所定のパターンで捕虫部分内に導くように構成されている。一実施形態において、光学的エンハンサは、レンズを含む。一実施形態において、エンクロージャは内側スリーブを含み、ベース部分は外側スリーブを含み、内側スリーブは外側スリーブと位置合わせされるように構成されている。一実施形態において、外側スリーブは、開口部を有するフェースプレートを含む。一実施形態において、フェースプレート開口部は、エンクロージャ開口部に対応し、開口部は位置合わせの手段を提供する。一実施形態において、内側スリーブは、外側スリーブ内に投入されるように構成されている。一実施形態において、内側スリーブは、内側スリーブを保持するためのタブを含む。一実施形態において、ベース部分はドッキングスイッチを含み、ドッキングスイッチは、捕虫部分がベース部分に正しく係合したときに、発光素子を作動させるように構成されている。一実施形態において、捕虫部分はドッキング・スイッチ・アクチベータを含み、ドッキング・スイッチ・アクチベータは、捕虫部分がベース部分に正しく係合したときに、ドッキングスイッチを作動させるように構成されている。一実施形態において、ドッキングスイッチは、機械的スイッチ、光学的スイッチ、電子的スイッチ、電気機械的スイッチ、又はホール効果センサを含む。
【０４４４】
一態様において、捕虫装置が開示され、本捕虫装置は、粘着面と第１の開口部を有するエンクロージャを含む捕虫部分であって、粘着面は、エンクロージャ内に少なくとも部分的に収容され、かつ虫を付着するように構成されており、発光素子は、エンクロージャ内に少なくとも部分的に収容され、発光素子は、エンクロージャ内に光を供給するように構成されており、発光素子は、電源に接続されて電力を受け取るように構成される、捕虫部分と、捕虫部分と取り外し可能に係合し、電力へのアクセスを提供する、ベース部分と、を含む。一実施形態において、発光素子は、複数の捕虫部電気接点を含み、ベース部分は、複数のベース部電気接点を含み、捕虫部接点はベース部接点に接続されて、発光素子に電力を供給するように構成される。一実施形態において、ベース部接点は、電源に接続されている。一実施形態において、この発光素子は、発光ダイオード（ＬＥＤ）を含む。
【０４４５】
一態様において、取り外し可能な捕虫装置カートリッジは、カートリッジを画定するエンクロージャを含み、エンクロージャは、粘着面と第１の開口部とを含み、粘着面は、少なくとも部分的にエンクロージャ内に収容され、かつ虫を付着させるように構成されており、第１の開口部は、虫がエンクロージャ内に入り得るように構成されており、エンクロージャは、エンクロージャ内に所定のパターンで光を供給するように構成されている。一実施形態において、エンクロージャは、発光素子を更に含む。一実施形態において、この発光素子は、発光ダイオード（ＬＥＤ）を含む。一実施形態において、この発光素子は、紫外（ＵＶ）ＬＥＤ及び青色ＬＥＤを含む。一実施形態において、エンクロージャは、第１の内側表面を有する前側ハウジング部分と、第２の内側表面を有する後側ハウジング部分と、を含み、前側ハウジング部分と後側ハウジング部分とは、互いに噛み合い係合してエンクロージャを形成し、第１の内側表面又は第２の内側表面のうちの少なくとも一方は、光を操作するように構成される。一実施形態において、第１の内側表面又は第２の内側表面のうち少なくとも一方が、粘着面を含む。一実施形態において、後側ハウジング部分が凹状表面を有し、この凹状表面は、エンクロージャ内に光を均一に反射するように構成されている。一実施形態において、光は粘着面を透過し、粘着面を照らして、粘着面に虫を誘引する。一実施形態において、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、前側ハウジング部分と後側ハウジング部分とは、互いに噛み合い係合してエンクロージャを形成し、ディバイダ部分は、エンクロージャを前側エンクロージャ部分と後側エンクロージャ部分とに分割する。一実施形態において、ディバイダ部分は、半透明材料を有する背面と、粘着面を有する前面とを含む。一実施形態において、後側ハウジング部分の第２の内側表面は、凹状表面を含み、凹状表面は、ディバイダ部分の背面へと光を反射させるように構成されている。一実施形態において、光は粘着面を透過し、粘着面を照らして、粘着面に虫を誘引する。一実施形態において、ディバイダ部分の背面は、後側ハウジング部分の第２の内側表面から光を受け取るように、又は発光素子から直接的に光を受け取るように構成されている。一実施形態において、エンクロージャは底面を含み、この底面は、差し込み可能なベースを、取り外し可能に受容するように構成されている。一実施形態において、エンクロージャは生分解性材料を含む。一実施形態において、エンクロージャは外側表面を含み、この外側表面は装飾要素を含む。一実施形態において、装飾要素は、花、植物、貝殻、会社ロゴ、スポーツチームロゴ、フットボール、バスケットボール、サッカーボール、ホッケーパック、フットボールヘルメット、又はホッケースティックからなる群から選択される形状を含む。一実施形態において、捕虫部分は虫誘引剤を含む。一実施形態において、虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される。一実施形態において、虫誘引剤は、カートリッジから約２メートルの距離にいる虫によって感知可能である。一実施形態において、エンクロージャは、テクスチャ付き表面を含み、テクスチャ付き表面は、エンクロージャの表面積を増加させるように構成される。一実施形態において、テクスチャ付き表面は、エンクロージャの長さの少なくとも一部分にわたって延在する畝を含む。一実施形態において、カートリッジは、エンクロージャ内に配置される導光体を更に含み、導光体は、光を受け取って、光を所定のパターンでエンクロージャ内に配光するように構成される。一実施形態において、エンクロージャは内側スリーブを含み、内側スリーブは外側スリーブ内に受容されて、外側スリーブと位置合わせされるように構成されている。一実施形態において、外側スリーブは、開口部を有するフェースプレートを含む。一実施形態において、フェースプレート開口部は、エンクロージャ開口部に対応し、開口部は位置合わせの手段を提供する。一実施形態において、内側スリーブは、内側スリーブを保持するためのタブを含む。一実施形態において、カートリッジはドッキング・スイッチ・アクチベータを含み、ドッキング・スイッチ・アクチベータは、カートリッジがベース部分に正しく係合したときに、ドッキングスイッチをオンにするように構成されている。一実施形態において、ドッキング・スイッチ・アクチベータは、機械的スイッチ、光学的スイッチ、電子的スイッチ、電気機械的スイッチ、又はホール効果センサを含む。
【０４４６】
一態様において、捕虫装置のベース部分を提供することと、捕虫装置の第１の捕虫部分を提供することであって、第１の捕虫部分は開口部を含む、ことと、ベース部分に第１の捕虫部分を取り付けることと、ベース部分を電源に接続して、発光素子へ電力を供給することとであって、発光素子は、ベース部分又は第１の捕虫部分内にあり、発光素子は、虫を第１の捕虫部分内に誘引するように構成される、ことと、該開口部を通して虫を第１の捕虫部分へと受け入れることと、を含む方法が開示される。一実施形態において、本方法は、第１の捕虫部分をベース部分から分離することと、第１の捕虫部分を廃棄することであって、廃棄した第１の捕虫部分内に虫が残留することと、を更に含む。一実施形態において、第１捕虫部分は、人間が第１捕虫部分内の虫に接触することなく、廃棄される。一実施形態において、第１捕虫部分は粘着面を含み、虫は粘着面に付着する。一実施形態において、ベース部分はドッキングスイッチを含み、ドッキングスイッチは、第１捕虫部分がベース部分に正しく取り付けられたときに、発光素子を作動させるように構成されている。一実施形態において、第１捕虫部分をベース部分から分離すると、発光素子がオフになる。一実施形態において、第１捕虫部分をベース部分から分離すると、発光素子は、発光が部分的に遮蔽される。一実施形態において、本方法は、捕虫装置の第２の捕虫部分を提供することであって、第２の捕虫部分は開口部を含む、ことと、第２の捕虫部分をベース部分に取り付けることと、を更に含む。第４の態様の一実施形態において、第１捕虫装置と第２捕虫装置は異なる構成を有する。
【０４４７】
一態様において、ドッキング装置が開示され、これは、ドッキングアクチベータに応答して作動するように構成されたドッキング構造を含み、ドッキングアクチベータは、ドッキング構造と係合するように構成された別のピース上に配置されており、ドッキング構造は、電源に接続されて、発光素子への電力を制御するように構成される。一実施形態において、ドッキングアクチベータは、表面、突出部、タブ、又は磁石を含む。一実施形態において、ドッキング構造は、ドッキングアクチベータと係合しているときには閉じ、ドッキングアクチベータから係合解除されたときには開くように構成されている。一実施形態において、ドッキング構造は、ドッキングアクチベータからの圧力に応答して作動するように構成されている。一実施形態において、ドッキング構造は、ドッキングアクチベータからの変位に応答して作動するように構成されている。
【０４４８】
一態様において、取り外し可能な捕虫装置カートリッジは、カートリッジを画定するエンクロージャであって、エンクロージャは、粘着面と第１の開口部とを含み、粘着面は、少なくとも部分的にエンクロージャ内に収容され、かつ虫を付着させるように構成された、エンクロージャと、ドッキングアクチベータであって、取り付け部分のドッキング構造に係合するように構成された、ドッキングアクチベータと、を含む。
【０４４９】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に、主方向において光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、ディバイダ部分は、光の主方向に対して鋭角をなすように構成される。一実施形態において、前記鋭角は、光の主方向の面に対して約０度〜４５度である。一実施形態において、ディバイダ部分は、半透明材料を含む背面と、粘着面を含む前面とを含む。一実施形態において、ディバイダ部分の背面は、後側ハウジング部分の第２の内側表面から光を受け取るように、又は発光素子から直接的に光を受け取るように構成されている。一実施形態において、ディバイダ部分は、斜めの角度の光を受け取り、ディバイダ部分にわたって広げるように構成されている。一実施形態において、ディバイダ部分は、光を操作するように構成されている。一実施形態において、後側ハウジング部分の第２の内側表面は、凹状表面を含み、凹状表面は、ディバイダ部分の背面へと光を反射させるように構成されている。一実施形態において、光は粘着面を透過し、粘着面を照らして、粘着面に虫を誘引する。一実施形態において、ディバイダ部分は、平面又は形成形状を含み、ディバイダ部分の形状は、配光を最適化するように構成される。
【０４５０】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、ベース部分は、スナップ突出部を含み、捕虫部分は、スナップ突出部を受容するスナップ凹部を含み、スナップ突出部が捕虫部分によって受容される際、ベース部分と捕虫部分は、スナップ嵌めにより係合し、このスナップ嵌めは、ユーザーが捕虫装置を適切に係合させるための、明確な触覚的合図、又は聴覚的合図を提供するように構成される。一実施形態において、このスナップ嵌めは、約５０ニュートン未満の力で着脱可能である。一実施形態において、このスナップ嵌めは、ユーザーが片手で、捕虫部分とベース部分とを着脱できるようなものである。第２の態様の一実施形態において、ベース部分は、水平面に置いたときに直立状態を保つように構成される。一実施形態において、このベース部分は、ベース部分が直立状態を保てるように、平らな底面又は脚部を含む。
【０４５１】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、エンクロージャは、第１の内側表面を有する前側ハウジング部分と、第２の内側表面を有する後側ハウジング部分と、を含み、第２の内側表面は、透明、半透明、又は不透明な粘着剤コーティングを含む。一実施形態において、第２の内側表面は、粘着剤コーティングの下に反射性コーティングを更に含む。一実施形態において、発光素子は紫外線（ＵＶ）発光ダイオード（ＬＥＤ）又は青色ＬＥＤを含み、発光素子は、後側ハウジング部分の粘着剤コーティング上に直接光を伝える。
【０４５２】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、ベース部分から捕虫部分へと少なくとも部分的には突出し、捕虫部分と係合した際に、捕虫部分へ光を提供するように構成され、取り付け部分は、電源に接続され、該電源から電力を受け取るように構成される、ベース部分と、を含み、捕虫部分は、ベース部分と取り外し可能に係合するように構成される。一実施形態において、発光素子は、蛍光光源、白熱光源、発光ダイオード（ＬＥＤ）、又はこれらの組み合わせを含む。一実施形態において、捕虫部分は、捕虫部分内へと突出する発光素子を受容するように構成されたスリーブを更に含む。一実施形態において、スリーブは、透明、半透明、又は不透明のスリーブを含む。一実施形態において、スリーブは、開口部と先細部分とを含み、開口部はベース部分に近接して配置され、ここから発光素子が突出している。一実施形態において、スリーブの先細部分は、発光素子をスリーブ内へとガイドするように構成されている。一実施形態において、スリーブは、発光素子のために保護被覆を提供するのに十分な半剛性材料で構築されている。一実施形態において、スリーブは、不透明コーティングを更に含み、不透明コーティングは、発光素子から捕虫部分内へと光が直接伝わらないように構成されている。一実施形態において、捕虫部分は、捕虫部分内へと突出する発光素子を受容するように構成された不透明なスリーブを更に含む。一実施形態において、捕虫部分は、捕虫部分内へと突出する発光素子を受容するように構成され、発光素子をスリーブ内へとガイドするように構成された、半剛性スリーブを更に含む。一実施形態において、スリーブは、プラスチック又は金属のワイヤメッシュを含む。一実施形態において、スリーブは、発光素子が粘着面に接触することを防ぐように構成されている。一実施形態において、発光素子は、光を発するように構成されており、スリーブは、発せられた光をエンクロージャ内及び粘着面上へと透過させるように構成されている。一実施形態において、スリーブは、発光素子からの光を散乱させるように更に構成されている。
【０４５３】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、捕虫装置は、平らな表面上に置かれ、エンクロージャにおける第１の開口部を通じて這う虫を受容するように構成される。一実施形態において、この取り付け部分は、電気プラグに接続された電気コードを含み、電気プラグは、プラグから実質的に垂直かつ直接突出している剛性の導電体を有し、この導電体は、電気コンセントに挿入可能である。一実施形態において、捕虫部分は、上面及び底面を有する底板を含む。一実施形態において、底板の上面は、透明、半透明、又は不透明の粘着剤コーティングを含む。一実施形態において、底板の底面は、捕虫装置を平らな面の上に置いたときに、捕虫装置の下を虫が這うことを防ぐように構成されている。一実施形態において、底面は平坦であるか、又は外周部分が平坦である。一実施形態において、エンクロージャは、第１の内側表面を有する上側ハウジング部分と、第２の内側表面を有する下側ハウジング部分と、少なくとも部分的には上側ハウジング部分と下側ハウジング部分との間に配置されるディバイダ部分と、を含み、上側ハウジング部分と下側ハウジング部分とは、互いに噛み合い係合してエンクロージャを形成し、ディバイダ部分は、エンクロージャを上側エンクロージャ部分と下側エンクロージャ部分とに分割する。一実施形態において、第２の内側表面は、底板の一部を含み、かつ反射性コーティングを含む。一実施形態において、ディバイダ部分は、上面及び底面を含み、上面は、透明又は半透明の粘着剤で少なくとも部分的にコーティングされている。一実施形態において、捕虫部分内の第１の開口部は上側エンクロージャ部分内に位置し、虫は、ディバイダ部分上の粘着剤に捕獲される。一実施形態において、発光素子は光を発し、この光は、上側エンクロージャ内に受容され、ハウジングの第１の内側表面と、ディバイダ部分の上面とに当たる。一実施形態において、ディバイダ部分は、ハウジング部分の第１の開口部に対応するディバイダ開口部を含む。一実施形態において、第２の内側表面は、底板の一部を含み、かつ粘着剤コーティングを含む。一実施形態において、這う虫が第１の開口部及びディバイダ開口部を通って入ると、底板の粘着剤コーティングに捕獲される。一実施形態において、本捕虫装置は、上側エンクロージャ部分内に配置される光散乱部材を更に含み、この光散乱部材は光散乱特性を有する。一実施形態において、光散乱部材は、透明又は半透明の材料を含む。一実施形態において、光散乱部材は、光散乱を助ける表面形状を含む。一実施形態において、光散乱部材は、上側エンクロージャ部分の内側表面に適合するように構成された可撓性シートを含む。一実施形態において、光散乱部材は、ディバイダ部分の凹部に受容されるように構成されている。一実施形態において、光散乱部材は、ディバイダ部分を通って下側エンクロージャ部分内へと均一に光を透過するように構成されている。
【０４５４】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、捕虫部分は、取り外し可能なカバーを有する虫誘引剤モジュールを含む。一実施形態において、取り外し可能なカバーは、プルタブ及びウェビングを含み、エンクロージャは、取り外し可能なプルタブを受容するためのタブスロットを含む。一実施形態において、虫誘引剤モジュールは、使い捨てカップを含み、この使い捨てカップは、プルタブが係合するまでウェビングで覆われている。一実施形態において、プルタブを係合させることは、ウェビングがカップから分離するまで、タブスロットにおいてプルタブを引っ張ることを含む。一実施形態において、取り外し可能なカバーは、未使用の間、虫誘引剤モジュールを気密封止する。一実施形態において、虫誘引剤モジュールは、担体材料と、１種類又は２種類以上の虫誘引剤とを含む。一実施形態において、担体材料と虫誘引剤は、所定の期間、虫誘引性のにおいを放出するように構成される。一実施形態において、前記所定の期間は、１週間、１ヶ月、又は最大で３ヶ月を含む。一実施形態において、前記所定の期間は、捕虫装置の寿命を含む。一実施形態において、放出される虫誘引性のにおいは、経時的に変化する。一実施形態において、第１の虫誘引性のにおいが第１の期間にわたって放出され、第２の虫誘引性のにおいが第２の期間にわたって放出される。一実施形態において、第１の虫誘引性のにおいが第１の期間にわたって第１の濃度で放出され、第１の虫誘引性のにおいが第２の期間にわたって第２の濃度で放出される。一実施形態において、担体材料は１種類又は２種類以上のにおい隠し（masking scent）を放出するように構成されており、このにおい隠しは、人間及び／又は対象外の動物に対して、虫誘引剤をマスキングするように構成されている。一実施形態において、本捕虫装置は、発熱体を更に含み、この発熱体は、虫誘引剤モジュールを温めて、虫誘引剤の放出を助けるように構成されている。一実施形態において、発熱体は、捕虫装置のベース部分内に位置する回路基板を含む。一実施形態において、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、ディバイダ部分は、エンクロージャを前側エンクロージャ部分と後側エンクロージャ部分とに分割し、虫誘引剤モジュールが後側ハウジング部分に配置される。一実施形態において、取り外し可能なカバーはプルタブ及びウェビングを含み、ディバイダ部分は、スロットを含み、前側エンクロージャは、取り外し可能なプル��ブを受容するためのタブスロットを含み、このプルタブは、ディバイダ部分のスロットと前側エンクロージャのタブスロットとを通って延在する。一実施形態において、ディバイダ部分と前側ハウジング部分は、虫誘引剤モジュールの虫誘引剤が捕虫装置から放出されるように、複数の開口部を含む。
【０４５５】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、捕虫部分は、捕虫部分がベース部分に係合された際に、虫誘引剤を自動的に放出するように構成された、虫誘引剤モジュールを含む。一実施形態において、虫誘引剤モジュールは、使い捨てカップを含み、この使い捨てカップは、貫通可能な蓋により覆われている。一実施形態において、ベース部分は、貫通可能な蓋及び／又は使い捨てカップに穴を開けるように構成されたパンチを含む。
【０４５６】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、捕虫装置は、虫誘引性の音又は振動を発するように構成された発信機を含む。一実施形態において、ベース部分は第２の開口部を含み、この第２の開口部は、発信機のための取り付け表面を提供する。一実施形態において、発信機は、電気機械アクチュエーター又は圧電スピーカを含む。一実施形態において、発信機は、本捕虫装置に、虫誘引性の音又は振動を発振させ、かつ増幅するように構成されている。一実施形態において、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、ディバイダ部分は、前側ハウジング部分に近接する前面と後側ハウジング部分に近接する背面を有し、ディバイダ部分は、エンクロージャを前側エンクロージャ部分と後側エンクロージャ部分とに分割し、発信機は、ディバイダ部分の背面に接続される。一実施形態において、本捕虫装置は、本捕虫装置のベース部分内に配置される回路基板を更に含み、この回路基板は、捕虫部分とベース部分とが係合しているとき、発信機と電気的に接続される。一実施形態において、発信機は、電気機械アクチュエーター又は圧電スピーカを含む。一実施形態において、虫誘引性の音又は振動は、蚊、小昆虫、蛾、又は蠅を誘引する。一実施形態において、虫誘引性の音又は振動は、虫の発信、応答、求愛、又は連結の歌を含む。一実施形態において、回路基板は、発信機に電気パルスを送信するように構成され、かつ発信機から電気的応答信号を受信するように構成されており、この応答信号は、本捕虫装置内に、ある量の虫が存在することを示す。一実施形態において、電気的応答信号は、粘着面に付着しディバイダ部分に接続されている虫の量により、部分的には生じる。一実施形態において、前記電気パルスは、ディバイダ部分を振動させ、この振動は、粘着面に付着しディバイダ部分に接続されている虫の量により影響を受ける。一実施形態において、回路基板は、虫の量が所定の閾値に達すると、可聴又は視覚的な指標をユーザーに提供するように構成されている。一実施形態において、前記視覚的指標は、光の点滅、又は所定の色の光の点灯を含む。一実施形態において、可聴指標は、トーン、又はチャイムを含む。一実施形態において、前側ハウジングは、前側エンクロージャ内に、偏光反射性の底面を更に含む。一実施形態において、偏光反射面は、水表面を模する。一実施形態において、偏光反射面は、畝又は微小形状を含む。
【０４５７】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、ベース部分は開口部を含み、この開口部は、ベース部分から捕虫部分へと光を発するように構成され、捕虫部分は、ベース部分と取り外し可能に係合して、ベース部分と係合した際に、ベース部分から光を受け取るように構成され、発光素子の一部分は、ベース部分から開口部を通って捕虫部分へと突出し、捕虫部分と係合した際に、捕虫部分へ光を提供する。一実施形態において、ベース部分における開口部は透明又は半透明のウィンドウを含む。一実施形態において、ベース部分の開口部は、光検出器のための取り付け表面を提供するように構成されている。一実施形態において、光検出器は、光センサ、光電池、光トランジスタ、光抵抗器、又は光ダイオードを含む。一実施形態において、本捕虫装置は、本捕虫装置のベース部分内に配置される回路基板を更に含み、この回路基板は、捕虫部分とベース部分とが係合しているとき、発光素子及び光検出器と電気的に接続される。一実施形態において、回路基板は、光検出器の電気的特性の変化を検出するように構成されており、この変化は、捕虫装置内の虫の量の指標となる。一実施形態において、回路基板は、虫の量が所定の閾値に達すると、視覚的な指標をユーザーに提供するように構成されている。一実施形態において、前記視覚的指標は、光の点滅、又は所定の色の光の点灯を含む。
【０４５８】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、ディバイダ部分は、虫誘引性の明暗コントラスト領域を提供するように構成されたテキスト又は図形を含む。一実施形態において、テキスト又は図形は、印刷、ホットスタンプ、シルクスクリーン、エンボス加工、刻印、又は成型により適用される。第１０の態様の一実施形態において、テキスト又は図形は、照らされたときに光って見える蛍光顔料を含む。
【０４５９】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、エンクロージャは、ベース部分から光を受け取り、その光をエンクロージャ内に所定のパターンで配光するように構成される、電界発光体又は表面を更に含む。
【０４６０】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、発光ダイオード（ＬＥＤ）のアレイを含み、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、ベース部分は、反射面を有する後側ハウジングを含み、この反射面は、ＬＥＤから発せられた光に対する、後方向におけるバリヤとして機能するように構成される。一実施形態において、ベース部分は透明又は半透明のウィンドウを含み、このウィンドウは、ベース部分から捕虫部分へと光を発し得るように構成されている。一実施形態において、ウィンドウは、後側ハウジングの反射面とＬＥＤを、埃と破片から保護するように更に構成されている。
【０４６１】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子、取り付け部分、及びドッキングスイッチを含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、ドッキングスイッチは、捕虫部分がベース部分に正しく係合された場合には、発光素子を作動させ、捕虫部分がベース部分に正しく係合されていない場合には、発光素子からの光を遮断するように構成される。一実施形態において、ベース部分がスクリーンを更に含み、このスクリーンは、作動時に、発光素子からの光の少なくとも一部を遮断するように構成される。一実施形態において、スクリーンは、液晶ディスプレイ（ＬＣＤ）を含む。
【０４６２】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、電源に接続された第１の発熱体と、を含み、捕虫部分は、ベース部分と取り外し可能に係合して、ベース部分と係合した際に、ベース部分から光を受け取るように構成され、第１の発熱体は、捕虫部が係合された際に、捕虫部の少なくとも一部分に熱を供給する。一実施形態において、第１の発熱体は、ベース部分における回路に位置する。一実施形態において、前記回路は、発光素子に一定の又は断続的な電圧を供給するように構成される。一実施形態において、第１の発熱体は、抵抗器、抵抗発熱体、又は熱交換素子のうちの少なくとも１つを含む。一実施形態において、第１の発熱体は、捕虫装置の少なくとも一部分において、少なくともおよそ３０℃の温度を維持する。一実施形態において、第１の発熱体は、捕虫装置の少なくとも一部分において、およそ３０℃〜４５℃の温度を維持する。一実施形態において、第１の発熱体は、捕虫装置の少なくとも一部分において、およそ３３℃〜４２℃の温度を維持する。一実施形態において、発光素子は、第２の発熱体を含み、この第２の発熱体は、本捕虫装置への熱の供給に関して、第１の発熱体を補助するように構成される。第１の態様の一実施形態において、発光素子は、１つ又は２つ以上の発光ダイオード（ＬＥＤ）、白熱電球、又はこれらの組み合わせを含む。一実施形態において、発光素子は、第２の発熱体を含み、この第２の発熱体は、本捕虫装置への熱の供給に関して、第１の発熱体を置き換えるように構成される。一実施形態において、発光素子は、１つ又は２つ以上の発光ダイオード（ＬＥＤ）、白熱電球、又はこれらの組み合わせを含む。一実施形態において、エンクロージャは、第１の内側表面を有する前側ハウジング部分と、第２の内側表面を有する後側ハウジング部分と、を含み、前側ハウジング部分と後側ハウジング部分とは、互いに噛み合い係合してエンクロージャを形成し、第１の内側表面又は第２の内側表面のうちの少なくとも一方は、光を操作するように構成され、ベース部分は、開口部を含み、この開口部は、ベース部分からエンクロージャへと光を発して、実質的に第２の内側表面にわたって光を発散させるように構成される。一実施形態において、開口部は、発光素子に近接しており、光は、第２の内側表面にわたって所定のパターンで発散する。一実施形態において、エンクロージャは、第１の内側表面を有する前側ハウジング部分と、第２の内側表面を有する後側ハウジング部分と、少なくとも部分的には前側ハウジング部分と後側ハウジング部分との間に配置されるディバイダ部分と、を含み、前側ハウジング部分と後側ハウジング部分とは、互いに噛み合い係合してエンクロージャを形成し、ディバイダ部分は、エンクロージャを前側エンクロージャ部分と後側エンクロージャ部分とに分割し、ベース部分は、開口部を含み、この開口部は、ベース部分からエンクロージャへと光を発して、実質的に第２の内側表面にわたって光を発散させるように構成される。一実施形態において、開口部は、発光素子に近接しており、光は、第２の内側表面にわたって所定のパターンで発散する。一実施形態において、捕虫部分は虫誘引剤を含む。一実施形態において、第１の発熱体は、虫誘引剤の放出を増大させる。一実施形態において、虫誘引剤は、水、水蒸気、砂糖、糖液、糖蜜、蜂蜜、酵母、虫誘引性のにおい、フェロモン、及びこれらの組み合わせからなる群から選択される。一実施形態において、第１の発熱体は、水蒸気の放出を増大させる。一実施形態において、第１の発熱体は、二酸化炭素の放出を増大させる。
【０４６３】
一態様において、捕虫装置が開示され、本捕虫装置は、粘着面と第１の開口部を有するエンクロージャを含む捕虫部分であって、粘着面は、エンクロージャ内に少なくとも部分的には収容され、かつ虫を付着するように構成される、捕虫部分と、発光素子及び取り付け部分を含むベース部分であって、発光素子は、捕虫部分に光を供給するように構成され、取り付け部分は、電源に接続され、該電源から電力を受け取るように構成される、ベース部分と、を含み、捕虫部分は、ベース部分と取り外し可能に係合して、ベース部分と係合した際に、ベース部分から光を受け取るように構成され、捕虫部分は、取り外し可能なカバー及び１種類又は２種類以上の虫誘引剤を有する虫誘引剤モジュールを含み、虫誘引物質のうちの少なくとも１種類は、水、水蒸気、砂糖、糖液、糖蜜、蜂蜜、酵母、虫誘引性のにおい、フェロモン、及びこれらの組み合わせを含む。一実施形態において、取り外し可能なカバーは、プルタブ及びウェビングを含み、エンクロージャは、取り外し可能なプルタブを受容するためのタブスロットを含む。一実施形態において、虫誘引剤モジュールは、コンテナを含み、このコンテナは、プルタブが係合するまでウェビングで覆われている。一実施形態において、虫誘引剤モジュールは、コンテナの内部に担体材料を更に含む。一実施形態において、担体材料は、固体、液体、ゲル、又はこれらの組み合わせを含む。一実施形態において、少なくとも１種類の虫誘引剤が担体材料内に埋め込まれる。一実施形態において、水又は水蒸気が、担体材料内に埋め込まれる。一実施形態において、少なくとも１種類の虫誘引剤は、コンテナ内に位置している。一実施形態において、虫誘引剤は、所定の期間、虫誘引性のにおいを放出するように構成される。一実施形態において、前記所定の期間は、１週間、１ヶ月、又は最大で３ヶ月を含む。一実施形態において、前記所定の期間は、捕虫装置の寿命を含む。一実施形態において、放出される虫誘引性のにおいは、経時的に変化する。一実施形態において、第１の虫誘引性のにおいが第１の期間にわたって放出され、第２の虫誘引性のにおいが第２の期間にわたって放出される。一実施形態において、第１の虫誘引性のにおいが第１の期間にわたって第１の濃度で放出され、第１の虫誘引性のにおいが第２の期間にわたって第２の濃度で放出される。一実施形態において、虫誘引剤モジュールは、１種類又は２種類以上のにおい隠しを放出するように構成されており、このにおい隠しは、人間及び／又は対象外の動物に対して、虫誘引剤をマスキングするように構成されている。一実施形態において、本捕虫装置は、発熱体を更に含み、この発熱体は、虫誘引剤モジュールを温めて、虫誘引剤の放出を助けるように構成されている。一実施形態において、発熱体は、捕虫装置のベース部分内に位置する回路部品を含む。一実施形態において、発熱体は、捕虫装置の少なくとも一部分において、少なくともおよそ３０℃の温度を維持する。一実施形態において、発熱体は、捕虫装置の少なくとも一部分において、およそ３０℃〜４５℃の温度を維持する。一実施形態において、発熱体は、捕虫装置の少なくとも一部分において、およそ３３℃〜４２℃の温度を維持する。
【０４６４】
本明細書に開示される捕虫装置は、虫を効果的かつ効率的に誘引し捕獲できる。本捕虫装置は、既存の捕虫装置よりも安価であり得る。本捕虫装置は、必要とされるどのような場所にも十分にフィットするほど小さく、ある場所から別の場所へと便利に移動可能であり得る。本捕虫装置は、壁に取り付けたときの突出が最小限であり得る。取り外し可能で交換可能な捕虫部分は、外観が魅力的であり得、しかも、安価かつ使い捨て可能となり得、また、ユーザーは、捕獲された虫又は粘着剤に触れることなく、容易にメンテナンスを行い得る。
【０４６５】
本開示の実施形態の上記説明は、当業者が、本開示を実施又は利用できるように提供されている。これらの実施形態に対する様々な改変が、当業者には明らかとなるであろうし、また、本明細書に記載されている一般的原理は、本開示の趣旨又は範囲から逸脱することなく、他の実施形態に適用可能である。よって、本明細書に示されている説明及び図面は、本開示の例示的な実施形態を代表するものであり、よって本開示により幅広く想定される主題の代表例であることが理解されよう。また更に、本開示の範囲は他の実施形態を完全に包含し、したがって本開示の範囲は添付の請求項以外のいかなるものによっても制限されないことが理解されよう。
【図１】
2020188785.tif 000003
【図２】
2020188785.tif 000004
【図３】
2020188785.tif 000005
【図４】
2020188785.tif 000006
【図５】
2020188785.tif 000007
【図６】
2020188785.tif 000008
【図７】
2020188785.tif 000009
【図８】
2020188785.tif 000010
【図９】
2020188785.tif 000011
【図１０】
2020188785.tif 000012
【図１１】
2020188785.tif 000013
【図１２】
2020188785.tif 000014
【図１３】
2020188785.tif 000015
【図１４】
2020188785.tif 000016
【図１５】
2020188785.tif 000017
【図１６】
2020188785.tif 000018
【図１７】
2020188785.tif 000019
【図１８】
2020188785.tif 000020
【図１９】
2020188785.tif 000021
【図２０】
2020188785.tif 000022
【図２１】
2020188785.tif 000023
【図２２】
2020188785.tif 000024
【図２３】
2020188785.tif 000025
【図２４】
2020188785.tif 000026
【図２５】
2020188785.tif 000027
【図２６】
2020188785.tif 000028
【図２７】
2020188785.tif 000029
【図２８】
2020188785.tif 000030
【図２９】
2020188785.tif 000031
【図３０】
2020188785.tif 000032
【図３１】
2020188785.tif 000033
【図３２】
2020188785.tif 000034
【図３３】
2020188785.tif 000035
【図３４】
2020188785.tif 000036
【図３５】
2020188785.tif 000037
【図３６】
2020188785.tif 000038
【図３７】
2020188785.tif 000039
【図３８】
2020188785.tif 000040
【図３９】
2020188785.tif 000041
【図４０】
2020188785.tif 000042
【図４１】
2020188785.tif 000043
【図４２】
2020188785.tif 000044
【図４３】
2020188785.tif 000045
【図４４】
2020188785.tif 000046
【図４５】
2020188785.tif 000047
【図４６】
2020188785.tif 000048
【図４７】
2020188785.tif 000049
【図４８】
2020188785.tif 000050
【図４９】
2020188785.tif 000051
【図５０】
2020188785.tif 000052
【図５１】
2020188785.tif 000053
【図５２】
2020188785.tif 000054
【図５３】
2020188785.tif 000055
【図５４】
2020188785.tif 000056
【図５５】
2020188785.tif 000057
【図５６】
2020188785.tif 000058
【図５７】
2020188785.tif 000059
【図５８】
2020188785.tif 000060
【図５９】
2020188785.tif 000061
【図６０】
2020188785.tif 000062
【図６１】
2020188785.tif 000063
【図６２】
2020188785.tif 000064
【図６３】
2020188785.tif 000065
【図６４】
2020188785.tif 000066
【図６５】
2020188785.tif 000067
【図６６】
2020188785.tif 000068
【図６７】
2020188785.tif 000069
【図６８】
2020188785.tif 000070
【図６９】
2020188785.tif 000071
【図７０】
2020188785.tif 000072
【図７１】
2020188785.tif 000073
【図７２】
2020188785.tif 000074
【図７３】
2020188785.tif 000075
【図７４】
2020188785.tif 000076
【図７５】
2020188785.tif 000077
【図７６】
2020188785.tif 000078
【図７７】
2020188785.tif 000079
【図７８】
2020188785.tif 000080
【図７９】
2020188785.tif 000081
【図８０】
2020188785.tif 000082
【図８１】
2020188785.tif 000083
【図８２】
2020188785.tif 000084
【図８３】
2020188785.tif 000085
【図８４】
2020188785.tif 000086
【図８５】
2020188785.tif 000087
【図８６】
2020188785.tif 000088
【図８７】
2020188785.tif 000089
【図８８】
2020188785.tif 000090
【図８９】
2020188785.tif 000091
【図９０】
2020188785.tif 000092
【図９１】
2020188785.tif 000093
【図９２】
2020188785.tif 000094
【図９３】
2020188785.tif 000095
【図９４】
2020188785.tif 000096
【図９５】
2020188785.tif 000097
【図９６】
2020188785.tif 000098
【図９７】
2020188785.tif 000099
【図９８】
2020188785.tif 000100
【図９９】
2020188785.tif 000101
【図１００】
2020188785.tif 000102
【図１０１】
2020188785.tif 000103
【図１０２】
2020188785.tif 000104
【図１０３】
2020188785.tif 000105
【図１０４】
2020188785.tif 000106
【図１０５】
2020188785.tif 000107
【図１０６】
2020188785.tif 000108
【図１０７】
2020188785.tif 000109
【図１０８】
2020188785.tif 000110
【図１０９】
2020188785.tif 000111
【図１１０】
2020188785.tif 000112
【図１１１】
2020188785.tif 000113
【図１１２】
2020188785.tif 000114
【図１１３】
2020188785.tif 000115
【図１１４】
2020188785.tif 000116
【図１１５】
2020188785.tif 000117
【図１１６】
2020188785.tif 000118
【図１１７】
2020188785.tif 000119
【図１１８】
2020188785.tif 000120
【図１１９】
2020188785.tif 000121
【図１２０】
2020188785.tif 000122
【図１２１】
2020188785.tif 000123
【図１２２】
2020188785.tif 000124
【図１２３】
2020188785.tif 000125
【図１２４】
2020188785.tif 000126
【図１２５】
2020188785.tif 000127
【図１２６】
2020188785.tif 000128
【図１２７】
2020188785.tif 000129
【図１２８】
2020188785.tif 000130
【図１２９】
2020188785.tif 000131
【図１３０】
2020188785.tif 000132
【図１３１】
2020188785.tif 000133
【図１３２】
2020188785.tif 000134
【図１３３】
2020188785.tif 000135
【図１３４】
2020188785.tif 000136
【図１３５】
2020188785.tif 000137
【図１３６】
2020188785.tif 000138
【図１３７】
2020188785.tif 000139
【図１３８】
2020188785.tif 000140
【図１３９】
2020188785.tif 000141
【図１４０】
2020188785.tif 000142
【図１４１】
2020188785.tif 000143
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
フレームと粘着面を有する膜を含む捕虫部分であって、該膜は、少なくとも部分的には該フレーム内に収容されており、かつ虫に付着するように構成される、捕虫部分と、
発光素子とハウジング部分を含むベース部分であって、該ハウジング部分は、該捕虫部分と係合されたときに、該捕虫部分を受容し、かつ保持するように構成される、ベース部分と、を含む、捕虫装置。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
フレームと粘着面を有する膜を含む捕虫部分であって、該膜は、少なくとも部分的には該フレーム内に収容されており、かつ虫に付着するように構成される、捕虫部分と、
発光素子とハウジング部分を含むベース部分であって、該ハウジング部分は、該捕虫部分と係合されたときに、該捕虫部分を受容し、かつ保持するように構成される、ベース部分と、を含む、捕虫装置。
【請求項２】
前記ベース部分の前記ハウジング部分は、前記捕虫部分を受容する１つ又は２つ以上の位置合わせガイドを含む、請求項１に記載の捕虫装置。
【請求項３】
前記位置合わせガイドは、側方チャネル、スロット、フランジ、又は凹部を含む、請求項１に記載の捕虫装置。
【請求項４】
前記捕虫部分の前記フレームは、前記膜の外周を実質的に取り囲む境界部を含む、請求項１に記載の捕虫装置。
【請求項５】
前記捕虫部分の前記境界部は、前記膜の１辺、２辺、又は３辺を取り囲む、請求項４に記載の捕虫装置。
【請求項６】
前記捕虫部分の前記境界部は、側方フランジを含み、かつ前記ベース部分の前記ハウジング部分における１つ又は２つ以上の位置合わせガイド内に受容されるように構成される、請求項４に記載の捕虫装置。
【請求項７】
前記フレームは、ユーザーが前記捕虫部分を、前記ベース部分に差し込み可能となるように、かつ、前記ベース部分から取り外し可能となるように構成されるタブを更に含む、請求項４に記載の捕虫装置。
【請求項８】
前記捕虫部分は、前記タブを介して前記ベース部分と取り外し可能に係合させるように構成される、請求項７に記載の捕虫装置。
【請求項９】
前記ベース部分は、エンクロージャを更に含み、該エンクロージャは、前記捕虫部分を少なくとも部分的に取り囲み、かつ、虫が該エンクロージャ内に入り得るように構成される第１の開口部を含む、請求項１に記載の捕虫装置。
【請求項１０】
前記発光素子は、前記捕虫部分の前方に位置する、請求項１に記載の捕虫装置。
【請求項１１】
前記エンクロージャは、前記エンクロージャから光が放たれ得るように構成された第２の開口部を含む、請求項１０に記載の捕虫装置。
【請求項１２】
前記エンクロージャは、前記光を所定のパターンで配光するよう構成される、請求項１１に記載の捕虫装置。
【請求項１３】
前記ベース部分は、電源に接続され、該電源から電力を受け取るように構成された取り付け部分を更に含む、請求項１に記載の捕虫装置。
【請求項１４】
前記捕虫部分は、前記捕虫部分が前記ベース部分に係合していないときに、前記捕虫部分の前記膜の少なくとも一部分を覆うように構成されたカバーを更に含む、請求項１に記載の捕虫装置。
【請求項１５】
前記捕虫部分は、ヒンジを更に含み、該ヒンジは、前記カバーが開位置及び閉位置へとスイング動作可能となるように構成される、請求項１４に記載の捕虫装置。
【請求項１６】
前記カバーが開位置にあるとき、前記カバーは、前記膜の背後に位置し、これにより前記粘着面を露出させる、請求項１５に記載の捕虫装置。
【請求項１７】
前記カバーが閉位置にあるとき、前記カバーは、前記膜の前方に位置し、これにより、前記粘着面の少なくとも一部分を覆う、請求項１５に記載の捕虫装置。
【請求項１８】
前記カバーは、前記カバーを前記フレームに対して固定する、１つ又は２つ以上の係合機構を含む、請求項１４に記載の捕虫装置。
【請求項１９】
前記フレームは、前記カバーを前記フレームに対して固定する、１つ又は２つ以上の受容機構を含む、請求項１８に記載の捕虫装置。
【請求項２０】
前記係合機構は、畝、隆起部、リップ、突出部、及び凹部を含む、請求項１８に記載の捕虫装置。
【請求項２１】
前記受容機構は、畝、隆起部、リップ、突出部、及び凹部を含む、請求項１８に記載の捕虫装置。
【請求項２２】
前記カバーは、じゃばら扉、ローラブラインド、一枚板、シャッター、又は１つ若しくは２つ以上のスラットを含む、請求項１４に記載の捕虫装置。
【請求項２３】
前記カバーは、前記ベース部分から前記捕虫部分を取り外す際に、前記捕虫部分の前記膜の少なくとも一部分を自動的に覆うように構成される、請求項１４に記載の捕虫装置。
【請求項２４】
前記カバーは、前記捕虫部分を前記ベース部分と係合させた際に、前記捕虫部分の前記膜が自動的に覆われない状態となるように構成される、請求項１４に記載の捕虫装置。
【請求項２５】
前記発光素子は、発光ダイオード（ＬＥＤ）を含む、請求項１に記載の捕虫装置。
【請求項２６】
前記発光素子は、紫外（ＵＶ）ＬＥＤ及び青色ＬＥＤを含む、請求項２５に記載の捕虫装置。
【請求項２７】
前記捕虫部分は、虫誘引剤を含む、請求項１に記載の捕虫装置。
【請求項２８】
前記虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される、請求項２７に記載の捕虫装置。
【請求項２９】
前記捕虫部分は、反射面を更に含む、請求項１に記載の捕虫装置。
【請求項３０】
前記膜は、反射面を含む、請求項２９に記載の捕虫装置。
【手続補正２】
【補正対象書類名】明細書
【補正対象項目名】０４６５
【補正方法】変更
【補正の内容】
【０４６５】
本開示の実施形態の上記説明は、当業者が、本開示を実施又は利用できるように提供されている。これらの実施形態に対する様々な改変が、当業者には明らかとなるであろうし、また、本明細書に記載されている一般的原理は、本開示の趣旨又は範囲から逸脱することなく、他の実施形態に適用可能である。よって、本明細書に示されている説明及び図面は、本開示の例示的な実施形態を代表するものであり、よって本開示により幅広く想定される主題の代表例であることが理解されよう。また更に、本開示の範囲は他の実施形態を完全に包含し、したがって本開示の範囲は添付の請求項以外のいかなるものによっても制限されないことが理解されよう。
なお、本開示の実施の態様はつぎのとおりである。
［１］
フレームと粘着面を有する膜を含む捕虫部分であって、該膜は、少なくとも部分的には該フレーム内に収容されており、かつ虫に付着するように構成される、捕虫部分と、
発光素子とハウジング部分を含むベース部分であって、該ハウジング部分は、該捕虫部分と係合されたときに、該捕虫部分を受容し、かつ保持するように構成される、ベース部分と、を含む、捕虫装置。
［２］
前記ベース部分の前記ハウジング部分は、前記捕虫部分を受容する１つ又は２つ以上の位置合わせガイドを含む、［１］に記載の捕虫装置。
［３］
前記位置合わせガイドは、側方チャネル、スロット、フランジ、又は凹部を含む、［１］に記載の捕虫装置。
［４］
前記捕虫部分の前記フレームは、前記膜の外周を実質的に取り囲む境界部を含む、［１］に記載の捕虫装置。
［５］
前記捕虫部分の前記境界部は、前記膜の１辺、２辺、又は３辺を取り囲む、［４］に記載の捕虫装置。
［６］
前記捕虫部分の前記境界部は、側方フランジを含み、かつ前記ベース部分の前記ハウジング部分における１つ又は２つ以上の位置合わせガイド内に受容されるように構成される、［４］に記載の捕虫装置。
［７］
前記フレームは、ユーザーが前記捕虫部分を、前記ベース部分に差し込み可能となるように、かつ、前記ベース部分から取り外し可能となるように構成されるタブを更に含む、［４］に記載の捕虫装置。
［８］
前記捕虫部分は、前記タブを介して前記ベース部分と取り外し可能に係合させるように構成される、［７］に記載の捕虫装置。
［９］
前記ベース部分は、エンクロージャを更に含み、該エンクロージャは、前記捕虫部分を少なくとも部分的に取り囲み、かつ、虫が該エンクロージャ内に入り得るように構成される第１の開口部を含む、［１］に記載の捕虫装置。
［１０］
前記発光素子は、前記捕虫部分の前方に位置する、［１］に記載の捕虫装置。
［１１］
前記エンクロージャは、前記エンクロージャから光が放たれ得るように構成された第２の開口部を含む、［１０］に記載の捕虫装置。
［１２］
前記エンクロージャは、前記光を所定のパターンで配光するよう構成される、［１１］に記載の捕虫装置。
［１３］
前記ベース部分は、電源に接続され、該電源から電力を受け取るように構成された取り付け部分を更に含む、［１］に記載の捕虫装置。
［１４］
前記捕虫部分は、前記捕虫部分が前記ベース部分に係合していないときに、前記捕虫部分の前記膜の少なくとも一部分を覆うように構成されたカバーを更に含む、［１］に記載の捕虫装置。
［１５］
前記捕虫部分は、ヒンジを更に含み、該ヒンジは、前記カバーが開位置及び閉位置へとスイング動作可能となるように構成される、［１４］に記載の捕虫装置。
［１６］
前記カバーが開位置にあるとき、前記カバーは、前記膜の背後に位置し、これにより前記粘着面を露出させる、［１５］に記載の捕虫装置。
［１７］
前記カバーが閉位置にあるとき、前記カバーは、前記膜の前方に位置し、これにより、前記粘着面の少なくとも一部分を覆う、［１５］に記載の捕虫装置。
［１８］
前記カバーは、前記カバーを前記フレームに対して固定する、１つ又は２つ以上の係合機構を含む、［１４］に記載の捕虫装置。
［１９］
前記フレームは、前記カバーを前記フレームに対して固定する、１つ又は２つ以上の受容機構を含む、［１８］に記載の捕虫装置。
［２０］
前記係合機構は、畝、隆起部、リップ、突出部、及び凹部を含む、［１８］に記載の捕虫装置。
［２１］
前記受容機構は、畝、隆起部、リップ、突出部、及び凹部を含む、［１８］に記載の捕虫装置。
［２２］
前記カバーは、じゃばら扉、ローラブラインド、一枚板、シャッター、又は１つ若しくは２つ以上のスラットを含む、［１４］に記載の捕虫装置。
［２３］
前記カバーは、前記ベース部分から前記捕虫部分を取り外す際に、前記捕虫部分の前記膜の少なくとも一部分を自動的に覆うように構成される、［１４］に記載の捕虫装置。
［２４］
前記カバーは、前記捕虫部分を前記ベース部分と係合させた際に、前記捕虫部分の前記膜が自動的に覆われない状態となるように構成される、［１４］に記載の捕虫装置。
［２５］
前記発光素子は、発光ダイオード（ＬＥＤ）を含む、［１］に記載の捕虫装置。
［２６］
前記発光素子は、紫外（ＵＶ）ＬＥＤ及び青色ＬＥＤを含む、［２５］に記載の捕虫装置。
［２７］
前記捕虫部分は、虫誘引剤を含む、［１］に記載の捕虫装置。
［２８］
前記虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される、［２７］に記載の捕虫装置。
［２９］
前記捕虫部分は、反射面を更に含む、［１］に記載の捕虫装置。
［３０］
前記膜は、反射面を含む、［２９］に記載の捕虫装置。
［３１］
捕虫部分であって、
粘着面と第１の開口部を有するエンクロージャであって、該粘着面は、該エンクロージャ内に少なくとも部分的に収容され、かつ虫に付着するよう構成され、該エンクロージャは、該エンクロージャに一体化された視覚的インジケータを更に含み、該視覚的インジケータは、捕虫装置の残りの寿命についての指標を提供する、エンクロージャと、
１種類又は２種類以上の虫誘引物質と、を含む、捕虫部分と、
該捕虫部分と取り外し可能に係合するように構成されるベース部分と、を含む、捕虫装置。
［３２］
前記捕虫部分は、前記１種類又は２種類以上の虫誘引物質を覆う取り外し可能なタブを更に含み、前記タブを取り外した際に、前記１種類又は２種類以上の虫誘引物質が前記捕虫装置から放出される、［３１］に記載の捕虫装置。
［３３］
前記視覚的インジケータは、前記捕虫部分内の前記１種類又は２種類以上の虫誘引物質の視認可能な残量を含む、［３１］に記載の捕虫装置。
［３４］
前記１種類又は２種類以上の虫誘引物質は、虫誘引剤と、担体材料と、を含む、［３１］に記載の捕虫装置。
［３５］
前記担体材料は、前記虫誘引剤が消耗した際に、変色するように構成される、［３４］に記載の捕虫装置。
［３６］
前記ベース部分は、
電源に接続され、該電源から電力を受け取るように構成された取り付け部分と、
該電源から電力を受け取り、前記捕虫部分内の前記１種類又は２種類以上の虫誘引物質を加熱するように構成された発熱体と、を更に含む、［３１］に記載の捕虫装置。
［３７］
前記ベース部分は、
前記捕虫装置の動作設定に関するコマンドを実行するプログラム可能プロセッサを有する回路基板を更に含み、
該回路基板は、前記発熱体に接続されており、前記１種類又は２種類以上の虫誘引物質の電気的特性を監視するように構成される、［３６］に記載の捕虫装置。
［３８］
前記回路基板は、前記１種類若しくは２種類以上の虫誘引物質の電気的特性が閾値を上回った場合、又は下回った場合に、前記視覚的インジケータを提供するように構成される、［３７］に記載の捕虫装置。
［３９］
前記回路基板に接続された発光素子を更に含み、前記回路基板は、前記１種類又は２種類以上の虫誘引物質が消耗した場合に、前記視覚的インジケータとして、前記発光素子を点滅させるか、又は変色させるように構成される、［３８］に記載の捕虫装置。
［４０］
前記回路基板に接続されたスピーカを更に含み、前記回路基板は、前記１種類又は２種類以上の虫誘引物質が消耗した場合に、該スピーカから可聴音を発生させるように構成される、［３８］に記載の捕虫装置。
［４１］
前記発熱体は、電気接点、電気抵抗コイル、１つ若しくは２つ以上の抵抗器、１つ若しくは２つ以上の赤外ＬＥＤ、１つ若しくは２つ以上のペルチェ若しくはトムソン効果機器、金属酸化膜、又は印刷された導電性インクを含む、［３６］に記載の捕虫装置。
［４２］
前記プロセッサは、ユーザーから無線でコマンドを受信し、前記捕虫装置の前記動作設定に関する該コマンドを実行するように構成される、［３７］に記載の捕虫装置。
［４３］
前記ユーザーからの前記コマンドは、携帯機器を介して送信可能である、［４２］に記載の捕虫装置。
［４４］
前記ベース部分は、
電源に接続され、該電源から電力を受け取るように構成された取り付け部分と、
該電源から電力を受け取り、前記１種類又は２種類以上の虫誘引物質の電気的特性を監視するように構成されたセンサと、を更に含む、［３１］に記載の捕虫装置。
［４５］
前記ベース部分は、
前記捕虫装置の動作設定に関するコマンドを実行するプログラム可能プロセッサを有する回路基板を更に含み、
該回路基板は、前記センサに接続されている、［４４］に記載の捕虫装置。
［４６］
前記回路基板は、前記１種類若しくは２種類以上の虫誘引物質の電気的特性が閾値を上回った場合、又は下回った場合に、前記視覚的インジケータを提供するように構成される、［４５］に記載の捕虫装置。
［４７］
前記回路基板に接続された発光素子を更に含み、前記回路基板は、前記１種類又は２種類以上の虫誘引物質が消耗した場合に、前記視覚的インジケータとして、前記発光素子を点滅させるか、又は変色させるように構成される、［４６］に記載の捕虫装置。
［４８］
前記回路基板に接続されたスピーカを更に含み、前記回路基板は、前記１種類又は２種類以上の虫誘引物質が消耗した場合に、該スピーカから可聴音を発生させるように構成される、［４６］に記載の捕虫装置。
［４９］
前記センサは、電圧検出器、電流検出器、インピーダンス検出器、ｐＨセンサ、又は水分検出器を含む、［４４］に記載の捕虫装置。
［５０］
粘着面と第１の開口部を有するエンクロージャを含む捕虫部分であって、該粘着面は、該エンクロージャ内に少なくとも部分的に収容され、かつ虫に付着するよう構成される、捕虫部分と、
該捕虫部分と取り外し可能に係合するように構成されたベース部分と、
該捕虫部分又は該ベース部分内に受容されるように構成される、取り外し可能な虫誘引剤カートリッジと、を含む、捕虫装置。
［５１］
前記ベース部分は、前記虫誘引剤カートリッジを受容するように構成された開口部を含む、［５０］に記載の捕虫装置。
［５２］
前記取り外し可能な虫誘引剤カートリッジと連通した発熱体を更に含み、該発熱体は、前記虫誘引剤が放出される速度を増加させるように構成される、［５０］に記載の捕虫装置。
［５３］
前記虫誘引剤カートリッジは、においカートリッジ、２種型においカートリッジ、１チャンバ式コンテナ、又は２チャンバ式コンテナを含む、［５０］に記載の捕虫装置。
［５４］
前記虫誘引剤カートリッジは、１チャンバ式、又は２チャンバ式コンテナと、芯と、を含み、前記虫誘引剤は、蒸発性液体誘引剤を含む、［５３］に記載の捕虫装置。
［５０］
前記１つ又は２つのチャンバは、ユーザーが前記蒸発性液体誘引剤の残量を確認できるように、透明又は半透明である、［５４］に記載の捕虫装置。
［５６］
前記蒸発性液体誘引剤は、着色又は染色した液体を含む、［５５］に記載の捕虫装置。
［５７］
前記１つ又は２つのチャンバは、視覚的インジケータを含み、該視覚的インジケータは、前記チャンバ内の液体誘引剤の量を示す１本又は２本以上の残量線を提供する、［５４］に記載の捕虫装置。
［５８］
前記虫誘引剤カートリッジは、前記捕虫装置に装着するように構成された装着部分を更に含む、［５３］に記載の捕虫装置。
［５９］
前記捕虫装置は、前記芯と連通した発熱体を更に含み、該発熱体は、放射、伝導、又は対流によって前記虫誘引剤を加熱する、［５４］に記載の捕虫装置。
［６０］
前記虫誘引剤カートリッジは、２チャンバ式コンテナと、芯と、を含み、該２つのチャンバは、２種類の異なる虫誘引剤、２成分虫誘引剤の各１成分、又は、虫誘引剤と中和剤とを保持するように構成される、［５３］に記載の捕虫装置。
［６１］
前記２つのチャンバは、第１の時間に第１の虫誘引剤を、第２の時間に第２の虫誘引剤を放出する、［６０］に記載の捕虫装置。
［６２］
前記第１及び第２の虫誘引剤は、断続的な時間間隔で放出される、［６１］に記載の捕虫装置。
［６３］
前記ベース部分は、
前記取り外し可能な虫誘引剤カートリッジに穴を開けるように構成された突出部を更に含む、［５０］に記載の捕虫装置。
［６４］
粘着面と第１の開口部を有するエンクロージャを含む捕虫部分であって、該粘着面は、該エンクロージャ内に少なくとも部分的に収容され、かつ虫に付着するよう構成される、捕虫部分と、
複数の係合機構により該捕虫部分と取り外し可能に係合するように構成されるベース部分と、を含む、捕虫装置。
［６５］
前記係合機構は、前記捕虫装置の前記ベース部分に位置するスナップ及びフックを含む、［６４］に記載の捕虫装置。
［６６］
前記係合機構は、前記捕虫装置の前記捕虫部分に位置するスナップ凹部及びフック凹部を更に含む、［６５］に記載の捕虫装置。
［６７］
前記捕虫装置は、前記捕虫部分、及び／又は前記ベース部分において把持部を更に含む、［６４］に記載の捕虫装置。
［６８］
前記把持部は、指をかけるための側方凹部、溝、畝、隆起部、又は波状部を含む、［６７］に記載の捕虫装置。
［６９］
前記ベース部分は、
電源に接続され、該電源から電力を受け取るように構成された取り付け部分を更に含み、
前記ベース部分は、前記捕虫装置が、壁面に取り付けられた際に、該壁面と同一平面となるように、該取り付け部分に近接する凹部領域を含む、［６４］に記載の捕虫装置。
［７０］
前記エンクロージャは、第２の開口部を更に含み、前記第１の開口部は、前記エンクロージャの前面に位置し、該第２の開口部は、前記エンクロージャの側面に位置する、［６４］に記載の捕虫装置。
［７１］
粘着面と第１の開口部を有するエンクロージャを含む捕虫部分であって、該粘着面は、該エンクロージャ内に少なくとも部分的に収容され、かつ虫に付着するよう構成され、該エンクロージャは、
前側ハウジング部分と、
後側ハウジング部分と、
該前側ハウジング部分と該後側ハウジング部分との間に少なくとも部分的に配置されるディバイダ部分と、を含み、該ディバイダ部分は、該エンクロージャを前側エンクロージャ部分と後側エンクロージャ部分とに分割する、捕虫部分と、
該捕虫部分と取り外し可能に係合するように構成されるベース部分と、
該エンクロージャ内に位置する蒸発性虫誘引剤と、を含む、捕虫装置。
［７２］
前記蒸発性誘引剤は、固体、液体、ゲル、又は懸濁物を含む、［７１］に記載の捕虫装置。
［７３］
前記蒸発性虫誘引剤は、前記捕虫部分の前記後側エンクロージャ部分に位置する、［７１］に記載の捕虫装置。
［７４］
捕虫部分は、非係合時に、前記後側エンクロージャ部分を覆い、前記捕虫装置からの前記蒸発性虫誘引剤の漏出を防ぐ、保護キャップを更に含む、［７３］に記載の捕虫装置。
［７５］
前記後側エンクロージャ部分は、前記蒸発性虫誘引剤を蒸発させる芯を更に含む、［７３］に記載の捕虫装置。
［７６］
前記ベース部分は、
前記芯と連通した発熱体を更に含み、該発熱体は、放射、伝導、又は対流によって前記虫誘引剤を加熱する、［７５］に記載の捕虫装置。
［７７］
前記ベース部分は、
電源に接続され、該電源から電力を受け取るように構成された取り付け部分を更に含み、
前記発熱体は、前記電源から電力を受け取り、前記芯の少なくとも一部分を加熱するように構成される、［７６］に記載の捕虫装置。
［７８］
前記捕虫部分の前記前側エンクロージャ部分は、前記ベース部分と連通する複数の開口部を含み、該開口部は、蒸発した虫誘引剤を前記ベース部分から前記捕虫部分へと移動させるように構成される、［７６］に記載の捕虫装置。
［７９］
前記蒸発した虫誘引剤は、前記捕虫部分における前記第１の開口部から放出される、［７８］に記載の捕虫装置。
［８０］
前記ディバイダ部分は、視覚的インジケータを含み、該視覚的インジケータは、前記捕虫装置内の虫誘引剤の量を示す１本又は２本以上の残量線を提供する、［７１］に記載の捕虫装置。
［８１］
前記虫誘引剤は、着色又は染色した液体を含む、［７１］に記載の捕虫装置。
［８２］
前記ディバイダ部分は、第１の膜と、
該第１の膜に穴を開けるように構成された突出部と、を含む、［７１］に記載の捕虫装置。
［８３］
前記ディバイダ部分は、第２の膜を含む、［８２］に記載の捕虫装置。
［８４］
前記第１の膜は、バリヤ膜を含み、前記第２の膜は、吸収性膜を含む、［８３］に記載の捕虫装置。
［８５］
前記吸収性膜は、後側エンクロージャ部分に近接し、後側エンクロージャ部分は、前記蒸発性虫誘引剤を保持する、［８４］に記載の捕虫装置。
［８６］
前記吸収性膜は、前記突出部が前記バリヤ膜に穴を開けた際に、前記蒸発性虫誘引剤を吸収するように構成される、［８５］に記載の捕虫装置。
［８７］
前記ディバイダ部分は、視覚的インジケータを含み、該視覚的インジケータは、前記捕虫装置内の虫誘引剤の量を示す１本又は２本以上の残量線を提供する、［７１］に記載の捕虫装置。
［８８］
前記ベース部分は、前記エンクロージャに光を提供するように構成された発光素子を含み、該発光素子は、電源に接続され、該電源から電力を受け取るように構成される、［８７］に記載の捕虫装置。
［８９］
粘着面と第１の開口部を有するエンクロージャを含む捕虫部分であって、該粘着面は、該エンクロージャ内に少なくとも部分的に収容され、かつ虫に付着するよう構成される、捕虫部分と、
該捕虫部分と取り外し可能に係合するように構成されるベース部分と、
該捕虫部分又は該ベース部分に受容されるように構成される、リザーバアセンブリと、
リザーバアセンブリに穴を開け、該リザーバアセンブリの内容物を活性化するように構成されたパンチと、を含む、捕虫装置。
［９０］
前記リザーバアセンブリは、前記捕虫部分内に位置し、前記パンチは、前記ベース部分に位置する、［８９］に記載の捕虫装置。
［９１］
前記パンチは、前記パンチの長さ方向の一部分にわたって延びる複数の溝を有する、［８９］に記載の捕虫装置。
［９２］
前記パンチは、前記リザーバアセンブリに穴を開けた際に、前記リザーバアセンブリに対する封止部として機能するように構成される、［８９］に記載の捕虫装置。
［９３］
前記リザーバアセンブリは、第１のチャンバと、第２のチャンバと、を含む、［８９］に記載の捕虫装置。
［９４］
前記第１のチャンバは、砂糖水を含み、前記第２のチャンバは、酵母培養物を含む、［９３］に記載の捕虫装置。
［９５］
前記パンチは、穴を開けて、前記第１のチャンバから前記第２のチャンバへの通路を形成するように構成される、［９４］に記載の捕虫装置。
［９６］
前記リザーバアセンブリの前記活性化された内容物は、二酸化炭素を産生する、［９５］に記載の捕虫装置。
［９７］
前記二酸化炭素は、前記捕虫部分における前記第１の開口部から放出される、［９６］に記載の捕虫装置。
［９８］
粘着面を有するハウジングを含む捕虫部分であって、該粘着面は、少なくとも部分的には該ハウジング内に収容されており、かつ虫に付着するように構成される、捕虫部分と、
ベース部分であって、
電源に接続され、該電源から電力を受け取るように構成された取り付け部分と、
該電源から電力を受け取り、該捕虫部分の該粘着面を加熱するように構成された発熱体と、を含む、ベース部分と、を含み、
該ベース部分は、該捕虫部分と取り外し可能に係合するよう構成される、捕虫装置。
［９９］
前記発熱体は、前記粘着面に所定の発熱プロファイルを付与するように構成された、１本又は２本以上の電熱線を含む、［９８］に記載の捕虫装置。
［１００］
前記１本又は２本以上の電熱線は、同心状パターン、垂直パターン、水平パターン、又は迷路パターンを含むパターンに配置される、［９９］に記載の捕虫装置。
［１０１］
前記所定の発熱プロファイルは、均一パターン又は不均一パターンを含む、［９９］に記載の捕虫装置。
［１０２］
前記１本又は２本以上の電熱線は、導電性ポリマー、自己補正性導電性ポリマー、金属、又は金属酸化物から構成される、［９９］に記載の捕虫装置。
［１０３］
前記電熱線は、前記粘着面の温度を、およそ３０℃〜およそ４５℃に維持するように構成される、［９９］に記載の捕虫装置。
［１０４］
前記電熱線は、前記粘着面の温度を、およそ３３℃〜およそ４２℃に維持するように構成される、［１０３］に記載の捕虫装置。
［１０５］
前記ベース部分は、前記捕虫部分の前記粘着面を照らすように構成された発光素子を更に含む、［９８］に記載の捕虫装置。
［１０６］
捕虫部分であって、
粘着面を有するハウジングであって、該粘着面は、少なくとも部分的には該ハウジング内に収容されており、かつ虫に付着するように構成される、ハウジングと、
該粘着面を加熱するように構成された発熱体と、を含む、捕虫部分と、
電源から電力を受け取るように構成され、かつ該発熱体に該電力を供給するように構成された取り付け部分を含むベース部分と、を含み、
該ベース部分は、該捕虫部分と取り外し可能に係合するよう構成される、捕虫装置。
［１０７］
前記発熱体は、前記粘着面に所定の発熱プロファイルを付与するように構成された、１本又は２本以上の電熱線を含む、［１０６］に記載の捕虫装置。
［１０８］
前記１本又は２本以上の電熱線は、同心状パターン、垂直パターン、水平パターン、又は迷路パターンを含むパターンに配置される、［１０７］に記載の捕虫装置。
［１０９］
前記所定の発熱プロファイルは、均一パターン又は不均一パターンを含む、［１０７］に記載の捕虫装置。
［１１０］
前記１本又は２本以上の電熱線は、導電性ポリマー、自己補正性導電性ポリマー、金属、又は金属酸化物から構成される、［１０７］に記載の捕虫装置。
［１１１］
前記電熱線は、前記粘着面の温度を、およそ３０℃〜およそ４５℃に維持するように構成される、［１０７］に記載の捕虫装置。
［１１２］
前記電熱線は、前記粘着面の温度を、およそ３３℃〜およそ４２℃に維持するように構成される、［１１１］に記載の捕虫装置。
［１１３］
前記ベース部分は、前記捕虫部分の前記粘着面を照らすように構成された発光素子を更に含む、［１０６］に記載の捕虫装置。
【外国語明細書】
2020188785000001.pdf